(57)【要約】【課題】遊技盤の前面のスペースを有効に活用できる遊技機を提供すること。【解決手段】遊技球が入球される第２入賞口１４０を備える正面ユニット９４０の背面側に、第２入賞口１４０と連通する通路の貫通孔９８１ｃを備える送球ユニット７００がベース板６０（遊技盤１３）を挟んで配設される。これにより、遊技盤１３の前面に第2入賞口１４０に入球する遊技球の送球通路を形成する必要がなくなるので、遊技盤１３の前面側のスペースを有効に活用できる。【選択図】図１１９
2018161211.tif 000002
【特許請求の範囲】
【請求項１】
遊技球が入球可能に形成される入球口およびその入球口に連結される通路を備えた入球ユニットと、その入球ユニットが配設される遊技盤とを備えた遊技機において、
前記遊技盤には、板厚方向に開口部が開口形成され、
前記入球ユニットは、前記入球口およびその入球口に連結される第１通路を有すると共に前記遊技盤の前面側に配設される第１ユニットと、その第１ユニットの背面側に前記遊技盤の開口部を介して配設されると共に前記第１通路に連結される第２通路を有する第２ユニットとを備えることを特徴とする遊技機。
【請求項２】
前記第１ユニットの少なくとも一部が光透過性材料から形成され、前記第２ユニットが、前記第１ユニットよりも小さな外形に形成されると共に、正面視において前記第１ユニットに重なる位置に配設されることを特徴とする請求項１記載の遊技機。
【請求項３】
前記第２ユニットの少なくとも前記第２通路における正面側が光透過性材料から形成されることを特徴とする請求項２記載の遊技機。
【発明の詳細な説明】
【技術分野】
【０００１】
本発明は、パチンコ機などの遊技機に関するものである。
【背景技術】
【０００２】
遊技球が入球可能に形成される入球口およびその入球口に連結される通路を備えた入球ユニットと、その入球ユニットが配設される遊技盤とを備えた遊技機が知られている（特許文献１）。
【先行技術文献】
【特許文献】
【０００３】
【特許文献１】特開２０１５−１３１０４６号公報
【発明の概要】
【発明が解決しようとする課題】
【０００４】
しかしながら、上述した従来の遊技機では、遊技盤の前面側のスペースに無駄が生じるという問題点があった。
【０００５】
本発明は、上記例示した問題点を解決するためになされたものであり、遊技盤の前面のスペースを有効に活用できる遊技機を提供することを目的とする。
【課題を解決するための手段】
【０００６】
この目的を達成するために請求項１記載の遊技機は、遊技球が入球可能に形成される入球口およびその入球口に連結される通路を備えた入球ユニットと、その入球ユニットが配設される遊技盤とを備えたものであり、前記遊技盤には、板厚方向に開口部が開口形成され、前記入球ユニットは、前記入球口およびその入球口に連結される第１通路を有すると共に前記遊技盤の前面側に配設される第１ユニットと、その第１ユニットの背面側に前記遊技盤の開口部を介して配設されると共に前記第１通路に連結される第２通路を有する第２ユニットとを備える。
【０００７】
請求項２記載の遊技機は、請求項1記載の遊技機において、前記第１ユニットの少なくとも一部が光透過性材料から形成され、前記第２ユニットが、前記第１ユニットよりも小さな外形に形成されると共に、正面視において前記第１ユニットに重なる位置に配設される。
【０００８】
請求項３記載の遊技機は、請求項２記載の遊技機において、前記第２ユニットの少なくとも前記第２通路における正面側が光透過性材料から形成される。
【発明の効果】
【０００９】
請求項１記載の遊技機によれば、遊技盤の前面のスペースを有効に活用できる。
【００１０】
請求項２記載の遊技機によれば、請求項1記載の遊技機の奏する効果に加え、設計の自由度を高めることができる。
【００１１】
請求項３記載の遊技機によれば、請求項２記載の遊技機の奏する効果に加え、遊技の興趣を高めることができる。
【図面の簡単な説明】
【００１２】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】動作ユニットの正面斜視図である。
【図６】動作ユニットの分解正面斜視図である。
【図７】動作ユニットの正面図である。
【図８】動作ユニットの正面図である。
【図９】変位ユニットの正面斜視図である。
【図１０】変位ユニットの背面図である。
【図１１】左変位部材および右変位部材の正面斜視図である。
【図１２】左変位部材および右変位部材の背面斜視図である。
【図１３】変位ユニットの正面斜視図である。
【図１４】変位ユニットの背面斜視図である。
【図１５】変位ユニットの正面斜視図である。
【図１６】変位ユニットの背面斜視図である。
【図１７】変位ユニットの正面斜視図である。
【図１８】変位ユニットの背面斜視図である。
【図１９】第１の態様における変位ユニットの正面図である。
【図２０】図１９の背面視における変位ユニットの背面図である。
【図２１】第１の態様における変位ユニットの正面図である。
【図２２】図２１の背面視における変位ユニットの背面図である。
【図２３】第１の態様における変位ユニットの正面図である。
【図２４】図２３の背面視における変位ユニットの背面図である。
【図２５】第２の態様における変位ユニットの正面図である。
【図２６】図２５の背面視における変位ユニットの背面図である。
【図２７】第３の態様における変位ユニットの正面図である。
【図２８】図２７の背面視における変位ユニットの背面図である。
【図２９】投影ユニットの正面図である。
【図３０】投影ユニットの背面図である。
【図３１】投影ユニットの分解正面斜視図である。
【図３２】投影ユニットの分解背面斜視図である。
【図３３】背面ベースの正面図である。
【図３４】正面ベース及び照射ユニットの背面図である。
【図３５】正面ベースの背面図である。
【図３６】図３４の矢印ＸＸＸＶＩ方向視における正面ベース及び照射ユニットの部分拡大断面図である。
【図３７】投影板部材、ギヤ部材および溝形成部材の正面図である。
【図３８】図３７のＸＸＸＶＩＩＩ−ＸＸＸＶＩＩＩ線における投影板部材、ギヤ部材および溝形成部材の部分断面図である。
【図３９】（ａ）は、投影ユニットの背面図であり、（ｂ）は、図３９（ａ）のＸＸＸＩＸｂ−ＸＸＸＩＸｂ線における投影ユニットの部分拡大断面図である。
【図４０】（ａ）から（ｃ）は、投影ユニットの部分拡大断面図である。
【図４１】（ａ）及び（ｂ）は、投影板部材、ギヤ部材および溝形成部材の断面模式図である。
【図４２】（ａ）及び（ｂ）は、投影板部材、ギヤ部材および溝形成部材の断面模式図である。
【図４３】（ａ）及び（ｂ）は、投影板部材、ギヤ部材および溝形成部材の断面模式図である。
【図４４】（ａ）は、照射ユニットの上面図であり、（ｂ）は、図４４（ａ）の矢印ＸＬＩＶｂ方向視における照射ユニットの正面図である。
【図４５】（ａ）は、図４４（ａ）の矢印ＸＬＶａ方向視における照射ユニットの背面図であり、（ｂ）は、図４４（ｂ）のＸＬＶｂ−ＸＬＶｂ線における照射ユニットの断面図である。
【図４６】（ａ）は、第１ブロックの正面図であり、（ｂ）は、図４６（ａ）のＸＬＶＩｂ−ＸＬＶＩｂ線における第１ブロックの断面図であり、（ｃ）は、第２ブロックの正面図であり、（ｄ）は、図４６（ｃ）のＸＬＶＩｄ−ＸＬＶＩｄ線における第２ブロックの断面図である。
【図４７】上下変位ユニットの正面図である。
【図４８】上下変位ユニットの背面図である。
【図４９】上下変位ユニットの正面斜視図である。
【図５０】上下変位ユニットの背面斜視図である。
【図５１】第１位置における上下変位ユニットの正面図である。
【図５２】中間位置における上下変位ユニットの正面図である。
【図５３】第２位置における上下変位ユニットの正面図である。
【図５４】第１位置における上下変位ユニットの背面図である。
【図５５】中間位置における上下変位ユニットの背面図である。
【図５６】第２位置における上下変位ユニットの背面図である。
【図５７】（ａ）は、第１位置のおける伝達ギヤおよび連結部材の背面図であり、（ｂ）は、中間位置における伝達ギヤおよび連結部材の背面図であり、（ｃ）は、第２位置における伝達ギヤおよび連結部材の背面図である。
【図５８】（ａ）から（ｃ）は、第１駆動範囲における伝達ギヤおよび連結部材の背面図である。
【図５９】（ａ）は、図５４のＬＩＸａ−ＬＩＸａ線における上下変位ユニットの断面模式図であり、（ｂ）は、図５５のＬＩＸｂ−ＬＩＸｂ線における上下変位ユニットの断面模式図であり、（ｃ）は、図５６のＬＩＸｃ−ＬＩＸｃ線における上下変位ユニットの断面模式図である。
【図６０】（ａ）は、第２実施形態における投影板部材、ギヤ部材および溝形成部材の正面図であり、（ｂ）は、図６０（ａ）のＬＸｂ−ＬＸｂ線における投影板部材、ギヤ部材および溝形成部材の断面模式図である。
【図６１】投影板部材、ギヤ部材および溝形成部材の断面模式図である。
【図６２】投影板部材、ギヤ部材および溝形成部材の断面模式図である。
【図６３】投影板部材、ギヤ部材および溝形成部材の断面模式図である。
【図６４】（ａ）は、第３実施形態における投影板部材、ギヤ部材および溝形成部材の正面図であり、（ｂ）は、図６４（ａ）のＬＸＩＶｂ−ＬＸＩＶｂ線における投影板部材、ギヤ部材および溝形成部材の断面模式図である。
【図６５】（ａ）は、図６４（ａ）の矢印ＬＸＶａ方向視における投影板部材、ギヤ部材および溝形成部材の側面図であり、（ｂ）は、図６５（ａ）のＬＸＶｂ−ＬＸＶｂ線における投影板部材、ギヤ部材および溝形成部材の断面図であり、（ｃ）は、図６５（ａ）のＬＸＶｃ−ＬＸＶｃ線における投影板部材、ギヤ部材および溝形成部材の断面図である。
【図６６】（ａ）及び（ｂ）は、投影板部材、ギヤ部材および溝形成部材の断面模式図である。
【図６７】（ａ）は、第４実施形態における照射ユニットの上面図であり、（ｂ）は、照射ユニットの断面図である。
【図６８】（ａ）は、第１ブロック近傍における投影ユニットの部分拡大模式図であり、（ｂ）は、第２ブロック近傍における投影ユニットの部分拡大模式図である。
【図６９】第５実施形態における投影ユニットの正面図である。
【図７０】投影ユニットの分解正面斜視図である。
【図７１】正面ベースの背面図である。
【図７２】投影ユニットの背面図である。
【図７３】（ａ）は、第１状態における投影ユニットの正面図であり、（ｂ）は、第２状態における投影ユニットの正面図である。
【図７４】（ａ）は、第１状態における投影ユニットの背面図であり、（ｂ）は、第２状態における投影ユニットの背面図である。
【図７５】（ａ）は、第１状態における投影ユニットの正面図であり、（ｂ）は、第３状態における投影ユニットの正面図である。
【図７６】（ａ）は、第１状態における投影ユニットの背面図であり、（ｂ）は、第２状態における投影ユニットの背面図である。
【図７７】第６実施形態における投影ユニットの正面図である。
【図７８】投影ユニットの正面分解斜視図である。
【図７９】正面ベースおよび照射ユニットを組み付けた状態における正面ベースの背面図である。
【図８０】（ａ）から（ｃ）は、投影ユニットの背面図である。
【図８１】第７実施形態における遊技盤の正面図である。
【図８２】ベース板、入賞口ユニットおよび送球ユニットの分解斜視正面図である。
【図８３】（ａ）は、入賞口ユニットの正面図であり、（ｂ）は、入賞口ユニットの背面図である。
【図８４】（ａ）は、入賞口ユニットの斜視正面図であり、（ｂ）は、入賞口ユニットの斜視背面図である。
【図８５】入賞口ユニットの分解斜視正面図である。
【図８６】入賞口ユニットの分解斜視背面図である。
【図８７】（ａ）は、正面ユニットの正面図であり、（ｂ）は、正面ユニットの背面図である。
【図８８】正面ユニットの分解斜視正面図である。
【図８９】正面ユニットの分解斜視背面図である。。
【図９０】（ａ）は、変位部材の正面図であり、（ｂ）は、変位部材の側面図であり（ｃ）は、変位部材の斜視正面図である。
【図９１】図８７（ｂ）の範囲ＸＣＩにおける入賞口ユニットおよび変位部材の背面図である。
【図９２】図８７（ｂ）の範囲ＸＣＩにおける入賞口ユニットおよび変位部材の背面図である。
【図９３】（ａ）は、駆動ユニットの側面図であり、（ｂ）は、駆動ユニットの上面図であり、（ｃ）は、駆動ユニットの斜視正面図である。
【図９４】駆動ユニットの分解斜視正面図である。
【図９５】駆動ユニットの分解斜視背面図である。
【図９６】（ａ）及び（ｂ）は、図９３（ｂ）のＸＣＶＩ−ＸＣＶＩ線における駆動ユニットの断面図である。
【図９７】図８３のＸＣＶＩＩ−ＸＣＶＩＩ線における入賞口ユニットの断面図である。
【図９８】（ａ）及び（ｂ）は、図９７のＸＣＶＩＩＩ−ＸＣＶＩＩＩ線における入賞口ユニットの断面図である。
【図９９】（ａ）は、特定入賞口ユニットの正面図であり、（ｂ）は、特定入賞口ユニットの背面図であり、（ｃ）は、特定入賞口ユニットの上面図である。
【図１００】特定入賞口ユニットの分解斜視正面図である。
【図１０１】特定入賞口ユニット９５０の分解斜視背面図である。
【図１０２】（ａ）及び（ｂ）は、図９９（ｃ）のＣＩＩ−ＣＩＩ線における特定入賞口ユニットの断面図である。
【図１０３】（ａ）及び（ｂ）は、特定入賞口ユニットの斜視正面図である。
【図１０４】（ａ）は、特定入賞口ユニットの正面図であり、（ｂ）は、図１０４（ａ）のＣＩＶｂ−ＣＩＶｂ線における特定入賞口ユニットの断面図である。
【図１０５】（ａ）は、特定入賞口ユニットおよび駆動ユニットの上面図であり、（ｂ）は、特定入賞口ユニットおよび駆動ユニットの側面図である。
【図１０６】（ａ）は、図１０５（ａ）のＣＶＩａ−ＣＶＩａ線における特定入賞口ユニットおよび駆動ユニットの断面図であり、（ｂ）は、図１０６（ａ）のＣＶＩｂ−ＣＶＩｂ線における特定入賞口ユニットおよび駆動ユニットの断面図である。
【図１０７】（ａ）は、送球ユニットの正面図であり、（ｂ）は、送球ユニットの側面図である。
【図１０８】（ａ）は、送球ユニットの分解斜視正面図であり、（ｂ）は、送球ユニットの分解斜視背面図である。
【図１０９】（ａ）は、振分けユニットの正面図であり、（ｂ）は、振分けユニットの側面図である。
【図１１０】振分けユニットの分解斜視正面図である。
【図１１１】振分けユニットの分解斜視背面図である。
【図１１２】（ａ）は、図１０９（ａ）のＣＸＩＩａ−ＣＸＩＩａ線における振分けユニットの断面図であり、図１１２（ｂ）は、図１１２（ａ）のＣＸＩＩｂ−ＣＸＩＩｂにおける振分けユニットの断面図である。
【図１１３】（ａ）及び（ｂ）は、図１１２（ｂ）の範囲ＣＸＩＩＩにおける振分けユニットの部分拡大断面図である。
【図１１４】（ａ）は、通路ユニットの正面図であり、（ｂ）は、通路ユニットの側面図である。
【図１１５】通路ユニットの分解斜視正面図である。
【図１１６】通路ユニットの分解斜視背面図である。
【図１１７】（ａ）は、交換ユニットの正面図であり、（ｂ）は、交換ユニットの背面図である。
【図１１８】（ａ）は、図１１７（ａ）のＣＸＶＩＩＩａ−ＣＸＶＩＩＩａ線における交換ユニットの断面図であり、（ｂ）は、図１１８（ａ）のＣＸＶＩＩＩｂ−ＣＸＶＩＩＩｂ線における交換ユニットの断面図である。
【図１１９】図８１のＣＸＩＸ−ＣＸＩＸ線における遊技盤の断面図である。
【図１２０】（ａ）は、図１１９の範囲ＣＸＸａにおける遊技盤の部分拡大断面図であり、（ｂ）は、図１２０（ａ）のＣＸＸｂ−ＣＸＸｂ線における遊技盤の部分拡大断面図である。
【図１２１】（ａ）は、図１１９の範囲ＣＸＸａにおける遊技盤の部分拡大断面図であり、（ｂ）は、図１２０（ａ）のＣＸＸｂ−ＣＸＸｂ線における遊技盤の部分拡大断面図である。
【図１２２】第８実施形態における正面ユニット及び変位部材の背面図である。
【図１２３】（ａ）及び（ｂ）は、第９実施形態における駆動ユニットおよびの断面図である。
【図１２４】（ａ）及び（ｂ）は、第１０実施形態における駆動ユニットおよび変位部材の断面図である。
【図１２５】第１１実施形態における背面ベースおよび変位部材の分解斜視背面図である。
【図１２６】（ａ）及び（ｂ）は、正面ユニットおよび変位部材の背面図である。
【図１２７】第１２実施形態における背面ベースおよび変位部材の分解斜視背面図である。
【図１２８】（ａ）及び（ｂ）は、正面ユニットおよび変位部材の背面図である。
【図１２９】（ａ）は、第１３実施形態における正面ユニットの背面図であり、（ｂ）は、図１２９（ａ）のＣＸＸＩＸｂ−ＣＸＸＩＸｂ線における入賞口ユニットの断面図である。
【図１３０】（ａ）は、第１４実施形態における入賞口ユニットの断面図であり、（ｂ）は、図１３０（ａ）のＣＸＸＸｂ−ＣＸＸＸｂ線における入賞口ユニットの断面図である。
【図１３１】（ａ）は、入賞口ユニットの断面図であり、（ｂ）は、図１３１（ａ）のＣＸＸＸＩｂ−ＣＸＸＸＩｂ線における入賞口ユニットの断面図である。
【図１３２】（ａ）は、第１５実施形態における駆動ユニットの側面図であり、（ｂ）は、駆動ユニットの上面図であり、（ｃ）は、駆動ユニットの斜視正面図である。
【図１３３】（ａ）は、遊技盤の断面図であり、図１３３（ｂ）は、図１３３（ａ）のＣＸＸＸＩＩＩｂ−ＣＸＸＸＩＩＩｂ線における遊技盤の断面図である。
【図１３４】（ａ）は、第１６実施形態における遊技盤の断面図であり、（ｂ）は、第１７実施形態における遊技盤の断面図である。
【図１３５】（ａ）は、第１８実施形態における入賞口ユニットを背面視した模式図であり、（ｂ）は、図１３５（ａ）のＣＸＸＸＶｂ−ＣＸＸＸＶｂ線における入賞口ユニットの断面模式図である。
【図１３６】（ａ）は、入賞口ユニットを背面視した模式図であり、図１３６（ｂ）は、図１３６（ａ）のＣＸＸＸＶＩｂ−ＣＸＸＸＶＩｂ線における入賞口ユニット９３０の断面模式図である。
【図１３７】（ａ）は、入賞口ユニットを背面視した模式図であり、（ｂ）は、図１３７（ａ）のＣＸＸＸＶＩＩｂ−ＣＸＸＸＶＩＩｂ線における入賞口ユニット９３０の断面模式図である。
【発明を実施するための形態】
【００１３】
以下、本発明の実施形態について、添付図面を参照して説明する。まず、図１から図５９を参照し、第１実施形態として、本発明をパチンコ遊技機（以下、単に「パチンコ機」という）１に適用した場合の一実施形態について説明する。図１は、第１実施形態におけるパチンコ機１の正面図であり、図２はパチンコ機１の遊技盤１３の正面図であり、図３はパチンコ機１の背面図である。
【００１４】
図１に示すように、パチンコ機１は、略矩形状に組み合わせた木枠により外殻が形成される外枠２と、その外枠２と略同一の外形形状に形成され外枠２に対して開閉可能に支持された内枠４とを備えている。外枠２には、内枠４を支持するために正面視（図１参照）左側の上下２カ所に金属製のヒンジ１８が取り付けられ、そのヒンジ１８が設けられた側を開閉の軸として内枠４が正面手前側へ開閉可能に支持されている。
【００１５】
内枠４には、多数の釘や入賞口６３，６４等を有する遊技盤１３（図２参照）が裏面側から着脱可能に装着される。この遊技盤１３の前面を球（遊技球）が流下することにより弾球遊技が行われる。なお、内枠４には、球を遊技盤１３の前面領域に発射する球発射ユニット１１２ａ（図４参照）やその球発射ユニット１１２ａから発射された球を遊技盤１３の前面領域まで誘導する発射レール（図示せず）等が取り付けられている。
【００１６】
内枠４の前面側には、その前面上側を覆う前扉５と、その下側を覆う下皿ユニット１５とが設けられている。前扉５および下皿ユニット１５を支持するために正面視（図１参照）左側の上下２カ所に金属製のヒンジ１９が取り付けられ、そのヒンジ１９が設けられた側を開閉の軸として前扉５および下皿ユニット１５が正面手前側へ開閉可能に支持されている。なお、内枠４の施錠と前扉５の施錠とは、シリンダ錠２０の鍵穴２１に専用の鍵を差し込んで所定の操作を行うことでそれぞれ解除される。
【００１７】
前扉５は、装飾用の樹脂部品や電気部品等を組み付けたものであり、その略中央部には略楕円形状に開口形成された窓部５ｃが設けられている。前扉５の裏面側には２枚の板ガラス８を有するガラスユニット１６が配設され、そのガラスユニット１６を介して遊技盤１３の前面がパチンコ機１の正面側に視認可能となっている。
【００１８】
前扉５には、球を貯留する上皿１７が前方へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａ（図４参照）へと案内される。また、上皿１７の上面には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００１９】
前扉５には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部５ｃの周縁には、ＬＥＤ等の発光手段を内蔵した電飾部２９〜３３が設けられている。パチンコ機１においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、前扉５の正面視（図１参照）左上部には、ＬＥＤ等の発光手段が内蔵され賞球の払い出し中とエラー発生時とを表示可能な表示ランプ３４が設けられている。
【００２０】
また、右側の電飾部３２下側には、前扉５の裏面側を視認できるように裏面側より透明樹脂を取り付けて小窓３５が形成され、遊技盤１３前面の貼着スペースＫ１（図２参照）に貼付される証紙等がパチンコ機１の前面から視認可能とされている。また、パチンコ機１においては、より煌びやかさを醸し出すために、電飾部２９〜３３の周りの領域にクロムメッキを施したＡＢＳ樹脂製のメッキ部材３６が取り付けられている。
【００２１】
窓部５ｃの下方には、貸球操作部４０が配設されている。貸球操作部４０には、度数表示部４１と、球貸しボタン４２と、返却ボタン４３とが設けられている。パチンコ機１の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２２】
上皿１７の下側に位置する下皿ユニット１５には、その中央部に上皿１７に貯留しきれなかった球を貯留するための下皿５０が上面を開放した略箱状に形成されている。下皿５０の右側には、球を遊技盤１３の前面へ打ち込むために遊技者によって操作される操作ハンドル５１が配設される。
【００２３】
操作ハンドル５１の内部には、球発射ユニット１１２ａの駆動を許可するためのタッチセンサ５１ａと、押下操作している期間中には球の発射を停止する発射停止スイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤１３の前面へ球が打ち込まれる。また、操作ハンドル５１が遊技者により操作されていない状態においては、タッチセンサ５１ａおよび発射停止スイッチ５１ｂがオフとなっている。
【００２４】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。この球抜きレバー５２の操作は、通常、下皿５０の下方に下皿５０から排出された球を受け取る箱（一般に「千両箱」と称される）を置いた状態で行われる。下皿５０の右方には、上述したように操作ハンドル５１が配設され、下皿５０の左方には灰皿５３が取り付けられている。
【００２５】
図２に示すように、遊技盤１３は、正面視略正方形状に切削加工したベース板６０に、球案内用の多数の釘（図示せず）や風車の他、レール７６，７７、一般入賞口６３、第１入賞口６４、第２入賞口１４０、可変入賞装置６５、第１スルーゲート６６、可変表示装置ユニット８０等を組み付けて構成され、その周縁部が内枠４（図１参照）の裏面側に取り付けられる。ベース板６０は薄い板材を張り合わせた木材からなり、その正面側からベース板６０の背面側に配設された各種構造体を遊技者に目視できないように形成される。一般入賞口６３、第１入賞口６４、第２入賞口１４０、可変入賞装置６５、可変表示装置ユニット８０は、ルータ加工によってベース板６０に形成された貫通穴に配設され、遊技盤１３の前面側からタッピングネジ等により固定されている。
【００２６】
遊技盤１３の前面中央部分は、前扉５の窓部５ｃ（図１参照）を通じて内枠４の前面側から視認することができる。以下に、主に図２を参照して、遊技盤１３の構成について説明する。
【００２７】
遊技盤１３の前面には、帯状の金属板を略円弧状に屈曲加工して形成した外レール７７が植立され、その外レール７７の内側位置には外レール７７と同様に帯状の金属板で形成した円弧状の内レール７６が植立される。この内レール７６と外レール７７とにより遊技盤１３の前面外周が囲まれ、遊技盤１３とガラスユニット１６（図１参照）とにより前後が囲まれることにより、遊技盤１３の前面には、球の挙動により遊技が行われる遊技領域が形成される。遊技領域は、遊技盤１３の前面であって２本のレール７６，７７とレール間を繋ぐ樹脂製の外縁部材７３とにより区画して形成される領域（入賞口等が配設され、発射された球が流下する領域）である。
【００２８】
２本のレール７６，７７は、球発射ユニット１１２ａ（図４参照）から発射された球を遊技盤１３上部へ案内するために設けられたものである。内レール７６の先端部分（図２の左上部）には戻り球防止部材６８が取り付けられ、一旦、遊技盤１３の上部へ案内された球が再度球案内通路内に戻ってしまうといった事態が防止される。外レール７７の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。
【００２９】
遊技領域の正面視左側下部（図２の左側下部）には、発光手段である複数のＬＥＤおよび７セグメント表示器を備える第１図柄表示装置３７Ａ，３７Ｂが配設されている。第１図柄表示装置３７Ａ，３７Ｂは、主制御装置１１０（図４参照）で行われる各制御に応じた表示がなされるものであり、主にパチンコ機１の遊技状態の表示が行われる。本実施形態では、第１図柄表示装置３７Ａ，３７Ｂは、球が、第１入賞口６４へ入賞したか、第２入賞口１４０へ入賞したかに応じて使い分けられるように構成されている。具体的には、球が、第１入賞口６４へ入賞した場合には、第１図柄表示装置３７Ａが作動し、一方で、球が、第２入賞口１４０へ入賞した場合には、第１図柄表示装置３７Ｂが作動するように構成されている。
【００３０】
また、第１図柄表示装置３７Ａ，３７Ｂは、ＬＥＤにより、パチンコ機１が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すと共に、７セグメント表示装置により、大当たり中のラウンド数やエラー表示を行う。なお、複数のＬＥＤは、それぞれのＬＥＤの発光色（例えば、赤、緑、青）が異なるよう構成され、その発光色の組み合わせにより、少ないＬＥＤでパチンコ機１の各種遊技状態を示唆することができる。
【００３１】
なお、本パチンコ機１では、第１入賞口６４，第２入賞口１４０のいずれかに入賞があったことを契機として抽選が行われる。パチンコ機１は、その抽選において、大当たりか否かの当否判定（大当たり抽選）を行うと共に、大当たりと判定した場合はその大当たり種別の判定も行う。ここで判定される大当たり種別としては、１５Ｒ確変大当たり、４Ｒ確変大当たり、１５Ｒ通常大当たりが用意されている。第１図柄表示装置３７Ａ，３７Ｂには、変動終了後の停止図柄として抽選の結果が大当たりであるか否かが示されるだけでなく、大当たりである場合はその大当たり種別に応じた図柄が示される。
【００３２】
ここで、「１５Ｒ確変大当たり」とは、最大ラウンド数が１５ラウンドの大当たりの後に高確率状態へ移行する確変大当たりのことであり、「４Ｒ確変大当たり」とは、最大ラウンド数が４ラウンドの大当たりの後に高確率状態へ移行する確変大当たりのことである。また、「１５Ｒ通常大当たり」は、最大ラウンド数が１５ラウンドの大当たりの後に、低確率状態へ移行すると共に、所定の変動回数の間（例えば、１００変動回数）は時短状態となる大当たりのことである。
【００３３】
また、「高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における高確率状態（確変中）は、後述する第２図柄の当たり確率がアップして第２入賞口１４０へ球が入賞し易い遊技の状態を含む。「低確率状態」とは、確変中でない時をいい、大当たり確率が通常の状態、即ち、確変の時より大当たり確率が低い状態をいう。また、「低確率状態」のうちの時短状態（時短中）とは、大当たり確率が通常の状態であると共に、大当たり確率がそのままで第２図柄の当たり確率のみがアップして第２入賞口１４０へ球が入賞し易い遊技の状態のことをいう。一方、パチンコ機１が通常中とは、確変中でも時短中でもない遊技の状態（大当たり確率も第２図柄の当たり確率もアップしていない状態）である。
【００３４】
確変中や時短中は、第２図柄の当たり確率がアップするだけではなく、第２入賞口１４０に付随する第１電動役物１４０ａが開放される時間も変更され、通常中と比して長い時間が設定される。第１電動役物１４０ａが開放された状態（開放状態）にある場合は、その第１電動役物１４０ａが閉鎖された状態（閉鎖状態）にある場合と比して、第２入賞口１４０へ球が入賞しやすい状態となる。よって、確変中や時短中は、第２入賞口１４０へ球が入賞し易い状態となり、大当たり抽選が行われる回数を増やすことができる。
【００３５】
なお、確変中や時短中において、第２入賞口１４０に付随する第１電動役物１４０ａの開放時間を変更するのではなく、または、その開放時間を変更することに加えて、１回の当たりで第１電動役物１４０ａが開放する回数を通常中よりも増やす変更を行うものとしてもよい。また、確変中や時短中において、第２図柄の当たり確率は変更せず、第２入賞口１４０に付随する第１電動役物１４０ａが開放される時間および１回の当たりで第１電動役物１４０ａが開放する回数の少なくとも一方を変更するものとしてもよい。また、確変中や時短中において、第２入賞口１４０に付随する第１電動役物１４０ａが開放される時間や、１回の当たりで第１電動役物１４０ａおよび第２電動役物８２を開放する回数はせず、第２図柄の当たり確率だけを、通常中と比してアップするよう変更するものであってもよい。
【００３６】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入賞口６４、第２入賞口１４０のいずれかの入賞（始動入賞）をトリガとして、第１図柄表示装置３７Ａ，３７Ｂにおける変動表示と同期させながら、第３図柄の変動表示を行う液晶ディスプレイ（以下単に「表示装置」と略す）で構成された第３図柄表示装置８１と、第１スルーゲート６６の球の通過をトリガとして第２図柄を変動表示するＬＥＤで構成される第２図柄表示装置（図示せず）とが設けられている。
【００３７】
また、可変表示装置ユニット８０には、第３図柄表示装置８１の外周を囲むようにして、センターフレーム８６が配設されている。このセンターフレーム８６の中央に開口される開口部から第３図柄表示装置８１が視認可能とされる。
【００３８】
第３図柄表示装置８１は９インチサイズの大型の液晶ディスプレイで構成されるものであり、表示制御装置１１４（図４参照）によって表示内容が制御されることにより、例えば上、中および下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７Ａ，３７Ｂで行われるのに対して、その第１図柄表示装置３７Ａ，３７Ｂの表示に応じた装飾的な表示を行うものである。なお、表示装置に代えて、例えばリール等を用いて第３図柄表示装置８１を構成するようにしても良い。
【００３９】
第２図柄表示装置は、球が第１スルーゲート６６を通過する毎に表示図柄（第２図柄（図示せず））としての「○」の図柄と「×」の図柄とを所定時間交互に点灯させる変動表示を行うものである。パチンコ機１では、球が第１スルーゲート６６を通過したことが検出されると、当たり抽選が行われる。その当たり抽選の結果、当たりであれば、第２図柄表示装置において、第２図柄の変動表示後に「○」の図柄が停止表示される。また、当たり抽選の結果、外れであれば、第２図柄表示装置において、第３図柄の変動表示後に「×」の図柄が停止表示される。
【００４０】
パチンコ機１は、第２図柄表示装置における変動表示が所定図柄（本実施形態においては「○」の図柄）で停止した場合に、第２入賞口１４０に付随された第１電動役物１４０ａが所定時間だけ作動状態となる（開放される）よう構成されている。
【００４１】
第２図柄の変動表示にかかる時間は、遊技状態が通常中の場合よりも、確変中または時短中の方が短くなるように設定される。これにより、確変中および時短中は、第２図柄の変動表示が短い時間で行われるので、当たり抽選を通常中よりも多く行うことができる。よって、当たり抽選において当たりとなる機会が増えるので、第２入賞口１４０の第１電動役物１４０ａが開放状態となる機会を遊技者に多く与えることができる。よって、確変中および時短中は、第２入賞口１４０へ球が入賞しやすい状態とすることができる。
【００４２】
なお、確変中または時短中において、当たり確率を高める、１回に当たりに対する第１電動役物１４０ａの開放時間や開放回数を増やすなど、その他の方法によっても、確変中または時短中に第２入賞口１４０および第３入賞口へ球が入賞しやすい状態としている場合は、第２図柄の変動表示にかかる時間を遊技状態にかかわらず一定としてもよい。一方、第２図柄の変動表示にかかる時間を、確変中または時短中において通常中よりも短く設定する場合は、当たり確率を遊技状態にかかわらず一定にしてもよいし、また、１回の当たりに対する第１電動役物１４０ａの開放時間や開放回数を遊技状態にかかわらず一定にしてもよい。
【００４３】
第１スルーゲート６６は、可変表示装置ユニット８０の右側の領域において遊技盤に組み付けられる。第１スルーゲート６６は、遊技盤に発射された球のうち、遊技盤を流下する球の一部が通過可能に構成されている。第１スルーゲート６６を球が通過すると、第２図柄の当たり抽選が行われる。当たり抽選の後、第２図柄表示装置にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００４４】
球の第１スルーゲート６６の通過回数は、合計で最大４回まで保留され、その保留球数が上述した第１図柄表示装置３７Ａ，３７Ｂにより表示されると共に第２図柄保留ランプ（図示せず）においても点灯表示される。第２図柄保留ランプは、最大保留数分の４つ設けられ、第３図柄表示装置８１の下方に左右対称に配設されている。
【００４５】
なお、第２図柄の変動表示は、本実施形態のように、第２図柄表示装置において複数のランプの点灯と非点灯を切り換えることにより行うものの他、第１図柄表示装置３７Ａ，３７Ｂおよび第３図柄表示装置８１の一部を使用して行うようにしても良い。同様に、第２図柄保留ランプの点灯を第３図柄表示装置８１の一部で行うようにしても良い。また、第１スルーゲート６６の球の通過に対する最大保留球数は４回に限定されるものでなく、３回以下、又は、５回以上の回数（例えば、８回）に設定しても良い。また、スルーゲートの組み付け数は２つに限定されるものではなく、３つ以上の複数であっても良い。また、スルーゲートの組み付け位置は可変表示装置ユニット８０の左右両側に限定されるものではなく、例えば、可変表示装置ユニット８０の下方でも良い。また、第１図柄表示装置３７Ａ，３７Ｂにより保留球数が示されるので、第２図柄保留ランプにより点灯表示を行わないものとしてもよい。
【００４６】
可変表示装置ユニット８０の下方には、球が入賞し得る第１入賞口６４が配設されている。この第１入賞口６４へ球が入賞すると遊技盤１３の裏面側に設けられる第１入賞口スイッチ（図示せず）がオンとなり、その第１入賞口スイッチのオンに起因して主制御装置１１０（図４参照）で大当たりの抽選がなされ、その抽選結果に応じた表示が第１図柄表示装置３７Ａで示される。
【００４７】
一方、第１入賞口６４の正面視下方には、球が入賞し得る第２入賞口１４０が配設されている。第２入賞口１４０へ球が入賞すると遊技盤１３の裏面側に設けられる第２入賞口スイッチ（図示せず）がオンとなり、その第２入賞口スイッチのオンに起因して主制御装置１１０（図４参照）で大当たりの抽選がなされ、その抽選結果に応じた表示が第１図柄表示装置３７Ｂで示される。
【００４８】
また、第１入賞口６４，第２入賞口１４０は、それぞれ、球が入賞すると５個の球が賞球として払い出される入賞口の１つにもなっている。なお、本実施形態においては、第１入賞口６４へ球が入賞した場合に払い出される賞球数と第２入賞口１４０へ球が入賞した場合に払い出される賞球数とを同じに構成したが、第１入賞口６４へ球が入賞した場合に払い出される賞球数と第２入賞口１４０へ球が入賞した場合に払い出される賞球数とを異なる数、例えば、第１入賞口６４へ球が入賞した場合に払い出される賞球数を３個とし、第２入賞口１４０へ球が入賞した場合に払い出される賞球数を５個として構成してもよい。
【００４９】
第２入賞口１４０には第１電動役物１４０ａが付随されている。この第１電動役物１４０ａは開閉可能に構成されており、通常は第１電動役物１４０ａが閉鎖状態（縮小状態）となって、球が第２入賞口１４０へ入賞しにくい状態となっている。一方、第１スルーゲート６６への球の通過を契機として行われる第２図柄の変動表示の結果、「○」の図柄が第２図柄表示装置に表示された場合、第１電動役物１４０ａが開放状態（拡大状態）となり、球が第２入賞口１４０へ入賞しやすい状態となる。
【００５０】
上述した通り、確変中および時短中は、通常中と比して第２図柄の当たり確率が高く、また、第２図柄の変動表示にかかる時間も短いので、第２図柄の変動表示において「○」の図柄が表示され易くなって、第１電動役物１４０ａが開放状態（拡大状態）となる回数が増える。更に、確変中または時短中は、第１電動役物１４０ａが開放される時間も、通常中より長くなる。よって、確変中または時短中は、通常時と比して、第２入賞口１４０へ球が入賞しやすい状態を作ることができる。
【００５１】
ここで、第１入賞口６４に球が入賞した場合と第２入賞口１４０へ球が入賞した場合とで、大当たりとなる確率は、低確率状態であっても高確率状態でも同一である。しかしながら、大当たりとなった場合に選定される大当たりの種別として１５Ｒ確変大当たりとなる確率は、第２入賞口１４０へ球が入賞した場合のほうが第１入賞口６４へ球が入賞した場合よりも高く設定されている。一方、第１入賞口６４は、第２入賞口１４０にあるような第１電動役物１４０ａは有しておらず、球が常時入賞可能な状態となっている。
【００５２】
よって、通常中においては、第２入賞口１４０に付随する電動役物が閉鎖状態にある場合が多く、第２入賞口１４０に入賞しづらいので、電動役物のない第１入賞口６４へ向けて、可変表示装置ユニット８０の左方を球が通過するように球を発射し（所謂「左打ち」）、第１入賞口６４への入賞によって大当たり抽選の機会を多く得て、大当たりとなることを狙った方が、遊技者にとって有利となる。
【００５３】
一方、確変中や時短中は、第１スルーゲート６６に球を通過させることで、第２入賞口１４０に付随する第１電動役物１４０ａが開放状態となりやすく、第２入賞口１４０に入賞しやすい状態であるので、第２入賞口１４０へ向けて、可変表示装置８０の右方を球が通過するように球を発射し（所謂「右打ち」）、第１スルーゲート６６を通過させて第１電動役物１４０ａを開放状態にすると共に、第２入賞口１４０への入賞によって１５Ｒ確変大当たりとなることを狙った方が、遊技者にとって有利となる。
【００５４】
このように、本実施形態のパチンコ機１は、パチンコ機１の遊技状態（確変中であるか、時短中であるか、通常中であるか）に応じて、遊技者に対し、球の発射の仕方を「左打ち」と「右打ち」とに変えさせることができる。よって、遊技者に対して、球の打ち方に変化をもたらすことができるので、遊技を楽しませることができる。
【００５５】
第１入賞口６４の右側には可変入賞装置６５が配設されており、その略中央部分に横長矩形状の特定入賞口（大開放口）６５ａが設けられている。パチンコ機１においては、第１入賞口６４，第２入賞口１４０のいずれかの入賞に起因して行われた大当たり抽選が大当たりとなると、所定時間（変動時間）が経過した後に、大当たりの停止図柄となるよう第１図柄表示装置３７Ａ又は第１図柄表示装置３７Ｂを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【００５６】
この特定入賞口６５ａは、所定時間が経過すると閉鎖され、その閉鎖後、再度、その特定入賞口６５ａが所定時間開放される。この特定入賞口６５ａの開閉動作は、最高で例えば１５回（１５ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００５７】
可変入賞装置６５は、具体的には、特定入賞口６５ａを覆う横長矩形状の開閉板と、その開閉板の下辺を軸として前方側に開閉駆動するための大開放口ソレノイド（図示せず）とを備えている。特定入賞口６５ａは、通常時は、球が入賞できないか又は入賞し難い閉状態になっている。大当たりの際には大開放口ソレノイドを駆動して開閉板を前面下側に傾倒し、球が特定入賞口６５ａに入賞しやすい開状態を一時的に形成し、その開状態と通常時の閉状態との状態を交互に繰り返すように作動する。
【００５８】
なお、上記した形態に特別遊技状態は限定されるものではない。特定入賞口６５ａとは別に開閉される大開放口を遊技領域に設け、第１図柄表示装置３７Ａ，３７Ｂにおいて大当たりに対応したＬＥＤが点灯した場合に、特定入賞口６５ａが所定時間開放され、その特定入賞口６５ａの開放中に、球が特定入賞口６５ａ内へ入賞することを契機として特定入賞口６５ａとは別に設けられた大開放口が所定時間、所定回数開放される遊技状態を特別遊技状態として形成するようにしても良い。また、特定入賞口６５ａは１つに限るものではなく、１つ若しくは２以上の複数（例えば３つ）配置しても良く、また配置位置も第１入賞口６４の右側に限らず、例えば、可変表示装置ユニット８０の左方でも良い。
【００５９】
遊技盤１３の下側における右隅部には、証紙や識別ラベル等を貼着するための貼着スペースＫ１が設けられ、貼着スペースＫ１に貼られた証紙等は、前扉５の小窓３５（図１参照）を通じて視認することができる。
【００６０】
遊技盤１３には、第１アウト口７１が設けられている。遊技領域を流下する球であって、いずれの入賞口６３，６４，６５ａ，６４０，８２，にも入賞しなかった球は、第１アウト口７１を通って図示しない球排出路へと案内される。第１アウト口７１は、第１入賞口６４の下方に配設される。
【００６１】
遊技盤１３には、球の落下方向を適宜分散、調整等するために多数の釘が植設されているとともに、風車等の各種部材（役物）とが配設されている。
【００６２】
図３に示すように、パチンコ機１の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００６３】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００６４】
なお、主制御装置１１０、音声ランプ制御装置１１３および表示制御装置１１４、払出制御装置１１１および発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００６５】
また、基板ボックス１００（主制御装置１１０）および基板ボックス１０２（払出制御装置１１１および発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００６６】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００６７】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１を初期状態に戻したい場合に電源投入時に操作される。
【００６８】
次に、図４を参照して、本パチンコ機１の電気的構成について説明する。図４は、パチンコ機１の電気的構成を示すブロック図である。
【００６９】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７Ａ，３７Ｂおよび第３図柄表示装置８１における表示の設定、第２図柄表示装置における表示結果の抽選といったパチンコ機１の主要な処理を実行する。
【００７０】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００７１】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１の電源の遮断後においても電源装置１１５からバックアップ電圧が供給されてデータを保持（バックアップ）できる構成となっており、ＲＡＭ２０３に記憶されるデータは、すべてバックアップされる。
【００７２】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００７３】
主制御装置１１０のＭＰＵ２０１には、アドレスバスおよびデータバスで構成されるバスライン２０４を介して入出力ポート２０５が接続されている。入出力ポート２０５には、払出制御装置１１１、音声ランプ制御装置１１３、第１図柄表示装置３７Ａ，３７Ｂ、第２図柄表示装置、第２図柄保留ランプ、特定入賞口６５ａの開閉板の下辺を軸として前方側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００７４】
また、入出力ポート２０５には、図示しないスイッチ群およびスライド位置検出センサＳや回転位置検出センサＲを含むセンサ群などからなる各種スイッチ２０８、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００７５】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００７６】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００７７】
払出制御装置１１１のＭＰＵ２１１には、アドレスバスおよびデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００７８】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【００７９】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００８０】
音声ランプ制御装置１１３のＭＰＵ２２１には、アドレスバスおよびデータバスで構成されるバスライン２２４を介して入出力ポート２２５が接続されている。入出力ポート２２５には、主制御装置１１０、表示制御装置１１４、音声出力装置２２６、ランプ表示装置２２７、その他装置２２８、枠ボタン２２などがそれぞれ接続されている。その他装置２２８には、各駆動モータ４８１，４９１，６６１，８８０が含まれる。
【００８１】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた背面画像を第３図柄表示装置８１に表示させるべく、変更後のステージに関する情報を含めた背面画像変更コマンドを表示制御装置１１４へ送信する。ここで、背面画像とは、第３図柄表示装置８１に表示させる主要な画像である第３図柄の背面側に表示される画像のことである。表示制御装置１１４は、この音声ランプ制御装置１１３から送信されるコマンドに従って、第３図柄表示装置８１に各種の画像を表示する。
【００８２】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【００８３】
表示制御装置１１４は、音声ランプ制御装置１１３および第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【００８４】
電源装置１１５は、パチンコ機１の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧およびバックアップ電圧を各制御装置１１０〜１１４等に対して必要な電圧を供給する。
【００８５】
停電監視回路２５２は、停電等の発生による電源遮断時に、主制御装置１１０のＭＰＵ２０１および払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０および払出制御装置１１１へ出力する。停電信号ＳＧ１の出力によって、主制御装置１１０および払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０および払出制御装置１１１は、ＮＭＩ割込処理（図示せず）を正常に実行し完了することができる。
【００８６】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【００８７】
次いで、図５から図５９を参照して、動作ユニット２００の概略構成について説明する。図５は、動作ユニット２００の正面斜視図であり、図６は、動作ユニット２００の分解正面斜視図である。また、図７及び図８は、動作ユニット２００の正面図である。
【００８８】
なお、図７では、変位ユニット４００の左変位部材４２０Ｌ、右変位部材４２０Ｒ及び突出部材４８５と上下変位ユニット８００の変位部材８５０とがそれぞれ退避位置に変位された状態が、図８では、スライドユニと４００の左変位部材４２０Ｌ、右変位部材４２０Ｒ及び突出部材４８５と上下変位ユニット８００の変位部材８５０とがそれぞれ張出位置に変位された状態が、それぞれ図示される。
【００８９】
図５から図８に示すように、動作ユニット２００は、箱状に形成される背面ケース３００を備え、その背面ケース３００の内部空間に、変位ユニット４００、投影ユニット６００、上下変位ユニット８００がそれぞれ順に収容される。
【００９０】
背面ケース３００は、正面視略矩形の底壁部３０１と、その底壁部３０１の４辺の外縁から正面へ向けて立設される外壁部３０２とを備え、それら各壁部３０１，３０２により一面側（正面側）が開放された箱状に形成される。底壁部３０１には、その中央に正面視矩形の開口３０１ａが開口形成され、その開口３０１ａを通じて、底壁部３０１の背面に配設される第３図柄表示装置８１（図２参照）が視認可能とされる。
【００９１】
変位ユニット４００は、背面ケース３００の底壁部３０１に配設される正面視額縁形状のベース部材４１０と、そのベース部材４１０に変位可能に配設される左変位部材４２０Ｌ、右変位部材４２０Ｒ及び突出部材４８５とを備え、これら左変位部材４２０Ｌ、右変位部材４２０Ｒ及び突出部材４８５を、投影ユニット６００の背面側に退避する退避位置と、背面ケース３００の開口３０１ａ（即ち、第３図柄表示装置８１）の正面側に張り出す張出位置との間で変位させることができる（図７及び図８参照）。
【００９２】
この場合、変位ユニット４００には、変位部材（左変位部材４２０Ｌ、右変位部材４２０Ｒ及び突出部材４８５）を駆動する駆動手段（第１駆動モータ４８１及び第２駆動モータ４９１）が２個設けられ、駆動する駆動手段を選択することで、変位部材の変位態様を異ならせる（複数種類の変位態様を形成する）ことができる。かかる構造の詳細については後述する。
【００９３】
投影ユニット６００は、変位ユニット４００の正面に配設される正面視円環形状のベース部材６１０と、そのベース部材６１０の内周側に配設される円板状の投影板部材６２０と、投影板部材６２０の外周面から光を入射させる複数のＬＥＤ６５１とを備える。投影板部材６２０は、光透過性材料からなり、第３図柄表示装置８１の表示が遊技者に視認可能とされると共に、ＬＥＤ６５１から光が入射されると、その入射された光を、模様や図柄の形状をなす態様で、投影板部材６２０の正面から出射させる。即ち、第３図柄表示装置８１の正面に模様や図柄を浮かび上がらせる（表示する）ことができる。
【００９４】
この場合、投影ユニット６００には、ＬＥＤ６５１から照射された光の投影板部材６２０への入射の効率を高める構造が採用され、投影板部材６２０の正面から出射される光を強くする（模様や図柄を鮮明に浮かび上がらせる）ことができる。また、複数のＬＥＤ６５１（照射ユニット６５０）をベース部材６１０に組み付ける際の作業性を高める構造が採用される。これらの構造の詳細については後述する。
【００９５】
上下変位ユニット８００は、投影ユニット６００のベース部材６１０における上部に配設される正面ベース８２０及び背面ベース８３０と、それら両ベース部材８２０，８３０に一端が回転可能に軸支される変位部材８５０とを備え、変位部材８５０の他端側を、背面ケース３００の開口３０１ａ（即ち、第３図柄表示装置８１）の上方となる退避位置および正面側に張り出す張出位置の間で変位させることができる（図７及び図８参照）。
【００９６】
この場合、上下変位ユニット８００は、変位部材８５０を付勢する付勢ばねＳＰを備え、退避位置および張出位置の間の所定位置において、変位部材８５０に作用する重力と付勢ばねＳＰの弾性回復力とをつり合わせることで、つり合い位置（所定位置）を中心として、重力の作用と付勢ばねＳＰの弾性回復力とによる往復変位（近似的には単振動）を変位部材８５０に行わせる構造が採用される。かかる構造の詳細については後述する。
【００９７】
次いで、図９から図２８を参照して、変位ユニット４００について説明する。図９は、変位ユニット４００の正面斜視図であり、図１０は、変位ユニット４００の背面図である。
【００９８】
変位ユニット４００は、背面ケース３００の底壁部３０１（図６参照）に締結固定されるベース部材４１０と、そのベース部材４１０に変位可能に配設される変位部材（左変位部材４２０Ｌ及び右変位部材４２０Ｒ）と、その変位部材に駆動力を付与する複数（本実施形態では２個）の駆動手段（下駆動機構４８０及び上駆動機構４９０）とを主に備え、上述したように、下駆動機構４８０（第１駆動モータ４８１）の駆動により変位部材を変位させる場合、上駆動機構４９０（第２駆動モータ４９１）の駆動により変位部材を変位させる場合、或いは、下駆動機構４８０（第１駆動モータ４８１）及び上駆動機構４９０（第２駆動モータ４９１）の両者の駆動により変位部材を変位させる場合で、変位部材を異なる態様で変位させることができるように形成される。以下、その構造の詳細について、図１１から図１８を参照して説明する。
【００９９】
まず、変位部材（左変位部材４２０Ｌ及び右変位部材４２０Ｒ）について、図１１及び図１２を参照して説明する。図１１は、左変位部材４２０Ｌ及び右変位部材４２０Ｒの正面斜視図であり、図１２は、左変位部材４２０Ｌ及び右変位部材４２０Ｒの背面斜視図である。
【０１００】
図１１及び図１２に示すように、変位ユニット４００は、変位による演出を行う変位部材として形成される左変位部材４２０Ｌ及び右変位部材４２０Ｒを備え、それら左変位部材４２０Ｌ及び右変位部材４２０Ｒには、左従動部材４３０Ｌ及び右従動部材４３０Ｒと、台車部材４４０と、上部左ラック４５０Ｌ及び上部右ラック４５０Ｒとが連結される。
【０１０１】
左変位部材４２０Ｌは、縦姿勢で配設される長尺状の部材であり、背面から突設される連結軸４２１と、上端に穿設される連結孔４２２と、下端に穿設される摺動溝４２３とを備える。連結軸４２１は、断面円形の軸であり、左従動部材４３０Ｌの連結孔４３１が回転可能に軸支される。即ち、左変位部材４２０Ｌの背面側には、左従動部材４３０Ｌの上端が回転可能に連結される。
【０１０２】
なお、連結軸４２１は、左従動部材４３０Ｌの背面から先端が突出される長さ寸法に設定され、その突出された連結軸４２１の先端は、上駆動機構４９０の駆動アーム４９４における駆動溝４９４ｃ（図１７及び図１８参照）に摺動可能に挿通される。即ち、上駆動機構４９０の駆動アーム４９４が駆動（回転）されると、駆動溝４９４ｃの内壁面が連結軸４２１に作用して、左変位部材４２０Ｌが変位される。
【０１０３】
連結孔４２２は、断面円形の孔であり、後述する台車部材４４０の２本の連結軸４４１のうちの一方の連結軸４４１が回転可能に挿通される。即ち、左変位部材４２０Ｌは、台車部材４４０Ｌに対する相対的な姿勢変化（連結孔４２２の軸心を回転中心とする回転）が許容された状態で連結される。
【０１０４】
摺動溝４２３は、左変位部材４２０Ｌの長手方向に沿って延設される溝であり、後述する下部左ラック４８８Ｌの駆動ピン４８８ｂ（図１５参照）が回転可能かつ摺動可能に挿通される。よって、下部左ラック４８８Ｌが停止された状態で、上駆動機構４９０のみが駆動される場合、又は、その逆の場合のいずれにおいても、ベース部材４１０に対する左変位部材４２０Ｌの姿勢の変化（回転）を形成可能とできる。
【０１０５】
左従動部材４３０Ｌは、ベース部材４１０と左変位部材４２０Ｌとの間に架設されることで、左変位部材４２０Ｌの変位に従動される部材であり、一端（上端）に穿設される連結孔４３１と、背面から突設される摺動ピン４３２とを備える。
【０１０６】
連結孔４３１は、断面円形の孔であり、上述したように、左変位部材４２０Ｌの連結軸４２１が回転可能に挿通される。摺動ピン４３２は、断面円形のピン（棒状体）であり、ベース部材４１０の側方に穿設される摺動溝４１０ａに回転可能かつ摺動可能に挿通される。よって、左変位部材４２０Ｌが変位されると、その左変位部材４２０Ｌに対する相対姿勢を変化させつつ、左従動部材４３０Ｌを従動させることができる。
【０１０７】
台車部材４４０は、ベース部材４１０の上側部分（上部中間部分４１０ｆ及び上部正面部分４１０ｇ、図１７及び図１８参照）に左右方向（幅方向）に沿って延設される被転動面を転動する部材であり、平行に並設される２本の連結軸４４１と、それら各連結軸４４１の両端にそれぞれ回転可能に軸支される４輪の転動輪４４２とを備える。よって、左変位部材４２０Ｌの上端は、台車部材４４０の各転動輪４４２が被転動面を転動することで、かかる台車部材４４０を介して、左右方向（幅方向）に沿って変位される。
【０１０８】
なお、ベース部材４１０の被転動面は、鉛直方向上側を臨む略水平な平坦面として形成され、その被転動面に台車部材４４０の各転動輪４４２が載置される。即ち、左変位部材４２０は、台車部材４４０を介して、ベース部材４１０の被転動面に吊り下げられて状態で支持される。
【０１０９】
上部左ラック４５０Ｌは、ベース部材４１０の上側部分（上部中間部分４１０ｆ及び上部正面部分４１０ｇ、図１７及び図１８参照）に左右方向（幅方向）に沿って延設される案内部を摺動する長尺板状の部材であり、台車部材４４０の２本の連結軸４４１がそれぞれ回転可能に挿通される２の連結孔４５１と、上部左ラック４５０Ｌの背面に長手方向に沿って刻設されるラックギヤ４５２とを備える。
【０１１０】
ここで、右変位部材４２０Ｒは左変位部材４２０Ｌに対して、右従動部材４３０Ｒは左従動部材４３０Ｌに対して、上部右ラック４５０Ｒは上部左ラック４５０Ｌに対して、それぞれ略左右対称の形状に形成され、実質的に同一の構成とされるので、同一の部分には同一の符号を付してその説明は省略する。
【０１１１】
但し、上部右ラック４５０Ｒは、その正面にラックギヤ４５２が刻設される。また、上部右ラック４５０Ｒは、連結孔４５１の形成部分が正面側へオフセットされ、上部左ラック４５０Ｌと前後方向の位置を違えて配設される。よって、上部左ラック４５０Ｌのラックギヤ４５２と上部右ラック４５０Ｒのラックギヤ４５２とは所定間隔を隔てて対向配置される。この場合、両ラックギヤ４５２には、ベース部材４１０に回転可能に軸支されるピニオンギヤ４５９が歯合される。
【０１１２】
従って、左変位部材４２０Ｌの変位に伴って、上部左ラック４５０Ｌがベース部材４１０の案内部（図示せず）に沿って左右方向（幅方向、図１９左右方向）へ変位（摺動）されると、その上部左ラック４５０Ｌの変位が、ピニオンギヤ４５９を介して、上部右ラック４５０Ｒに伝達されるので、右変位部材４２０Ｒを変位させることができる。
【０１１３】
なお、本実施形態では、上部左ラック４５０Ｌ及び上部右ラック４５０Ｒの間に介設されるピニオンギヤ４５９の配設数が奇数個（即ち、１個）なので、左変位部材４２０Ｌ及び右変位部材４２０Ｒの変位方向を逆方向（互いが近接し合う又は離間し合う方向）とできる。但し、ピニオンギヤ４５９の配設数を偶数個として、左変位部材４２０Ｌ及び右変位部材４２０Ｒの変位方向を同方向としても良い。
【０１１４】
次いで、複数の駆動手段（下駆動機構４８０及び上駆動機構４９０）のうちの下駆動機構４８０について、図１３から図１６を参照して説明する。
【０１１５】
図１３及び図１５は、変位ユニット４００の正面斜視図であり、図１４及び図１６は、変位ユニット４００の背面斜視図である。なお、図１３及び図１４では、背面カバー４１２が装着された状態が図示され、図１５及び図１６では、背面カバー４１２が取り外された状態が図示される。また、図１３から図１６では、嵩上げカバー４１３の図示が省略される。
【０１１６】
図１３から図１６に示すように、下駆動機構４８０は、第１駆動モータ４８１と、その第１駆動モータ４８１の駆動軸に取着されるピニオンギヤ４８２と、そのピニオンギヤ４８２が歯合される駆動ギヤ４８３と、その駆動ギヤ４８３と共にクランク機構を形成する駆動アーム４８４と、その駆動アーム４８４により駆動される突出部材４８５と、その突出部材４８５の背面に配設されるラックギヤ４８６と、そのラックギヤ４８６に先頭の歯車４８７ａが歯合される歯車列（歯車４８７ａ〜４８７ｅ）と、その歯車列の末尾の歯車４８７ｅに歯合される下部左ラック４８８Ｌ及び下部右ラック４８８Ｒと、を主に備える。
【０１１７】
第１駆動モータ４８１は、左正面カバー４１１Ｌの正面に取着され、その左正面カバー４１１Ｌの背面から突出された第１駆動モータ４８１の駆動軸には、ピニオンギヤ４８２が取着（固設）される。駆動ギヤ４８３は、左正面カバー４１１Ｌの背面に、駆動アーム４８４は、ベース部材４１０の正面に、それぞれ回転可能に軸支される。
【０１１８】
駆動ギヤ４８３は、その回転中心から偏心して位置すると共に背面から突設される偏心ピン４８３ａを備える。駆動アーム４８４は、ベース部材４１０の支持軸が回転可能に挿通される軸支孔４８４ａと、駆動ギヤ４８３の偏心ピン４８３ａが摺動可能に挿通される直線状の摺動溝４８４ｂと、それら軸支孔４８４ａ及び摺動溝４８４ｂが形成される側と反対側の端部における正面から突設される駆動ピン４８４ｃとを備える。
【０１１９】
よって、第１駆動モータ４８１の駆動力により、ピニオンギヤ４８２を介して駆動ギヤ４８３が正方向または逆方向へ回転されると、その駆動ギヤ４８３の偏心ピン４８３ａから駆動アーム４８４の摺動溝４８４ｂの一方または他方の内壁面が作用を受けることで、駆動アーム４８４が軸支孔４８４ａを回転中心として正方向または逆方向へ回転され、駆動アーム４８４の駆動ピン４８４ｃが上昇または下降される。
【０１２０】
突出部材４８５は、駆動アーム４８４の駆動ピン４８４ｃが摺動可能に挿通される直線状の摺動溝４８５ａを備え、スライドレールＳＬを介して、ベース部材４１０の正面に配設される。スライドレールＳＬは、伸縮式の直線案内機構であり、その伸縮方向を鉛直方向に沿わせた縦姿勢で配設される。なお、スライドレールＳＬは、ベース部材４１０の正面に配設される基端レールと、突出部材４８５の背面に配設される先端レールと、それら基端レール及び先端レールの間に介設され基端レール及び先端レールを互いに長手方向へ相対変位可能とする中間レールとを備える。
【０１２１】
よって、駆動アーム４８４が回転され、その駆動アーム４８４の駆動ピン４８４ｃによって、突出部材４８５の摺動溝４８５ａの内壁面が押し上げられる又は押し下げられると、スライドレールＳＬが伸縮され、突出部材４８５がベース部材４１０に対して鉛直方向に昇降される。
【０１２２】
ラックギヤ４８６は、突出部材４８５の昇降方向に沿って刻設され、歯車列（歯車４８７ａ〜４８７ｅ）は、先頭の歯車４８７ａをラックギヤ４８６に歯合させた状態で、ベース部材４１０の正面と右正面カバー４１１Ｒの背面との間にそれぞれ回転可能に軸支される。よって、突出部材４８５が昇降されることで、ラックギヤ４８６の直線運動を利用して、歯車列（歯車４８７ａ〜４８７ｅ）を回転させることができる。
【０１２３】
下部左ラック４８８Ｌ及び下部右ラック４８８Ｒは、長尺板状の部材であり、その長手方向に沿って側面に刻設されるラックギヤ４８８ａと、長手方向端部における正面から突設される駆動ピン４８８ｂとをそれぞれ備える。これら下部左ラック４８８Ｌ及び下部右ラック４８８Ｒは、上下方向に位置を違え、互いのラックギヤ４８８ａを対向させた状態で、ベース部材４１０の背面と背面カバー４１２の正面との間に左右方向（幅方向、図１９左右方向）に沿って摺動可能に保持される。
【０１２４】
なお、歯車列の末尾の歯車４８７ｅは、隣接する歯車４８７ｄに同軸に固着され、ベース部材４１０に穿設される開口４１０ｂを介して背面側に突出されることで、下部左ラック４８８Ｌ及び下部右ラック４８８Ｒのそれぞれのラックギヤ４８８ａに歯合される。よって、上述したように、突出部材４８５の昇降に伴って、歯車列（歯車４８７ａ〜４８７ｅ）が回転されると、その末尾の歯車４８７ａの回転により、下部左ラック４８８Ｌ及び下部右ラック４８８Ｒを互いに逆方向（互いが近接し合う又は離間し合う方向）へ直線運動させることができる。
【０１２５】
下部左ラック４８８Ｌ及び下部右ラック４８８Ｒの駆動ピン４８８ｂは、ベース部材４１０に穿設される直線状の挿通溝４１０ｃを介して正面側に突出されることで、上述したように、左変位部材４２０Ｌ及び右変位部材４２０Ｒの摺動溝４２３に回転可能かつ摺動可能に挿通される。よって、下部左ラック４８８Ｌ及び下部右ラック４８８Ｒが直線運動されることで、左変位部材４２０Ｌ及び右変位部材４２０Ｒの下端側（摺動溝４２３側）を変位させることができる。
【０１２６】
なお、挿通溝４１０ｃの延設方向は、台車部材４４０の転動輪４４２が転動する被転動面と略平行に形成される。即ち、下部左ラック４８８Ｌ及び下部右ラック４８８Ｒの直線運動の方向は、後述する上部左ラック４５０Ｌ及び上部右ラック４５０Ｒの直線運動の方向と略平行とされる。
【０１２７】
次いで、複数の駆動手段（下駆動機構４８０及び上駆動機構４９０）のうちの上駆動機構４９０について、図１７及び図１８を参照して説明する。
【０１２８】
図１７は、変位ユニット４００の正面斜視図であり、図１８は、変位ユニット４００の背面斜視図である。なお、図１７及び図１８では、理解を容易とするために、ピニオンギヤ４５９及び上部右ラック４５０Ｒが上部中間部分４１０ｆ及び上部正面部分４１０ｇの対向間に図示される。
【０１２９】
図１７及び図１８に示すように、上駆動機構４９０は、第２駆動モータ４９１と、その第２駆動モータ４９１の駆動軸に取着されるピニオンギヤ４９２と、そのピニオンギヤ４９２が歯合される駆動ギヤ４９３と、その駆動ギヤ４９３と共にクランク機構を形成する駆動アーム４９４と、を主に備える。
【０１３０】
ベース部材４１０は、その上部（正面視略額縁形状に形成される上辺部分）が、上部背面部分４１０ｅと、上部中間部分４１０ｆと、正面部分４１０ｇとを順に正面側に重ね合わせた分割構造として形成される。
【０１３１】
第２駆動モータ４９１は、上部中間部分４１０ｆの上方へ張り出された部分の正面に取着され、その張り出された部分の背面から突出された第２駆動モータ４９１の駆動軸には、ピニオンギヤ４９２が取着（固設）される。駆動ギヤ４９３及び駆動アーム４９４は、上部中間部分４１０ｆの背面に回転可能に軸支される。
【０１３２】
駆動ギヤ４９３は、その回転中心から偏心して位置すると共に背面から突設される偏心ピン４９３ａを備える。駆動アーム４９４は、上部中間部分４１０ｆの支持軸が回転可能に挿通される軸支孔４９４ａと、駆動ギヤ４９３の偏心ピン４９３ａが摺動可能に挿通される直線状の摺動溝４９４ｂと、それら軸支孔４９４ａ及び摺動溝４９４ｂが形成される側と反対側の端部に位置する直線状の駆動溝４９４ｃとを備える。
【０１３３】
よって、第２駆動モータ４９１の駆動力により、ピニオンギヤ４９２を介して駆動ギヤ４９３が正方向または逆方向へ回転されると、その駆動ギヤ４９３の偏心ピン４９３ａから駆動アーム４９４の摺動溝４９４ｂの一方または他方の内壁面が作用を受けることで、駆動アーム４９４が軸支孔４９４ａを回転中心として正方向または逆方向へ回転され、駆動アーム４９４の駆動溝４９４ｃが左右に変位される。
【０１３４】
上述したように、駆動アーム４９４の駆動溝４９４ｃには、左変位部材４２０Ｌの連結軸４２１の先端が摺動可能に挿通される。よって、駆動アーム４９４を駆動（軸支孔４９４ａを中心として回転）させ、左右に変位される駆動溝４９４ｃの内壁面を連結軸４２１に作用させることで、台車部材４４０（転動輪４４２）を被転動面に沿って転動させ、左変位部材４２０Ｌの上端側を左右に変位させることができる。
【０１３５】
この場合、左変位部材４２０Ｌが左右に変位され、台車部材４４０（転動輪４４２）が被転動面を転動されると、上述したように、上部左ラック４５０Ｌがベース部材４１０の案内部に沿って左右方向（幅方向、図１９左右方向）へ変位（摺動）され、その上部左ラック４５０Ｌの変位が、ピニオンギヤ４５９を介して、上部右ラック４５０Ｒに伝達されることで、右変位部材４２０Ｒを変位させることができる。なお、台車部材４４０の転動輪４４２が転動する被転動面は、上部中間部分４１０ｆと上部正面部分４１０ｇとに形成される。
【０１３６】
次いで、上述のように構成された変位ユニット４００の動作について、図１９から図２８を参照して説明する。
【０１３７】
まず、下駆動機構４８０（第１駆動モータ４８１）及び上駆動機構４９０（第２駆動モータ４９１）の両者を駆動して、変位部材（左変位部材４２０Ｌ、右変位部材４２０Ｒ及び突出部材４８５）を変位させる第１の態様について、図１９から図２４を参照して説明する。
【０１３８】
図１９、図２１及び図２３は、第１の態様における変位ユニット４００の正面図であり、図２０、図２２及び図２４は、図１９、図２１及び図２３の背面視における変位ユニット４００の背面図である。
【０１３９】
なお、図１９及び図２０は、左変位部材４２０Ｌ、右変位部材４２０Ｒ及び突出部材４８５が退避位置に配置された状態に対応し、図２３及び図２４は、左変位部材４２０Ｌ、右変位部材４２０Ｒ及び突出部材４８５が第１の態様における張出位置に配置された状態に対応する。
【０１４０】
図１９及び図２０に示すように、退避位置に配置された状態では、左変位部材４２０Ｌ及び右変位部材４２０Ｒが最外方（互いが左右方向に最も離間される位置）に配置されると共に、突出部材４８５が最下方に配置される。
【０１４１】
この状態から下駆動機構４８０の第１駆動モータ４８１及び上駆動機構４９０の第２駆動モータ４９１がそれぞれ駆動されると、図２１及び図２２に示す状態を経た後、図２３及び図２４に示す状態（第１の態様における張出位置）まで、左変位部材４２０Ｌ及び右変位部材４２０Ｒが左右方向（幅方向）において互いに近接する方向へ変位されると共に、突出部材４８５が上昇される。なお、第１の態様における張出位置では、左変位部材４２０Ｌ、右変位部材４２０Ｒ及び突出部材４８５が合体状態（三者の側面どうしが密着した状態）が形成される。
【０１４２】
詳細には、図１９の状態から、下駆動機構４８０の第１駆動モータ４８１が駆動されると、駆動アーム４８４が回転され、その駆動アーム４８４の駆動ピン４８４ｃが突出部材４８５の摺動溝４８５ａの内壁面を押し上げることで、突出部材４８５が上昇される（図１３及び図１４参照）。
【０１４３】
また、突出部材４８５が上昇されると、ラックギヤ４８６、歯車列（歯車４８７ａ〜４８７ｅ）及びラックギヤ４８８ａを介して、下部左ラック４８８Ｌ及び下部右ラック４８８Ｒが変位（直線運動）され（図１５及び図１６参照）、それら下部左ラック４８８Ｌ及び下部右ラック４８８Ｒの駆動ピン４８８ｂが、左変位部材４２０Ｌ及び右変位部材４２０Ｒの摺動溝４２３の内壁面に作用することで、左変位部材４２０Ｌ及び右変位部材４２０Ｒの下端側（摺動溝４２３側）がベース部材４１０の挿通溝４１０ｃに沿って互いに近接する方向へ変位（直線運動）される。
【０１４４】
一方、図１９の状態から、上駆動機構４９０の第２駆動モータ４９１が駆動されると、駆動アーム４９４が回転され、その駆動アーム４９４の駆動溝４９４ｃの内壁面が左変位部材４２０Ｌの連結軸４２１に作用される。これにより、台車部材４４０が被転動面を転動され、左変位部材４２０Ｌの上端側（台車部材４４０）が右変位部材４２０Ｒへ近接する方向へ変位（直線運動）される（図１７及び図１８参照）。
【０１４５】
また、左変位部材４２０Ｌの上端側（台車部材４４０）が変位されると、その変位が、上部左ラック４５０Ｌからピニオンギヤ４５９を介して上部右ラック４５０Ｒへ伝達されることで、右変位部材４２０Ｒの上端側（台車部材４４０）が左変位部材４２０Ｌへ近接する方向へ変位（直線運動）される（図１１及び図１２参照）。
【０１４６】
なお、本実施形態では、左変位部材４２０Ｌ及び右変位部材４２０Ｒの左右方向（幅方向、図２０左右方向）の変位量は、下端側の変位量が上端側の変位量よりも小さくされる（即ち、駆動ピン４８８ｂの可動範囲（挿通溝４１０ｃの延設長さ）が、台車部材４４０の可動範囲（被転動面の延設長さ）よりも短くされる）。
【０１４７】
この場合、左変位部材４２０Ｌ及び右変位部材４２０Ｒの下端側と上端側とが、退避位置（図１９及び図２０参照）から略同時に変位を開始し、かつ、第１の態様における張出位置（図２３及び図２４参照）に略同時に到達されるように、下駆動機構４８０及び上駆動機構４９０が駆動される。即ち、下端側（駆動ピン４８８ｂ）よりも上端側（台車部材４４０）の左右方向の変位速度が速くされる。
【０１４８】
これにより、左変位部材４２０Ｌ及び右変位部材４２０Ｒを、縦姿勢に維持したまま非回転で左右方向へ平行に変位させるのではなく、その姿勢を回転させつつ左右方向へ変位させることができる。即ち、このように、姿勢を回転させつつ変位させることは、１の駆動手段の駆動力でスライド溝に沿って変位部材を摺動させる構成では不可能であり、本実施形態のように、２の駆動手段を利用することが始めて可能となったものである。
【０１４９】
また、下端側（駆動ピン４８８ｂ）よりも上端側（台車部材４４０）の左右方向の変位速度が異なる場合、駆動ピン４８８ｂと台車部材４４０との距離が変化されるところ、本実施形態では、摺動溝４２３が駆動ピン４８８ｂの直径よりも大きな長さで上下方向に延設される長穴形状とされるため、両者の距離の変化を吸収することができる。即ち、複雑な機構を設ける必要がなく、摺動溝４２３及び駆動ピン４８８ｂを回転可能かつ摺動可能に形成すれば良いので、製品コストの削減に加え、動作の信頼性と耐久性とを図ることができる。
【０１５０】
図２３及び図２４に示す状態から下駆動機構４８０の第１駆動モータ４８１及び上駆動機構４９０の第２駆動モータ４９１がそれぞれ上述した場合と逆方向へ駆動されると、図２１及び図２２に示す状態を経た後、図１９及び図２０に示す状態（退避位置）まで、左変位部材４２０Ｌ及び右変位部材４２０Ｒが左右方向（幅方向）において互いに離間する方向へ変位されると共に、突出部材４８５が下降される。
【０１５１】
次いで、下駆動機構４８０（第１駆動モータ４８１）のみを駆動して（即ち、上駆動機構４９０（第２駆動モータ４９１）は非駆動状態に維持して）、変位部材（左変位部材４２０Ｌ、右変位部材４２０Ｒ及び突出部材４８５）を変位させる第２の態様について、図２５及び図２６を参照して説明する。なお、第２の態様の説明では、図１９及び図２０も適宜参照する。
【０１５２】
図２５は、第２の態様における変位ユニット４００の正面図であり、図２６は、図２５の背面視における変位ユニット４００の背面図である。なお、図２５及び図２６は、左変位部材４２０Ｌ、右変位部材４２０Ｒ及び突出部材４８５が第２の態様における張出位置に配置された状態に対応する。
【０１５３】
ここで、図１９及び図２０に示す状態（退避位置に配置された状態）では、上駆動機構４９０の駆動アーム４９４は、左変位部材４２０Ｌがその上端側（連結孔４２２の軸心）を回転中心として回転することを許容する姿勢で配置される。即ち、左変位部材４２０Ｌの連結軸４２１が駆動アーム４９４の駆動溝４９４ｃに沿って摺動することが許容される。
【０１５４】
よって、この状態（図１９及び図２０に示す状態）から、下駆動機構４８０の第１駆動モータ４８１のみが駆動されると、図２５及び図２６に示すように、図駆動アーム４８４の駆動ピン４８４ｃが突出部材４８５の摺動溝４８５ａの内壁面を押し上げることで、突出部材４８５が上昇されると共に、下部左ラック４８８Ｌ及び下部右ラック４８８Ｒの駆動ピン４８８ｂが、左変位部材４２０Ｌ及び右変位部材４２０Ｒの摺動溝４２３の内壁面に作用することで、左変位部材４２０Ｌ及び右変位部材４２０Ｒの下端側（摺動溝４２３側）が互いに近接する方向へ変位（直線運動）される。即ち、第２の態様では、左変位部材４２０Ｌ及び右変位部材４２０Ｒを、その上端側（連結孔４２２の軸心）を回転中心として、回転させることができる。
【０１５５】
次いで、上駆動機構４９０（第２駆動モータ４９１）のみを駆動して（即ち、下駆動機構４８０（第１駆動モータ４８１）は非駆動状態に維持して）、変位部材（左変位部材４２０Ｌ及び右変位部材４２０Ｒ）を変位させる第３の態様について、図２７及び図２８を参照して説明する。なお、第３の態様の説明では、図１９及び図２０も適宜参照する。
【０１５６】
図２７は、第３の態様における変位ユニット４００の正面図であり、図２８は、図２７の背面視における変位ユニット４００の背面図である。なお、図２７及び図２８は、左変位部材４２０Ｌ及び右変位部材４２０Ｒが第３の態様における張出位置に配置された状態に対応する。
【０１５７】
ここで、左変位部材４２０Ｌ及び右変位部材４２０Ｒの摺動溝４２３は、駆動ピン４８８ｂの直径よりも大きな長さで上下方向に延設される長穴形状とされ、左変位部材４２０Ｌ及び右変位部材４２０Ｒが上方へ持ち上げられることが許容される。
【０１５８】
よって、図１９及び図２０に示す状態（退避位置に配置された状態）から、上駆動機構４９０の第２駆動モータ４９１のみが駆動されると、図２７及び図２８に示すように、駆動アーム４９４の駆動溝４９４ｃの内壁面が左変位部材４２０Ｌの連結軸４２１に作用され、左変位部材４２０Ｌの上端側（台車部材４４０）が右変位部材４２０Ｒへ近接する方向へ変位（直線運動）される共に、その変位が、上部左ラック４５０Ｌからピニオンギヤ４５９を介して上部右ラック４５０Ｒへ伝達されることで、右変位部材４２０Ｒの上端側（台車部材４４０）が左変位部材４２０Ｌへ近接する方向へ変位（直線運動）される。
【０１５９】
即ち、第３の態様では、左変位部材４２０Ｌ及び右変位部材４２０Ｒを、その下端側（摺動溝４２３側）を回転中心として、回転させることができる。また、第３の態様では、左変位部材４２０Ｌ及び右変位部材４２０Ｒのみを変位させ、突出部材４８５は停止状態に維持することができる。
【０１６０】
ここで、従来の遊技機では、ベース部材４１０に案内手段（例えば、案内溝）が延設され、その案内手段に沿って変位部材が変位（案内）可能に形成されるものであるため、変位部材の変位態様（ベース部材に対して変位部材が変位する際の軌跡）が一通りに限定されていた。そのため、変位部材の変位による演出がワンパターンとなり、遊技者の意表をつく演出を行うことが困難であった。駆動手段（例えば、駆動モータ）の駆動力（駆動速度）に強弱をつけて変化を設けたとしても、変位部材の変位速度が増減するだけであり、その変位態様（軌跡）は相変わらず一定であるため、遊技者の意表をつく演出を行うことが困難である。
【０１６１】
これに対し、本実施形態の変位ユニット４００によれば、下駆動機構４８０（第１駆動モータ４８１）及び上駆動機構４９０（第２駆動モータ４９１）を備え、その駆動状態を選択（変更）することで、変位部材（左変位部材４２０Ｌ、右変位部材４２０Ｒ及び突出部材４８５）を３種類の態様（第１の態様、第２の態様および第３の態様）で変位させることができる。即ち、変位部材の変位態様が一通りに限定される従来品のように、演出がワンパターンとならず、変位部材を少なくとも３通りの変位態様で変位させることができるので、かかる変位態様を切り替えることで、遊技者の意表をつく演出を行うことができる。
【０１６２】
特に、第１の態様では（図１９から図２４参照）では、左変位部材４２０Ｌ及び右変位部材４２０Ｒに平行移動（直線運動）が支配的な変位を行わせることができる一方、第２の態様および第３の態様（図１９、図２５から図２８参照）では、左変位部材４２０Ｌ及び右変位部材４２０Ｒに回転（回転運動）のみの変位を行わせることができ、その変位の運動形態を異ならせることができる。その結果、変位部材の変位態様の変化を大きくでき、遊技者の意表をつく演出を行いやすくできる。
【０１６３】
この場合、従来品では、回転中心は一定のままで、その回転方向のみを異ならせることで、変位態様を異ならせるものは存在するが、本実施形態における第２の態様および第３の態様は、同一の回転中心でその回転方向のみが異なるというものではなく、回転方向が異なり、且つ、回転中心も異なって形成されるので（第２の態様では上端側が回転中心とされ、第３の態様では下端側が回転中心とされる）、変位部材（左変位部材４２０Ｌ及び右変位部材４２０Ｒ）の変位態様の変化を大きくでき、遊技者の意表をつく演出を行いやすくできる。
【０１６４】
また、第１の態様では、回転と平行移動（直線運動）とを組み合わせた形態で変位部材（左変位部材４２０Ｌ及び右変位部材４２０Ｒ）が変位されるところ、かかる回転の方向が第３の態様における回転の方向と同方向とされる。そのため、第１の態様および第３の態様の初期段階（例えば、図２１及び図２７参照）では、変位部材どうしが近接する方向へ変位されるように遊技者に視認させることができ、その区別をつき難くできる。一方で、第１の態様では、左変位部材４２０Ｌ及び右変位部材４２０Ｒの近接する方向への変位に伴い、突出部材４８５が上昇されるのに対し、第３の態様では、突出部材４８５を停止状態に維持することができる。即ち、左変位部材４２０Ｌ及び右変位部材４２０Ｒが互いに近接する方向へ変位された初期段階において、突出部材４８５が上昇されている場合には、第１の態様における張出位置まで変位部材が変位されることを遊技者に期待させることができる。
【０１６５】
変位ユニット４００は、台車部材４４０、下部左ラック４８８Ｌ及び下部右ラック４８８Ｒがそれぞれ直線変位可能にベース部材４１０に配設（保持）されると共に、台車部材４４０に左変位部材４２０Ｌ及び右変位部材４２０Ｒの上端側（連結孔４２２）が回転可能に連結されると共に、下部左ラック４８８Ｌ及び下部右ラック４８８Ｒの駆動ピン４８８ｂが左変位部材４２０Ｌ及び右変位部材４２０Ｒの下端側（摺動溝４２３）に回転可能かつ摺動可能に挿通される。
【０１６６】
これにより、上述したように、左変位部材４２０Ｌ及び右変位部材４２０Ｒに、回転成分を含む直線運動（第１の態様）や、回転運動（第２及び第３の態様）を行わせるための構造を簡素化できる。例えば、曲線状の案内溝を設け、その案内溝に沿って変位部材を変位させることも考えられるが、このような曲線状の軌跡でスライド変位させる場合には、複雑な構造が必要となる（即ち、曲線状の軌跡であると、台車部材４４０に対応する部材、下部左ラック４８８Ｌ及び下部右ラック４８８Ｒに対応する部材をそれぞれ曲線状に案内するための機構だけでなく、これら各部材４４０，４８８Ｌ，４８８Ｒに駆動力を継続して付与可能とする機構を設ける必要が生じる）。
【０１６７】
これに対し、本実施形態では、台車部材４４０、下部左ラック４８８Ｌ及び下部右ラック４８８Ｒを直線方向へ案内すれば良く、よって、台車部材４４０は平坦面としての被転動面により案内すれば良く、下部左ラック４８８Ｌ及び下部右ラック４８８Ｒはラック・ピニオン機構を利用することができるので、それらの構造を簡素化することができる。よって、製品コストの削減と共に、耐久性と動作の信頼性の向上を図ることができる。
【０１６８】
また、変位ユニット４００によれば、第１の態様、第２の態様および第３の態様のいずれにおいても、左変位部材４２０Ｌ及び右変位部材４２０Ｒを案内する機構が共通とされ、具体的には、各変位部材４２０Ｌ，４２０Ｒの一端側（上端側）は、台車部材４４０が被転動面を転動することで案内され、他端側（下端側）は、下部左ラック４８８Ｌ及び下部右ラック４８８Ｒがベース部材４１０と背面カバー４１２との間で摺動（直線運動）することで案内される。即ち、各態様に応じて異なる案内機構をそれぞれ設ける必要がなく、従って、異なる案内機構を切り替える構造も採用する必要がない。その結果、構造を簡素化して、動作の信頼性と耐久性とを高めることができると共に、製品コストの削減を図ることができる。
【０１６９】
次いで、図２９から図４６を参照して、投影ユニット６００について説明する。
【０１７０】
初めに、図２９から図３２を参照して、投影ユニット６００の全体構成について説明する。図２９は、投影ユニット６００の正面図であり、図３０は、投影ユニット６００の背面図である。また、図３１は、投影ユニット６００の分解正面斜視図であり、図３２は、投影ユニット６００の分解背面斜視図である。
【０１７１】
図２９から図３２に示すように、投影ユニット６００は、正面視円環形状のベース部材６１０と、そのベース部材６１０に回転可能に配設される円板形状の投影板部材６２０と、その投影板部材６２０の外周側を取り囲んで配設される複数の照射ユニット６５０と、投影板部材６２０を回転させるための駆動モータ６６１と、その駆動モータ６６１の駆動力を投影板部材６２０に伝達するための歯車列（歯車６６２〜６６４）と、を主に備えて形成される。
【０１７２】
ベース部材６１０は、円環形状の背面ベース６１１と、その背面ベース６１１の正面に配設される円環形状の正面ベース６１２とを備え、それら背面ベース６１１及び正面ベース６１２の対向面間に形成される内部空間に、投影板部材６２０、照射ユニット６５０及び歯車列（歯車６６２〜６６４）が収納される。
【０１７３】
なお、正面ベース６１２の正面視における内周縁より内側の領域（以下、「表示領域」と称す）では、投影板部材６２０が遊技者から視認可能であり、正面ベース６１２の内周縁より外側の領域（即ち、正面ベース６１２で遮蔽される領域）（以下、「表示領域外」と称す）では、投影板部材６２０が遊技者から視認不能とされる。
【０１７４】
投影板部材６２０は、光透過性材料からなり、背面側に配設される第３図柄表示装置８１（図２参照）の表示を透過させて遊技者に視認させると共に、照射ユニット６５０から照射された光が外周面から入射されると、その入射された光を、模様や図柄の形状をなす態様で、投影板部材６２０の正面から出射させ、遊技者に視認させる。即ち、第３図柄表示装置８１の正面に模様や図柄を浮かび上がらせる（表示する）ことができる。
【０１７５】
投影板部材６２０の外周縁部には、ギヤ部材６３０及び溝形成部材６４０が背面側および正面側にそれぞれ配設される。これらギヤ部材６３０及び溝形成部材６４０は、正面視円環状に形成され、投影板部材６２０と同心に配設される。
【０１７６】
ギヤ部材６３０には、外周面に沿って複数の歯が刻設され、歯車列の末尾の歯車６６４が歯合される。溝形成部材６４０は、投影板部材６２０との間に周方向に連続する断面コ字状の案内溝６４１を形成するための部材であり、ベース部材６１０に回転可能に軸支される複数のカラーＣが案内溝６４１に案内されることで、投影板部材６２０がベース部材６１０に回転可能に保持される。なお、ギヤ部材６３０及び溝形成部材６４０の詳細構成については後述する。
【０１７７】
照射ユニット６５０は、投影板部材６２０の外周面から光を入射させるための発光手段（ＬＥＤ６５１）を複数備えるユニットであり、各ＬＥＤ６５１が投影板部材６２０の外周面を臨む（外周面に対向する）姿勢で複数（本実施形態では５個）が配設される。詳細には、本実施形態では、各ＬＥＤ６５１の照射方向の延長線が投影板部材６２０の略中心を通過する姿勢とされる。なお、照射ユニット６５０のベース部材６１０への取り付け構造の詳細については後述する。
【０１７８】
駆動モータ６６１は、背面ベース６１１の背面側に配設され、その駆動モータ６６１の駆動軸には、歯車列の先頭の歯車６６２が連結（固着）される。また、歯車列の末尾の歯車６６４には、投影板部材６２０に配設されたギヤ部材６３０が歯合される。よって、駆動モータ６６１の駆動軸が回転されると、その回転が、歯車列（歯車６６２〜歯車６６４）を介して、ギヤ部材６３０に伝達され、投影板部材６２０が回転される。
【０１７９】
次いで、図３３から図３８を参照して、投影板部材６２０の保持構造について説明する。図３３は、背面ベース６１１の正面図である。図３４は、正面ベース６１２及び照射ユニット６５０の背面図であり、図３５は、正面ベース６１２の背面図である。
【０１８０】
図３３に示すように、背面ベース６１１は、円環形状の板部材の内縁部に立設される内側立設部と６１１ａと、円環形状の板部材の外縁部に立設される外側立設部６１１ｃと、内側立設部６１１ａ及び外側立設部６１１ｃの間から立設される中間立設部６１１ｂと、その内側立設部６１１ｂ及び内側立設部６１１ａに取り囲まれる領域の内側凹溝６１１ｄと、内側立設部６１１ｂ及び外側立設部６１１ｃに取り囲まれる領域の外側凹部６１１ｅと、所定の間隔を隔てて円環状の板部材から突設される規制突起６１１ｆと、を主に備えて形成される。
【０１８１】
内側立設部６１１ａは、円環形状の板部材の内縁部から正面側（図３３紙面手前側）に立設されると共に、径方向に一定の厚みを備える。
【０１８２】
外側立設部６１１ｃは、円環形状の板部材の外縁部から正面側（図３３紙面手前側）に立設されると共に、径方向に一定の厚みを備える。
【０１８３】
中間立設部６１１ｂは、内側立設部６１１ａ及び外側立設部６１１ｂの中間位置に立設される。また、中間立設部６１１ｂは、軸周りに７分割して形成され、それぞれの分割端部は外側立設部６１１ｃに連結される。
【０１８４】
内側凹溝６１１ｄは、後述する投影板部材６２０の外縁部を内部に配置するための領域であり、円環形状の板部材と内側立設部６１１ａと中間立設部６１１ｂとの３方向を取り囲まれて形成される。
【０１８５】
外側凹溝６１１ｅは、後述する照射ユニット６５０を内部に配置するための領域であり、円環形状の板部材と外側立設部６１１ｃと中間立設部６１１ｂとの３方向を取り囲まれて形成される。
【０１８６】
規制突起６１１ｆは、正面ベース６１２に軸支されるカラーＣが、背面側にがたつくことを抑制する突起であり、カラーＣの軸心に開口された穴の内径よりも大きい内径の円環状に形成されると共に、正面側に突出形成される。なお、本実施形態では、規制突起６１１ｆは、所定の間隔を空けて６か所形成される。
【０１８７】
図３４及び図３５に示すように、正面ベース６１２の背面には、背面ベース６１１の内側立設部６１１ａ、中間立設部６１１ｂ、外側立設部６１１ｃ及び規制突起６１１ｆに対応して、内側立設部６１２ａ、中間立設部６１２ｂ、外側立設部６１２ｃ及び軸部６１２ｆが立設される。即ち、ベース部材６１０が組み立てられた状態では、背面ベース６１１の各立設部６１１ａ〜６１１ｃの立設先端面に、正面ベース６１２の各立設部６１２ａから６１２ｃの立設先端面がそれぞれ重ね合されると共に、規制突起６１１ｆに軸部６１２ｆの先端が挿通される。
【０１８８】
正面ベース６１２の背面であって、中間立設部６１１ｂ及び外側立設部６１２ｃとの間の領域には、複数の保持ピン６１２ｇが立設される。保持ピン６１２ｇは、照射ユニット６５０の位置決め及び保持を行うための断面円形の軸状態であり、周方向に所定の間隔を隔てて配置される。
【０１８９】
照射ユニット６５０は、上述したように、複数のＬＥＤ６５１を備え、それら各ＬＥＤ６５１から照射された光を投影板部材６２０の外周面から入射させるためのユニットであり、投影板部材６２０の周囲に沿って配設される。即ち、投影板部材６２０は、その外周側が複数の照射ユニット６５０に取り囲まれる。
【０１９０】
照射ユニット６５０は、正面ベース６１２の背面であって、中間立設部６１１ｂ及び外側立設部６１２ｃとの間の領域に装着され、正面ベース６１２の背面に背面ベース６１１の正面が重ね合されることで、それら両ベース６１１，６１２の対向面間（内部空間）に収容される。
【０１９１】
図３６は、図３４の矢印ＸＸＸＶＩ方向視における正面ベース６１２及び照射ユニット６５０の部分拡大断面図である。
【０１９２】
図３６に示すように、正面ベース６１２の中間立設部６１２ｂには、その立設先端側に略半円形状の切り欠き部６１２ｂ１が切り欠き形成される。同様に、背面ベース６１１の中間立設部６１１ｂの立設先端側にも、切り欠き部６１２ｂ１と同位相となる位置に、略半円形状の切り欠き部６１１ｂ１が切り欠き形成される（図３３参照）。
【０１９３】
即ち、中間立設部６１１ｂ，６１２ｂの立設先端面どうしが重ね合わされた状態（即ち、ベース部材６１０の組み立て状態）では、互いの切り欠き部６１１ｂ１，６１２ｂ２により正面視略円形の開口が形成される。これら円形の開口は、照射ユニット６５０の各ＬＥＤ６５１に対面する位置（同位相となる位置）にそれぞれ形成される。
【０１９４】
よって、照射ユニット６５０の各ＬＥＤ６５１から照射された光は、中間立設部６１１ｂ，６１２ｂの切り欠き部６１１ｂ１，６１２ｂ１により形成される円形の開口を通過して、投影板部材６２０の外周面へ入射される。なお、円形の開口は、ＬＥＤ６５１の発光部の直径よりも大きな直径に設定される。
【０１９５】
次いで、図３７及び図３８を参照して、投影板部材６２０、ギヤ部材６３０及び溝形成部材６４０について説明する。
【０１９６】
図３７は、投影板部材６２０、ギヤ部材６３０及び溝形成部材６４０の正面図である。図３８は、図３７のＸＸＸＶＩＩＩ−ＸＸＸＶＩＩＩ線における投影板部材６２０、ギヤ部材６３０及び溝形成部材６４０の部分断面図である。なお、図３８では、上述した表示領域と表示領域外との境界が仮想線Ｍで示される。
【０１９７】
図３７及び図３８に示すように、投影板部材６２０は、正面視円形の板状体に形成される。投影板部材６２０は、外縁の一部に切り欠き部６２１と、光を乱反射させる反射部６２２を備える。
【０１９８】
切り欠き部６２１は、カラーＣを背面ベース６１１の規制突起６１１ｆに配置しやすくするため部分であり、投影板部材６２０の外縁の一部を径方向と直交する方向の直線状に切り欠いて形成される。
【０１９９】
反射部６２２は、投影板部材６２０の内部がレーザー加工等により粗面加工された部分であり、投影板部材６２０の正面視における全域に模様や図柄等の形状に加工される。これにより、投影板部材６２０の内部に入射された光が反射部６２２に照射されると、反射部６２２の粗面により乱反射して遊技盤の表面側から出射される。
【０２００】
その結果、遊技者は、乱反射された光を視認しやすくなり、反射部６２２の形状を視認することができる。即ち、投影板部材６２０に光が入射されることで、反射部６２２の形状を投影板部材６２０の正面側に表示することができる。
【０２０１】
ギヤ部材６３０は、投影板部材６２０よりも屈折率が低い光透過性材料からなり、正面視円環状の板状体から形成されると共に、外径寸法が投影板部材６２０の外径寸法よりも大きく設定されて、正面ベース６１２の非表示領域側に配設される（即ち、正面ベース６１２の背面側に配設される）。また、ギヤ部材６３０は、投影板部材６２０の背面側（図３７紙面奥側）に配置されると共に、その軸が投影板部材６２０の軸と同軸上に配置される。
【０２０２】
ギヤ部材６３０は、外周面に沿って刻設される歯部６３１と、背面側の側面の背面部６３２と、その背面部６３２の内周側（図３８左側）の端部から正面側に傾斜される傾斜面部６３３と、を備える。
【０２０３】
歯部６３１は、上述したように歯車６６４が歯合される歯面であり、ギヤ部材６３０の外周面に全周に亘って刻設される。
【０２０４】
傾斜面部６３３は、背面部６３２の内周側（図３８左側）の端部６３４から連設されると共に、正面側に傾斜する面である。また、傾斜面部６３３の正面側への傾斜角度は、ＬＥＤ６５１の光源Ａ及び端部６３４を結んだ仮想線Ｂと背面部６３２との交差角度θ１が、背面部６３２を内周側に延長した仮想線Ｃ及び傾斜面部６３３の交差角度θ２と略同一に設定される（θ１＝θ２）。
【０２０５】
溝形成部材６４０は、投影板部材６２０よりも屈折率が低い光透過性材料からなり、正面視円環状に形成されると共に、断面が略Ｌ字に屈曲した形状に形成され、屈曲した内側が投影板部材６２０側に配置される。また、溝形成部材６４０は、正面ベース６１２の非表示領域側に配設される（即ち、正面ベース６１２の背面側に配設される）。さらに、溝形成部材６４０は、投影板部材６２０の正面側（図３８上側）に配置されると共に、その軸が投影板部材６２０の軸と同軸上に配置される。
【０２０６】
溝形成部材６４０は、断面略Ｌ字に屈曲した内側部分の一方の面の側面部６４１ａと、断面略Ｌ字に屈曲した内側部分の他方の面の当接面６４１ｂと、正面側の側面の正面部６４２と、その正面部６４２の内周側（図３８左側）の端部から背面側に傾斜される傾斜面部６４３と、を備える。
【０２０７】
側面部６４１ａは、投影板部材６２０の正面側（図３８上側）の側面との対向間にカラーＣを挟む面であり、投影板部材６２０の正面側の平面と軸周りに一定の対向間隔を隔てて形成される。
【０２０８】
当接面６４１ｂは、側面部６４１ａと投影板部材６２０との対向間に配置されるカラーＣと当接して、投影板部材６２０を回転可能に保持する面であり、断面が側面部６４１ａと直交すると共に、軸周りに円形に形成される。
【０２０９】
よって、側面部６４１ａ及び当接面６４１ｂは、投影板部材６２０に配置されることで、カラーＣを案内する案内溝６４１を形成することができる。即ち、案内溝６４１は、投影板部材６２０と溝形成部材６４０とを組み付けることで、投影板部材６２０と溝形成部材６４０との間に形成される。
【０２１０】
傾斜面部６４３は、正面部６４２の内周側（図３８左側）の端部６４４から連設されると共に、背面側に傾斜する面である。また、傾斜面部６４３の背面側への傾斜角度は、ＬＥＤ６５１の光源Ａ及び端部６４４を結んだ仮想線Ｄと正面部６４２との交差角度θ３が、正面部６４２を内周側に延長した仮想線Ｅ及び傾斜面部６４３の交差角度θ４と略同一に設定される（θ３＝θ４）。
【０２１１】
次いで、図３９及び図４０を参照して、投影板部材６２０及びカラーＣの説明をする。図３９（ａ）は、投影ユニット６００の背面図であり、図３９（ｂ）は、図３９（ａ）のＸＸＸＩＸｂ−ＸＸＸＩＸｂ線における投影ユニット６００の部分拡大断面図である。図４０（ａ）から図４０（ｃ）は、投影ユニット６００の部分拡大断面図である。なお、図４０（ａ）から図４０（ｃ）は、カラーＣを正面ベース６１２の軸部６１２ｆへ取り付ける際の遷移状態が図示される。また、図３９及び図４０では、投影ユニット６００から背面ベース６１１を取り外した状態が図示される。
【０２１２】
図３９（ａ）及び図３９（ｂ）に示すように、カラーＣが軸部６１２ｆに配置された状態では、その径方向外側に突出した突出部Ｃ１が、投影板部材６２０の正面側（図３９（ｂ）下側）の側面と溝形成部材６４０の側面部６４１ａとの対向間（案内溝６４１）に配置される。
【０２１３】
また、カラーＣの突出部Ｃ１の先端面と溝形成部材６４０の側面部６４１ａとの間の距離寸法Ｌ１が、カラーＣの軸部分と溝形成部材６４０の外周面との間の距離寸法Ｌ２よりも小さく設定される（Ｌ１＜Ｌ２）。
【０２１４】
よって、投影板部材６２０を回転可能にするために、溝形成部材６４０とカラーＣとが所定の隙間を開けた状態で配置される際に、投影板部材６２０がその隙間の分、上下左右方向にずれたとしても、溝形成部材６４０の当接面６４１ｂをカラーＣの突出部Ｃ１の先端と当接させることができる。その結果、カラーＣの突出部Ｃ１の先端で投影板部材６２０を回転可能に保持することができ、投影板部材６２０をスムーズに回転させることができる。
【０２１５】
次に、図４０（ａ）からを図４０（ｃ）参照して、正面ベース６１２の軸部６１２ｆへのカラーＣの取り付けを説明する。
【０２１６】
図３９（ａ）及び図４０（ａ）に示すように、カラーＣを軸部６１２ｆへ配置する際には、正面ベース６１２に投影板部材６２０を配置した状態で行われる。
【０２１７】
ここで、正面ベース６１２への投影板部材６２０の配置は、正面ベース６１２の内側凹溝６１２ｄの内側に、溝形成部材６４０を配置することで行われる。即ち、内側凹溝６１２ｄの径方向の距離寸法は、溝形成部材６４０の径方向の距離寸法よりも大きく形成されており、内側凹溝６１２ｄの内側に溝形成部材６４０を配置することで投影板部材６２０の位置決めして配置できる。
【０２１８】
次に、投影板部材６２０を回転させて、投影板部材６２０の切り欠き部６２１をカラーＣを配置する軸部６１２ｆ側に変位させる。即ち、切り欠き部６２１の位置を軸部６１２ｆと合わせることで、投影板部材６２０が配置された状態の正面ベース６１２にカラーＣを配置することができる。
【０２１９】
次に、軸部６１２ｆへのカラーＣの配置は、カラーＣの軸を軸部６１２ｆの軸に対して、背面側（図４０（ａ）上側）を内周側（図４０（ａ）左側）に傾倒させた状態で行われる。この状態で、カラーＣの軸を軸部６１２ｆの先端に挿入すると共に、投影板部材６２０に対して内側に位置する突出部Ｃ１を切り欠き部６２１及び案内溝６４１の内側に挿入する。
【０２２０】
この状態から、図４０（ｂ）に示すように、投影板部材６２０の内側に位置する突出部Ｃ１の先端を軸として反対側を正面側（図４０（ｂ）下側）に回転させる。これにより、カラーＣの軸を軸部６１２ｆの軸と同心に配置することができる。
【０２２１】
次に、図４０（ｃ）に示すように、カラーＣを正面側（図４０（ｃ）下側）に変位させることで、カラーＣの突出部Ｃ１の先端面と溝形成部材６４０の当接面とが対向する位置に配置される。この後、投影板部材６２０を回転させることで、カラーＣを案内溝６４１の内側に配置することができる。
【０２２２】
ここで、円形の回転部材の外縁に溝を形成して、その溝の内側に複数個のカラーを配置するものであると、カラーを配置するために、回転部材を持ち上げて（操作して）カラーを配置する必要があり、その組み付けに両手を使うため組み付けの効率が悪いという問題点があった。
【０２２３】
これに対し、投影ユニット６００では、投影板部材６２０に切り欠き部６２１が形成されることで、上述したように、カラーＣを配置する際に、投影板部材６２０を持ち上げる（操作する）必要がない。よって、投影ユニット６００の組み付けの効率を向上することができる。
【０２２４】
このように組み付けられた投影ユニット６００に、背面側から背面ベース６１１を覆設することで、投影ユニット６００を組み立てることができる。
【０２２５】
次に、図４１から図４３を参照して、ＬＥＤ６５１（光源Ａ）から照射された光について説明する。
【０２２６】
図４１（ａ）から図４３（ｂ）は、投影板部材６２０、ギヤ部材６３０及び溝形成部材６４０の断面模式図である。なお、図４１（ｂ）、図４２（ｂ）及び図４３（ｂ）では、理解を容易とするため、断面線の図示が省略される。
【０２２７】
また、図４１（ｂ）、図４２（ｂ）及び図４３（ｂ）では、光源Ａからの光が投影板部材６２０、ギヤ部材６３０及び溝形成部材６４０に入射した際の屈折角は、本発明には影響のないものとして考え、光源Ａから投影板部材６２０、ギヤ部材６３０及び溝形成部材６４０に入射する光は直行した様態で図示される。さらに、図４１から図４３では、上述した表示領域と表示領域外との境界が仮想線Ｍで示される。
【０２２８】
図４１（ａ）及び図４１（ｂ）に示すように、ＬＥＤ６５１の光源Ａから照射される光のうち投影板部材６２０の外面を照射する照射角度αの光は、投影板部材６２０にその外縁部の側面から入射される。投影板部材６２０に入射された光は、投影板部材６２０の正面側および背面側の側面に照射されることにより、入射角と同じ角度で反射される。これにより、投影板部材６２０に入射された光は、投影板部材６２０の縁側から中央部に向かって進行することができる。よって、照射角度α１に照射された光源Ａの光は、投影板部材２６２０を通過し反射部６２２で乱反射されて、遊技機正面側（図４１（ｂ）上側）に出射される。
【０２２９】
なお、この場合、投影板部材６２０の内部を進行する光が、投影板部材６２０と溝形成部材６４０又はギヤ部材６３０とが隣合う位置で投影板部材６２０の正面または背面に照射された際に、投影板部材６２０の正面または背面の側面から溝形成部材６４０又はギヤ部材６３０に入射して、投影板部材６２０の内部を進行する光の量が減少することが考えられる。
【０２３０】
これに対し、本実施形態では、溝形成部材６４０及びギヤ部材６３０が、投影板部材６２０の光透過性材量の屈折率よりも低い屈折率の光透過性材料から形成されるので、投影板部材６２０を進行する光は、投影板部材６２０と溝形成部材６４０又はギヤ部材６３０とが隣合う位置で投影板部材６２０の正面または背面に照射された際にも、投影板部材６２０の正面または背面の側面で全反射させることができる。よって、投影板部材６２０の縁部から入射された光の量が減少することを抑制できる。
【０２３１】
即ち、屈折率の高い媒体を通過する光は、屈折率の低い媒体へ進む場合、入射角度が大きくされると屈折率の低い媒体へ入射されずに全反射される。投影ユニット６００では、投影板部材６２０が板状体に形成され、その端面（縁部）から光が入射されるので、光の入射角度は十分に大きくされている。よって、投影板部材６２０から屈曲率の低い溝形成部材６４０及びギヤ部材６３０へ光は入射されず、投影板部材６２０の内側で全反射させることができる。その結果、投影板部材６２０を進行する光の量が減少することを抑制できる。
【０２３２】
また、投影板部材６２０と空気との関係も同様に、空気の屈折率は、透過性材量よりも十分に小さい値（屈折率１）であることから、投影板部材６２０の内部を進行する光は、投影板部材６２０から空気中（大気中）に入射されず、投影板部材６２０の内側で全反射させることができる。その結果、投影板部材６２０を進行する光の量が減少することを抑制できる。
【０２３３】
次に、図４２（ａ）及び図４２（ｂ）に示すように、ＬＥＤ６５１の光源Ａから照射される光のうち溝形成部材６４０を照射する照射角度βの光は、溝形成部材６４０に入射される。
【０２３４】
溝形成部材６４０に入射された光は、溝形成部材６４０の内部で反射させて、投影板部材６２０の軸心側に進行させることができる。この場合、溝形成部材６４０の側面と投影板部材６２０とが隣合う（面する）位置では、溝形成部材６４０の内部を反射させられていた光を投影板部材６２０側へ入射させることができる。
【０２３５】
即ち、溝形成部材６４０と投影板部材６２０とが隣合わない位置では、溝形成部材６４０が、空気（大気）と隣合う様態であるため、側面に照射された光を反射させることができる。一方、溝形成部材６４０と投影板部材６２０とが隣合う位置では、投影板部材６２０の光透過性材量の屈折率よりも低い屈折率の光透過性材料から形成されるので、照射された光を投影板部材６２０に入射させることができる。
【０２３６】
溝形成部材６４０から投影板部材６２０に入射される光は、照射角度αの光と同様に、投影板部材６２０の内側側面に全反射されて進行することができる。なお、その理由は上記照射角度αの場合と同様であるので、詳しい説明は省略する。
【０２３７】
よって、照射角度βに照射された光源Ａの光も、投影板部材６２０を通過させ、反射部６２２で乱反射させて、遊技機正面側に出射できる。その結果、投影板部材６２０の厚みを変更、または、照射するＬＥＤ６５１の光の強さ（光量）を増加することなく投影板部材６２０から出射される光の強さ（光量）を増加することができる。
【０２３８】
即ち、ＬＥＤ６５１の光源Ａから照射される光は、投影板部材６２０の側端面から入射されるだけでなく、溝形成部材６４０に照射される光も投影板部材６２０の側端面から入射させることができ、その分、投影板部材６２０の側端面へ入射される光の集光効率を高めることができる。よって、光源Ａから照射された光のうちの投影板部材６２０の反射部６２２までの到達する光を増加させることができるので、反射部６２２で反射され投影板部材６２０の正面から出射される光の量を増加させて、模様や図柄を鮮明に浮かび上がらせる（表示する）ことができる。また、ＬＥＤ６５１の出力を高める必要がないので、発熱量を小さくして、他の部材や機器への熱影響を抑制できる。
【０２３９】
また、溝形成部材６４０は、正面ベース６１２の非表示領域側に配設される（即ち、正面ベース６１２の背面側に配設される）ので、遊技者から視認し難くでき、その分外観が悪化することを抑制できる。
【０２４０】
ここで、光源Ａから溝形成部材６４０に入射する光は、上記した光源Ａから投影板部材６２０に入射する光に比べて、溝形成部材６４０が光源Ａと正面方向（図４２（ａ）上方向）に位置がずれて配置される分、溝形成部材６４０の内側側面に照射される際の光の入射角度が小さくなる。これにより、溝形成部材６４０の内部を進行する光をその内側側面で、全反射させることが困難となるが、少なくとも光源Ａから溝形成部材６４０に入射される光の一部は反射されて、上記した状態（光を溝形成部材６４０の内側側面で反射させる状態）を形成することできる。
【０２４１】
また、溝形成部材６４０は、傾斜面部６４３を備えるので、照射角度βに照射されて投影板部材６２０側に反射する光の量を増加させることができる。即ち、傾斜面部６４３は、上述したように、その交差角度θ４が、ＬＥＤ６５１の光源Ａ及び端部６４４を結んだ仮想線Ｄと正面部６４２との交差角度θ３と同一に形成される（図３８参照）ので、端部６４４に向かってＬＥＤ６５１（光源Ａ）から照射された光を反射させたあと、その光を傾斜面部６４３に沿って進行させることができ、照射角度βの光を投影板部材６２０側に反射させる面積を増加させることができる。その結果、投影板部材６２０側に反射する光の量を増加させることができる。
【０２４２】
さらに、溝形成部材６４０の外径は、投影板部材６２０の外径よりも大きく形成されるので、その分、光源Ａからの照射角度βを大きくすることができる。よって、光源Ａから照射された光を、溝形成部材６４０の外縁部で反射させて、投影板部材６２０の側端面へ入射させやすくできる。よって、その分、投影板部材６２０の側端面へ入射される光の集光効率を高めることができる。
【０２４３】
図４３（ａ）及び図４３（ｂ）に示すように、ＬＥＤ６５１の光源Ａから照射される光のうちギヤ部材６３０を照射する照射角度γの光は、ギヤ部材６３０に入射される。
【０２４４】
ギヤ部材６３０に入射された光は、ギヤ部材６３０の内部で反射されて、投影板部材６２０の軸心側に進行させられる。この場合、ギヤ部材６３０の側面と投影板部材６２０とが隣合う（面する）位置では、ギヤ部材６３０の内部を反射する光を、投影板部材６２０に入射させることができる。
【０２４５】
即ち、ギヤ部材６３０と投影板部材６２０とが隣合わない位置では、ギヤ部材６３０が空気と隣合う（大気と接する）状態であるため、ギヤ部材６３０の内側側面に照射される光を反射させることができる。一方、ギヤ部材６３０と投影板部材６２０とが隣合う位置では、ギヤ部材６３０が投影板部材６２０の光透過性材料の屈折率よりも低い屈折率の光透過性材料から形成されるので、照射された光を投影板部材６２０に入射させることができる。
【０２４６】
ギヤ部材６３０から投影板部材６２０に入射される光は、照射角度αの光と同様に、投影板部材６２０の内部で全反射され、投影板部材６２０の軸心側に進行させられる。なお、その理由は、上記照射角度αの場合と同様であるので、詳しい説明は省略する。
【０２４７】
よって、照射角度γに照射される光源Ａの光は、投影板部材６２０を通過して、反射部６２２で乱反射されて、遊技機正面側に出射される。その結果、投影板部材６２０の厚みを変更、または、照射するＬＥＤ６５１の光の量（光量）を増加することなく投影板部材６２０から出射される光の量を増加することができる。
【０２４８】
即ち、ＬＥＤ６５１の光源Ａから照射される光は、投影板部材６２０の側端面入射されるだけでなく、ギヤ部材６３０に照射される光も投影板部材６２０の側端面から入射させることができ、その分、投影板部材６２０の側端面へ入射される光の集光効率を高めることができる。よって、光源Ａから照射された光のうちの投影板部材６２０の反射部６２２までの到達する光を増加させることができるので、反射部で反射され光透過部材の正面から出射される光の量を増加させて、模様や図柄を鮮明に浮かび上がらせる（表示する）ことができる。また、ＬＥＤ６５１の出力を高める必要がないので、発熱量を小さくして、他の部材や機器への熱影響を抑制できる。
【０２４９】
また、ギヤ部材６３０は、正面ベース６１２の非表示領域側に配設される（即ち、正面ベース６１２の背面側に配設される）ので、遊技者から視認され難くでき、その分外観が悪化することを抑制できる。
【０２５０】
さらに、光源Ａからギヤ部材６３０に入射される光は、上記した光源Ａから投影板部材６２０に入射した光に比べて、ギヤ部材６３０が光源Ａと背面方向（図４３（ａ）下方向）に位置がずれて配置される分、ギヤ部材６３０の内側側面を照射する際の入射角度が小さくされる。これにより、ギヤ部材６３０の内部を進行する光をその側面で、全反射させることが困難となるが、少なくとも光源Ａからギヤ部材６３０に入射される光の一部は反射されて、上記した状態（光をギヤ部材６３０の内側側面で反射させる状態）を形成することができる。
【０２５１】
ギヤ部材６３０は、傾斜面部６３３を備えるので、照射角度γに照射されて投影板部材６２０側に反射する光の量を増加させることができる。即ち、傾斜面部６３３は、上述したように、その交差角度θ２が、ＬＥＤ６５１の光源Ａ及び端部６３４を結んだ仮想線Ｂと背面部６３２との交差角度θ１と同一に形成される（図３８参照）ので、端部６３４に向かってＬＥＤ６５１（光源Ａ）から照射された光を反射させたあと、その光を傾斜面部６３３に沿って進行させることができ、照射角度γに照射される光を投影板部材６２０側に反射させる面積を増加させることができる。その結果、投影板部材６２０側に反射する光の量を増加させることができる。
【０２５２】
また、ギヤ部材６３０の外径は、投影板部材６２０の外径よりも大きく形成されるので、その分、光源Ａからの照射角度βを大きくすることができる。よって、光源Ａから照射された光を、ギヤ部材６３０の外縁部で反射させて、投影板部材６２０の側端面へ入射させやすくできる。よって、その分、投影板部材６２０の側端面へ入射される光の集光効率を高めることができる。
【０２５３】
次いで、照射ユニット６５０の詳細構成およびベース部材６１０への取り付け構造について、図４４から図４６を参照して説明する。
【０２５４】
図４４（ａ）は、照射ユニット６５０の上面図であり、図４４（ｂ）は、図４４（ａ）の矢印ＸＬＩＶｂ方向視における照射ユニット６５０の正面図である。また、図４５（ａ）は、図４４（ａ）の矢印ＸＬＶａ方向視における照射ユニット６５０の背面図であり、図４５（ｂ）は、図４４（ｂ）のＸＬＶｂ−ＸＬＶｂ線における照射ユニット６５０の断面図である。なお、図４４及び図４５では、ベース部材６１０（正面ベース６１２）に取り付けられる前の状態（即ち、基板部材６５２が弾性変形されていない状態）が図示される。
【０２５５】
図４４及び図４５に示すように、照射ユニット６５０は、複数（本実施形態では８個）のＬＥＤ６５１と、それら複数のＬＥＤ６５１が正面に搭載される基板部材６５２と、その基板部材６５２の背面に配設される複数（本実施形態では各２個）の第１ブロック６５３及び第２ブロック６５４と、を備える。
【０２５６】
基板部材６５２は、弾性変形可能な素材から正面視横長の帯状に形成される。ＬＥＤ６５１は、上述したように、投影板部材６２０の外周面から入射させるための光を照射する発光手段であり、基板部材６５２の正面へ照射面を向けた姿勢で複数が基板部材６５２の長手方向（図４４（ｂ）左右方向）に沿って等間隔に配設される。
【０２５７】
第１ブロック６５３及び第２ブロック６５４は、基板部材６５２とベース部材６１０との間に介設される部材であり、基板部材６５２の長手方向中央側に２個の第１ブロック６５３が配設されると共に、それら第１ブロック６５３を挟んで基板部材６５２の長手方向両側に第２ブロック６５４がそれぞれ配設される。
【０２５８】
第１ブロック６５３及び第２ブロック６５４は、樹脂材料から直方体状に形成され、基板部材６５２よりも高い剛性（弾性変形し難くい特性）を備える。そのため、ベース部材６１０（正面ベース６１２）への取り付け状態では、基板部材６５２の各ブロック６５３，６５４の隣接間に位置する部分のみを弾性変形させることができる。ここで、図４６を参照して、第１ブロック６５３及び第２ブロック６５４について説明する。
【０２５９】
図４６（ａ）は、第１ブロック６５３の正面図であり、図４６（ｂ）は、図４６（ａ）のＸＬＶＩｂ−ＸＬＶＩｂ線における第１ブロック６５３の断面図である。また、図４６（ｃ）は、第２ブロック６５４の正面図であり、図４６（ｄ）は、図４６（ｃ）のＸＬＶＩｄ−ＸＬＶＩｄ線における第２ブロック６５４の断面図である。
【０２６０】
第１ブロック６５３は、正面視横長矩形の底壁部６５３ａと、その底壁部６５３ａの４辺から正面側へ向けて立設される側壁部６５３ｂとから、正面側（図４６（ａ）紙面手前側）が開放された箱状に形成される。
【０２６１】
４枚の側壁部６５３ｂのうちの対向する（底壁部６５３ａの短辺から立設される）側壁部６５３ｂには、その正面側の端面に締結孔ｈが凹設され、ねじＳ１が締結可能とされる。また、締結孔ｈが凹設される側壁部６５３ｂとは別の側壁部６５３ｂどうしは、連結壁６５３ｃにより連結され、その連結壁６５３ｃの正面側の端面からは、突起６５３ｃ１が突設される。
【０２６２】
第２ブロック６５４は、正面視矩形の底壁部６５４ａと、その底壁部６５４ａの４辺から正面側へ向けて立設される側壁部６５４ｂとから、正面側（図４６（ｃ）紙面手前側）が開放された箱状に形成される。底壁部６５４ａには、正面視矩形の開口６５４ａ１が穿設され、電気的な接続線が挿通可能とされる。
【０２６３】
４枚の側壁部６５４ｂのうちの底壁部６５４ａの短辺から立設される側壁部６５４ｂには、その正面側の端面に締結孔ｈが凹設され、ねじＳ１が締結可能とされる。また、底壁部６５４ａの長辺から立設される側壁部６５３ｂどうしは、連結壁６５４ｃにより連結され、その連結壁６５４ｃには、その正面側の端面に締結孔ｈが凹設され、ねじＳ１が締結可能とされる。
【０２６４】
第１ブロック６５３及び第２ブロック６５４には、底壁部６５３ａ，６５４ａの長辺から立設される側壁部６５３ｂ，６５４ｂのそれぞれの２カ所に挿通孔６５３ｂ１，６５４ｂ１が穿設される（図４５（ａ）及び図４６（ｂ）参照）。挿通孔６５３ｂ１，６５４ｂ１には、正面ベース６１２の保持ピン６１２ｇが挿通される。これにより、正面ベース６１２に対する両ブロック６５３，６５４の配設位置の位置決め及びその配設位置での保持を行うことができる。
【０２６５】
なお、第１ブロック６５３は、上下方向（図４６（ａ）上下方向）中央を通る第１の仮想面（即ち、２か所の締結孔ｈの軸心をそれぞれ含む仮想平面）に対して対称、かつ、長手方向（図４６（ａ）左右方向）中央を通ると共に第１の仮想面に垂直となる第２の仮想面に対して対称となる形状に形成される。
【０２６６】
よって、１の基板部材６２０に対して２の第１ブロック６５３が配設される照射ユニット６５０において、第１ブロック６５３を共通化できるので、部品点数を削減して、製品コストの削減を図ることができる。また、基板部材６２０に第１ブロック６５３を組み付ける際には、基板部材６２０に対して第１ブロック６５３が上下方向および長手方向の方向性を共に有さないので、組み立て作業時の作業性の向上を図ることができる。
【０２６７】
同様に、第２ブロック６５４は、上下方向（図４６（ｃ）上下方向）中央を通る第１の仮想面（即ち、２か所の締結孔ｈの軸心をそれぞれ含む仮想平面）に対して対称となる形状に形成される。
【０２６８】
よって、１の基板部材６２０に対して２の第２ブロック６５４が配設される照射ユニット６５０において、第２ブロック６５４を共通化できるので、部品点数を削減して、製品コストの削減を図ることができる。また、基板部材６２０に第２ブロック６５４を組み付ける際には、基板部材６２０に対して第２ブロック６５４が上下方向の方向性を共に有さないので、組み立て作業時の作業性の向上を図ることができる。
【０２６９】
図４４及び図４５に戻って説明する。第１ブロック６５３及び第２ブロック６５４は、それらの長手方向を基板部材６５２の長手方向に沿わせ、隣接するものとの間に所定間隔を隔てつつ、基板部材６５２の背面側にそれぞれ配設される。
【０２７０】
詳細には、第１ブロック６５３及び第２ブロック６５４は、その正面を基板部材６５２の背面に重ね合わせ、基板部材６５２に穿設された挿通孔から挿通されたねじＳ１が締結孔ｈに螺合されることで、基板部材６５２の背面側に締結固定される。この場合、第１ブロック６５３の突起６５３ｃ１は、基板部材６５２に穿設された挿通孔から正面側に突出される。
【０２７１】
基板部材６５２には、ＬＥＤ６５１のみが正面に配設（搭載）され、他の電子部品やコネクターは、基板部材６５２の背面に配設（搭載）される。この場合、上述したように、第１ブロック６５３及び第２ブロック６５４は、正面が開放された箱状に形成され、その開放された側を基板部材６５２の背面に重ね合わせて配設される。即ち、両ブロック６５３，６５４は、基板部材６５２に重ね合わされる（配設される）側の面に凹部を備えるので、その凹部（内部空間）に、基板部材６５２に搭載される電子部品やコネクターを収容することができる。よって、電子部品やコネクターを両ブロック６５３，６５４により覆って保護することができるので、周囲の変位する部材（例えば、投影板部材６２０）が当接されて電子部品やコネクターが破損することを抑制できる。
【０２７２】
また、基板部材６５２に形成される回路（パターン）は、その背面に形成される。よって、かかる回路についても、両ブロック６５３，６５４により覆って保護することができるので、周囲の変位する部材（例えば、投影板部材６２０）が当接されて回路が破損（断線）することを抑制できる。また、基板部材６５２のうちの両ブロック６５３，６５４が配設されない部分は、背面側へ凸となる湾曲形状に弾性変形される（曲げられる）ので（図３４参照）、その分、回路を投影板部材６２０から離間させることができる。これにより、両ブロック６５３，６５４が配設されない部分についても、回路が破損（断線）することを抑制できる。
【０２７３】
このように構成された照射ユニット６５０のベース部材６１０への配設方法（組み付け方法）について説明する。まず、照射ユニット６５０を、正面ベース６１２の背面であって、中間立設部６１１ｂ及び外側立設部６１２ｃの間の領域に装着する。この場合、基板部材６５２を弾性変形させ（曲げ）つつ、正面ベース６１２の背面から立設される各保持ピン６１２ｇを、第１ブロック６５３及び第２ブロック６５４の各挿通孔６５３ｂ１，６５４ｂ１に挿通させる。
【０２７４】
これにより、正面ベース６１２の背面に両ブロック６５３，６５４（即ち、照射ユニット６５０）を保持させると共に照射ユニット６５０の配設位置（即ち、ＬＥＤ６５１の照射方向）を所定の位置に位置決めできる（図３４参照）。その後、正面ベース６１２の背面に背面ベース６１１の正面が重ね合わされることで、それら両ベース６１１，６１２の対向面間（内部空間）に照射ユニット６５０が収容される。即ち、照射ユニット６５０がベース部材６１０に配設（組み付け）られる。
【０２７５】
なお、本実施形態では、ベース部材６１０に照射ユニット６５０が配設された状態では、各ＬＥＤ６５１は、上述したように、投影板部材６２０の外周側に周方向等間隔に配設される。即ち、一の照射ユニット６５０におけるＬＥＤ６５１の周方向間隔だけでなく、その一の照射ユニット６５０とその一の照射ユニット６５０に隣接する照射ユニット６５０とにおけるＬＥＤ６５１の周方向間隔も他と同一の間隔とされる。
【０２７６】
ここで、投影ユニット６００は、複数のＬＥＤ６５１から照射された光を投影板部材６２０の外周面から入射させる。そのため、複数のＬＥＤ６５１を投影板部材６２０の外周面に沿って配設する必要がある。かかるＬＥＤ６５１の配設（取り付け）は、その数が多いことに加え、各ＬＥＤ６５１の照射面（照射方向）をそれぞれ投影板部材６２０の中心へ向けた姿勢に調整して、各ＬＥＤ６５１をそれぞれ配設する必要があり、配設作業の手間が嵩む。
【０２７７】
これに対し、本実施形態によれば、複数（本実施形態では８個）のＬＥＤ６５１が、弾性変形可能に形成される基板部材６５２に搭載されるので、１の基板部材６５２（照射ユニット６５０）を正面ベース６１２（ベース部材６１０）に配設する（取り付ける）ことで、複数（本実施形態では８個）のＬＥＤ６５１の配設作業を一度に完了することができる（図３４参照）。よって、その分、ＬＥＤ６５１の配設作業の手間を抑制することができる。
【０２７８】
また、第１ブロック６５３及び第２ブロック６５４の挿通孔６５３ｂ１，６５４ｂ１に背面ベース６１２の保持ピン６１２ｇが挿通されることで、基板部材６５２を、弾性変形された所定の姿勢に保持でき、ＬＥＤ６５１の照射面の方向を規定することができる（図３４参照）。即ち、複数のＬＥＤ６５１を、それらの照射面をそれぞれ個別に調整しつつ背面ベース６１２へ組み付ける必要がなく、両ブロック６５３，６５４の挿通孔６５３ｂ１，６５４ｂ１への保持ピン６１２ｇの挿通のみで、各ＬＥＤ６５１の姿勢（照射方向）を設定（調整）できるので、この点からもＬＥＤ６５１の配設（取り付け）作業の手間を抑制できる。
【０２７９】
この場合、照射ユニット６５０は、基板部材６５２よりも剛性が高く形成される第１ブロック６５３及び第２ブロック６５４を備え、それら両ブロック６５３、６５４が背面ベース６１２に保持されるので、振動などの外力入力に伴う基板部材６５２の反りや撓みを抑制して、或いは、基板部材６５２自身が有する反りや撓みを矯正して、かかる基板部材６５２の姿勢を所望の姿勢に規定しやすくできる。その結果、各ＬＥＤ６５１の姿勢が、基板部材６５２の反りや撓みの影響を受けることを抑制して、各ＬＥＤ６５１の照射面を適切な方向へ向けることができると共にその向きを維持しやすくできる。
【０２８０】
特に、各ＬＥＤ６５１は、基板部材６５２のうちの第１ブロック６５３又は第２ブロック６５４が配設される領域（即ち、正面視において４枚の側壁部６５３ｂ，６５４ｂに囲まれる領域の内側）に配設される。よって、振動などの外力入力に伴う基板部材６５２の反りや撓みを抑制しやすくできる、或いは、基板部材６５２自身が有する反りや撓みを矯正しやすくできるので、基板部材６５２の姿勢を所望の姿勢に規定しやすくできる。その結果、各ＬＥＤ６５１の姿勢が、基板部材６５２の反りや撓みの影響を受けることをより確実に抑制でき、各ＬＥＤ６５１の照射面を適切な方向へ向けることができると共にその向きをより一層維持しやすくできる。
【０２８１】
また、各ＬＥＤ６５１は、基板部材６５２の正面に搭載される一方、第１ブロック６５３及び第２ブロック６５４は、基板部材６５２の背面に配設されるので、両ブロック６５３，６５４による基板部材６５２の姿勢を安定化する効果を得つつ、ＬＥＤ６５１をより投影板部材６２０の外周面へ近接させることができる。
【０２８２】
ここで、ＬＥＤ６５１は、基板部材６５２の長手方向（図４４及び図４５左右方向）に沿って等間隔に配設される。即ち、照射ユニット６５０のベース部材６１０（正面ベース６１２）への取り付け状態では、投影板部材６２０の外周側にＬＥＤ６５１を周方向等間隔に配設できるので（図３４参照）、投影板部材６２０の外周面から入射される光の均一性を確保できる。
【０２８３】
この場合、本実施形態では、第２ブロック６５４は、２か所に形成される締結孔ｈのうちの一方が、連結壁６５４ｃに形成されるので、その分、第２ブロック６５４の長手方向寸法を短くできる。また、第２ブロック６５４は、締結孔ｈが形成される側壁部６５３ｂを第１ブロック６５３側とする姿勢で基板部材６５２に配設される。即ち、締結孔ｈが形成されない側壁部６５３ｂを、基板部材６５２の長手方向両端側に位置させる。
【０２８４】
これにより、ＬＥＤ６５１を基板部材６５２の長手方向に等間隔に配設して、投影板部材６２０へ入射させる光の均一性を確保しつつ、照射ユニット６５０の長手方向（図４４及び図４５左右方向）の全長を短くして、隣接する照射ユニット６５０の間に間隔を空ける（スペースを設ける）ことができる。この場合、かかるスペースを利用して、軸部６１２ｆを配設することができ、その結果、ＬＥＤ６５１と投影板部材６２０の外周面との距離を近接させやすくできる。
【０２８５】
一方、第１ブロック６５３は、２か所に形成される締結孔ｈの両者が連結壁６５４ｃに形成されるので、かかる締結孔ｈとＬＥＤ６５１との間の距離を短くできる。即ち、ねじＳ１による基板部材６５２の第１ブロック６５３への締結固定の位置を、ＬＥＤ６５１に近接させることができる。その結果、振動などの外力入力に伴う基板部材６５２の反りや撓みの影響をＬＥＤ６５１に作用させ難くでき、また、基板部材６５２自身が有する反りや撓みをＬＥＤ６５１近傍において特に矯正しやすくできる。よって、各ＬＥＤ６５１の姿勢が、基板部材６５２の反りや撓みの影響を受けることをより確実に抑制できるので、各ＬＥＤ６５１の照射面を適切な方向へ向けることができると共にその向きをより一層維持しやすくできる。
【０２８６】
この場合、第１ブロック６５３では、２か所に形成される締結孔ｈの間隔が大きくなるため、それら２カ所の締結孔ｈの間での基板部材６５２の拘束が弱くなるおそれがある。これに対し、本実施形態では、締結孔ｈが形成される側壁部６５３ｂの間に連結壁６５３ｃを設け、その連結壁６５３ｃから突設される突起６５３ｃ１を、基板部材６５２に穿設された挿通孔に挿通させる。よって、突起６５３ｃ１及び挿通孔の係合により、振動などの外力入力に伴う基板部材６５２の反りや撓みを抑制しやすくできる、或いは、基板部材６５２自身が有する反りや撓みを矯正しやすくできるので、基板部材６５２の姿勢を所望の姿勢に規定しやすくできる。その結果、ねじＳ１を別途設けることを不要として、部品点数を削減できるので、その分、製品コストの削減を図りつつ、各ＬＥＤ６５１の照射面を適切な方向へ向けることができると共にその向きをより一層維持しやすくできる。
【０２８７】
なお、基板部材６５２の長手方向両端（長手方向の最外方、図４５（ｂ）の左端および右端）は、自由端とされる（即ち、第２ブロック６５４に拘束されない）ため、かかる長手方向両端に位置するＬＥＤ６５１の姿勢が不安定となるおそれがある。これに対し、本実施形態では、基板部材６５２の背面側に第１ブロック６５３及び第２ブロック６５４を配設し、基板部材６５２をその正面側に円弧中心が位置する方向に弾性変形させる（曲げる）ので（図３４参照）、基板部材６５２の弾性回復力を、基板部材６５２の長手方向両端の背面を第２ブロック６５４の正面に押し付ける方向の力として作用させることができる。その結果、基板部材６５２の長手方向両端に位置するＬＥＤ６５１の姿勢を安定化できる。
【０２８８】
次いで、図４７から図５０を参照して、上下変位ユニット８００について説明する。
【０２８９】
図４７は、上下変位ユニット８００の正面図であり、図４８は上下変位ユニット８００の背面図である。また、図４９は、上下変位ユニット８００の正面斜視図であり、図５０は、上下変位ユニット８００の背面斜視図である。
【０２９０】
図４７から図５０に示すように、上下変位ユニット８００は、正面視矩形状の背面ベース８３０と、その背面ベース８３０の正面側に重ね合される正面ベース８２０と、背面ベース８３０の背面側に配置される駆動モータ８８０と、その駆動モータ８８０の駆動力により背面ベース８３０及び正面ベース８２０に対して回転させられる変位部材８５０と、その変位部材８５０へ駆動モータ８８０の駆動力を伝達する伝達機構８６０と、伝達機構８６０及び変位部材８５０とを連結する連結部材８７０と、変位部材８５０の軸孔８５１の前方に配置されると共に正面ベース８２０に取着されるカバー部材８４０と、を主に備える。
【０２９１】
背面ベース８３０は、駆動モータ８８０に連結される伝達機構８６０の伝達ギヤ８６１が挿通可能な大きさに開口形成される開口８３１と、伝達機構８６０の伝達ギヤ８６２，８６３のそれぞれの軸心に突出形成される軸部８３２，８３３と、正面側に突設されると共に湾曲した形状に延設される背面側規制部８３４と、を主に備える。
【０２９２】
開口８３１は、背面ベース８３０の背面側に取着される駆動モータ８８０の軸部が挿通される。これにより、背面ベース８３０の正面側に配置される伝達機構８６０に駆動モータ８８０の駆動力を伝達させることができる。
【０２９３】
また、開口８３１は、伝達機構８６０の伝達ギヤ８６１の外径よりも大きい内径に形成される。これにより、伝達ギヤ８６１が破損した際には、駆動モータ８８０を背面ベース８３０から取り外すことで、伝達ギヤ８６１を上下変位ユニット８００から取り外すことができる。その結果、伝達ギヤ８６１が破損した際の部品交換の作業工程を少なくすることができる。
【０２９４】
軸部８３２，８３３は、後述する伝達機構８６０の伝達ギヤ８６２、８６３がそれぞれ軸支され回転可能に保持されるための軸であり、背面ベース８３０から正面側に円柱状に突出形成される。
【０２９５】
背面側規制部８３４は、後述する連結部材８７０の背面方向（図４７紙面奥方向）の変位を規制する突起であり、背面ベース８３０の正面側に突設されると共に、後述する連結部材８７０の変位に沿った湾曲形状に延設される。
【０２９６】
正面ベース８２０は、背面ベース８３０よりもやや大きい外形の正面視横長矩形状に形成される。正面ベース８２０は、正面側から背面側（図４７紙面手前側から紙面奥側）に向かって凹設される軸支部８２１と、背面側の縁部に立設した側壁８２２と、背面側に突出する突起８２３と、背面側に突設されると共に湾曲した形状に延設される正面側規制部８２４と、背面側に突出する膨出部８２５と、を主に備える。
【０２９７】
軸支部８２１は、後述するピン部材８９０の一端が挿入される軸孔であり、正面ベース８２０の正面視右側下方に凹設される。
【０２９８】
側壁８２２は、背面ベース８３０と正面ベース８２０との間に後述する伝達機構８６０及び連結部材８７０を配置する隙間を形成するための壁部であり、伝達機構８６０及び連結部材８７０の前後方向の厚み寸法よりも大きな寸法で正面ベース８２０の上及び左右（下端以外の）の縁部に立設される。これにより、正面ベース８２０と背面ベース８３０とを締結した際に、その間に伝達機構８６０及び連結部材８７０を変位可能な状態で配置できる。
【０２９９】
突起８２３は、後述する付勢ばねＳＰの一端側（図４８上側）が係合される突起であり、円柱状に形成されると共に、正面ベース８２０の背面側に突出形成される。
【０３００】
正面側規制部８２４は、連結部材８７０の正面方向（図４７紙面手前方向）への変位を規制する突起であり、正面ベース８２０の背面側に突設されると共に、連結部材８７０の変位に沿った湾曲形状に延設される。
【０３０１】
膨出部８２５は、後述する付勢ばねＳＰと所定の間隔を空けて横隣りに配置される突壁であり、正面ベース８２０の下側端部から背面側に突出して形成される。
【０３０２】
伝達機構８６０は、伝達ギヤ８６１〜８６３により構成される歯車列であり、それぞれ直列に歯合し合うことで、駆動モータ８８０から付与される駆動力が伝達ギヤ８６１，８６２を介して伝達ギヤ８６３まで伝達される。
【０３０３】
伝達ギヤ８６３は、伝達ギヤ８６２と歯合する歯部８６３ａと、連結部材８７０に連結される軸部８６３ｂと、軸を中心とした円弧状に突設される突設部８６３ｃと、その回転位置を検出するための板状体のセンサ検出板８６３ｄと、を主に備える。
【０３０４】
歯部８６３ａは、伝達ギヤ８６３の円形状の側面の３分の２程度に形成される歯合面であり、これにより、伝達ギヤ８６２から駆動力を伝達ギヤ８６３に伝達させることができる。
【０３０５】
軸部８６３ｂは、連結部材８７０に連結される軸であり、背面側に円柱状に突出されると共に、伝達ギヤ８６３の回転軸と異なる位置（偏心した位置）に軸が配置される。
【０３０６】
突設部８６３ｃは、連結部材８７０が正面方向に変位することを抑制するための突起であり、伝達ギヤ８６３の背面側の外縁部分に突出形成されると共に、伝達ギヤ８６３の軸を中心とした円形状に湾曲して形成される。
【０３０７】
センサ検出板８６３ｄは、伝達ギヤ８６３の回転位置を検出するために、正面ベースに配置される位置検出用センサ（図示しない）の検出領域を遮る板であり、伝達ギヤ８６３の歯部８６３ａが形成されない側面に径方向外側に突出形成される。
【０３０８】
連結部材８７０は、伝達機構８６０の回転の駆動力を変位部材８５０に伝達する部材であり、正面視略Ｃ字状に湾曲して形成され、湾曲形状の一端（図４８上端）に前後方向に貫通形成されたギヤ側連結穴８７１と、湾曲形状の他端（図４８下端）に前後方向に貫通形成された変位側連結穴８７２と、湾曲部分の外側から上方に突出して形成された当接部８７３と、を備える。
【０３０９】
ギヤ側連結穴８７１は、伝達ギヤ８６３の軸部８６３ｂが挿入される貫通孔であり、軸部８６３ｂの外径よりも大きい内径の円形状に形成される。これにより、伝達ギヤ８６３と連結部材８７０とを連結することができ、伝達ギヤ８６３の駆動力を連結部材８７０に伝達することができる。
【０３１０】
変位側連結穴８７２は、後述する変位部材８５０の軸部８５３が挿入される貫通孔であり、軸部８５３の外径よりも大きい内径の円形状に形成される。これにより、連結部材８７０と変位部材８５０とを連結することができ、連結部材８７０の駆動力を変位部材８５０に伝達することができる。
【０３１１】
当接部８７３は、変位部材８５０の前後方向の変位を規制するための突起であり、先端が背面ベース８３０の背面側規制部８３４と正面ベース８２０の正面側規制部８２４との対向間に配置される。
【０３１２】
また、当接部８７３は、先端の前後方向の幅寸法が、背面ベース８３０の背面側規制部８３４と、正面ベース８２０の正面側規制部８２４との対向間の距離寸法よりもやや小さい寸法に形成される。よって、連結部材８７０が変位される際には、当接部８７３を、背面側規制部８３４と正面側規制部８２４との間隙の変位させることで、連結部材８７０が変位する際の抵抗が大きくなることを抑制できる。一方、連結部材８７０が前後方向に変位した際には、正面ベース８２０又は背面ベース８３０に当接することで、連結部材８７０の変位を安定させることができる。
【０３１３】
カバー部材８４０は、変位部材８５０の一端側（図４７右側端部）を保持する部材であり、正面視縦長矩形に形成され、間にピン部材８９０を介した状態で正面ベース８２０に締結される。また、カバー部材８４０には、背面側から正面側に向かって円形状に凹設された軸支部８４１が形成される。
【０３１４】
軸支部８４１は、ピン部材８９０の正面側の端部を挿入することで、ピン部材８９０を回転可能な状態で保持（軸支）する溝であり、正面ベース８２０の軸支部８２１と対向する位置に形成される。これにより、ピン部材８９０が、正面ベース８２０の軸支部８２１とカバー部材８４０の軸支部８４１との対向間に配置されるので、上下変位ユニット８００から脱落することを抑制することができる。
【０３１５】
変位部材８５０は、正面側に装飾が施された部材であり、一端側（図４７右側）が正面視横長矩形に形成され、他端側（図４７左側）が正面視円形に形成される。変位部材８５０は、ピン部材８９０が挿通される軸孔８５１と、付勢ばねＳＰが連結される突起８５２と、連結部材８７０の駆動力を伝達する軸部８５３と、を備えて形成される。
【０３１６】
軸孔８５１は、上述したように内部にピン部材８９０が挿通される貫通孔であり、変位部材の一端側端部に前後方向に貫通形成されると共に、その内径がピン部材８９０の外径よりも大きく形成される。よって、変位部材８５０は、軸孔８５１にピン部材８９０が挿通された状態で、ピン部材８９０が正面ベース８２０の軸支部８２１とカバー部材８４０の軸支部８４１との対向間に配置されることで、変位部材８５０を軸孔８５１の軸を中心に回転可能な状態で正面ベース８２０の前方に配置できる。
【０３１７】
突起８５２は、付勢ばねＳＰの他端（図５０下端）が係合される突起であり、変位部材８５０の背面側から突出形成される。また、突起８５２は、変位部材８５０が正面ベース８２０に配置されると、正面ベース８２０の突起８２３の下方から背面側に突出する位置に形成されると共に、その突出距離が、背面ベースの正面側の側面と略一致する位置まで形成される。よって、付勢ばねＳＰの長手方向を重力方向と平行にすることができる。その結果、変位部材８５０は、正面ベース８２０に対して常に重力方向上方に付勢される。
【０３１８】
軸部８５３は、上述したように、連結部材８７０の変位側連結穴８７２に挿入される軸であり、変位部材８５０が正面ベース８２０に配置された状態では、正面ベース８２０よりも下方（図５０下側）の位置に突出形成される。よって、変位部材８５０と連結部材８７０とを連結させることができ、変位部材８５０の駆動力を連結部材８７０に伝達させることができる。
【０３１９】
ピン部材８９０は、上述したように、変位部材８５０の軸孔８５１に挿入される軸であり、変位部材８５０よりも硬度の金属の棒状体から形成される。これにより、変位部材８５０が変位する際に回転軸に力がかかった際に、回転軸が破損することを抑制することができる。
【０３２０】
また、変位部材８５０が回転する際の軸部分の抵抗を、ピン部材８９０がそれぞれの軸支部８２１，８４１対して回転する際の抵抗と、変位部材８５０がピン部材８９０に対して回転する際の抵抗との２つに分割することができるので、一箇所の抵抗が大きくなることで部品が破損することを抑制できる。
【０３２１】
次いで、以上のように構成された上下変位ユニット８００の動作について、図５１から図５６を参照して説明する。図５１は、第１位置における上下変位ユニット８００の正面図であり、図５２は、中間位置における上下変位ユニット８００の正面図であり、図５３は、第２位置における上下変位ユニット８００の正面図である。
【０３２２】
図５４は、第１位置における上下変位ユニット８００の背面図であり、図５５は、中間位置における上下変位ユニット８００の背面図であり、図５６は、第２位置における上下変位ユニット８００の背面図である。なお、図５４から図５６では、理解を容易とするために、背面ベース８３０を取り外した状態が図示される。
【０３２３】
図５１及び図５４に示すように、変位部材８５０の他端側（図５２左側）が上昇に配置された（第１位置）状態では、伝達ギヤ８６３の軸部８６３ｂが上方に配置されて、軸部８６３ｂに連結される連結部材８７０が上方に配置される。これにより、連結部材８７０の変位側連結穴８７２に挿入された変位部材８５０の軸部８５３が上方に配置されるので、変位部材８５０を上方に吊り上げた姿勢とされる。
【０３２４】
また、第１位置では、伝達ギヤ８６３の軸心および軸部８６３ｂの軸心を結んだ直線と、伝達ギヤ８６３の突設部８６３ｃの軸心および連結部材８７０の変位側連結穴８７２を結んだ直線とが同一の直線上に配置される。
【０３２５】
よって、第１位置では、変位部材８５０が、連結部材８７０を押し引きして伝達ギヤ８６３を回転させる方向の力成分が発生しない状態（即ち、死点）を形成できる。その結果、変位部材８５０が第１位置に配置されたあとは、変位部材８５０のがたつきを抑制して、耐久性を向上することができる。
【０３２６】
図５１及び図５４に示す状態から、駆動モータ８８０に電力が供給されて駆動モータ８８０が回転駆動され、各伝達ギヤ８６１，８６２，８６３（伝達機構８６０）が回転されると、伝達ギヤ８６３の軸部８６３ｂが下方に変位する。よって、伝達ギヤ８６３の軸部８６３ｂに連結された連結部材８７０のギヤ側連結穴８７１が、軸部８６３ｂの回転駆動に伴って下方に押し下げられる。その結果、連結部材８７０の他端側（図５４及び図５５下側）に形成された変位側連結穴８７２が変位部材８５０の軸部８５３を押し下げて、変位部材８５０を回転させることができる。
【０３２７】
この場合、伝達ギヤ８６３が回転されることで、伝達ギヤ８６３の軸心および軸部８６３ｂの軸心とを結んだ直線と、伝達ギヤ８６３の突設部８６３ｃの軸心および連結部材８７０の変位側連結穴８７２を結んだ直線とが公差する状態とされる。よって、変位部材８５０が、連結部材８７０を押し引きして伝達ギヤ８６３を回転させる方向の力成分が発生しない状態（即ち、死点）を解除できる。その結果、変位部材８５０を変位させる回転方向（図５４右回転）に伝達ギヤ８６３が回転し始めた際には、変位部材８５０の重力により連結部材７８０のギヤ側連結穴８７１が引っ張られる力を、伝達ギヤ８６３が回転する方向に付与させることができる。その結果、第１位置からの変位の際にかかる駆動モータ８８０の消費エネルギーを抑制することができる。
【０３２８】
次に、図５２及び図５５を参照して、変位部材８５０が図５１及び図５４に示す状態（即ち、死点に位置する状態）から変位させられたあと、駆動モータ８８０への電力の供給をオフした場合の説明をする。
【０３２９】
図５２及び図５５に示すように、第１位置から変位させたのちに駆動モータ８８０への電力の供給をオフにした状態では、伝達ギヤ８６３の軸心（回転中心）と伝達ギヤ８６３の軸部８６３ｂとを結ぶ方向と、連結部材８７０のギヤ側連結穴８７１と変位側連結穴８７２とを結ぶ方向とが略直交する位置で、変位部材８５０に作用する重力と付勢ばねＳＰの弾性回復力とがつり合った状態（中間位置）とされる。
【０３３０】
よって、第１位置から、後述する第２位置に変位部材８５０を変位させる際に、駆動モータ８８０への電力の供給をオフすることで、中間位置（つり合い位置）を中心として、変位部材８５０に作用する重量と付勢ばねＳＰの弾性回復力とによる往復変位を変位部材８５０に行わせることができる。即ち、変位部材８５０の重力方向の変位を等速円運動の正射影の運動とでき、変位速度に変化を持たせることができるので、かかる変位部材に興趣のある変位を行わせることができる。
【０３３１】
一方、駆動モータ８８０へ電力を供給して、伝達機構８６０から連結部材８７０を介して変位部材８５０へ駆動力を付与すれば、上述した変位（等速円運動の正射影の運動）とは異なる態様で、変位部材８５０を第１位置および第２位置との間で変位させることができ、その分、変位のバリエーションを増やすことができる。即ち、駆動モータ８８０への電力供給をオンまたはオフして、伝達機構８６０から変位部材８５０へ駆動力を付与するか否かを切り替えるのみで、変位のバリエーションを増やすことができ、構造や制御を複雑化する必要がないので、製品コストの低減と信頼性の向上とを図ることができる。
【０３３２】
また、上述したように、変位部材８５０は、軸孔８５１を軸とした回転変位とされるので、伝達機構８６０から変位部材８５０の駆動力の付与を解除して、変位部材８５０の重力の作用と付勢ばねＳＰの弾性回復力とよる往復変位を変位部材８５０に行わせる場合には、かかる変位部材８５０の他端側（図５２左側）の変位を、鉛直方向の直線運動だけでなく、軸孔８５１を回転中心とする回転運動も組み合わせた変位とすることができる。その結果、かかる変位部材８５０に興趣のある変位を行わせることができる。
【０３３３】
この場合、変位部材８５０に連結される連結部材８７０は、変位部材８５０の変位に伴って押し引き（上下方向に変位）されて、伝達ギヤ８６３を回転させるところ、その押し引きに伴って伝達ギヤ８６３の姿勢が変化されるため、押し引き方向のうちの回転部材を回転させる方向の力の成分の大きさを変化させることができる。即ち、変位部材８５０が、往復変位される際に、変位部材８５０が伝達機構８６０及び連結部材８７０から受ける抵抗の大きさを変化させることができる。その結果、変位部材８５０の往復変位の変位速度に変化を付与することができ、かかる変位部材に興趣のある変位を行わせることができる。
【０３３４】
さらに、上述したように、変位部材８５０に作用する重力と付勢ばねＳＰの弾性回復力とがつり合った状態（中間位置）では、伝達ギヤ８６３の軸心および伝達ギヤ８６３の軸部８６３ｂの軸心を結んだ直線と、連結部材８７０のギヤ側連結穴８７１の軸心および変位側連結穴８７２の軸心を結んだ直線とが略直交する位置とされるので、押し引き方向の力のうちの伝達ギヤ８６３を回転させる方向の力成分の大きさを、つり合い位置（中間位置）において最大とし、その力成分を、つり合い位置から押し引きのいずれの方向へ向かう場合も減少させることができる。即ち、変位部材８５０が往復変位される際に、変位部材８５０が伝達機構８６０及び連結部材８７０から受ける抵抗をつり合い位置を中心として、略対称に変化させることができるので、変位部材８５０の往復変位を継続させやすくできる。
【０３３５】
図５２及び図５５に示す状態から、駆動モータ８８０に電力が供給されて、各伝達ギヤ８６１，８６２，８６３（伝達機構８６０）がさらに回転させられると、伝達ギヤ８６３の軸部８６３ｂがさらに下方に変位される。よって、軸部８６３ｂに連結された連結部材８７０のギヤ側連結穴８７１は、軸部８６３ｂの回転駆動に伴ってさらに下方に押し下げられる。その結果、連結部材８７０の他端側に形成された変位側連結穴８７２が変位部材８５０の軸部８５３を押し下げて、変位部材８５０を回転させることができる。
【０３３６】
図５３及び図５６に示すように、変位部材８５０の他端側（図５３左側）が下降位置に配置された（第２位置）状態では、伝達ギヤ８６３の軸部８６３ｂが下方に配置されて、軸部８６３ｂに連結された連結部材８７０が下方に配置される。これにより、連結部材８７０の変位側連結穴８７２に挿入された変位部材８５０の軸部８５３が下方に配置されるので、変位部材８５０を下方に押し下げた姿勢とさせることができる。
【０３３７】
また、第２位置では、伝達ギヤ８６３の軸心および伝達ギヤ８６３の突設部８６３ｃの軸心を結んだ直線と、伝達ギヤ８６３の突設部８６３ｃの軸心および連結部材８７０の変位側連結穴８７２の軸心を結んだ直線とが同一の直線長に配置される。
【０３３８】
よって、第２位置では、変位部材８５０が、連結部材８７０を押し引きして伝達ギヤ８６３を回転させる方向の力成分が発生しない状態（即ち、死点）を形成できる。その結果、変位部材８５０が第２位置に配置された後は、変位部材８５０のがたつきを抑制して、耐久性を向上することができる。
【０３３９】
次に、図５７を参照して、伝達ギヤ８６３と連結部材８７０とについて説明する。図５７（ａ）は、第１位置のおける伝達ギヤ８６３及び連結部材８７０の背面図であり、図５７（ｂ）は、中間位置における伝達ギヤ８６３及び連結部材８７０の背面図であり、図５７（ｃ）は、第２位置における伝達ギヤ８６３及び連結部材８７０の背面図である。なお、図５７（ａ）から図５７（ｃ）では、伝達ギヤ８６３の一部（連結部材８７０の前方に位置した伝達ギヤ８６３の突設部８６３ｃ）が破線で図示される。
【０３４０】
図５７（ａ）に示すように、第１位置では、伝達ギヤ８６３の突設部８６３ｃが、連結部材８７０と前後方向に対向する位置に配置される。よって、背面ベース８３０と伝達ギヤ８６３との間に配置された連結部材８７０の前後方向の間隙を小さくできるので、連結部材８７０を背面ベース８３０又は伝達ギヤ８６３と当接させやすくできる。
【０３４１】
従って、第１位置では、変位部材８５０を駆動させる際の抵抗を増やすことができる。その結果、第１位置では、変位部材８５０を上方に配置して、第３図柄表示装置８１を遊戯者から視認可能な退避状態を形成するため、変位部材８５０を停止した状態とすることが好ましいところ、変位部材８５０を駆動させる抵抗を増やして停止した状態を維持させやすくできる。
【０３４２】
一方、図５７（ｂ）及び図５７（ｃ）に示すように、駆動モータ８８０に電力が付与されて伝達ギヤ８６３が一定以上回転させられた状態（伝達ギヤ８６３の突設部８６３ｃが第２駆動範囲θ６を駆動している状態）では、連結部材８７０と伝達ギヤ８６３の突設部８６３ｃとが前後方向に対向しない状態とされる。
【０３４３】
よって、伝達ギヤ８６３が、一定以上回転させられると、伝達ギヤ８６３と背面ベース８３０との間に配置される連結部材８７０の前後方向の間隙を大きくできるので、連結部材８７０を変位させる際の抵抗を小さくすることができる。
【０３４４】
従って、変位部材８５０を第１位置から第２位置に変位させる際には、第３図柄表示装置８１の前方に短時間で変位させることが好ましいところ、連結部材８７０を変位させる抵抗を小さくして、変位部材８５０を第１位置から第２位置へ短時間で変位させることができる。
【０３４５】
また、図５７（ｃ）示すように、第２位置では、連結部材８７０の当接部８７３ｃを伝達ギヤ８６３の歯部８６３ａと当接させることができる。
【０３４６】
ここで、上下に変位する変位部材を下方に変位させて停止させる際には、その変位部材の重力が停止の際の慣性力に付加させるので、変位部材を素早く停止させることができないという問題点があった。
【０３４７】
これに対し、上下変位ユニット８００は、変位部材８５０を第２位置へ変位させた際に、連結部材８７０の当接部８７３ｃを伝達ギヤ８６３に当接させることができるので、変位部材８５０の変位を停止させる際の力を、連結部材８７０が伝達ギヤ８６３と当接することで停止される力と、伝達ギヤ８６３の回転（駆動モータ８８０の駆動）を停止させることで停止される力との２つに分散することができる。その結果、変位部材８５０の第１位置から第２位置へ変位させられた変位部材８５０を第２位置で素早く停止させることができる。
【０３４８】
次に、図５８（ａ）から図５８（ｃ）を参照して、第１位置から変位する際の伝達ギヤ８６３と連結部材８７０とについて説明する。図５８（ａ）から図５８（ｃ）は、第１駆動範囲θ５における伝達ギヤ８６３及び連結部材８７０の背面図である。なお、図５８（ａ）から図５８（ｃ）は、第１位置からの遷移状態が図示される。また、図５８（ａ）から図５８（ｃ）では、伝達ギヤ８６３の一部（連結部材８７０の前方に位置した伝達ギヤ８６３の突設部８６３ｃ）が破線で図示される。
【０３４９】
図５８（ａ）から図５８（ｃ）に示すように、伝達ギヤ８６３が回転されて、伝達ギヤ８６３の軸部８６３ｂが第１駆動範囲θ５を変位する際には、第１位置から第２位置に変位するに従って、伝達ギヤ８６３の突設部８６３ｃと連結部材８７０とが対向した部分を少なくすることができる。
【０３５０】
よって、伝達ギヤ８６３を、第１位置から回転させる際には、変位部材８５０を変位させる抵抗をその変位に伴って小さくさせることができるので、変位部材８５０の変位をスムーズに行うことができる。
【０３５１】
また、第２位置から第１位置に変位部材８５０を変位させる際には、退避位置の第１位置に変位させつつ変位部材８５０の摺動抵抗を増やすことができるので、変位部材８５０を第１位置に変位させて停止させた際に変位部材８５０を素早く停止状態とすることができる。
【０３５２】
即ち、変位部材８５０を変位させて停止させる際には、動作を停止させる慣性力により素早く停止状態を形成しにくいところ、停止する際の変位部材８５０の抵抗を大きくできるので、素早く停止状態を形成することができる。
【０３５３】
一方で、伝達ギヤ８６３の軸部８６３ｂが、第２駆動範囲θ６を変位する際には、伝達ギヤ８６３の突設部８６３ｃと連結部材８７０とが前後方向に対向した位置に配置されていない状態を形成できるので、変位部材８５０を変位させる抵抗を小さくすることができる。その結果、伝達ギヤ８６３の軸部８６３ｂが、第２駆動範囲θ６を駆動する際には、変位部材８５０を素早く変位させることができ、変位部材８５０の張り出し動作による演出効果を高めることができる。
【０３５４】
また、第２駆動範囲θ６において、伝達機構８６０からの変位部材８５０への駆動力を解除して、変位部材８５０を中間位置（つり合い位置）中心とする往復変位を行わせる場合には、突設部８６３ｃによる抵抗の発生を回避して、変位部材８５０の往復変位をスムーズに行うことができる。
【０３５５】
次に、図５９（ａ）から図５９（ｃ）を参照して、当接部８７３と正面ベース８２０及び背面ベース８３０とについて説明する。図５９（ａ）は、図５４のＬＩＸａ−ＬＩＸａ線における上下変位ユニット８００の断面模式図であり、図５９（ｂ）は、図５５のＬＩＸｂ−ＬＩＸｂ線における上下変位ユニット８００の断面模式図であり、図５９（ｃ）は、図５６のＬＩＸｃ−ＬＩＸｃ線における上下変位ユニット８００の断面模式図である。
【０３５６】
図５９（ａ）及び図５９（ｂ）に示すように、連結部材８７０の当接部８７３の先端は、正面ベース８２０の正面側規制部８２４及び背面ベース８３０の背面側規制部８３４との間に配置される。
【０３５７】
即ち、正面ベース８２０の正面側規制部８２４及び背面ベース８３０の背面側規制部８３４は、連結部材８７０の当接部８７３の先端の変位に伴った湾曲形状に形成される。これにより、連結部材８７０の前後方向の変位が規制される。
【０３５８】
ここで、連結部材８７０と変位部材８５０とは、軸部８５３を変位側連結穴８７２に挿入した状態とされるので、軸と孔との隙間の分、変位部材８５０の重力により前後方向に傾くことで、変位側連結穴８７２又は軸部８５３が変形するという問題点があった。
【０３５９】
これに対し、上下変位ユニット８００は、当接部８７３により前後方向に傾くことが抑制されるので、変位部材８５０をスムーズに変位させることができる。
【０３６０】
また、図５９（ｃ）に示すように、変位部材８５０が第２位置に変位させられた際には、背面ベース８３０の背面側規制部８３４が連結部材８７０の当接部８７３と対向する位置に配置されていない状態とすることができる。
【０３６１】
これにより、第２位置における連結部材８７０の当接部８７３と正面ベース８２０及び背面ベース８３０との間隙を大きくできる。その結果、第２位置から第１位置へ変位部材８５０を変位させる際の抵抗を小さくして、変位部材８５０を第２位置から変位させやすくできる。
【０３６２】
さらに、上下変位ユニット８００は、当接部８７３が変位部材８５０の軸部８５３の軸心と連結部材８７０のギヤ側連結穴の軸心とを結んだ略直線上であって、伝達ギヤ８６３及び連結部材８７０のギヤ側連結穴の軸心を挟んで変位部材８５０の軸孔８５１の軸心と反対側に配置される（図５４参照）。
【０３６３】
よって、正面ベース８２０及び背面ベース８３０に対して連結部材８７０が、がたつく場合に、正面ベース８２０及び背面ベース８３０に連結部材８７０の当接部８７３が当接されることで、伝達ギヤ８６３の軸部８６３ｂ及び連結部材８７０のギヤ側連結穴８７１の傾きを抑制させやすくできる。その結果、駆動モータ８８０の駆動力を伝達機構８６０及び連結部材８７０を介して変位部材８５０にスムーズに伝達させることができる。
【０３６４】
次いで、図６０から図６３を参照して、第２実施形態について説明する。第１実施形態では、投影板部材６２０の外径寸法が、ギヤ部材６３０及び溝形成部材６４０よりも小さく設定される場合をしたが、第２実施形態では、投影板部材６２０の外径寸法がギヤ部材６３０及び溝形成部材６４０の外径寸法と同一に設定される。
【０３６５】
初めに、図６０及び図６１を参照して、投影板部材２６２０、ギヤ部材６３０及び溝形成部材２６４０について説明する。なお、上記各実施形態と同一の部分には同一の符号を付して、その説明は省略する。
【０３６６】
図６０（ａ）は、第２実施形態における投影板部材２６２０、ギヤ部材６３０及び溝形成部材２６４０の正面図であり、図６０（ｂ）は、図６０（ａ）のＬＸｂ−ＬＸｂ線における投影板部材２６２０、ギヤ部材６３０及び溝形成部材２６４０の断面模式図である。
【０３６７】
図６０（ａ）及び図６０（ｂ）に示すように、投影板部材２６２０の外周縁部には、ギヤ部材６３０及び溝形成部材２６４０が背面側および正面側にそれぞれ配設される。投影板部材２６２０は、正面視円形の板状体に形成されると共に、その外径がギヤ部材６３０及び溝形成部材２６４０の外径と同一寸法に形成される。また、投影板部材２６２０は、外縁の一部に切り欠き部６２１と、光を乱反射させる反射部６２２を備える。
【０３６８】
溝形成部材２６４０は、投影板部材２６２０よりも屈折率が低い光透過性材料からなり、正面視円環状に形成されると共に、その断面が外縁側から内縁側に凹となるコ字状に形成された案内溝２６４１を備える。また、溝形成部材２６４０は、投影板部材２６２０の正面側（図６０（ｂ）上側）に配置されると共に、その軸が投影板部材２６２０の軸と同軸上に配置される。さらに、溝形成部材２６４０は、正面ベース６１２の非表示領域側に配設される（即ち、正面ベース６１２の背面側に配設される）。
【０３６９】
案内溝２６４１は、内側にカラーＣを案内する溝であり、カラーＣの突出部Ｃ１の軸方向寸法よりも、凹設幅が大きく形成される。よって、ベース部材６１０に回転可能に軸支される複数のカラーＣが案内溝２６４１に案内されることで、投影板部材２６２０がベース部材６１０に回転可能に保持される。
【０３７０】
次に、図６１から図６３を参照して、ＬＥＤ６５１（光源Ａ）から照射された光について説明する。
【０３７１】
図６１から図６３は、投影板部材２６２０、ギヤ部材６３０及び溝形成部材２６４０の断面模式図である。なお、図６１（ｂ）、図６２（ｂ）及び図６３（ｂ）では、理解を容易とするため、断面線の図示が省略される。
【０３７２】
また、図６１（ｂ）、図６２（ｂ）及び図６３（ｂ）では、第１実施形態と同様に、光源Ａからの光が投影板部材２６２０、ギヤ部材６３０及び溝形成部材２６４０に入射した際の屈折角は、本発明には影響のないものとして考え、光源Ａから投影板部材２６２０、ギヤ部材６３０及び溝形成部材２６４０に入射する光は直行した様態で図示される。さらに、図６１から図６３では、第１実施形態と同様に、表示領域と表示領域外との境界が仮想線Ｍで示される。
【０３７３】
図６１（ａ）及び図６１（ｂ）に示すように、ＬＥＤ６５１の光源Ａから照射される光のうち投影板部材２６２０の外面を照射する照射角度α２の光は、投影板部材６２０にその外縁部の側面から入射される。投影板部材２６２０に入射された光は、投影板部材２６２０の正面側および背面側の側面に照射されることにより、入射角と同じ角度で反射される。これにより、投影板部材２６２０に入射された光は、投影板部材２６２０の縁側から中央部（軸心）に向かって進行することができる。よって、照射角度α１に照射された光源Ａの光は、投影板部材２６２０を通過し反射部６２２で乱反射されて、遊技機正面側に出射される。
【０３７４】
なお、この場合、投影板部材２６２０は、第１実施形態における投影板部材６２０よりも、外形の寸法が大きく形成される。これにより、投影板部材２６２０の縁部をＬＥＤ６５１（光源Ａ）の近くに配置することができる。よって、第１実施形態の照射角度α１よりも、第２実施形態の照射角度α２を大きくすることができるので、その分、投影板部材２６２０に投射される光の量（光量）を増やすことができる。その結果、投影板部材２６２０の厚みを変更、または、照射するＬＥＤ６５１の光の量を増加することなく投影板部材２６２０から出射される光の量を増加させることができる。
【０３７５】
図６２（ａ）及び図６２（ｂ）に示すように、ＬＥＤ６５１の光源Ａから照射される光のうち案内溝６４１から正面側（図６２（ａ）上側）の溝形成部材６４０を照射する照射角度β２の光は、溝形成部材２６４０の正面側の縁部に入射される。
【０３７６】
照射角度β２の範囲に照射されて溝形成部材２６４０に入射される光は、溝形成部材２６４０の内部で反射されて投影板部材２６２０の軸心側に進行される。この場合、第１実施形態と同様に、溝形成部材２６４０の側面と投影板部材２６２０とが隣合う（面する）位置では、溝形成部材２６４０の内側側面に照射された光を投影板部材２６２０へ入射させることができる。
【０３７７】
図６３（ａ）及び図６３（ｂ）に示すように、ＬＥＤ６５１の光源Ａから照射される光のうち案内溝６４１の背面側（図６２（ａ）下側）の溝形成部材２６４０を照射する照射角度Δ２の光は、溝形成部材２６４０の背面側の縁部から入射される。
【０３７８】
照射角度Δ２の範囲に照射されて溝形成部材２６４０に入射される光は、溝形成部材２６４０の案内溝２６４１の側面に照射されて反射される。反射された光は、溝形成部材２６４０の側面と投影板部材２６２０とが隣合う（面する）位置の側面に照射されることで投影板部材２６２０へ入射させることができる。
【０３７９】
即ち、案内溝２６４１を溝形成部材２６４０の外縁の側面に凹設することにより、案内溝２６４１と投影板部材２６２０との間から溝形成部材２６４０に入射される光を、案内溝２６４１の側面で反射させて、投影板部材２６２０へ入射させることができる。
【０３８０】
よって、案内溝２６４１を、溝形成部材２６４０の外縁の側面に凹設して形成することで、そのカラーＣを保持する役割と、光を投影板部材２６２０に集める役割とを兼用させることができる。
【０３８１】
また、第１実施形態に比べて、照射角度Δが追加される分、溝形成部材２６４０から投影板部材２６２０に入射される光の量（光量）を増やすことができる。よって、投影板部材２６２０の厚みを変更、または、照射するＬＥＤ６５１の光の強さ（光量）を増加することなく投影板部材２６２０から出射される光の強さ（光量）を増加させることができる。
【０３８２】
さらに、溝形成部材２６４０は、正面ベース６１２の非表示領域側に配設される（即ち、正面ベース６１２の背面側に配設される）ので、遊技者から視認し難くでき、その分外観が悪化することを抑制できる。
【０３８３】
なお、ＬＥＤ６５１の光源Ａから照射される光のうち、ギヤ部材６３０を照射する光については第１実施形態と同様であるのでその詳しい説明は省略する。
【０３８４】
次に、図６４から図６６を参照して、第３実施形態について説明する。第１実施形態では、ギヤ部材６３０及び溝形成部材６４０が、投影板部材６２０の外縁部全周に亘って接地した状態を説明したが、第３実施形態におけるギヤ部材３６３０及び溝形成部材６４０は、投影板部材３６２０に対して浮いた面が形成される。
【０３８５】
初めに、図６４及び図６５を参照して、投影板部材３６２０、ギヤ部材３６３０及び溝形成部材６４０の形状について説明する。なお、上記各実施形態と同一の部分には同一の符号を付して、その説明は省略する。
【０３８６】
図６４（ａ）は、第３実施形態における投影板部材３６２０、ギヤ部材３６３０及び溝形成部材３６４０の正面図であり、図６４（ｂ）は、図６４（ａ）のＬＸＩＶｂ−ＬＸＩＶｂ線における投影板部材３６２０、ギヤ部材３６３０及び溝形成部材６４０の断面模式図である。
【０３８７】
図６５（ａ）は、図６４（ａ）の矢印ＬＸＶａ方向視における投影板部材３６２０、ギヤ部材３６３０及び溝形成部材６４０の側面図であり、図６５（ｂ）は、図６５（ａ）のＬＸＶｂ−ＬＸＶｂ線における投影板部材３６２０、ギヤ部材３６３０及び溝形成部材６４０の断面図であり、図６５（ｃ）は、図６５（ａ）のＬＸＶｃ−ＬＸＶｃ線における投影板部材３６２０、ギヤ部材３６３０及び溝形成部材６４０の断面図である。
【０３８８】
図６４及び図６５に示すように、第３実施形態における投影板部材３６２０は、正面視円形の板状体に形成され、その外周縁部にギヤ部材３６３０及び溝形成部材３６４０が背面側および正面側にそれぞれ配設される。また、投影板部材３６２０は、その外径がギヤ部材３６３０及び溝形成部材３６４０よりも大きく形成され、その外側縁部に正面側および背面側に突出する突部３６２３が形成される。
【０３８９】
突部３６２３は、外側縁部に向かうほど正面側（図６４（ｂ）上側）又は背面側（図６４（ｂ）下側）に突出する断面略三角形状に形成される。また、正面側に突出する突部３６２３は、その先端部がＬＥＤ６５１の光源Ａと、後述する溝形成部材３６４０に形成される凹溝３６４５の外縁端部とを連結する仮想線Ｆの線上に設定される。一方、背面側に突出する突部３６２３は、その先端部がＬＥＤ６５１の光源Ａと、後述するギヤ部材３６３０に形成される凹溝３６３５の外縁端部とを連結する仮想線Ｇの線上に設定される。
【０３９０】
ギヤ部材３６３０は、正面視円環状の板状体に形成され、投影板部材６２０の軸と同軸上に配置される。また、ギヤ部材３６３０は、正面側（図６４（ｂ）上側）の側面に所定の間隔を隔てて凹設される凹溝３６３５と、周方向に所定の間隔を隔てて貫通形成されるねじ止め用の止め穴６３６と、を備える。
【０３９１】
凹溝３６３５は、径方向に亘って凹設される溝であり、各止め穴６３６の周方両側に形成される。これにより、ギヤ部材３６３０を投影板部材３６２０に配置した際に、投影板部材３６２０とギヤ部材３６３０との間に隙間を形成することができる（図６４（ｂ）参照）。
【０３９２】
溝形成部材３６４０は、正面視円環形状の板状体に形成され、投影板部材６２０の軸と同軸上に配置される。また、溝形成部材３６４０は、背面側（図６４（ｂ）下側）の側面に所定の間隔を隔てて凹設される凹溝３６４５と、周方向に所定の間隔を隔てて貫通形成されるねじ止め用の開口６４６とを備える。
【０３９３】
凹溝３６４５は、径方向に亘って凹設される溝であり、ギヤ部材３６３０に形成された凹溝３６３６と対向する位置に形成される。これにより、溝形成部材３６４０を投影板部材３６２０に配置した際に、投影板部材３６２０とギヤ部材３６３０との間に隙間を形成することができる。
【０３９４】
この場合、投影板部材３６２０と溝形成部材３６４０とが接地する面は、図６５に示すように、投影板部材３６２０、溝形成部材３６４０及びギヤ部材３６３０を締結するボルトＴを挿入する開口６４６と径方向に重なる面とされる。これにより、投影板部材３６２０とギヤ部材３６３０及び溝形成部材３６４０との間に隙間を形成した際に、その保持力が低下することを抑制することができる。即ち、投影板部材３６２０とギヤ部材３６３０及び溝形成部材３６４０との間に隙間を形成する際に、開口６４６の直径分、投影板部材３６２０とギヤ部材３６３０及び溝形成部材３６４０を接地することができるので、投影板部材３６２０とギヤ部材３６３０及び溝形成部材３６４０を挟持する保持面を確保することができる。
【０３９５】
次に、図６６を参照して、ＬＥＤ６５１（光源Ａ）から照射される光について説明する。
【０３９６】
図６６（ａ）及び（ｂ）は、投影板部材６２０、ギヤ部材６３０及び溝形成部材６４０の断面模式図である。なお、図６６（ｂ）では、理解を容易とするため、断面線の図示が省略される。
【０３９７】
また、図６６（ｂ）では、第１実施形態と同様に、光源Ａからの光が投影板部材３６２０、ギヤ部材３６３０及び溝形成部材３６４０に入射した際の屈折角は、本発明には影響のないものとして考え、光源Ａから投影板部材３６２０、ギヤ部材３６３０及び溝形成部材３６４０に入射する光は直行した様態で図示される。さらに、図６６では、第１実施形態と同様に表示領域と表示領域外との境界が仮想線Ｍで示される。
【０３９８】
図６６（ａ）及び図６６（ｂ）に示すようにＬＥＤ６５１の光源Ａから照射される光のうち、投影板部材３６２０の外面を照射する照射角度α３の光は、投影板部材３６２０の外縁の側面から入射される。
【０３９９】
投影板部材３６２０に入射された光は、投影板部材３６２０の正面側および背面側の側面に照射されることにより、入射角と同じ角度で全反射される。これにより、投影板部材３６２０に入射された光は、投影板部材３６２０の縁部から中央側（軸心側）に向かって、進行することができる。よって、照射角度α３に照射された光源Ａの光は、投影板部材３６２０を通過し反射部６２２で乱反射されて、遊技機正面側に射出される。
【０４００】
この場合、第３実施形態では、投影板部材３６２０と溝形成部材３６４０及びギヤ部材３６３０との間に隙間が形成されるので、投影板部材３６２０の側端面から入射された光を、反射部６２２に到達させやすくできる。その結果、投影板部材３６２０の側端面から入射された光を反射部６２２に到達させやすくできるので、反射部６２２で反射され投影板部材３６２０の正面側から射出される光を強くして、模様や図柄を鮮明に浮かび上がらせることができる。
【０４０１】
一方、照射角度α３以外の照射角度に照射される光は、溝形成部材３６４０又はギヤ部材３６３０に入射される。この場合、溝形成部材３６４０及びギヤ部材３６３０と投影板部材とは、上述したように隙間を隔てて配置されているため、溝形成部材３６４０又はギヤ部材３６３０に入射された光は、第１実施形態のように投影板部材６２０側に入射されない。
【０４０２】
よって、ＬＥＤ６５１の光源Ａ以外の光源の光が投影板部材３６２０側に投射された光を、溝形成部材３６４０及びギヤ部材３６３０に入射させることにより、投影板部材３６２０に光源Ａ以外の光源の光が入射されることを抑制することができる。これにより、投影板部材３６２０の反射部６２２に施した表示が、ＬＥＤ６５１以外の光で浮かび上がる（表示される）ことを抑制することができる。
【０４０３】
また、上述したように、投影板部材３６２０と溝形成部材３６４０及びギヤ部材３６３０との締結部分の接地面は、開口６４６と径方向に重なる面（図６５（ｃ）参照）であるため、通常光が入射されない箇所を接地面とすることができる。
【０４０４】
即ち、開口６４６には、ボルトＴが挿入されるため、開口６４６の径方向外側から光を入射すると光はボルトＴにより遮られ、ＬＥＤ６５１の光が反射部６２２側に入射されない。よって、ＬＥＤ６５１から溝形成部材３６４０及びギヤ部材３６３０に入射された光が、投影板部材３６２０側に入射されること確実に抑制することができる。
【０４０５】
さらに、この場合、投影板部材３６２０と溝形成部材３６４０及びギヤ部材３６３０との締結部分の接地面は、開口６４６と径方向に重なる面の全域に形成できるので、その接地面を確保でき、投影板部材３６２０に対して溝形成部材３６４０及びギヤ部材３６３０がずれることを抑制できる。
【０４０６】
ここで、投影板部材３６２０と溝形成部材３６４０及びギヤ部材３６３０との間に隙間を形成するものであると、その隙間から、ＬＥＤ６５１の光が投影板部材３６２０の軸心側に挿通されて、投影板部材３６２０の縁部から中央部に光が漏れ出す恐れがあった。
【０４０７】
これに対し、第３実施形態の投影板部材３６２０の縁部には突部３６２３が形成されるので、ＬＥＤ６５１の光源Ａの光が、投影板部材３６２０と溝形成部材３６４０及びギヤ部材３６３０との隙間に照射されない。よって、投影板部材３６２０の縁部から中央部に光が漏れ出すことを抑制できる。
【０４０８】
さらに、突部３６２３により、投影板部材３６２０の縁部側面の前後方向（図６６（ａ）上下方向）の寸法を長くすることができるので、照射角度α３の角度を大きくすることができる。よって、投影板部材３６２０の厚みを変更、または、照射するＬＥＤ６５１の光の強さ（光量）を増加することなく投影板部材３６２０から出射される光の強さ（光量）を増加させることができる。
【０４０９】
次いで、図６７及び図６８を参照して、第４実施形態における照射ユニット４６５０について説明する。なお、上記各実施形態と同一の部分には同一の符号を付してその説明は省略する。
【０４１０】
図６７（ａ）は、第４実施形態における照射ユニット４６５０の上面図であり、図６７（ｂ）は、照射ユニット４６５０の断面図である。また、図６８（ａ）は、第１ブロック６５３近傍における投影ユニット４６００の部分拡大模式図であり、図６８（ｂ）は、第２ブロック６５４近傍における投影ユニット４６００の部分拡大模式図である。なお、図６７（ｂ）は、図４４（ｂ）に対応する。また、図６８では、照射ユニット４６５０がベース部材６１０に配設された状態が模式的に図示される。
【０４１１】
図６７に示すように、第４実施形態における照射ユニット４６５０では、第１ブロック６５３及び第２ブロック６５４が基板部材６２０に対してねじＳ２により締結固定される。この場合、ねじＳ２は、頭部の高さ寸法（図６７上下方向寸法）が、ＬＥＤ６５１の高さ寸法よりも大きな寸法に設定される。即ち、基板部材６２０の正面からのねじＳ２の突出量が、ＬＥＤ６５１の突出量よりも大きくされる。
【０４１２】
より詳細には、図６８に示すように、ねじＳ２の頭部の高さ寸法は、一のねじＳ２とその一のねじＳ２に隣接するねじＳ２とのそれぞれの頭部に投影板部材６２０の外周面が当接（外接）された際に、それら２カ所のねじＳ２の間に配設されるＬＥＤ６５１に投影板部材６２０の外周面が当接不能な寸法に設定される。
【０４１３】
これにより、ＬＥＤ６５１をねじＳ２の頭部によって保護することができる。即ち、投影板部材６２０が回転される際に、例えば、寸法公差や組み付け公差に基づく径方向のがたつきにより、照射ユニット２６５０へ近接された場合には、投影板部材６２０の外周面をねじＳ２の頭部に当接させることで、ＬＥＤ６５１への当接を回避することができ、その結果、ＬＥＤ６５１が破損することを抑制できる。
【０４１４】
特に、本実施形態では、投影板部材６２０が樹脂材料から形成されるのに対し、ねじＳ２が金属材料から形成されるので、投影板部材６２０が径方向へがたついた際にＬＥＤ６５１を保護する効果を高めることができる。また、投影板部材６２０がねじＳ２に当接されたまま回転される形態が継続的に行われる場合には、投影板部材６２０が摩耗されるため、投影板部材６２０が径方向へがたついても、ＬＥＤ６５１へ当接されることを回避できる。
【０４１５】
このように、ねじＳ２を利用して、ＬＥＤ６５１を保護できることで、中間立設部６１１ｂ，６１２ｂの形成を省略することができる。よって、この場合には、複雑な形状が省略できることで、背面ベース６１１及び正面ベース６１２の形状を簡素化でき、その樹脂成形における成形性の向上を図ることができる。その結果、歩留りの向上を図ることができる。
【０４１６】
また、ねじＳ２を利用して、ＬＥＤ６５１を保護できることで、部品の寸法公差や組立公差に起因する径方向のがたつきの許容量を緩やかとできるので、設計の自由度を高めることができる。即ち、ＬＥＤ６５１と投影板部材６２０の外周面とをより近接させることができ、その結果、ＬＥＤ６５１から照射される光を、投影板部材６２０の外周面へ効率的に入射させることができる。
【０４１７】
次いで、図６９から図７６を参照して、第５実施形態の投影ユニット５６００について説明する。第１実施形態では、投影板部材６２０が正面視円盤形状に形成され、その円の中心を軸に回転される場合を説明したが、第５実施形態では、投影板部材５６２０が正面視縦長矩形に形成され、一方向にスライド変位される場合を説明する。
【０４１８】
初めに、図６９から図７１を参照して、投影ユニット５６００の全体構成について説明する。なお、上記各実施形態と同一の部分には同一の符号を付して、その説明は省略する。
【０４１９】
図６９は、第５実施形態における投影ユニット５６００の正面図である。図７０は、投影ユニット５６００の分解正面斜視図である。図７１は、正面ベース５６１２の背面図である。図７２は、投影ユニット５６００の背面図である。なお、図７２では、背面ベース５６１１を取り外した状態が図示される。
【０４２０】
図６９から図７２に示すように、投影ユニット５６００は、正面視円形状に形成されると共にその中央部分が開口されたベース部材５６１０と、そのベース部材５６１０の開口部分にスライド変位可能に配置される投影板部材５６２０と、投影板部材５６２０の外周面から光を入射させる照射ユニット６５０と、投影板部材５６２０をスライド変位させるための駆動モータ６６１と、その駆動モータ６６１の駆動力を投影板部材５６２０に伝達するための歯車列（歯車６６２〜６６４、５６６５〜５６６８）と、を主に備えて形成される。
【０４２１】
ベース部材５６１０は、正面視円形状に形成され、その中央部が横長矩形状に開口される背面ベース５６１１と、その背面ベース５６１１の正面に配設されると共に背面ベース５６１１と外形が略同一に形成される正面ベース５６１２とを備え、それら背面ベース５６１１と正面ベース５６１２との対向面間に形成される内部空間に、投影板部材５６２０、照射ユニット６５０及び歯車列（歯車６６２〜６６４、５６６５〜５６６８）が収納される。
【０４２２】
正面ベース５６１２は、上述したように、正面視円形状に形成される板部材であり、背面側の外側縁部に立設される外側立設部６１２ｃと、中央部に正面視横長矩形に開口される中央開口部５６１２ｈと、その中央開口部５６１２ｈの背面側縁部に立設される内側立設部６１２ａと、中央開口部５６１２ｈの上方両端に突出形成される左右一対の保持部５６１２ｉと、その一対の保持部５６１２ｉの間から背面側に突出形成される２つの軸部５６１２ｋと、中央開口部５６１２ｈの下方から背面側に突出形成される摺動突起５６１２ｍと、を主に備えて形成される。
【０４２３】
中央開口部５６１２ｈは、正面ベース５６１２の正面視中央部に横長矩形状に開口される。遊技者は、中央開口部５６１２ｈを介して投影ユニット５６００の背面側に配設される第３図柄表示装置８１の模様や図柄を視認できる。
【０４２４】
保持部５６１２ｉは、後述する棒部材５６２５を保持するための突出部であり、中央開口部５６１２ｈの上方両端に正面ベース５６１２の背面側（図７１紙面手前側）に突出形成される。また、保持部５６１２ｉは、その突出面に正面側（図７１紙面奥側）に凹となる様態で凹んだ凹溝５６１２ｉ１が形成される。
【０４２５】
凹溝５６１２ｉ１は、正面ベース５６１２の左右方向（図７１左右方向）中央部から端部側に向かって断面円弧形状に凹設され、その凹溝５６１２ｉ１の内径が、後述する棒部材５６２５の外径よりも大きく形成される。また、一対の凹溝５６１２ｉ１は、上下方向（図７１上下方向）の高さが同じ位置に形成され、その左右方向（図７１左右方向）の端部間の距離寸法は、棒部材５６２５の軸方向寸法よりも大きく設定される。よって、凹溝５６１２ｉ１の内周面に棒部材５６２５を配設したあとで、背面側（図７１紙面手前側）から凹溝５６１２ｉ１と対向する位置に棒部材５６２５の外径よりも大きい半径の溝を備えた保持部カバー５６２８を両端に配設することで、棒部材５６２５を正面ベース５６１２に配設できる（図７２参照）。
【０４２６】
軸部５６１２ｋは、後述する回転部材５６７０の回転軸となる突起であり、中央開口部５６１２ｈの上方に円盤形状の正面ベース５６１２の中心を通過する垂線を軸に対称の位置に配置される。
【０４２７】
摺動突起５６１２ｍは、後述するラック５６２７の変位を案内する突起であり、中央開口部５６１２ｈの下側から背面側に円柱状に突出形成される。また、一対の摺動突起５６１２ｍは、円盤形状の正面ベース５６１２の中心を通過する垂線を軸に対称の位置に配置される。
【０４２８】
投影板部材５６２０は、光透過性材料からなり、第３図柄表示装置８１の表示が遊技者に視認可能とされると共に、ＬＥＤ６５１の光が入射されると、その入射された光を、模様や図柄の形状をなす様態で、投影板部材５６２０の正面から出射させる。即ち、第３図柄表示装置８１の正面に模様や図柄を浮かび上がらせる（表示する）ことができる。
【０４２９】
投影板部材５６２０は、下方側の端部に左右方向に延設されたラック５６２７と、投影板部材５６２０の内部に形成される反射部６２２と、を備える。ラック５６２７は、ベース部材６１０の中央部の開口（正面ベース５６１２の中央開口部５６１２ｈ）よりも下方に配設され、組み立て状態の投影ユニット５６００の正面側から視認不可能な位置に配置される。また、ラック５６２７は、正面視横長矩形に形成され、その長手方向寸法が投影板部材５６２０の左右方向（図７２左右方向）の寸法よりも長く設定される。これにより、投影板部材５６２０のスライド変位の可動範囲を投影板部材５６２０の左右方向寸法よりも大きくすることができる。
【０４３０】
ラック５６２７は、歯車５６６８と歯合されるラックギヤ５６２７ａがその下面に刻設されると共に、中央部に前後方向に貫通する摺動溝５６２７ｂが形成される。
【０４３１】
ラックギヤ５６２７ａは、駆動モータ６６１の駆動力が歯車列（歯車６６２〜６６４、５６６５〜５６６８）を介して伝達された際に、ラック５６２７（投影板部材５６２０）を左右方向に変位させるギヤ歯面であり、ラック５６２７の下面側の全域に形成される。
【０４３２】
摺動溝５６２７ｂは、駆動モータ６６１の駆動によりラック５６２７が左右方向に変位された際に、ラック５６２７が傾くことを抑制するための溝であり、左右方向に長く開口され、その内部に、正面ベース５６１２の一対の摺動突起５６１２ｍが挿入される。これにより、ラック５６２７が背面ベース５６１１に対して変位される際に、その変位方向が規制されて、ラック５６２７がスライド変位される。なお、ラック５６２７（投影板部材５６２０）の詳しい動作の説明は後述する。
【０４３３】
投影板部材５６２０の背面側の上方には、左右方向（図７２左右方向）に延びる円柱状の棒部材５６２５と、その棒部材５６２５を挟んで投影板部材５６２０と対向する位置に正面視横長矩形状の正面カバー５６２６と、が配設される。
【０４３４】
棒部材５６２５は、投影板部材５６２０の左右方向の長さ寸法よりも、左右方向に長く形成されると共に、背面ベース５６１１の外径よりも短く形成され、正面カバー５６２６と投影板部材５６２０との間に挟まれて、投影板部材５６２０に配設される。
【０４３５】
正面カバー５６２６は、棒部材５６２５に案内される板部材であり、左右方向（図７２左右方向）の長さ寸法が投影板部材５６２０の左右方向の長さ寸法と略同一に設定され、投影板部材５６２０との間に棒部材５６２５を挟んだ状態で、投影板部材５６２０に配設される。
【０４３６】
正面カバー５６２６は、投影板部材５６２０と対向する側面に、正面側（図７２紙面奥側）に凹むと共に、左右方向に亘って凹設された溝部５６２６ａを備える。溝部５６２６ａは、内側に棒部材５６２５が配置される溝であり、断面略Ｕ字状に凹設され、上下方向および正面側への凹設寸法が、棒部材５６２５の外径寸法よりも大きく設定される。
【０４３７】
これにより、溝部５６２６ａの内側に棒部材５６２５を配設することができる。これにより、棒部材５６２５に対して投影板部材５６２０を棒部材５６２５の軸方向にスライド変位可能に配設できる。
【０４３８】
また、棒部材５６２５は、正面カバー５６２６の前方側の側面よりも、背面側に配置される。即ち、正面カバー５６２６の前面から棒部材５６２５が突出しない様態とできるので、投影板部材５６２０に凹設部分を形成することなく、投影板部材５６２０に正面カバー５６２６を配設できる。
【０４３９】
ここで、正面カバー５６２６の前面から棒部材５６２５が突出した状態であると、投影板部材５６２０の背面側に棒部材５６２５を挿入するための溝を形成する必要がある。しかしながら、投影板部材５６２０は、その内部に入射された光を、模様や図柄の形状をなす様態で投影板部材５６２０の正面から出射させる部材であるところ、投影板部材５６２０に溝を形成して、その厚み寸法を部分的に小さくすると、厚み寸法が小さくされる分、投影板部材５６２０の内部に入射された光が進み難くなり、投影板部材５６２０の正面から出射される光量が減少するという問題点があった。
【０４４０】
これに対し、第５実施形態では、投影板部材５６２０の厚みを変更することなく、内部に棒部材５６２５を配置した状態の正面カバー５６２６を投影板部材５６２０を配置することができる。その結果、投影板部材５６２０の内部に入射された光が進み難くなることを抑制して、投影板部材５６２０の正面から出射される光量が減少することを抑制できる。
【０４４１】
また、棒部材５６２５は、上述したように、その両端が正面ベース５６１２に脱落不能に配設されるので、投影板部材５６２０は、正面ベース５６１２に対して棒部材５６２５の軸方向に摺動可能保持される。即ち、投影板部材５６２０は、左右方向（図７２左右方向）にスライド変位可能な様態で棒部材５６２５に吊り下げられて配置される。
【０４４２】
よって、駆動モータ６６１に駆動力が付与されると、その駆動力が歯車列（歯車６６２〜６６４、５６６５〜５６６８）を介してラック５６２７に伝達され、ラック５６２７が、左右方向にスライド変位される。ラック５６２７が左右方向にスライド変位されると、ラック５６２７に連結された投影板部材５６２０がそのスライド方向に変位できる。
【０４４３】
照射ユニット６５０は、第１ブロック６５３が、投影板部材５６２０の上端面に沿った略直線状に配置されると共に、第１ブロックの前方に配設されたＬＥＤ６５１が投影板部材５６２０の上端面と対向する位置に配置される。これにより、照射ユニット６５０のＬＥＤ６５１から照射される光を、投影板部材５６２０の上端面から入射させて、投影板部材５６２０の反射部６２２の模様や図柄を浮かび上がらせることができる。
【０４４４】
また、照射ユニット６５０の第１ブロック６５３が配設される正面ベース５６１２の側面は、背面側（図７１紙面手前側）に背面視略矩形状に膨出する膨出部５６１２ｎが形成される。膨出部５６１２ｎは、第１ブロック６５３を背面側に嵩上げするための部分であり、その嵩上げ寸法が、後述する回転部材５６７０の板厚よりも大きく設定される。これにより、第２ブロック６５４と正面ベース６５１２との間の隙間に後述する回転部材５６７０を配設することができる。
【０４４５】
また、膨出部５６１２ｎには、突起６１２ｇが形成される。照射ユニット６５０の第１ブロック６５３は、挿通孔６５３ｂ１に突起６１２ｇが挿入されると共に正面ベース５６１２及び背面ベース５６１１に挟持されることで、照射ユニット５６００に配設される。
【０４４６】
照射ユニット６５０の両端に配設される第２ブロック６５４には、その正面側に回転部材５６７０が取着される。
【０４４７】
回転部材５６７０は、正面視Ｌ字状に屈曲形成される板部材であり、屈曲部分を左右方向中央側に位置する状態で正面ベース５６１２に配設されると共に、長手側の一側に照射ユニット６５０の第２ブロック６５４が取着される。また、回転部材５６７０の屈曲部分には前後方向に貫通された貫通孔５６７１が形成される。
【０４４８】
貫通孔５６７１は、正面ベース５６１２の軸部５６１２ｋが挿入される開口であり、軸部５６１２ｋの外径よりも大きい内径に形成される。よって、回転部材５６７０は、正面ベース５６１２に配設されると、正面ベース５６１２に対して軸部５６１２ｋを軸に回転できる。
【０４４９】
ここで、回転部材５６７０には、照射ユニット６５０が取着されるので、正面ベース５６１２に対して回転部材５６７０が回転されると、照射ユニット６５０を変位させることができる。即ち、回転部材５６７０を変位させることで、照射ユニット６５０の基盤部材６５２を屈曲させて第２ブロック６５４を第１ブロック６５３に対して変位させることができる。
【０４５０】
回転部材５６７０は、回転部材５６７０と正面ベース５６１２との間に介設された図示しない付勢ばねにより軸部５６１２ｋに対して一側の先端部分を下方に変位させる方向に付勢されて正面ベース５６１２に配設される。また、回転部材５６７０が配設される正面ベース５６１２の軸部５６１２ｋの下側には、背面側に突出する変位規制突起５６１２ｊが形成される。
【０４５１】
変位規制突起５６１２ｊは、回転部材５６７０の一端側の下方への変位を規制する部材であり、その突出先端が正面ベース５６１２に配置された状態の回転部材５６７０よりも後方（背面ベース５６１１側）に位置すると共に、回転部材５６７０に取着された照射ユニット６５０のＬＥＤ６５１よりも前方側（正面ベース５６１２側）に位置して形成される。これにより、回転部材５６７０の一端側の下方への変位は、回転部材５６７０が変位規制突起５６１２ｊによって規制されると共に、照射ユニット６５０のＬＥＤ６５１から投影板部材５６２０側に照射された光が変位規制突起５６１２ｊに遮られることを抑制することができる。
【０４５２】
次に、図７３から図７６を参照して、投影ユニット５６００の動作について説明する。図７３（ａ）は、第１状態における投影ユニット５６００の正面図であり、図７３（ｂ）は、第２状態における投影ユニット５６００の正面図である。図７４（ａ）は、第１状態における投影ユニット５６００の背面図であり、図７４（ｂ）は、第２状態における投影ユニット５６００の背面図である。
【０４５３】
図７５（ａ）は、第１状態における投影ユニット５６００の正面図であり、図７５（ｂ）は、第３状態における投影ユニット５６００の正面図である。図７６（ａ）は、第１状態における投影ユニット５６００の背面図であり、図７６（ｂ）は、第２状態における投影ユニット５６００の背面図である。なお、図７４及び図７６では、背面ベース５６１１を取り外した状態が図示される。また、第１状態から第３状態への変位動作は、第１状態から第２状態への変位動作と変位方向が左右反転しただけであるので、その詳しい説明は省略する。
【０４５４】
図７３（ａ）及び図７４（ａ）に示すように、投影板部材５６２０が中央開口部５６１２ｈの左右方の略中央部に配置された第１状態では、左右方向両側に配設された回転部材５６７０が図示しない付勢ばねにより付勢されて一端側が下方に変位された状態とされる。これにより、回転部材５６７０に配設された照射ユニット６５０の第２ブロック６５４を、第１ブロック６５３に対して変位させることができ、第２ブロック６５４の前面に配設されるＬＥＤ６５１の照射方向を投影板部材５６２０側に傾倒させることができる。その結果、投影板部材５６２０の左右側（図７４（ａ）左右側）の側面から第２ブロック６５４の前面に配設されたＬＥＤ６５１の光を入射させることができ、その分、投影板部材５６２０の正面から出射される光の光量を増加でき、投影板部材５６２０の模様や図柄をはっきりと表示することができる。
【０４５５】
図７３（ａ）及び図７４（ａ）に示す状態から、駆動モータ６６１に駆動力が付与されて、その駆動力が歯車列（歯車６６２〜６６４、５６６５〜５６６８）を介して、ラック５６２７が正面視右方向（図７３右方向）にスライド変位されると、ラック５６２７に連結された投影板部材５６２０も同様に右方向にスライド変位される（図７３（ｂ）及び図７４（ｂ）参照）。これにより、投影板部材５６２０が中央開口部５６１２ｈに対して正面視右側に配置された第２状態が形成される。
【０４５６】
この場合、投影板部材５６２０の上端部正面側に配設された正面カバー５６２６が、スライド方向に配置される回転部材５６７０の正面視Ｌ字の他端側の側面と当接される。これにより、回転部材５６７０に対して、回転軸となる軸部５６１２ｋの軸周りに一端側を上方に押し上げる方向の回転モーメントを作用させることができる。よって、回転部材５６７０の一端側が上方に押し上げられるので、回転部材５６７０に配設される第２ブロック６５４も同様に第１ブロック６５３に対して変位されて、第１ブロック６５３の長手方向（図７４（ｂ）左右方向）と第２ブロック６５４の長手方向とが略同一の直線上となる位置まで変位される。
【０４５７】
これにより、投影板部材５６２０のスライド変位に伴って、第２ブロック６５４の前方に配置されるＬＥＤ６５１の照射方向を変位させて、投影板部材５６２０の上端面から入射される光量を多くすることができる。その結果、投影板部材５６２０の正面側から出射される光の光量を増加でき、投影板部材５６２０の模様や図柄をはっきりと表示することができる。
【０４５８】
また、投影板部材５６２０のスライド変位に伴って、第２ブロック６５４の前方に配設されるＬＥＤ６５１の照射方向を変位させることができるので、投影板部材５６２０の正面から出射される光の光量を変化させることができる。即ち、投影板部材５６２０に表示される模様や図柄の様態を変化させることができる。その結果、遊技者に興趣を持たせやすくできる。
【０４５９】
ここで、投影板部材を変位させた際に、その変位に伴って、別の位置に配設したＬＥＤを点灯させることで、投影板部材の光量を一定に保つものであると、その変位に伴って、ＬＥＤの点灯または消灯とを制御する必要があり、投影板部材の変位が複雑になるほどＬＥＤの制御が複雑になり、製品の信頼性が低下するという問題点があった。さらに、別の位置にＬＥＤを配設する分、製品コストが嵩むという問題点があった。
【０４６０】
これに対し、第５実施形態では、投影板部材５６２０の変位に伴って、ＬＥＤ６５１の照射する方向を変位させることができるので、投影板部材５６２０の位置を検出して、別の位置に配設したＬＥＤを点灯または消灯するといった制御が必要ないので、ＬＥＤ６５１の制御を簡易とすることができ、製品の信頼性を向上できると共に、製品コストが嵩むことを抑制できる。
【０４６１】
また、変位する被照射体（投影板部材）に光を照射するため、固定された照射体（ＬＥＤ）を被照射体の周囲に複数個配設したものであると、各照射体の照射範囲の間に光量の弱い部分ができてしまい、被照射体が変位した際に明暗ができてしまい遊技者の興趣を下げるという問題点があった。ここで、照射体の配置間隔を狭くすることで、上記した問題を解決することも考えられるが、この場合は、照射体を配設する個数が増加するために、製品コストが増加するという問題点があった。
【０４６２】
しかしながら、第５実施形態では、投影板部材５６２０の変位に伴って、ＬＥＤ６５１の照射方向を変位させることができるので、投影板部材５６２０の変位動作にＬＥＤ６５１の照射方向を追従させることができる。従って、投影板部材５６２０をその変位位置に関わらず常に安定して投影させることができる。その結果、投影板部材５６２０の変位に伴って光の明暗ができることを抑制して、遊技者の興趣が損なわれることを抑制できる。さらに、ＬＥＤ６５１を配設する数を増加する必要がないので、製品コストが増加することを抑制できる。
【０４６３】
また、上述したように投影板部材５６２０のスライド変位により、第２ブロック６５４の前方に配設されたＬＥＤ６５１の照射方向を変更させることができるので、駆動モータ６６１の駆動力を投影板部材５６２０のスライド変位させる駆動と、第２ブロック６５４を回転させる駆動とに兼用させることができ、第２ブロック６５４を変位させるための駆動手段を新たに設けることを不要とできる。その結果、製品のコストが嵩むことを抑制することができる。
【０４６４】
さらに、照射ユニット６５０は、弾性変形可能な素材から形成される基盤部材６５２及び各ブロック６５３、６５４によって形成されるので、変位する第２ブロック６５４を別部材で形成する必要がない。よって、ユニットとして組み上げた照射ユニット６５０を正面ベース５６１２に配設したのちに配線を連結することで正面ベースに照射ユニット６５０を配設できるので、組み付けの際の工程を簡素化することができる。
【０４６５】
一方、第２状態から第１状態に変位させる際には、駆動モータ６６１の駆動を反転させることで、ラック５６２７を中央開口部５６１２ｈの左右方向中央位置に変位される。よって、ラック５６２７に連結された投影板部材５６２０も同様にスライド変位されて第１状態が形成される。
【０４６６】
この場合、第２状態への変位により一端が押し上げられた側（図７４（ｂ）左側）の回転部材５６７０は、正面ベース５６１２との間に介設された図示しない付勢ばねにより、投影板部材５６２０が左右方向中央位置にスライド変位するに従って、回転部材５６７０の正面視Ｌ字の一端側が下方に押し下げられて、軸部５６１２ｋを軸心に回転される。また、下方に変位される回転部材５６７０は、上述したように、変位規制突起５６１２ｊと当接されることで、その回転範囲が規制される。
【０４６７】
図７及び図８に示す、第１状態から第３状態への変位は、上述したように、第１状態から第２状態への変位動作と変位方向が左右反転しただけであるので、その詳しい説明は省略する。なお、第３状態とは、投影板部材５６２０が中央開口部５６１２ｈに対して正面視左側に配置された状態（図７５（ｂ）及び図７６（ｂ）参照）である。
【０４６８】
次に、図７７から図８０を参照して第６実施形態の投影ユニット６６００について説明する。第１実施形態では、投影板部材６２０の中央部分全域が常に遊技者から視認可能に配設される場合を説明したが、第６実施形態では、投影板部材６６２０が部分的に遊技者から視認可能に配設される。
【０４６９】
初めに、図７７から図７９を参照して、投影ユニット６６００の全体構成について説明する。なお、上記各実施形態と同一の部分には同一の符号を付して、その説明は省略する。
【０４７０】
図７７は、第６実施形態における投影ユニット６６００の正面図である。図７８は、投影ユニット６６００の正面分解斜視図である。図７９は、正面ベース６６１２及び照射ユニット６５０を組み付けた状態における正面ベース６６１２の背面図である。
【０４７１】
図７７から図７９に示すように、投影ユニット６６００は、正面視円環状に形成されるベース部材６６１０と、そのベース部材６６１０に形成される開口から部分的に視認可能に配置される投影板部材６６２０と、その投影板部材６６２０の外周面から光を入射させる照射ユニット６５０と、投影板部材６６２０を回転させるための駆動モータ６６１と、その駆動モータ６６１の駆動力を投影板部材６６２０に伝達するための歯車列（歯車６６２〜６６４）と、を主に備えて形成される。
【０４７２】
ベース部材６６１０は、円環形状の背面ベース６１１と、その背面ベース６１１の正面に配設される円環形状の正面ベース６６１２とを備え、それら背面ベース６１１及び正面ベース６６１２の対向間面に形成される内部空間に、投影板部材６６２０、照射ユニット６５０及び歯車列（６６２〜６６４）が収納される。
【０４７３】
正面ベース６６１２は、第１実施形態の円環形状の正面ベース６１２の内縁部に正面視円環形状の遮蔽部材６６１２ｒが形成され、その遮蔽部材６６１２ｒの一部に前後方向に扇状に開口する開口部６６１２ｐが形成される。
【０４７４】
開口部６６１２ｐは、その開口から背面に配置される投影板部材６６２０を視認可能にするための開口であり、正面視円環状に形成される正面ベース６６１２の軸を中心とした扇状に形成され、遮蔽部材６６１２ｒの全周の略１／６程度の長さで形成され、正面視右側に形成される。
【０４７５】
照射ユニット６５０は、正面ベース６６１２の背面であって、開口部６６１２ｐの外縁部の中間立設部６１２ｂ及び外側立設部６１２ｃとの間の領域に装着され、正面ベース６１２の背面に背面ベース６１１の正面が重ね合されることで、それら両ベース６１１，６１２の対向面間（内部空間）に収容される。
【０４７６】
投影板部材６６２０は、正面視円環形状に形成され、その内径が円環形状の正面ベース６６１２の内径よりも大きく形成される。また、投影板部材６６２０は、正面ベース６６１２の軸と同軸上に配設される。よって、投影ユニット６６００が組み上げられた状態では、投影板部材６６２０の内縁部が遊技者から視認できないように配設される。
【０４７７】
また、投影板部材６６２０に配設されるギヤ部材６３０及び溝形成部材６４０は、正面ベース６１２の非表示領域側に配設される（即ち、正面ベース６１２（遮蔽部材６１２ｒ）の背面側に配設される）ので、遊技者から視認され難くでき、その分外観が悪化することを抑制できる。
【０４７８】
投影板部材６６２０は、光透過性材料からなり、背面側に配設される第３図柄表示装置８１（図２参照）の表示を透過させて、正面ベース６６１２の開口部６６１２ｐを通して遊技者に視認させると共に、照射ユニット６５０から照射された光が外周面から入射されると、その入射された光を、模様や図柄の形状をなす様態で、投影板部材６２０の正面から出射させ、正面ベース６６１２の開口部６６１２ｐを通して遊技者に視認させる。即ち、正面ベース６６１２の開口部６６１２ｐの内部空間に模様や図柄を浮かび上がらせる（表示する）ことができる。
【０４７９】
また、投影板部材６６２０は、その内部に光を乱反射する反射部６６２２を備える。反射部６６２２は、内部がレーザー加工等により粗面加工された部分であり、投影板部材６６２０の正面視における全域に模様や図柄等が投影板部材６６２０の周方向に複数個分割して形成される。なお、本実施形態では、反射部６６２２の模様や図柄等の形状が周方向に６分割して形成され、６形態の模様や図柄等の反射領域６６２２ａ〜６６２２ｆが形成される（図８０参照）。
【０４８０】
さらに、投影板部材６６２０は、外周縁部にギヤ部材６３０及び溝形成部材６４０が背面側および正面側にそれぞれ配設される。これにより、第１実施形態と同様に、駆動モータ６６１の駆動力が歯車列（６６２〜６６４）を介してギヤ部材６３０に伝達することで、投影板部材６６２０を回転させることができる。
【０４８１】
次に、図８０を参照して、投影ユニット６６００の動作を説明する。図８０（ａ）から図８０（ｃ）は、投影ユニット６６００の背面図である。なお、図８０（ａ）〜図８０（ｃ）は、投影板部材６６２０の遷移状態が図示される。また、図８０では、背面ベース６１１が取り外された状態が図示される。また、正面ベース６６１２の開口部６６１２ｐ及び投影板部材６６２０の反射部６６２２（反射領域６６２２ａ〜６６２２ｆ）が鎖線で図示される。
【０４８２】
図８０（ａ）に示すように、投影板部材６６２０が初期位置に配置された状態では、正面視（紙面奥から手前方向視）において正面ベース６６１２の開口部６６１２ｐの内側に投影板部材６６２０の反射領域６６２２ａが配置される。よって、投影板部材６６２０の外縁部から照射ユニット６５０のＬＥＤ６５１の光を入射させると、開口部６６１２ｐの内側に反射領域６６２２ａの模様や図柄を表示させることができる。即ち、遊技者は、開口部６６１２ｐの内部に浮かび上がる模様や図柄を視認することができる。
【０４８３】
この場合、ＬＥＤ６５１の光は、反射領域６６２２ａと隣り合う反射領域６６２２ｂ、６６２２ｆにも照射されるが、反射領域６６２２ｂ、６６２２ｆの前面には正面ベース６６１２が配設されるため、遊技者が、反射領域６６２２ｂ、６６２２ｆの表示を視認することはできない。よって、開口部６６１２ｐを通して投影板部材６６２０の模様や図柄を表示させることで、表示面以外の表示を遊技者が視認することがなくなり、他の領域が視認できることで遊技者の興趣が損なわれることを抑制できる。
【０４８４】
次に、図８０（ｂ）及び図８０（ｃ）に示すように、駆動モータ６６１に駆動力を付与すると、上述したように、その駆動力が歯車列（歯車６６２〜６６４）を介して投影板部材に伝達されて、投影板部材６６２０が回転される。投影板部材６６２０が回転することで、正面視における正面ベース６６１２の開口部６６１２ｐの内側に配置された、反射領域６６２２ａ〜６６２２ｆの模様や図柄が切替えられる。これにより、開口部６６１２ｐの内側に、複数の異なる模様や図柄を表示することができる。
【０４８５】
ここで、被照射体（投影板部材６６２０）の前面に模様や図柄が印刷して、被照射体を変位させてその表示面を切り替えるものであると、被照射体の視認可能領域（開口部６６１２ｐ）から、被照射体の模様や図柄の切替が見えてしまい、遊技者が、次にどの表示がされるのかを模様や図柄を切り替え終える前に分かることで、遊技者に被照射体の変位を最後まで楽しませることができないという問題点があった。
【０４８６】
また、仮に被照射体に光を照射する光源（ＬＥＤ６５１）の電力をオフして、被照射体の表示面を暗くしたとしても、他の装置や店内の蛍光灯の光により、被照射体が照射されることで、遊技者から被照射体の模様や図柄が視認可能となっていた。
【０４８７】
本願では、投影板部材６６２０が、光透過性材料から形成されており、照射ユニット６５０のＬＥＤ６５１の光をオフすることで、投影板部材６６２０の模様や図柄を視認し難くして透明状態とすることができる。よって、投影板部材６６２０を回転させる際に、ＬＥＤ６５１の照射をオフすることで、投影板部材６６２０の模様や図柄の切替を遊技者から視認し難くすることができるので、遊技者に投影板部材６６２０の変位を最後まで楽しませることができる。
【０４８８】
また、第６実施形態では、投影板部材６６２０が、正面視円環状に形成され、その中心を回転軸として回転されるので、投影板部材６６２０が、スライド変位する場合と比較して、正面ベース６６１２の開口部６６１２ｐを介して遊技者に視認させる模様や図柄の数を確保しつつ、投影板部材６６２０の配設に要するスペースを抑制できる。
【０４８９】
即ち、投影板部材６６２０がスライド変位するものでは、左右または上下方向の配設スペースが限られるため、投影板部材６６２０の模様や図側の数を確保することが困難となるところ、円環形状に形成することで、模様や図柄の数を確保しつつ、投影板部材６６２０の配設に要するスペースを抑制できる。
【０４９０】
次いで、図８１から図１２１を参照して、第７実施形態における遊技盤１３について説明する。第７実施形態では、第１入賞口６４、第２入賞口１４０及び特定入賞口６５ａが１のユニットとして構成される入賞口ユニット９３０に形成される。上述した各実施形態と同一の部分には同一の符号を付して、その説明は省略する。
【０４９１】
また、以下では、第１実施形態と同様に、図１に示すパチンコ機１０の上下方向を重力方向として、図１に示すパチンコ機１の左右方後方を左右方向として、図１に示すパチンコ機１０の紙面手前側を正面側（又は前方）として、図１に示すパチンコ機１０の紙面奥側を背面側（又は後方）として説明する。
【０４９２】
初めに、図８１及び図８２を参照して、第７実施形態における遊技盤１３のベース板に配設される入賞口ユニット９３０及び送球ユニット９７０について説明する。図８１は、第７実施形態における遊技盤１３の正面図である。図８２は、遊技盤１３の分解斜視正面図である。なお、図８２では、ベース板６０に配設される入賞口ユニット９３０及び送球ユニット９７０以外のユニット（例えば、センターフレーム８６（図８１参照）など）の図示が省略される。
【０４９３】
図８２に示すように、ベース板６０には、センターフレーム８６（図８１参照）が取り付けられる中央開口の重力方向下側（図８２下側）にベース板６０の厚み方向に貫通する貫通孔６０ａがルータ加工によって形成される。
【０４９４】
貫通孔６０ａは、後述する正面ユニット９４０の正面視における外形よりも若干小さく形成され、内側に正面ユニット９４０に配設される駆動ユニット９６０及び特定入賞口ユニット９５０が挿入される。
【０４９５】
ベース板６０には、遊技領域（正面）側から入賞口ユニット９３０が配設され、遊技領域と反対（背面）側から送球ユニット９７０が配設され、それぞれタッピングネジ等により締結固定される。なお、入賞口ユニット９３０及び送球ユニット９７０の詳細な構成については後述する。
【０４９６】
次いで、図８３から図８６を参照して入賞口ユニット９３０の全体構成について説明する。図８３（ａ）は、入賞口ユニット９３０の正面図であり、図８３（ｂ）は、入賞口ユニット９３０の背面図である。図８４（ａ）は、入賞口ユニット９３０の斜視正面図であり、図８４（ｂ）は、入賞口ユニット９３０の斜視背面図である。図８５は、入賞口ユニット９３０の分解斜視正面図であり、図８６は、入賞口ユニット９３０の分解斜視背面図である。
【０４９７】
図８３から図８６に示すように、入賞口ユニット９３０は、正面ユニット９４０と、その正面ユニット９４０の背面（図８３（ｂ）紙面手前）側に配設される特定入賞口ユニット９５０と、その特定入賞口ユニット９５０の背面（図８３（ｂ）紙面手前））側に配設される駆動ユニット９６０と、その駆動ユニット９６０及び正面ユニット９４０との間に配設される変位部材９６６とを主に備えて形成される。
【０４９８】
正面ユニット９４０は、上述したように正面視における外形がベース板６０の貫通孔６０ａよりも大きく形成される。従って、ベース板６０に入賞口ユニット９３０（正面ユニット９４０）を配設することで、貫通孔６０ａの開口を塞ぐことができる。これにより、遊技盤１３の遊技領域を流下する遊技球が、後述する正面ユニット９４０に形成される遊技球の通過経路（第１入賞口６４、第２入賞口１４０及び特定入賞口６５ａ）以外の空間から貫通孔６０ａを通過することを抑制できる。
【０４９９】
特定入賞口ユニット９５０は、正面ユニット９４０に形成される特定入賞口６５ａの内側に一部が挿入されており、特定入賞口６５ａを介して遊技球を特定入賞口ユニット９５０の内側に送球可能とされる。なお、特定入賞口ユニット９５０についての詳しい説明は後述する。
【０５００】
駆動ユニット９６０は、特定入賞口ユニット９５０の背面側に配設されると共に、変位部材９６６を介してその一部（伝達部材９６５の挿入部９６５ｅ）が正面ユニットに配設される羽部材９４５に連結される。これにより、駆動ユニット９６０の伝達部材９６５を動作させて羽部材９４５を回転変位させることができる。なお、羽部材９４５の動作についての詳しい説明は後述する。
【０５０１】
次いで、図８７から図８９を参照して、正面ユニット９４０の詳細な説明をする。図８７（ａ）は、正面ユニット９４０の正面図であり、図８７（ｂ）は、正面ユニット９４０の背面図である。図８８は、正面ユニット９４０の分解斜視正面図であり、図８９は、正面ユニット９４０の分解斜視背面図である。なお、図８７（ａ）及び図８７（ｂ）では、羽部材９４５の外形が鎖線で図示される。
【０５０２】
図８７から図８９に示すように、正面ユニット９４０は、ベース板６０に締結される背面ベース９４１と、その背面ベース９４１に遊技球の直径よりも大きい距離を隔てて配設される正面ベース９４３と、背面ベース９４１及び正面ベース９４３の対向間に回転可能な状態で配設される２個（一対）の羽部材９４５とを主に備えて形成される。
【０５０３】
背面ベース９４１は、正面視における外形が上下反対向きの略Ｔ字状に形成されると共に、所定の板厚を備える板状体から形成される。また、背面ベース９４１は、無色透明の樹脂材料から形成されており、入賞口ユニット９３０（正面ユニット９４０）がベース板６０に配設された状態において、背面ベース９４１を介してベース板６０の貫通孔６０ａの内部を視認できる。
【０５０４】
背面ベース９４１は、遊技球の流下側（重力方向下側（図８７（ｂ）下側））に切り欠き形成される第１アウト口７１と、その第１アウト口７１の上方（図８７（ｂ）上方）に位置し水平方向に長い矩形状に貫通形成される特定入賞口６５ａと、その特定入賞口６５ａの上方に貫通形成される第２入賞口１４０と、第１アウト口７１と反対側の縁部に切り欠き形成される第１入賞口６４とを主に備える。
【０５０５】
また、背面ベース９４１は、外縁部に板厚方向に貫通する貫通孔９４１ａを複数個備える。貫通孔９４１ａは、正面側（図８７（ａ）紙面手前側）から背面側（図８７（ｂ）紙面手前側）に向かって縮径する第１貫通孔９４１ａ１と、背面側から正面側に向かって縮径する第２貫通孔９４１ａ２とから形成される。
【０５０６】
第１貫通孔９４１ａ１は、背面ベース９４１（入賞口ユニット９３０）をベース板６０に締結固定するためのタッピングネジを挿通する孔であり、内径がタッピングネジの螺入部分の外径よりも大きく設定される。また、第１貫通孔９４１ａ１は、上述したように、正面側から背面側に向かって縮径して形成されるので、タッピングネジの頭部を正面側の拡径部分に収容することができる。従って、タッピングネジの頭部が遊技領域に突出することを抑制できる。さらに、第１貫通孔９４１ａ１の近傍には、背面ベース９４１の背面から円柱状に突出する位置決め突起９４２ａが形成される。
【０５０７】
位置決め突起９４２ａは、ベース板６０の貫通孔６０ａの周囲に形成される位置決め孔６０ｂ（図８２参照）に対応する位置に形成されると共に、位置決め孔６０ｂの内径と略同一の外径に形成される。これにより、背面ベース９４１（入賞口ユニット９３０）をベース板６０に対して位置決めして配設できる。
【０５０８】
第２貫通孔９４１ａ２は、背面ベース９４１と正面ベース９４３とを締結するためのネジを背面ベース９４１側から挿通する孔であり、内径がネジの螺入部分の外径よりも大きく設定される。即ち、正面ベース９４３は、背面ベース９４１の背面側からネジで締結される。この場合、正面ベース９４３の背面ベース９４１からの取り外しの作業は、入賞口ユニット９３０をベース板６０から取り外した状態とする必要がある。従って、遊技者が不正をして遊技盤１３の前面側（遊技領域側）から正面ベース９４３のみを取り外すことを抑制できる。
【０５０９】
また、第２貫通孔９４１ａ２は、上述したように、背面側から正面側に向かって縮径して形成されるので、ネジの頭部を背面側の拡径部分に収容することができる。従って、背面ベース９４１の背面側にネジの頭部が突出することを抑制できる。その結果、背面ベース９４１の背面側に後述する特定入賞口ユニット９５０を配設する場合に、ネジの頭が特定入賞口ユニット９５０に当接することを抑制できる。
【０５１０】
背面べース９４１は、重力方向下側（図８７（ｂ）下側）端部の外形が、遊技盤１３の内レール６１（図Ａ０１参照）の内縁に沿って形成される。第１アウト口７１は、切欠き底部の縁部（重力方向上側の縁部）が内レール６１の内縁と遊技球の直径以上離間する寸法に形成される。これにより、遊技盤１３（ベース板６０）の前面に形成される遊技領域を流下する遊技球のうち第１入賞口６４、第２入賞口１４０、特定入賞口６５ａ及び一般入賞口６３（）のいずれにも流入しなかった遊技球を、第１アウト口７１を介して遊技盤１３の背面側（遊技領域の反対側（図８７（ｂ）紙面手前側））に送球できる。
【０５１１】
第１入賞口６４は、第１アウト口７１と反対側の重力方向上側（図８７（ｂ）上側）の端部を半円形状に切り欠いて形成される。また、第１入賞口６４は、その内縁の寸法が遊技球の直径よりも大きい寸法に形成される。これにより、後述する第１受部９４１ｇの内部に流入する遊技球を第１入賞口６４を介して背面側（遊技領域の反対側（図８７（ｂ）紙面手前側）に送球できる。
【０５１２】
第１入賞口６４の縁部には、遊技領域側（図８７（ａ）紙面手前側）に突出すると共にカップ状に形成される第１受部９４１ｇと、遊技領域と反対側（図８７（ｂ）紙面手前側）に断面Ｕ字状に突出する第１送球部９４２ｇとが形成される。
【０５１３】
第１受部９４１ｇは、内側に１球分の遊技球を受け入れ可能な大きさに形成される。これにより、第１受部９４１ｇ（第１入賞口６４）の重力方向上側から遊技領域を流下する遊技球を第１受部９４１ｇの内側に流入させることができる。
【０５１４】
また、第１受部９４１ｇは、底面が背面側（遊技領域の反対側（図８７（ｂ）紙面手前側））に下降傾斜して形成される。これにより、第１受部９４１ｇに流入した遊技球を第１入賞口６４を下介して背面側（第１送球部９４２ｇ側）に送球できる。
【０５１５】
さらに、第１受部９４１ｇは、ベース板６０の短手方向（図８７左右方向）両端の上端部から、第２入賞口側（重力方向下側（図８７（ａ）下側））に向かってベース板６０の短手方向外側に傾斜して立設される案内部９４１ｇ１を備える。案内部９４１ｇ１は、所定の厚みを備える板状体に形成されると共に、遊技領域と反対側（背面側）の側面が、背面ベース９４１の前面側に連結される。これにより、第１受部９４１ｇの剛性を高めることができ、流下領域を流下する遊技球が第１受部９４１ｇに衝突して、第１受部９４１ｇが破損することを抑制できる。
【０５１６】
また、背面ベース９４１に第１入賞口６４、第２入賞口１４０及び特定入賞口６５を一体に形成すると、遊技領域を流下する遊技球に変化を与える遊技釘の配置が足りなくなるため、遊技球の流下方向を変化させ難くなる。従って、遊技者の興趣が損なわれる恐れがあるところ、案内部９４１ｇ１に遊技球を衝突させることで、遊技球の流下方向に変化を与えることができ、遊技者の興趣が損なわれることを抑制できる。
【０５１７】
さらに、案内部９４１ｇ１は、第２入賞口１４０側に向かってベース板６０の短手方向外側（図８７（ａ）左右方向両側）に傾斜して形成されるので、案内部９４１ｇ１に衝突した遊技球を背面ベース９４１の水平方向外側に案内できる。これにより、ベース板６０に配設される遊技釘（図示しない）に再度衝突させることができ、遊技球の流下方向に変化を与えやすくできる。従って遊技者の興趣が損なわれることを抑制できる。
【０５１８】
第１送球部９４２ｇは、重力方向上側が開放するＵ字に形成されており、その内縁の対向間の距離寸法が遊技球の直径よりも大きく形成される。また、第１送球部９４２ｇは、底面が背面側（遊技領域と反対側（図８７（ｂ）紙面手前側））に向かって下降傾斜して形成されると共に、突出先端側が、後述する送球ユニット９７０の流入口９８２ｄの縁部に当接される。これにより、第１受部９４１ｇの内側から第１入賞口６４を介して第１送球部９４２ｇに送球される遊技球を背面側に転動させて、送球ユニット９７０に送球することができる。
【０５１９】
第１送球部９４２ｇは、突出先端の上方端部が、側面視矩形状に切り欠かれる第１凹欠部９４２ｇ１を備える。第１凹欠部９４２ｇ１は、後述する送球ユニット９７０の第２突起９８２ｄ１が載置される切欠きであり、第２突起９８２ｄ１の側面視形状と略同一の大きさに凹欠される。なお、第１送球部９４２ｇ及び送球ユニット９７０の配置についての詳しい説明は後述する。
【０５２０】
第２入賞口１４０は、正面視において上方が湾曲した略Ｄ字状に貫通形成されると共に、内縁が遊技球の外径よりも大きく形成される。これにより、後述する羽部材９４５の対向間に送球される遊技球を第２入賞口１４０を介して背面側（遊技領域の反対側（図８７（ｂ）紙面手前側））に送球できる。
【０５２１】
第２入賞口１４０には、その縁部に、正面側（遊技領域側（図８７（ａ）紙面手前側））に突出する正面側壁部９４１ｂと、背面側（遊技領域と反対側（図８７（ｂ）紙面手前側））に突出する第２送球部９４２ｃとが形成される。
【０５２２】
正面側壁部９４１ｂは、ベース板６０の短手方向における第２入賞口の両側縁部に沿って形成される。正面側壁部９４１ｂは、その突出先端面が後述する正面ベース９４３の送球ガイド部９４３ｄと当接する大きさに設定される。
【０５２３】
第２送球部９４２ｃは、第２入賞口１４０の下側縁部の両端のそれぞれに背面視略Ｌ字に屈曲して形成される。第２送球部９４２ｃは、重力方向（図８７（ｂ）上下方向）における寸法が遊技球の半径よりも大きく設定される。これにより、後述する正面ベース９４３の転動部９４３ａを転動する遊技球が転動部９４３ａの上面から落下することを抑制できる。
【０５２４】
一対の第２送球部９４２ｃは、ベース板６０の短手方向（図８７（ｂ）左右方向）における対向間の距離寸法が後述する正面ベース９４３の転動部９４３ａのベース板６０の短手方向（図８７（ｂ）左右方向）における長さ寸法と略同一に設定され、内側に転動部９４３ａが配設される。また、第２送球部９４２ｃは、突出先端部の重力方向他側（重力方向上側（図８７（ｂ）上側））に第２凹欠部９４２ｃ１が切り欠き形成される。第２凹欠部９４２ｃ１は、内側に後述する通路ユニットの突起９８１ｂ１が載置される部分であり、その詳しい説明は後述する。
【０５２５】
背面ベース９４１は、第２入賞口１４０の近傍の重力方向他側（第１入賞口６４側（図８７（ｂ）上側））に、背面ベース９４１の遊技領域側から遊技領域と反対側に向かって円形状に２箇所に凹設される第１軸孔９４１ｄと、その第１軸孔９４１ｄの軸を中心に湾曲して背面ベース９４１に貫通形成される２箇所の第１開口９４１ｅと、その２箇所の第１開口９４１ｅの対向方向外側に位置し背面側に突設される第１ガイド壁９４２ｂと、第１入賞口６４及び第２入賞口１４０との間に突設される突出部９４１ｃとを備えて形成される。
【０５２６】
第１軸孔９４１ｄは、後述する羽部材９４５を軸支する軸部材９４５ａを支持可能とされ、軸部材９４５ａの外径と略同一の内径に形成される。これにより、軸部材９４５ａの一端を第１軸孔９４１ｄに挿入して支持できる。
【０５２７】
第１開口９４１ｅは、第１軸孔９４１ｄの中心を軸とする円弧状に開口される。また、第１開口９４１ｅは、羽部材９４５の突起９４５ｂを挿通可能とされ、羽部材９４５の回転軸（挿通孔９４５ｃ）の径方向における突起９４５ｂの最大幅寸法よりも大きく設定される。これにより、羽部材９４５が回転した際に突起９４５ｂが第１開口９４１ｅの内面に当接することを抑制できる。
【０５２８】
突出部９４１ｃは、正面視における外形が二等辺の三角形状に形成され、二等辺の連結部の角部が後述する羽部材９４５の対向間の中央位置と略同一の平面上に位置される。また、突出部９４１ｃの不等辺は、羽部材９４５の対向方向と平行に延設して形成されており、その長さ寸法が、閉鎖状態における羽部材９４５の対向間寸法よりも若干大きく設定される。さらに、突出部９４１ｃは、閉鎖状態の羽部材９４５との最短の離間距離が遊技球の直径よりも小さくされる位置に形成される。これにより、羽部材９４５が閉鎖状態とされる場合に、遊技球が第２入賞口１４０（一対の羽部材９４５の対向間）に送球されることを抑制できる。なお、羽部材９４５の閉鎖状態についての詳しい説明は後述する。
【０５２９】
一対の第１ガイド壁９４２ｂは、後述する変位部材９６６が変位される際に、変位部材９６６の変位を案内する壁であり、一対の第１ガイド壁９４２ｂの対向間における距離寸法が、変位部材９６６の短手方向の距離寸法よりも若干大きく設定される。
【０５３０】
また、一対の第１ガイド壁９４２ｂは、背面視略Ｌ字に形成され、屈曲部分が互いに近づく方向に延設される。これにより、変位部材９６６の突出部９６６ａを第１ガイド壁９４２ｂの屈曲部分に当接させて、変位部材９６６の変位距離を規制できる。
【０５３１】
特定入賞口６５ａは、一対の羽部材９４５の対向方向（図８７（ｂ）左右方向）に長い矩形状に開口形成されており、その開口の内側に後述する特定入賞口ユニット９５０の板部材９５１を挿入することができる。これにより、遊技領域を流下する遊技球を特定入賞口６５ａを介して特定入賞口ユニット９５０の内部に送球できる。
【０５３２】
また、背面ベース９４１は、特定入賞口６５ａの周囲を取り囲むと共に背面側（遊技領域と反対側）に立設される立設部９４２ｆと、特定入賞口６５ａの長手方向両端部に背面側から凹設される凹部９４１ｈとを備える。
【０５３３】
立設部９４２ｆは、その内縁の形状が後述する特定入賞口ユニット９５０の正面視形状と略同一に設定される。これにより、立設部９４２ｆの内側に特定入賞口ユニット９５０を位置決めして配設し易くできる。
【０５３４】
凹部９４１ｈは、特定入賞口ユニット９５０が背面ベース９４１に配設された状態において、特定入賞口ユニット９５０の板部材９５１の回転軸となる棒部材９５２が挿入される壁部９５３ｄと対応する位置に形成される。これにより、棒部材９５２が板部材９５１から抜け出る方向に変位した場合に、棒部材９５２の端面を凹部９４１ｈの内縁に当接させて、棒部材９５２が板部材９５１から抜け出ることを抑制できる。
【０５３５】
さらに、正面ベース９４２は、立設部９４２ｆと第２送球部９４２ｃとの対向間に膨出する膨出部９４２ｈと、立設部９４２ｆの外周面から第１ガイド壁９４２ｂ側（図８７（ｂ）上側）に突出する第２ガイド壁９４２ｄとを備える。
【０５３６】
膨出部９４２ｈは、背面ベース９４１の背面側に膨出すると共に、立設部９４２ｆと第２送球部９４２ｃとに連結される。これにより、後述する変位部材９６６（図９０参照）を背面ベース９４１の背面側（図８７（ｂ）紙面手前側）に配設した場合に、変位部材９６６と背面ベース９４１の背面との間に所定の隙間を形成できる。その結果、変位部材９６６が変位する場合に、変位部材９６６の摩擦（摺動）抵抗を抑えることができる。
【０５３７】
第２ガイド壁９４２ｄは、変位部材９６６の下端部分の変位を案内する壁面であり、一対の第２ガイド壁９４２ｄの対向間の距離寸法が変位部材９６６の短手方向の距離寸法よりも若干大きく設定される。従って、変位部材９６６を一対の第２ガイド壁９４２ｄの対向間に配設した場合に、変位部材９６６の下端部分の変位部材９６６の短手方向への変位距離を規制できる。
【０５３８】
背面ベース９４１は、特定入賞口６５ａの長手方向（図８７（ｂ）左右方向）両端の重力方向他側（重力方向上側）の縁部に重力方向一側（重力方向下側）に向かって半円状に切り欠いて形成される第２アウト口９４１ｆを備える。第２アウト口９４１ｆは、正面ベース９４３に形成される第３受部９４４ａに流入した遊技球をベース板６０の背面側（遊技領域と反対側）に送球するための切り欠きであり、遊技球の直径よりも大きい形状に形成される。
【０５３９】
また、第２アウト口９４１ｆの縁部には、背面視略Ｕ字状に形成され背面側に突出する第３送球部９４２ｅが形成される。これにより、第２アウト口９４１ｆの内側を介して背面側に送球した遊技球を第３送球部９４２ｅの内側に送球できる。
【０５４０】
第３送球部９４２ｅは、背面視Ｕ字の湾曲部分（下側部分）が背面側に突出するに従って重力方向下側に傾斜して形成されており、第２アウト口９４１ｆから送球された遊技球を背面側に転動させることができる。なお、第３送球部９４２ｅの内面を転動する遊技球についての詳しい説明は後述する。
【０５４１】
正面ベース９４３は、正面視における外形が背面ベースよりも小さい上下反対の略Ｔ字状に形成される。また、正面ベース９４３は、無色透明な板状体から形成される。これにより、正面ベース９４３と背面ベース９４１との対向間を流下する遊技球を遊技者に視認させることができる。
【０５４２】
正面ベース９４３は、上述した背面ベース９４１の第２入賞口１４０及び第２アウト口９４１ｆのそれぞれに対応する位置に突設される第２受部９４３ｃ及び第３受部９４４ａとを主に備えて形成される。
【０５４３】
第２受部９４３ｃは、背面視略Ｕ字に形成され、正面視において内側に背面ベース９４１の第２入賞口１４０が配置される。また、第２受部９４３ｃの開放側（Ｕ字の開放側）には、後述する一対の羽部材９４５が配設される。さらに、第２受部９４３ｃの背面ベース９４１側への突出距離は、遊技球の直径よりも大きく設定される。よって、背面ベース９４１及び正面ベース９４３の対向間に遊技球を送球することができると共に、遊技球が後述する一対の羽部材９４５の対向間の外側から第２入賞口１４０に流入することを抑制できる。
【０５４４】
また、第２受部９４３ｃは、その内縁から内側に突設される送球ガイド部９４３ｄと、背面ベース９４１側（図８７（ｂ）紙面手前側）から、円形状に凹設される第１凹部９４３ｃａと、湾曲部分の内側から背面ベース側に突設される転動部９４３ａとを備える。
【０５４５】
送球ガイド部９４３ｄは、一対の羽部材９４５の重力方向下側（図８７（ｂ）下側）に一対形成される。また、一対の送球ガイド部９４３ｄは、背面ベース９４１の正面側壁部９４１ｂと対応する位置にそれぞれ形成されており、背面ベース９４１と正面ベース９４３とが組み合わされると、その端面同士が当接される。これにより、一対の羽部材９４５の対向間に流入した遊技球を送球ガイド部９４３ｄの対向間に送球できる。
【０５４６】
転動部９４３ａは、一対の送球ガイド部９４３ｄの対向間の重力方向一側（重力方向下側）に形成されると共に、重力方向上側の端面９４３ａ１が背面ベース９４１側に向かって下降傾斜して形成される。また、上述したように、転動部９４３ａは、背面ベース９４１と正面ベース９４３とが締結された（組み合わされた）状態において、凹部９４１ｊの内側に配置されると共に、先端が背面ベース９４１の背面側（図８７（ｂ）紙面手前側）に突出される。
【０５４７】
これにより、一対の送球ガイド部９４３ｄの対向間に送球された遊技球を転動部の端面９４３ａ１に送球できると共に、その遊技球を端面９４３ａ１の上部を転動させて、背面ベース９４１の背面側に送球できる。
【０５４８】
また、正面ベース９４３は、第２受部９４３ｃの開口側（重力方向上側）に、背面ベース９４１の第１軸孔９４１ｄと対向する位置に円環状に突設される円環突起９４３ｂを備える。円環突起９４３ｂは、その内縁の第２軸孔９４３ｂ１を備え、その第２軸孔９４３ｂ１の内側に後述する羽部材９４５を軸支する軸部材９４５ａの他端を挿入できる。上述したように、軸部材９４５ａは、一端が背面ベース９４１の第１軸孔９４１ｄに挿入される。よって、背面ベース９４１と正面ベース９４３との対向間に軸部材９４５ａを挟持して支持できる。
【０５４９】
第３受部９４４ａは、背面視略Ｕ字形成されており、その内側に背面ベース９４１の第２アウト口９４１ｆが配置される。これにより、遊技盤１３の遊技領域を流下する遊技球を第３受部９４４ａの内側に流入させることができると共に、第３受部９４４ａに流入した遊技球を第２アウト口９４１ｆを介して背面側（遊技領域と反対側）に送球することができる。
【０５５０】
また、第２受部９４３ｃ及び第３受部９４４ａには、第１凹部９４３ｃａ及び第２凹部９４４ａ１が、背面ベース９４１側（図８７（ｂ）紙面手前側）から円形状に凹設される。第１凹部９４３ｃａ及び第２凹部９４４ａ１は、上述した第２貫通孔９４１ａ２に挿入されたネジが螺合される被締結部であり、背面ベース９４１の第２貫通孔９４１ａ２の軸と同軸上に形成される。これにより、背面ベース９４１と正面ベース９４３とを締結できる。
【０５５１】
羽部材９４５は、正面視において、背面ベース９４１に形成される第２入賞口１４０を間に挟んで一対配設される。羽部材９４５は、有色の半透明材料から形成されており、正面ベース９４３を介して遊技者から視認可能とされる。
【０５５２】
羽部材９４５は、正面視略三角形状に形成されると共に、背面ベース９４１と正面ベース９４３との対向間よりも小さい厚みに形成される。羽部材９４５は、厚み方向（背面ベース９４１側から正面ベース９４３側）に貫通形成される挿通孔９４５ｃと、背面ベース９４１側の面（背面）から突出する突起９４５ｂとを主に備える。
【０５５３】
挿通孔９４５ｃは、背面ベース９４１と正面ベース９４３との対向間に支持される軸部材９４５ａの外径よりも大きい内径に形成される。よって、背面ベース９４１と正面ベース９４３とを締結（組立）する際に、挿通孔９４５ｃに軸部材９４５ａを挿通させることで、羽部材９４５を回転可能な状態で背面ベース９４１と正面ベース９４３との対向間に配設できる。これにより、羽部材９４５は、対向する側面が重力方向に平行な状態の閉鎖状態と、その側面の一側を対向方向外側に変位させた開放状態とで変位可能とされる。
【０５５４】
突起９４５ｂは、後述する変位部材９６６と連結され、駆動ユニット９６０の駆動を羽部材９４５に伝達する伝達部分であり、その先端が背面ベース９４１の第１開口９４１ｅを介して変位部材９６６が配設される背面ベース９４１の背面側（遊技領域と反対側）に突出する寸法に設定される。なお、突起９４５ｂと変位部材９６６との連結状態についての詳しい説明は後述する。
【０５５５】
次いで、図９０を参照して、変位部材９６６についての詳細な説明をする。図９０（ａ）は、変位部材９６６の正面図であり、図９０（ｂ）は、変位部材９６６の側面図であり、図９０（ｃ）は、変位部材９６６の斜視正面図である。
【０５５６】
変位部材９６６は、正面視縦長矩形の板状体から形成されると共に、正面視略中央位置に第２開口９６６ｃが板厚方向（図９０（ｂ）左右方向）に貫通形成される。第２開口９６６ｃは、正面視における内縁の形状が上述した背面ベース９４１の第２入賞口１４０の内縁の形状よりも大きく形成されると共に、内側に第２入賞口１４０が配置される。これにより、第２入賞口１４０を介して遊技領域と反対側に送球される遊技球が変位部材９６６の内縁に衝突することを抑制できる。
【０５５７】
変位部材９６６は、長手方向（図９０（ａ）上下方向）一端側（図９０（ａ）上側）から短手方向（図９０（ａ）左右方向）に突出する突出部９６６ａと、長手方向他端側（図９０（ｂ）下側）から背面側（背面ベース９４１側（図８５参照））に膨出する膨出部９６６ｂとを備える。
【０５５８】
突出部９６６ａは、変位部材９６６の板厚方向に貫通して形成される摺動溝９６６ａ２と、変位部材９６６の短手方向両外側に位置すると共に長手方向に延設される当接部９６６ａ１とを備える。
【０５５９】
摺動溝９６６ａ２は、内側に上述した羽部材９４５の突起９４５ｂが挿入される長孔であり、変位部材９６６の短手方向に長い長穴に形成される。また、摺動溝９６６ａ２は、幅寸法が羽部材９４５の回転軸（挿通孔９４５ｃ）の径方向における突起９４５ｂの幅寸法よりも大きく設定される。これにより、羽部材９４５が回転した際に、突起９４５ｂが摺動溝９６６ａ２の幅方向に対向する両内面に当接して、羽部材９４５の動作が規制されることを抑制できる。
【０５６０】
当接部９６６ａ１は、正面側（正面ベース９４３側（図８５参照））と背面側（背面ベース９４１側）にそれぞれ膨出して形成される。これにより、変位部材９６６と正面ベース９４３及び後述する駆動ユニット９６０とが当接する面積を小さくできる。その結果、変位部材９６６が駆動する場合の抵抗を小さくできる。
【０５６１】
膨出部９６６ｂは、背面側（背面ベース９４１側）に膨出して形成されると共に、背面視における内側部分に横長矩形の連結孔９６６ｂ１が形成される。連結孔９６６ｂ１は、後述する駆動ユニット９６０の伝達部材９６５の先端（挿入部９６５ｅ）が挿入される開口であり、内縁の形状が、伝達部材９６５の先端の外形よりも大きく設定される。なお、連結孔９６６ｂ１と伝達部材９６５との連結状態の詳しい説明は後述する。
【０５６２】
連結孔９６６ｂ１は、変位部材９６６の短手方向に長い矩形状に形成され、重力方向他側（重力方向上側（図９０（ａ）上側））の内周面の一側被当接部９６６ｂ２と、重力方向一側（重力方向下側（図９０（ａ）下側））の内周面の他側被当接部９６６ｂ３とを備える。
【０５６３】
一側被当接部９６６ｂ２は、後述する伝達部材９６５の挿入部９６５ｅの膨出部９６５ｅ１が当接する面である。変位部材９６６は、一側被当接部９６６ｂ２に、膨出部９６５ｅ１が当接されてスライド変位されることで、羽部材９４５を開放状態（図９２参照）に変位させることができる。
【０５６４】
他側被当接部９６６ｂ３は、後述する伝達部材９６５の挿入部９６５ｅの膨出部９６５ｅ１と反対側の側面が当接する面である。変位部材９６６は、他側被当接部９６６ｂ３に、膨出部９６５ｅ１と反対側の側面が当接されてスライド変位されることで、羽部材９４５を閉鎖状態（図９１参照）に変位させることができる。
【０５６５】
次いで、図９１及び図９２を参照して、変位部材９６６と羽部材９４５との連結状態について詳しく説明する。図９１及び図９２は、図８７（ｂ）の範囲ＸＣＩにおける入賞口ユニット９３０及び変位部材９６６の背面図である。なお、図９１及び図９２では、羽部材９４５の外形が鎖線で図示される。また、図９１では、羽部材９４５の閉鎖状態が図示され、図９２では、羽部材９４５の開放状態が図示される。
【０５６６】
図９１及び図９２に示すように、羽部材９４５の突起９４５ｂは、背面視において略三角形状に形成されており、閉鎖状態における一対の羽部材９４５の対向する面と平行に形成される第１面９４５ｂ１と、その第１面９４５ｂ１に連なると共に重力方向一側（特定入賞口６５ａ側）に位置する第３面９４５ｂ３と、第１面９４５ｂ１及び第３面９４５ｂ３と連なる第２面９４５ｂ２とを主に備える。
【０５６７】
摺動溝９６６ａ２は、重力方向一側（連結孔９６６ｂ１側）に位置し突起９４５ｂと当接して羽部材９４５を開放状態に変位させる下側内面９６６ａ４と、その下側内面９６６ａ４と対向すると共に突起９４５ｂと当接して羽部材９４５を閉鎖状態に変位させる上側内面９６６ａ３と、変位部材９６６の短手方向（図９１左右方向）外側から下側内面９６６ａ４側に向かって変位部材９６６の短手方向内側に傾斜する傾斜面９６６ａ５とを備える。
【０５６８】
なお、変位部材９６６は、後述する伝達部材９６５により、背面ベース９４１に対して長手方向（図９１上下方向）に変位可能に配設される。羽部材９４５は、変位部材９６６が特定入賞口６５ａ側（図９１下側）に変位されると閉鎖状態とされ、変位部材９６６が第２入賞口１４０側（図９１上側）に変位されると開放状態とされる。
【０５６９】
次いで、変位部材９６６の摺動溝９６６ａ２と羽部材９４５の突起９４５ｂとの連結について説明する。上述したように、羽部材９４５の突起９４５ｂは、変位部材の摺動溝９６６ａ２の内側に配置される。
【０５７０】
図９１に示すように、羽部材９４５は、閉鎖状態とされると突起９４５ｂが摺動溝９６６ａ２の傾斜面９６６ａ５側（変位部材９６６の短手方向外側）に配置される。この状態から、変位部材９６６が第２入賞口１４０側（重力方向他側（図９１上側））に変位されると、変位部材９６６の下側内面９６６ａ４が、突起９４５ｂの第３面９４５ｂ３と当接して突起９４５ｂが変位される。これにより、羽部材９４５を回転変位させることができる。
【０５７１】
ここで、遊技球が入球可能に形成される入球口と、その入球口を挟んだ位置に回転可能に軸支され入球口を開放または閉鎖する一対の羽部材と、それら一対の羽部材を回転させるための駆動力を発生させる駆動手段と、その駆動手段の駆動力を一対の羽部材に伝達する伝達機構とを備えた遊技機が知られている。伝達機構は、駆動手段の駆動力により回転させる回転部材を備え、その回転部材の一端側が、一対の羽部材の背面から突設される突設部に連結される。詳細には、回転部材の一端側には、上下に所定の間隔を隔てて対向する対向部が形成され、その対向部の対向間に羽部材の突設部が挿通される。よって、回転部材が回転されると、その回転部材の対向部によって羽部材の突設部が押し上げられる又は押し下げられることで、羽部材が開放または閉鎖される。
【０５７２】
しかしながら、従来の遊技機では、対向部と、突設部との間の隙間を大きく設定する必要があるため、羽部材の開閉動作が安定しないという問題があった。即ち、羽部材の開閉動作のために、回転部材が回転される際には、対向部の姿勢が突設部に対して傾斜されるところ、対向部の対向間隔が突設部の外形と同等であると、対向部の対向間に突設部が干渉して、回転部材が回転できなくなる。そのため、突設部が干渉しない大きさに対向部の対向間隔を設定する必要があり、その分、対向部と突設部との間の隙間が大きくなる。その結果、羽部材のがたつきが生じやすいため、羽部材の開閉動作が安定しない。
【０５７３】
これに対し、本実施形態によれば、伝達機構は、駆動手段（駆動ユニット９６０）の駆動力により回転される伝達部材９６５と、その伝達部材９６５の回転に伴ってスライド変位される変位部材９６６とを備え、一対の羽部材９４５から突起９４５ｂが突設されると共に、その突起９４５ｂが摺動可能に挿通される摺動溝９６６ａ２が変位部材９６６に凹設されるので、摺動溝９６６ａ２の溝幅を抑制することができる。即ち、変位部材９６６の変位がスライド変位であり、摺動溝９６６ａ２の姿勢が突起９４５ｂに対して傾斜しないので、従来品のように回転する際の突設部との干渉を避ける必要がない。よって、摺動溝９６６ａ２の溝幅を突起９４５ｂの大きさに近似させることができ、溝幅を抑制できるので、摺動溝９６６ａ２と突起９４５ｂとの間の隙間を小さくできる。その結果、羽部材９４５のがたつきを抑制でき、羽部材９４５の開閉動作を安定させることができる。  また、変位部材９６６の変位の方向が、一対の羽部材９４５の回転軸に略直交する方向であるので、変位部材９６６を羽部材９４５に対して略平行に配設することができる。その結果、羽部材９４５及び変位部材９６６の配設に必要なスペースを抑制でき、その分、他の部材を配設するスペースを確保できる。即ち、変位部材９６６が変位した場合に、変位部材９６６が一対の羽部材９４５の回転軸方向に変位しないので、一対の羽部材９４５の回転軸方向における変位部材の配設に必要なスペースを抑制できる。その結果、他の部材を配設するスペースを確保できる。
【０５７４】
ここで、一対の羽部材に回転部材が直接連結される従来品に対し、本発明では、羽部材９４５と伝達部材９６５との間に変位部材９６６が介在されるため、変位部材９６６を重力方向上側（重力方向他側）へスライド変位させる方向への動作時には、変位部材９６６の重さが加算される分、慣性力が大きくなり、駆動手段（後述するソレノイド６１０）に必要な駆動力が嵩む。よって、停止状態にある羽部材９４５の駆動を開始して、開放状態または閉鎖状態に変位させる際の初期動作をスムーズに行うことが困難となる。
【０５７５】
これに対し、本実施形態では、一対の羽部材９４５が閉鎖状態とされる場合において、突起９４５ｂは、羽部材９４５の回転軸（挿通孔９４５ｃ）の重力方向下側（重力方向一側）に位置される。即ち、変位部材９６６が重力方向上側（重力方向他側）へ向けてスライド変位を開始する際の突起９４５ｂの位置が、羽部材９４５の回転軸の重力方向に沿った下方に設定される。これにより、摺動溝９６６ａ２の内壁押し上げられる突起９４５ｂの変位成分を、水平方向（図９１左右方向）に大きくし、重力方向（図９１下方向）に小さくできる。よって、変位部材９６６の重さが加算させる本発明においても、停止状態（閉鎖状態）にある羽部材９４５の駆動を開始して、開放または閉鎖させる際の初期動作をスムーズに行うことができる。
【０５７６】
また、羽部材９４５の重心は、回転軸（挿通孔９４５ｃ）を挟んで突起９４５ｂの反対側に設定される。これにより、羽部材９４５が閉鎖状態から開放状態に変位される際には、羽部材９４５の自重を利用して羽部材９４５を開放状態に変位させることができる。即ち、変位部材９６６が重力方向上側（重力方向一側）へ向けてスライド変位を開始すると、羽部材９４５が開放される方向へ回転されるので、羽部材９４５をその重さ（自重）により回転させることができる。よって、変位部材９６６の重さが加算される本発明においても、停止状態（閉鎖状態）にある羽部材９４５の駆動を開始して、開放させる際の初期動作をスムーズに行うことができる。
【０５７７】
さらに、上述した傾斜面９６６ａ５は、羽部材９４５の回転軸（挿通孔９４５ｃ）の重力方向一側（重力方向下側（図９１下側））に形成される。これにより、突起９４５ｂの位置が、羽部材９４５の回転軸の重力方向に沿った下方に設定される場合であっても、傾斜面９６６ａ５の傾斜方向に沿って突起９４５ｂを案内して、変位部材９６６の重力方向他側（重力方向上側）へ向けたスライド変位をスムーズに開始させることができる。
【０５７８】
また、摺動溝９６６ａ２の内壁に傾斜面９６６ａ５が形成されることで、その分、摺動溝９６６ａ２の内壁と突起９４５ｂとの間の隙間を小さくできるだけでなく、かかる傾斜面９６６ａ５への突起９４５ｂの当接により、突起９４５ｂの重力方向への変位に加え、水平方向への変位も規制することができる。よって、閉鎖状態とされる場合の羽部材９４５のがたつきを抑制しやすくできる。即ち、遊技球の流下に伴う振動の影響を受けた場合でも、羽部材９４５を開放姿勢または閉鎖姿勢に維持しやすくできる。
【０５７９】
図９２に示すように、羽部材９４５が開放状態から閉鎖状態に変位される場合には、変位部材９６６が、第２入賞口１４０側から特定入賞口６５ａ側（重力方向一側（図９２下側））に変位される。これにより、変位部材９６６の上側内面９６６ａ３が、突起９４５ｂの第１面９４５ｂ１と当接して突起９４５ｂが変位される。これにより、羽部材９４５を回転変位させることができる。
【０５８０】
また、変位部材９６６の第２入賞口１４０側から特定入賞口６５ａ側の変位方向は、重力方向（図９２下方向）に設定される。これにより、羽部材９４５を閉鎖する場合に、変位部材９６６の自重を利用して羽部材９４５を変位させることができる。その結果、羽部材９４５を開放状態から閉鎖状態に変位させやすくできる。
【０５８１】
次いで、図９３から図９５を参照して、駆動ユニット９６０について詳細な説明をする。図９３（ａ）は、駆動ユニット９６０の側面図であり、図９３（ｂ）は、駆動ユニット９６０の上面図であり、図９３（ｃ）は、駆動ユニット９６０の斜視正面図である。図９４は、駆動ユニット９６０の分解斜視正面図であり、図９５は、駆動ユニット９６０の分解斜視背面図である。
【０５８２】
図９３から図９５に示すように、駆動ユニット９６０は、箱形状に形成され対向して配設される第１収容部９６２及び第２収容部９６３と、第１収容部９６２及び第２収容部９６３の間の空間に配設されるソレノイド６１０と、そのソレノイド６１０に連結される連結部材９６４と、第１収容部９６２及び第２収容部９６３に軸支されると共に連結部材９６４に連結される伝達部材９６５とを主に備えて形成される。
【０５８３】
第１収容部９６２は、無色透明の樹脂材料から形成され、ソレノイド６１０の一側（図９３（ａ）上側）を覆う覆設部９６２ａと、その覆設部９６２ａから背面ベース９４１側（図８５参照）に突出するガイド部９６２ｂとを備える。
【０５８４】
覆設部９６２ａは、ソレノイド６１０側（図９３（ａ）下側）及びガイド部９６２ｂ側が開放される略箱形状に形成される。また、覆設部９６２ａは、対向する壁面の一部を切り欠いて形成される被係合部９６２ｃと、対向する壁面の外側に対向する方向に突出する締結部９６２ｄとを備える。
【０５８５】
被係合部９６２ｃは、後述する第２収容部９６３の係合部９６３ｃを係合させる切欠きであり、側面視において係合部９６３ｃの外形よりも大きい形状に切り欠き形成される。これにより、第１収容部９６２及び第２収容部９６３を締結する前に、被係合部９６２ｃに係合部９６３ｃを係合させることができるので、第１収容部９６２及び第２収容部９６３との締結の作業性を向上できる。
【０５８６】
締結部９６２ｄは、駆動ユニット９６０が組み立てられた状態において、第２収容部９６３の締結孔９６３ｂ１と対向する位置に形成されており、第２収容部９６３側（図９３（ａ）下側）に向かって貫通する貫通孔９６２ｄａを備える。
【０５８７】
貫通孔９６２ｄａは、第２収容部９６３の締結孔９６３ｂ１に螺合されるネジ（図示しない）を挿通する孔であり、締結孔９６３ｂ１と同軸上に形成されると共に、締結孔９６３ｂ１よりも大きい内径に形成される。これにより、第１収容部９６２と第２収容部９６３とを締結固定できる。
【０５８８】
ガイド部９６２ｂは、覆設部９６２ａの対向する壁面に連なって側面視略Ｌ字状に形成される一対の腕部９６２ｅと、その一対の腕部９６２ｅに連結されると共に、正面視門型に形成される壁部９６２ｆと、その壁部９６２ｆから覆設部９６２ａと反対側（背面ベース９４１側（図８５参照））に突設される突設部９６２ｇとを備えて形成される。
【０５８９】
腕部９６２ｅは、覆設部９６２ａの対向する壁面のそれぞれから背面ベース９４１側（図８５参照）に突出すると共に突出先端側を重力方向他側（ソレノイド６１０側と反対側）に屈曲する側面視略Ｌ字に形成される。また、一対の腕部９６２ｅは、対向間の寸法が後述する振分けユニット９８０の側壁部９８１ｂ（図１０９（ａ）参照）の水平方向両端部の距離寸法と略同一に設定され、対向間に側壁部９８１ｂが挿入される。
【０５９０】
壁部９６２ｆは、上述した腕部９６２ｅの先端側（屈曲側）の側面をそれぞれ連結して形成され、その正面視における形状が、上述した変位部材９６６の正面視形状よりも大きく形成される。また、壁部９６２ｆは、対向方向（図９３（ｂ）上下方向）における外側の距離寸法Ｌ３（図９３（ｂ）参照）が、上述した背面ベース９４１の一対の第１ガイド壁９４２ｂの対向方向における外側の距離寸法Ｌ４（図９１参照）と略同一に設定される（Ｌ３＝Ｌ４）。さらに、壁部９６２ｆは、重力方向（図９３（ａ）上下方向）における距離寸法Ｌ５（図９３（ａ）参照）が、背面ベース９４１の第１ガイド壁９４２ｂの上端面から立設部９４２ｆの外面までの距離寸法Ｌ６（図９１参照）と略同一に設定される（Ｌ５＝Ｌ６）。これにより、壁部９６２ｆ及び背面ベース９４１との対向間に変位部材９６６を配設できると共に、変位部材９６６を第１ガイド壁９４２ｂの対向間に収容できる。さらに、壁部９６２ｆと背面ベース９４１との対向間に配設される変位部材９６６の摺動溝９６６ａ２を、その対向間に配置することができる。
【０５９１】
突設部９６２ｇは、壁部９６２ｆの一対の腕部９６２ｅの対向方向（図９３（ｂ）上下方向）外側から腕部９６２ｅと反対側に突出して形成され、その突出寸法が、背面ベース９４１の第１ガイド壁９４２ｂの突出寸法と略同一に設定される。また、突設部９６２ｇの対向方向（図９３（ｂ）上下方向）における内側寸法Ｌ７は、背面ベース９４１の一対の第２ガイド壁９４２ｄの対向方向における外側寸法Ｌ８（図９１参照）よりも若干大きく設定される。さらに、突設部９６２ｇは、重力方向の寸法が、第１ガイド壁９４２ｂ及び立設部９４２ｆの対向間の寸法と略同一に設定さる。
【０５９２】
これにより、組み立て状態における駆動ユニット９６０を背面ベース９４１（正面ユニット９４０）に配設する際には、突設部９６２ｇの対向間に第２ガイド壁９４２ｄを挿入すると共に、第１ガイド壁９４２ｂ及び立設部９４２ｆの対向間に突設部９６２ｇを挿入することで、駆動ユニット９６０を背面ベース９４１に対して位置決めして配設できる。
【０５９３】
第２収容部９６３は、無色透明の樹脂材料から形成され、ソレノイド６１０の他側（図９３（ａ）下側）を覆う箱状体に形成される。第２収容部９６３は、上面視において後述するソレノイド６１０の駆動方向（図９３（ｂ）左右方向）に長い矩形状に形成される。また、第２収容部９６３は、長手方向に延設される両壁部の複数箇所に凹設される凹設部９６３ｅと、その複数箇所の凹設部９６３ｅの間から第１収容部９６２側に突出する係合部９６３ｃと、長手方向に延設される両壁部から短手方向に突出する突出部９６３ｂと、短手方向に延設される一方側（背面ベース９４１側（図８５参照）の壁部に凹設される軸受部９６３ｄとを備えて形成される。
【０５９４】
突出部９６３ｂは、第２収容部９６３の短手方向外側に半円弧状に突出して形成され、第１収容部９６２の貫通孔９６２ｄａと同軸の締結孔９６３ｂ１を備える。これにより、第１収容部９６２の貫通孔９６２ｄａ側からネジを挿通したネジを締結孔９６３ｂ１に螺合して、第１収容部９６２と第２収容部９６３とを締結固定できる。
【０５９５】
凹設部９６３ｅは、第１収容部９６２と第２収容部９６３との対向間に形成される空間に空気を循環させる開口である。凹設部９６３ｅを介して空気を循環させることで、第１収容部９６２と第２収容部９６３との対向間に配設されるソレノイド６１０を冷却できる。
【０５９６】
係合部９６３ｃは、複数個並設される凹設部９６３ｅの間から第１収容部９６２側に突出され、その先端が第２収容部９６３の短手方向内側に屈曲する鉤状に形成される。また、上述したように係合部９６３ｃは、第１収容部９６２の被係合部９６２ｃと対応する位置に形成されており、第１収容部９６２と第２収容部９６３とが組み合わされると、係合部９６３ｃが被係合部９６２ｃの内側に配設されると共に、係合部９６３ｃの屈曲部分が第１収容部９６２の一側端面に係合される。
【０５９７】
また、係合部９６３ｃは、凹設部９６３ｅの間に形成されるので、係合部９６３ｃの基端から先端までの距離を長くできる。従って、係合部９６３ｃを第１収容部９６２に配設する場合に、係合部９６３ｃを撓ませ易くでき、係合部９６３ｃを第１収容部９６２に係合させやすくできる。
【０５９８】
軸受部９６３ｄは、後述する伝達部材９６５の回転軸９６５ｃを収容する凹みであり、回転軸９６５ｃの外形よりも大きい形状に凹設される。また、軸受部９６３ｄの第１収容部９６２側の端面は、第１収容部９６２の重力方向一側の側面に覆設されており、第１収容部９６２と第２収容部９６３とが組み合わされた状態では、軸受部９６３ｄに収容された回転軸９６５ｃが軸受部９６３ｄの外側に外れることを抑制できる。
【０５９９】
ソレノイド６１０は、直方体に形成される本体部９６１ａと、その本体部９６１ａの内側に挿入されると共に本体部９６１ａに対して変位可能な軸部９６１ｂと、その軸部９６１ｂの本体部９６１ａと反対側の端部に配設される円環部９６１ｃと、円環部９６１ｃと本体部９６１ａとの間に配設されるコイルばねＳＰ１とを備える。
【０６００】
本体部９６１ａは、電力が付与（供給）されることで、磁性を発生させるコイル部分であり、その磁性により本体部９６１ａに挿入される軸部９６１ｂを内側に引き寄せて挿入できる。
【０６０１】
軸部９６１ｂは、磁性を有する金属材料から形成されると共に、円柱状に形成される。軸部９６１ｂは、軸方向が背面ベース９４１側に向かう方向に配置されると共に、背面ベース９４１側の一部が本体部９６１ａから突出した状態で配置される。
【０６０２】
円環部９６１ｃは、本体部９６１ａから突出した軸部９６１ｂの端部に配置される。円環部９６１ｃには、後述する連結部材９６４が連結される。これにより、軸部９６１ｂが、本体部９６１ａに対して変位されると、その変位が円環部９６１ｃから連結部材９６４に伝達され連結部材９６４を変位させることができる。
【０６０３】
コイルばねＳＰ１は、螺旋状に複数回巻いたバネ部材である。コイルばねＳＰ１は、軸部９６１ｂの周囲に配設されると共に、円環部９６１ｃと本体部９６１ａとの対向間に少し圧縮された状態で配設される。これにより、円環部９６１ｃを本体部９６１ａから離間する方向に付勢できる。従って、本体部９６１ａに電力が付与（供給）されていない状態では、円環部９６１ｃを本体部９６１ａから離間させた状態に維持できる。また、本体部９６１ａに電力が付与（供給）された後、電力の付与（供給）が遮断された際には、円環部９６１ｃを本体部９６１ａから素早く離間させることができる。
【０６０４】
連結部材９６４は、無色透明の樹脂材料から形成される。連結部材９６４は、ソレノイド６１０の円環部９６１ｃの軸と直交する平面と平行な板状体に形成されるベース部９６４ａと、そのベース部９６４ａの重力方向他側から背面ベース９４１側（図８５参照）側に屈曲する立設部９６４ｂとを備えて形成される。
【０６０５】
ベース部９６４ａは、ソレノイド６１０の円環部９６１ｃと連結される部分であり、重力方向一側（図９３（ｂ）紙面奥側）の端面から円環部９６１ｃの直径よりも大きい寸法で凹設される第１凹設部９６４ｃと、その第１凹設部９６４ｃのソレノイド６１０側に位置し軸部９６１ｂの直径よりも大きい寸法で凹設される第２凹設部９６４ｄとを備える。
【０６０６】
第１凹設部９６４ｃは、ソレノイド６１０の円環部９６１ｃを挿入する溝であり、断面視において重力方向一側が開放する略Ｕ字状に形成される。また、第１凹設部９６４ｃは、その溝幅が円環部９６１ｃの板厚よりも大きく設定れる。これにより、第１凹設部９６４ｃに円環部９６１ｃを挿入できる。
【０６０７】
第２凹設部９６４ｄは、上述したように円環部９６１ｃを第１凹設部９６４ｃの内側に配設した場合に、軸部９６１ｂとベース部９６４ａとが干渉することを抑制する切欠きであり、背面視において下側が開放する略Ｕ字状に形成されると共に、第１凹設部９６４ｃ側からソレノイド６１０側に開口して形成される。
【０６０８】
立設部９６４ｂは、重力方向に貫通する挿通孔９６４ｅを備え、その挿通孔９６４ｅの内部に後述する伝達部材９６５の突出部９６５ｄが挿入される。これにより、連結部材９６４がソレノイド６１０の変位により動作されると、挿通孔９６４ｅの内縁に突出部９６５ｄが当接して伝達部材９６５が変位される。なお、伝達部材９６５の変位についての詳しい説明は後述する。
【０６０９】
伝達部材９６５は、側面視において屈曲して形成され、ソレノイド６１０の軸部９６１ｂの変位方向に延設される先端部９６５ａと、その先端部９６５ａと連なると共に連結部材９６４側に延設される回転部９６５ｂとから形成される。
【０６１０】
回転部９６５ｂは、第２収容部９６３の短手方向（図９３（ｂ）上下方向）における幅寸法が、第２収容部９６３に一対形成される軸受部９６３ｄの対向間の寸法よりも小さく形成される。また、回転部９６５ｂは、９６４側の端部に第２収容部９６３の短手方向（図９３（ｂ）上下方向）両側に円柱状に突出する回転軸９６５ｃと、その回転軸９６５ｃの径方向であって重力方向一端側に突出する突出部９６５ｄとを備える。
【０６１１】
回転軸９６５ｃは、上述したように、軸受部９６３ｄの溝幅よりも小さい外径に形成される。また、一対の回転軸９６５ｃは、突出先端同士の離間距離が、第２収容部９６３に一対形成される軸受部９６３ｄの対向間の距離寸法よりも大きく設定される。これにより、一対の回転軸９６５ｃを軸受部９６３ｄの内側に挿入して配設できる。従って、回転軸９６５ｃを軸受部９６３ｄに挿入すると共に第２収容部９６３と第１収容部９６２とを締結することで、伝達部材９６５を回転軸９６５ｃを軸に回転可能な状態で支持できる。
【０６１２】
突出部９６５ｄは、上述したように、連結部材９６４の挿通孔９６４ｅに挿入される突起であり、上面視においてその外形が挿通孔９６４ｅの内縁形状よりも小さく設定される。また、突出部９６５ｄは、ソレノイド６１０の軸部９６１ｂが変位される（本体部９６１ａに電力が付与（供給）される）前の状態において、ソレノイド６１０の軸部９６１ｂの変位方向の幅寸法が、挿通孔９６４ｅの幅寸法よりも十分に大きく設定される（本実施形態では、挿通孔９６４ｅの幅寸法が突出部９６５ｄの幅寸法の２倍に設定される）。これにより、伝達部材９６５が、回転軸９６５ｃを軸に回転変位された場合に、軸部９６１ｂの変位方向両端面の突出部９６５ｄと挿通孔９６４ｅとが当接して伝達部材９６５の回転が規制されることを抑制できる。
【０６１３】
先端部９６５ａは、ソレノイド６１０から離間するに従って回転軸９６５ｃの軸方向における幅寸法が小さく形成される。また、先端部９６５ａは、その先端に上述した変位部材９６６の連結孔９６６ｂ１に挿入される挿入部９６５ｅと、回転部９６５ｂとの連結側から重力方向一側に突設される立設部９６５ｆとを備えて形成される。
【０６１４】
挿入部９６５ｅは、正面視における外形が変位部材９６６の連結孔９６６ｂ１の内縁形状よりも小さく形成されており、連結孔９６６ｂ１の内側に挿通して配設される。これにより、伝達部材９６５が回転変位されると、挿入部９６５ｅと連結孔９６６ｂ１とが当接して変位部材９６６が変位される。なお、伝達部材９６５と変位部材９６６との変位についての詳しい説明は後述する。
【０６１５】
次いで、図９６を参照して、駆動ユニット９６０の変位動作について説明する。図９６（ａ）及び図９６（ｂ）は、図９３（ｂ）のＸＣＶＩ−ＸＣＶＩ線における駆動ユニット９６０の断面図である。なお、図９６（ａ）では、ソレノイド６１０の動作前の状態が図示され、図９６（ｂ）では、ソレノイド６１０の動作後の状態が図示される。また、図９６（ａ）及び図９６（ｂ）では、伝達部材９６５の回転軸９６５ｃの外形が鎖線で図示される。
【０６１６】
図９６（ａ）に示すように、ソレノイド６１０の本体部９６１ａに電力が付与（供給）されていない状態では、本体部９６１ａと円環部９６１ｃとの間に配設されるコイルばねＳＰ１の付勢力により円環部９６１ｃが本体部９６１ａから離間する状態とされる。これにより、円環部９６１ｃに連結される連結部材９６４が本体部９６１ａから離間する方向（図９６（ａ）左側）に押し出された状態とされる。
【０６１７】
連結部材９６４が本体部９６１ａから離間する方向に押し出されると、伝達部材９６５の突出部９６５ｄのソレノイド６１０側（図９６（ａ）右側）の面と、連結部材９６４の挿通孔９６４ｅのソレノイド６１０側の内面とが当接した状態とされる。これにより、伝達部材９６５の先端部９６５ａが回転軸９６５ｃを軸に重力方向一側（図９６（ａ）下側）に押し下げられた状態とされる。また、伝達部材９６５の先端部９６５ａの重力方向一側への変位は、当接部９６５ｇが第２収容部９６３と当接して規制される。
【０６１８】
図９６（ｂ）に示すように、ソレノイド６１０の本体部９６１ａに電力が付与（供給）された状態では、本体部９６１ａに発生する磁力により、軸部９６１ｂが本体部９６１ａの内部に引き込まれ円環部９６１ｃと本体部９６１ａとが（本体部９６１ａに電力が付与（供給）されていない状態よりも）近接される。これにより、円環部９６１ｃに連結される連結部材９６４が本体部９６１ａに近接する方向（図９６（ａ）右側）に変位された状態とされる。
【０６１９】
連結部材９６４が本体部９６１ａに近接する方向に変位されると、伝達部材９６５の突出部９６５ｄのソレノイド６１０と反対側（図９６（ｂ）左側）の面と、連結部材９６４の挿通孔９６４ｅのソレノイド６１０側と反対側（図９６（ｂ）左側）の内面とが当接した状態とされる。これにより、伝達部材９６５の先端部９６５ａが回転軸９６５ｃを軸に重力方向他側（図９６（ｂ）上側）に押し上げられた状態とされる。また、伝達部材９６５の先端部９６５ａの重力方向他側への変位は、伝達部材９６５の先端部９６５ａと回転部９６５ｂとの連結部分が第１収容部９６２と当接して規制される。
【０６２０】
従って、伝達部材９６５の先端部９６５ａが重力方向他側または重力方向一側のどちらか一方に変位されることで、伝達部材９６５を第１収容部９６２または第２収容部９６３のどちらか一方に当接させることができる。これにより、遊技者の不正行為を抑制することができる。
【０６２１】
例えば、遊技者が、遊技者側（遊技領域側）からソレノイド６１０に伝達部材９６５及び第１収容部９６２又は第２収容部９６３の隙間にピアノ線等を挿通した場合に、そのピアノ線の太さの分、伝達部材９６５の変位距離を少なくすることができる。従って、伝達部材９６５により変位される羽部材９４５の変位動作に異常が出るため、店舗の運営者にその不正を発見させやすくできる。
【０６２２】
また、上述したように、伝達部材９６５は、回転軸９６５ｃから延設されると共に変位部材９６６に連結される先端部９６５ａ及び回転部９６５ｂと、回転軸９６５ｃから延設されると共にソレノイド６１０に連結される突出部９６５ｄとを備え、先端部９６５ａ及び回転部９６５ｂが、回転軸９６５ｃの軸方向視において略くの字状に屈曲して形成されるので、変位部材９６６の変位量を確保しつつ、ソレノイド６１０と変位部材９６６の間の距離を抑制できる。
【０６２３】
即ち、先端部９６５ａと回転部９６５ｂとを回転軸９６５ｃの軸方向視において直線状に形成し、且つ、先端部９６５ａと回転部９６５ｂとの長さ寸法距離を、本実施形態の先端部９６５ａと回転部９６５ｂとを合わせた距離と略同等に設定した場合には、変位部材９６６のスライド変位量を本実施形態と同等にできるが、ソレノイド６１０と変位部材９６６との間の距離が嵩み、全体が大型化する。
【０６２４】
一方、先端部９６５ａと回転部９６５ｂとを回転軸９６５ｃの軸方向視において直線状に形成、且つ、先端部９６５ａと回転部９６５ｂとの長さ寸法距離を、本実施形態の挿入部９６５ｅから回転軸９６５ｃまでの距離寸法と略同一に設定した（先端部９６５ａと回転部９６５ｂとの距離を短くした）場合には、ソレノイド６１０と変位部材９６６との間の距離を本実施形態と同等とできるが、変位部材９６６の変位量が小さくなる。
【０６２５】
これに対し、本実施形態によれば、先端部９６５ａと回転部９６５ｂとが、回転軸９６５ｃの軸方向視において略くの字状に屈曲して形成されることで、変位部材９６６のスライド変位量を確保しつつ、ソレノイド６１０と変位部材９６６との間の距離を抑制できる。  また、突出部９６５ｄは、変位部材９６６と反対側となる先端部９６５ａ及び回転部９６５ｂの背面側（図９６（ａ）右側）に形成される。これにより、先端部９６５ａ及び回転部９６５ｂを屈曲させることで生じたスペースを有効に活用して、伝達部材９６５を小型化できる。即ち、正面ユニット９４０の転動部９４３ａ（後述する送球ユニット９７０）及び特定入賞口ユニット９５０の通路部材９５５との間のスペースに伝達部材９６５を効率的に配設して、全体としての小型化を図ることができる。
【０６２６】
次いで、図９７及び図９８を参照して、駆動ユニット９６０と変位部材９６６との連結について詳しく説明する。図９７は、図８３のＸＣＶＩＩ−ＸＣＶＩＩ線における入賞口ユニット９３０の断面図である。図９８（ａ）及び図９８（ｂ）は、図９７のＸＣＶＩＩＩ−ＸＣＶＩＩＩ線における入賞口ユニット９３０の断面図である。なお、図９８（ａ）では、ソレノイド６１０の動作前の状態が図示され、図９８（ｂ）では、ソレノイド６１０の動作後の状態が図示される。
【０６２７】
図９７及び図９８に示すように、駆動ユニット９６０と正面ユニット９４０とが組み上げられた状態では、伝達部材９６５の先端部９６５ａが変位部材９６６の連結孔９６６ｂ１に挿入される。
【０６２８】
従って、上述したように、駆動ユニット９６０のソレノイド６１０が駆動されて、伝達部材９６５の先端部９６５ａが重力方向他側（図９８（ａ）上方）に変位されると、図９８（ａ）及び図９８（ｂ）に示すように、挿入部９６５ｅの膨出部９６５ｅ１と変位部材９６６の連結孔９６６ｂ１の一側被当接部９６６ｂ２とが当接して変位部材９６６が重力方向他側にスライド変位される。
【０６２９】
上述したように、変位部材９６６が重力方向他側（第２入賞口１４０側）にスライド変位されると、羽部材９４５の突起９４５ｂが変位されて、羽部材９４５が開放状態とされる。即ち、ソレノイド６１０の本体部９６１ａに電力を付与することで、羽部材９４５が開放状態とされる。
【０６３０】
一方、ソレノイド６１０の本体部９６１ａへの電力の付与（供給）が遮断されると、上述したようにソレノイド６１０に配設したコイルばねＳＰ１の付勢力により伝達部材９６５の先端部９６５ａが重力方向一側（図９８（ａ）下側）に変位される。これにより、図９８（ａ）に示すように、膨出部９６５ｅ１の反対面と変位部材９６６の連結孔９６６ｂ１の他側被当接部９６６ｂ３とが当接して変位部材９６６が重力方向一側にスライド変位される。
【０６３１】
上述したように、変位部材９６６が重力方向一側（特定入賞口６５ａ側）にスライド変位されると、羽部材９４５の突起９４５ｂが変位されて、羽部材９４５が閉鎖状態とされる。即ち、ソレノイド６１０の本体部９６１ａへの電力の付与（供給）を遮断することで、羽部材９４５が閉鎖状態とされる。
【０６３２】
この場合、本体部９６１ａへの電力の付与（供給）を遮断した状態で、羽部材９４５を閉鎖状態とできるので、本体部９６１ａの配線が断線した場合や遊技者の不正行為により本体部９６１ａの配線が切断された場合に、羽部材９４５が開放状態となり第２入賞口１４０に遊技球が流入しやすい状態とされることを抑制できる。
【０６３３】
また、伝達部材９６５の回転変位は、変位部材９６６の短手方向略中間位置に形成される連結孔９６６ｂ１により変位部材９６６に伝達される。これにより、一対の羽部材９４５と伝達部材９６５との間での変位部材の姿勢変化を許容しやすくできる。よって、伝達部材の回転に伴い、変位部材９６６をスムーズにスライド変位させることができる。その結果、羽部材９４５を確実に開放または閉鎖させることができる。
【０６３４】
即ち、伝達部材９６５の回転に伴って、変位部材９６６をスライド変位させ、一対の羽部材９４５を開放または閉鎖させる動作中に、一対の羽部材９４５の内の一方のみに遊技球からの負荷が作用されると、変位部材９６６の姿勢が変化されるところ、変位部材９６６が、一対の羽部材９４５に対して２カ所で連結されると共に、伝達部材９６５に対しても２カ所で連結されていると、一対の羽部材９４５と伝達部材９６５との間での変位部材９６６の姿勢の変化が許容され難く、変位部材９６６をスライド変位させる（即ち、伝達部材９６５を回転させる）際の抵抗が発生して、羽部材の開放または閉鎖が阻害される。これに対し、本発明によれば、変位部材９６６が、一対の羽部材９４５に対して２カ所で連結されると共に、伝達部材９６５に対して１カ所で連結されているので、一対の羽部材９４５のうちの一方のみに遊技球からの負荷が作用されても、一対の羽部材９４５と伝達部材９６５との間での変位部材９６６の姿勢変化を許容しやすくできる。
【０６３５】
さらに、挿入部９６５ｅの一側被当接部９６６ｂ２及び他側被当接部９６６ｂ３との当接面の幅寸法Ｄ１（図９８（ａ）参照）は、突起９４５ｂの最大外形寸法Ｄ２（図９８（ａ）参照）の３倍よりも小さく設定される。これにより、一対の羽部材９４５と伝達部材９６５との間での変位部材９６６の姿勢変化を許容しやすくできる。即ち、挿入部９６５ｅの幅寸法Ｄ１が大きく設定されると、一対の羽部材９４５と伝達部材９６５との間での変位部材９６６の姿勢変化をした場合に、挿入部９６５ｅと連結孔９６６ｂ１との当接しやすくなり、変位部材９６６の姿勢変化が規制されるところ、かかる挿入部９６５ｅの幅寸法Ｄ１を、突起９４５ｂの最大外形寸法Ｄ２の３倍よりも小さく設定することで、変位部材９６６の姿勢変化が規制されることを抑制できる。その結果、一対の羽部材９４５と伝達部材９６５との間での変位部材９６６の姿勢変化を許容しやすくできる。
【０６３６】
なお、挿入部９６５ｅの幅寸法Ｄ１は、突起９４５ｂの最大外形寸法Ｄ２の２倍よりも小さく設定されることが好ましい。これによれば、変位部材９６６の姿勢が変化した場合に、挿入部９６５ｅと連結孔９６６ｂ１とが当接することを抑制しやすくできる。その結果、一対の羽部材９４５と伝達部材９６５との間での変位部材９６６の姿勢変化を許容しやすくできる。
【０６３７】
次いで、図９９から図１０１を参照して特定入賞口ユニット９５０について説明する。図９９（ａ）は、特定入賞口ユニット９５０の正面図であり、図９９（ｂ）は、特定入賞口ユニット９５０の背面図であり、図９９（ｃ）は、特定入賞口ユニット９５０の上面図である。図１００は、特定入賞口ユニット９５０の分解斜視正面図であり、図１０１は、特定入賞口ユニット９５０の分解斜視背面図である。
【０６３８】
図９９から図１０１に示すように、特定入賞口ユニット９５０は、遊技者側（図９９紙面手前側）が開放する箱状体に形成される入球部材９５３と、その入球部材９５３の開放部分を覆う状態に配設される板部材９５１と、入球部材９５３を挟んで板部材９５１の反対側に配設される通路部材９５５と、板部材９５１を動作させる駆動ユニット９５７とを備えて形成される。
【０６３９】
板部材９５１は、有色半透明の樹脂材料から形成され、板部材９５１を介して入球部材９５３側を流下する遊技球を遊技者に視認させることができる。板部材９５１は、正面視横長矩形の板状体に形成される本体部９５１ａと、その本体部９５１ａの長手方向両外側に円筒状に凹設される軸孔９５１ｂと、本体部９５１ａの長手方向の一方の端部から入球部材９５３側に突出する突起９５１ｃと、本体部９５１ａの長手方向の他方の端部から入球部材９５３側に突出する係合部９５１ｄとを備えて形成される。
【０６４０】
本体部９５１ａは、正面視において後述する入球部材９５３の開放側を覆設する大きさに形成されると共に、上述した正面ユニット９４０の特定入賞口６５ａの内縁形状よりも若干小さい形状とされる。
【０６４１】
軸孔９５１ｂは、本体部９５１ａの重力方向一側（重力方向下側）に形成されると共に、長手方向の両端のそれぞれが同軸上に設定される。また、軸孔９５１ｂは、後述する棒部材９５２の外径よりも若干大きい内径に形成され、内側に棒部材９５２を挿入可能とされる。よって、棒部材９５２を軸孔９５１ｂに挿入した状態で入球部材９５３に支持させることで、板部材９５１を入球部材９５３に対して軸支できる。
【０６４２】
突起９５１ｃは、本体部９５１ａの長手方向の一方側に突出して形成される。これにより、板部材９５１が後述する駆動ユニット９５７の駆動により軸孔９５１ｂを軸に回転変位され、板部材９５１の重力方向他側が遊技領域側に傾斜する状態とされた場合に、本体部９５１ａに流下した遊技球が本体部９５１ａの長手方向の一方側からから落下することを抑制できる。
【０６４３】
係合部９５１ｄは、突出先端に部分的に凹設される凹設部９５１ｄ１を備える。凹設部９５１ｄ１は、その内側に後述する伝達部材９５８の先端部９５８ｃが連結され、駆動ユニット９５７の動作が伝達される。また、係合部９５１ｄは、板部材９５１が軸孔９５１ｂを軸に回転変位された場合に、その一部が流下領域側に突出することで、本体部９５１ａに流下した遊技球が本体部９５１ａの長手方向の他方側から落下することを抑制できる。
【０６４４】
入球部材９５３は、無色透明の樹脂材料から形成される。入球部材９５３は、正面視横長矩形の箱形状に形成される本体部９５３ａと、その本体部９５３ａの開放側と反対側の面に立設される立設壁９５３ｂと、本体部９５３ａの開放側と反対側の面に突設される係合部９５３ｆと、本体部９５３ａの開放側と反対側の面に円環形状に突設される円環突起９５３ｃと、本体部９５３ａの開放側の縁部の長手方向両外側から板部材９５１側に突設される壁部９５３ｄと、本体部９５３ａの長手方向の他方側に通路部材９５５側から板部材９５１側に貫通する挿通孔９５３ｅと、本体部９５３ａの長手方向両端側から突設される突設部９５３ｇと、本体部９５３ａの開放側縁部から板部材９５１側に突出する突起９５３ｈと、本体部９５３ａの底面に貫通形成される２箇所の流入口９５３ｊとを備えて形成される。
【０６４５】
本体部９５３ａは、箱形状の内側部分に遊技球を挿通可能な大きさに形成され、板部材９５１側に開口する開口９５３ａ１と、その開口９５３ａ１から流入される遊技球を転動させる転動面９５３ａ２とを備えて形成される。また、本体部９５３ａの正面視における外形形状は、上述した正面ユニット９４０の立設部９４２ｆの内縁形状よりも若干小さく形成される。これにより、本体部９５３ａ（入球部材９５３）を立設部９４２ｆの内側に挿入して正面ユニット９４０と締結固定できる。なお、本体部９５３ａの内側形状についての詳しい説明は後述する。
【０６４６】
また、本体部９５３ａの長手方向寸法は、上述した一対の羽部材９４５の対向方向外側の離間距離よりも大きく設定される。これにより、遊技領域を流下する遊技球が一対の羽部材９４５の外周面に衝突した場合であっても、遊技球を特定入賞口６５ａを介して本体部９５３ａに流入させることができる。
【０６４７】
開口９５３ａ１は、内縁の形状が遊技球の直径よりも大きく形成されており、板部材９５１が開放状態とされる場合に、遊技球を開口９５３ａ１を介して本体部９５３ａの内側に流入させることができる。
【０６４８】
転動面９５３ａ２は、本体部９５３ａの重力方向下側の内縁であり、上面視において矩形状に形成される。また、背面側（通路部材９５５側）から正面側（板部材９５１側）の方向（短手方向）における寸法が遊技球の直径よりも大きく形成される。よって、開口９５３ａ１から本体部９５３ａの内側に送球される遊技球を、転動面９５３ａ２で転動させることができる。
【０６４９】
立設壁９５３ｂは、本体部９５３ａの開放側と反対側に配設される検出装置ＳＥ１を保持する壁であり、背面視略横長矩形に形成される検出装置ＳＥ１の３方向の外周面を囲う大きさに形成される。
【０６５０】
係合部９５３ｆは、立設壁９５３ｂにより囲われた３方向以外の検出装置ＳＥ１の外周面に沿って形成される。これにより、検出装置ＳＥ１を立設壁９５３ｂ及び係合部９５３ｆにより囲われた部分の内側に配設できる。また、係合部９５３ｆは、基端側から検出装置ＳＥ１の厚み分の距離を隔てた先端部分が立設壁９５３ｂ側に屈曲される。よって、検出装置ＳＥ１と係合部９５３ｆとが係合して、本体部９５３ａに配設した検出装置ＳＥ１が脱落することを抑制できる。
【０６５１】
なお、検出装置ＳＥ１は、遊技球の通過を検知する装置であり、その厚み方向に遊技球よりも若干大きい内径の検出孔ＳＥ１ａが貫通形成される。検出孔ＳＥ１ａは、背面視横長矩形の状態で配設される検出装置ＳＥ１の長手方向のどちらか一方または他方に偏って形成されており、検出孔ＳＥ１ａが形成されていない長手方向のどちらか他方または一方に検出装置ＳＥ１を制御する検出基板ＳＥ１ｂが配設される。また、検出孔ＳＥ１ａは、後述する流入口９５３ｊと対応する位置に配置されており、流入口９５３ｊに流入する遊技球を通過させることができる。
【０６５２】
円環突起９５３ｃは、本体部９５３ａの開放側と反対側に円環状に複数箇所から突出して形成され、その内縁部分に通路部材９５５と入球部材９５３と締結固定するネジが螺合される。
【０６５３】
壁部９５３ｄは、本体部９５３ａの長手方向両外側に一対形成されており、その対向間における距離寸法が、板部材９５１の長手方向寸法よりも短く形成される。これにより、一対の壁部９５３ｄの対向間に板部材９５１を配設できる。
【０６５４】
また、壁部９５３ｄには、本体部９５３ａの長手方向（図９９（ａ）左右方向）に円形状に貫通する軸孔９５３ｄ１が形成される。軸孔９５３ｄ１は、板部材９５１の軸孔９５１ｂの内径と略同一の大きさに形成される。よって、一対の壁部９５３ｄの対向間に板部材９５１を配置した後に、板部材９５１の長手方向両外側から、棒部材９５２を軸孔９５３ｄ１及び軸孔９５１ｂに挿入することで、板部材９５１を入球部材９５３に軸支できる。
【０６５５】
さらに、壁部９５３ｄは、上述した正面ユニット９４０の背面ベース９４１に形成される凹部９４１ｈの凹設距離よりも小さい突出寸法に形成される。従って、正面ユニット９４０及び特定入賞口ユニット９５０を組み合わせた状態とすることで、凹部９４１ｈの内側に壁部９５３ｄを収容できる。これにより、軸孔９５３ｄ１及び軸孔９５１ｂに挿入した棒部材９５２が抜け出ることを抑制できる。
【０６５６】
挿通孔９５３ｅは、後述する通路部材９５５に配設される伝達部材９６５の一部を板部材９５１側に挿通させる孔であり、通路部材９５５に配設される伝達部材９６５と対応する位置に形成される。
【０６５７】
突設部９５３ｇは、正面ユニット９４０の連結突起９４２ｊの軸上に突出形成される。また、正面ユニット９４０と特定入賞口ユニット９５０とが組み合わされた状態において、連結突起９４２ｊの内円９４２ｊ１と突設部９５３ｇに貫通形成される挿通孔９５３ｇ１とが同軸上に配置されると共に、突設部９５３ｇと連結突起９４２ｊとが当接される。これにより、特定入賞口ユニット９５０側から挿通孔９５３ｇ１に挿通したねじを、内円９４２ｊ１に螺合することで、特定入賞口ユニット９５０と正面ユニット９４０とを締結固定できる。
【０６５８】
突起９５３ｈは、板部材９５１側に突出して形成される。これにより、後述する駆動ユニット９５７により板部材９５１が変位される際に、板部材９５１と本体部９５３ａの縁部との間に遊技球が挟まり難くできる。
【０６５９】
また、突起９５３ｈは、板部材９５１の突起９５１ｃ及び係合部９５１ｄの板部材９５１の長手方向（図９９（ａ）左右方向）において略同一の位置に形成される。これにより、突起９５３ｈの突出側に遊技球を転動し難くできる。その結果、板部材９５１が変位される際に、板部材９５１と突起９５１ｃとの間に遊技球が挟まり難くできる。
【０６６０】
流入口９５３ｊは、板部材９５１側から通路部材９５５側に、遊技球の直径よりも大きい内縁形状に開口して形成される。流入口９５３ｊは、本体部９５３ａの内側に流入した遊技球を通路部材９５５に送球する孔であり、本体部９５３ａの長手方向に一対形成される。
【０６６１】
ここで、遊技球が入球可能に形成される入球口とその入球口を開閉する開閉部材と、入球口に入球された遊技球の通路を形成する通路部材とを備えた遊技機が知られている。入球口は、複数の遊技球が同時に入球可能な大きさに形成され、入球口に入球された遊技球は、転動面を転動することで通路部材に集められ、通路部材へ一球ずつ流入される。しかしながら、上述した従来の遊技機では、入球口を大型化すると、その分入球口の端部から通路部材までの遊技球の転動距離（転動面の長さ）が長くなる。そのため、通路部材へ到着するまでに時間を要し、開閉部材により入球口を閉鎖するまでに別の遊技球が入球口から入球されることで、オーバー入賞が生じ易いという問題があった。
【０６６２】
これに対して、本実施形態では、流入口９５３ｊが、所定の間隔を隔てて一対（２箇所に）形成されるので、本体部９５３ａの開口９５３ａ１を大型化した場合でも、流入口９５３ｊまでの遊技球の転動距離（転動面の長さ）の長さを短くできる。よって、その分、流入口９５３ｊへ到達するまでの時間を短くして、流入口９５３ｊへ短時間で流入させることができる。その結果、板部材９５１により開口９５３ａ１を閉鎖するまでの間に別の遊技球が入球されることを抑制して、オーバー入賞を抑制できる。
【０６６３】
さらに、入球部材９５３への遊技球の流入を検出する検出装置ＳＥ１は、流入口９５３ｊと後述する通路部材９５５の凹設部９５５ａとの連結部分に配設される。これにより、本体部９５３ａの開口９５３ａ１に入球した遊技球をより短時間で検知できる。よって、板部材９５１により開口９５３ａ１を閉鎖するまでの間に別の遊技球が入球されることを抑制でき、オーバー入賞を抑制できる。
【０６６４】
また、流入口９５３ｊは、正面ユニット９４０及び特定入賞口ユニット９５０が締結された状態において、閉鎖状態の一対の羽部材９４５と重力方向に重ならない位置に形成される。即ち、一対の流入口９５３ｊの間に閉鎖状態の一対の羽部材９４５が配置される。
【０６６５】
ここで、上述したように、特定入賞口ユニット９５０は、第２入賞口１４０（一対の羽部材９４５）の重力方向下側に配設される。また、一対の羽部材９４５は、遊技領域に配設されるので、遊技領域を流下する遊技球が一対の羽部材９４５の重力方向下側に流下し難い。従って、特定入賞口ユニット９５０の入球部材９５３に流入する遊技球の流入位置に偏りが生じる。本実施形態では、上述したように、流入口９５３ｊが閉鎖状態の一対の羽部材９４５と重力方向に重ならない位置に形成されるので、入球部材９５３に流入する遊技球の流入が多い位置に流入口９５３ｊを近づけることができる。これにより、入球部材９５３に流入する遊技球を短時間で流入口９５３ｊに流入させることができる。その結果、入球部材９５３への遊技球のオーバー入賞を抑制できる。
【０６６６】
通路部材９５５は、無色透明な樹脂材料から形成され、その正面視における外形が、上述した入球部材９５３の正面視における外形と略同一の形状に形成される。また、通路部材９５５は、各検出装置ＳＥ１の検出孔ＳＥ１ａと対向する位置に凹設される一対の凹設部９５５ａと、長手方向の他方側に位置し駆動ユニット９５７側から入球部材９５３側に貫通形成される第２開口９５５ｂと、長手方向両端に駆動ユニット９５７側から入球部材９５３側に貫通形成される一対の第３開口９５５ｃと、その第３開口９５５ｃの重力方向他側に凹設される転動部９５５ｄと、一対の凹設部９５５ａの間に位置し駆動ユニット９５７側から凹設される第２凹設部９５５ｆとを備えて形成される。
【０６６７】
凹設部９５５ａは、検出孔ＳＥ１ａを挿通する遊技球を案内する通路であり、通路部材９５５の長手方向の凹設寸法および駆動ユニット９５７側の凹設寸法が、遊技球の直径よりも大きく設定される。
【０６６８】
第２開口９５５ｂは、後述する駆動ユニット９５７の連結部材９５７ｃ及び伝達部材９５８が配設される空間である。また、第２開口９５５ｂの内周面には、通路部材９５５の長手方向に円柱状に突出する軸部９５５ｂ１（図１０２（ａ）参照）が形成される。軸部９５５ｂ１は、伝達部材９５８の軸孔９５８ｂの内径よりも小さい外径に形成されており、軸孔９５８ｂに軸部９５５ｂ１を挿通することで、伝達部材９５８を軸支できる。
【０６６９】
第３開口９５５ｃは、内部に検出孔ＳＥ１ａの挿通方向が重力方向と平行に配置された検出装置ＳＥ２を配設する空間であり、正面視における検出装置ＳＥ２の外形形状と略同一に設定される。これにより、第３開口９５５ｃの内側に検出装置ＳＥ２を配設できる。また、検出装置ＳＥ２は、第３開口９５５ｃの内部に配設された状態において、検出孔ＳＥ１が入球部材９５３側に突出される。
【０６７０】
また、第３開口９５５ｃの縁部には、係合部９５５ｅが駆動ユニット９５７側に突出する。係合部９５５ｅは、その突出先端が第３開口９５５ｃの内側に屈曲される。第３開口９５５ｃに検出装置ＳＥ２が配設されると、係合部９５５ｅの屈曲部分が検出装置ＳＥ２の検出基板ＳＥ１ｂ側に係合される。これにより、第３開口９５５ｃの内側に挿入された検出装置ＳＥ２が駆動ユニット９５７側に抜け出ることを抑制できる。
【０６７１】
転動部９５５ｄは、円弧状に湾曲して形成される。また、転動部９５５ｄは、正面ユニット９４０及び特定入賞口ユニット９５０とが組み合わされた状態において、板部材９５１側の端部が、正面ユニット９４０の第３送球部９４２ｅに連結される。これにより、正面ユニット９４０の第２アウト口９４１ｆに流入する遊技球を特定入賞口ユニット９５０の転動部９５５ｄに送球できる。
【０６７２】
また、転動部９５５ｄの他端側は、第３開口９５５ｃに配設される検出装置ＳＥ２の検出孔ＳＥ１ａの重力方向他側に位置される。これにより、転動部９５５ｄを転動する遊技球をその他端側から落下させて検出装置ＳＥ２の検出孔ＳＥ１ａに挿通させることができる。これにより、第２アウト口９４１ｆに流入した遊技球の球数を検出装置ＳＥ２より計測できる。
【０６７３】
第２凹設部９５５ｆは、上述したように遊技球の通路となる一対の凹設部９５５ａの間に形成される。第２凹設部９５５ｆは、上述した駆動ユニット９６０が配設される窪みであり、通路部材９５５の長手方向（図９９（ｃ）左右方向）における距離寸法が、上述した駆動ユニット９６０の第２収容部９６３の短手方向（図９３（ｂ）上下方向）の距離寸法よりも大きく設定される。
【０６７４】
第２凹設部９５５ｆには、通路部材９５５の長手方向中間位置に貫通形成される挿通孔９５５ｈと、駆動ユニット９５７側に突出する突起９５５ｇとが形成される。挿通孔９５５ｈは、入球部材９５３及び通路部材９５５を締結するネジを挿通する孔であり、ネジの先端の外径よりも大きい内径に形成される。
【０６７５】
突起９５５ｇは、円柱状に形成されると共に、中心に締結孔９５５ｇ１が円形に凹設される。締結孔９５５ｇ１は、駆動ユニット９６０と通路部材９５５（特定入賞口ユニット９５０）とを締結するネジを螺合させる孔であり、駆動ユニット９６０の第２収容部９６３に形成される長孔９６３ｆと対向する位置に形成される。これにより、駆動ユニット９６０と通路部材９５５（特定入賞口ユニット９５０）とを締結固定できる。
【０６７６】
駆動ユニット９５７は、ソレノイド９５７ａと、そのソレノイド９５７ａを覆うケース部材９５７ｂと、ソレノイド９５７ａの変位部分に配設される連結部材９５７ｃとを備えて形成される。
【０６７７】
ソレノイド９５７ａは、直方体に形成される本体部９５７ａ１と、その本体部９５７ａ１の内側に挿入されると共に本体部９５７ａ１に対して変位可能な軸部９５７ａ２と、その軸部９５７ａ２の本体部９５７ａ１と反対側の端部に配設される円環部９５７ａ３と、円環部９５７ａ３と本体部９５７ａ１との間に配設されるコイルばねＳＰ２とを備える。
【０６７８】
本体部９５７ａ１は、電力が付与（供給）されることで、磁性を発生させるコイル部分であり、その磁性により本体部９５７ａ１に挿入される軸部９５７ａ２を本体部９５７ａ１の内側に引き寄せて挿入可能とされる。
【０６７９】
軸部９５７ａ２は、磁性を有する金属材料から形成されると共に、円柱状に形成される。軸部９５７ａ２は、軸方向が通路部材９５５に向かう方向に配置されると共に、背面ベース９４１側の一部が本体部９５７ａ１から突出した状態で配置される。
【０６８０】
円環部９５７ａ３は、本体部９５７ａ１から突出した軸部９５７ａ２の端部に配置される。円環部９５７ａ３には、後述する連結部材９５７ｃが連結される。これにより、軸部９５７ａ２が、本体部９５７ａ１に対して変位されると、その変位が円環部９５７ａ３から連結部材９５７ｃに伝達され連結部材９５７ｃを変位させることができる。
【０６８１】
コイルばねＳＰ２は、螺旋状に複数回巻いたバネ部材である。コイルばねＳＰ２は、軸部９５７ａ２の周囲に配設されると共に、円環部９５７ａ３と本体部９５７ａ１との対向間に少し圧縮された状態で配設される。これにより、円環部９５７ａ３を本体部９５７ａ１から離間する方向に付勢できる。従って、本体部９５７ａ１に電力が付与（供給）されていない状態では、円環部９５７ａ３を本体部９５７ａ１から離間させた状態に維持できる。また、本体部９５７ａ１に電力が付与（供給）された後、電力の付与（供給）が遮断された際には、円環部９５７ａ３を本体部９５７ａ１から素早く離間させることができる。
【０６８２】
ケース部材９５７ｂは、ソレノイド９５７ａの本体部９５７ａ１を覆設する箱状体に形成され、軸部９５７ａ２が挿入される側の一面が開放される。また、ケース部材９５７ｂは、軸部９５７ａ２の軸方向に貫通する挿通孔９５７ｂ１と、開放側と反対側に貫通形成される開口９５７ｂ２とを備えて形成される。
【０６８３】
挿通孔９５７ｂ１は、通路部材９５５とケース部材９５７ｂ（駆動ユニット９５７）とを締結するネジを挿通するネジ穴であり、ネジの先端部の外形よりも大きく形成される。また、挿通孔９５７ｂ１を挿通されたネジは、通路部材９５５に螺合される。
【０６８４】
開口９５７ｂ２は、軸部９５７ａ２の反対側に形成される。これにより、本体部９５７ａ１に配線ＨＳ１（図１０５参照）を開口９５７ｂ２を介して連結できる。
【０６８５】
連結部材９５７ｃは、無色透明の樹脂材料から形成される。連結部材９５７ｃは、ソレノイド９５７ａの円環部９５７ａ３の軸と直交する平面と平行な板状体に形成される。連結部材９５７ｃは、重力方向一側（図９９（ｂ）下側）の端面から円環部９５７ａ３の直径よりも大きい寸法で凹設される第１凹設部９５７ｃ１と、その第１凹設部９５７ｃ１のソレノイド９５７ａ側に位置し軸部９５７ａ２の直径よりも大きい寸法に凹設される第２凹設部９５７ｃ２と、入球部材９５３側に突出する係合部９５７ｃ３とを備える。
【０６８６】
第１凹設部９５７ｃ１は、ソレノイド９５７ａの円環部９５７ａ３を挿入する溝であり、断面視において重力方向一側が開放する略Ｕ字状に形成される。また、第１凹設部９５７ｃ１は、その溝幅が、円環部９５７ａ３の板厚よりも大きく設定される。これにより、第１凹設部９５７ｃ１に円環部９５７ａ３を挿入できる。
【０６８７】
第２凹設部９５７ｃ２は、上述したように円環部９５７ａ３を第１凹設部９５７ｃ１の内側に配設した場合に、軸部９５７ａ２と連結部材９５７ｃとが干渉することを抑制する切欠きであり、背面視において重力方向一側が開放する略Ｕ字状に形成されると共に、第１凹設部９５７ｃ１側からソレノイド９５７ａ側に開口して形成される。
【０６８８】
係合部９５７ｃ３は、側面視略Ｌ字に屈曲して形成される。係合部９５７ｃ３は、屈曲部分の内側に後述する伝達部材９５８の連結部９５８ａが配設される。これにより、連結部材９５７ｃが、ソレノイド９５７ａの変位により動作されると、係合部９５７ｃ３の内縁に連結部９５８ａが当接して伝達部材９５８が変位される。なお、伝達部材９５８の変位についての詳しい説明は後述する。
【０６８９】
伝達部材９５８は、側面視略三角形の板状体に形成される。伝達部材９５８は、板厚方向に円形状に貫通する軸孔９５８ｂと、連結部材９５７ｃ側の端部から板厚方向に円柱状に突出する連結部９５８ａと、板部材９５１側に突出する先端部９５８ｃとを備えて形成される。
【０６９０】
軸孔９５８ｂは、上述したように、軸部９５５ｂ１（図１０２（ａ）参照）が挿入される貫通孔である。また、軸孔９５８ｂは、その内径が軸部９５５ｂ１の外径よりも若干大きく形成される。これにより、伝達部材９５８が通路部材９５５に回転可能な状態で軸支される。
【０６９１】
連結部９５８ａは、上述したように、係合部９５７ｃ３の屈曲部分の内側に配設される。これにより、連結部材９５７ｃが、ソレノイド９５７ａの変位により動作されると、係合部９５７ｃ３の内縁に連結部９５８ａが当接して伝達部材９５８が軸孔９５８ｂを軸に回転変位される。
【０６９２】
先端部９５８ｃは、板部材９５１の凹設部９５１ｄ１に挿入して配設される。従って、ソレノイド９５７ａが動作されて、伝達部材９５８が軸孔９５８ｂの軸を中心に回転された場合に、先端部９５８ｃが変位することで、係合部９５１ｄ押し上げることができる。これにより、板部材９５１を回転させることができる。
【０６９３】
次いで、図１０２及び図１０３を参照して、板部材９５１の変位について説明する。図１０２（ａ）及び図１０２（ｂ）は、図９９（ｃ）のＣＩＩ−ＣＩＩ線における特定入賞口ユニット９５０の断面図である。図１０３（ａ）及び図１０３（ｂ）は、特定入賞口ユニット９５０の斜視正面図である。
【０６９４】
なお、図１０２（ａ）及び図１０３（ａ）では、板部材９５１の閉鎖状態が図示され、図１０３（ａ）及び図１０３（ｂ）では、板部材９５１の開放状態が図示される。また、板部材９５１の閉鎖状態とは、本体部９５１ａが入球部材９５３の本体部９５３ａの開口部分を覆う状態であり、板部材９５１の開放状態は、本体部９５１ａが入球部材９５３の本体部９５３ａの開口から離間した状態である。
【０６９５】
図１０２（ａ）及び図１０３（ａ）に示すように、ソレノイド９５７ａの本体部９５７ａ１への電力の付与（供給）が遮断された状態では、コイルばねＳＰ２の付勢力により軸部９５７ａ２が板部材９５１側（図１０２（ａ）左側）に突出した状態とされる。これにより、軸部９５７ａ２（円環部９５７ａ３）に配設される連結部材９５７ｃも同様に、本体部９５７ａ１側から離間する板部材９５１側に配置される。
【０６９６】
この場合、上述したように、伝達部材９５８の連結部９５８ａ（図１０１参照）は、連結部材９５７ｃの係合部９５７ｃ３の内側に配置されるので、連結部９５８ａが板部材９５１側に押し出される。これにより、伝達部材９５８の先端部９５８ｃには、軸孔９５８ｂを中心に重力方向一側（図１０２（ａ）下側）に回転する方向に力が伝達される。
【０６９７】
先端部９５８ｃが重力方向一側に押し下げられると、先端部９５８ｃと凹設部９５１ｄ１とが当接して、板部材９５１の本体部９５１ａが入球部材９５３の本体部９５３ａの開口９５３ａ１側に近づく方向に回転される。これにより、板部材９５１を閉鎖状態に維持することができる。
【０６９８】
また、板部材９５１が閉鎖状態とされる場合には、連結部材９５７ｃの板部材９５１側の面と、伝達部材９５８のソレノイド９５７ａ側の面とが、当接した状態とされる。これにより、遊技者が不正操作をして板部材９５１側を無理に開放状態とする場合には、連結部材９５７ｃの板部材９５１側の面を、伝達部材９５８のソレノイド９５７ａ側の面で押し出すことができるので、連結部９５８ａ又は係合部９５７ｃ３に不正操作の力がかかることを抑制できる。その結果、連結部９５８ａ又は係合部９５７ｃ３が破損することを抑制できる。
【０６９９】
図１０２（ｂ）及び図１０３（ｂ）に示すように、ソレノイド９５７ａの本体部９５７ａ１に電力が付与（供給）された状態では、軸部９５７ａ２が本体部９５７ａ１の内側に引き込まれ（吸着され）た状態とされる。これにより、軸部９５７ａ２（円環部９５７ａ３）に配設される連結部材９５７ｃも同様に、本体部９５７ａ１側に配置される。
【０７００】
この場合、上述したように、伝達部材９５８の連結部９５８ａ（図１０１参照）は、連結部材９５７ｃの係合部９５７ｃ３の内側に配置されるので、連結部材９５７ｃの変位に伴って本体部９５８ａ１側（図１０２（ｂ）右側）に変位される。これにより、伝達部材９６５には、先端部９５８ｃを軸孔９５８ｂを中心に重力方向他側（図１０２（ｂ）上側）に回転する方向の力が伝達される。
【０７０１】
先端部９５８ｃが、重力方向他側に押し上げられると、先端部９５８ｃと凹設部９５１ｄ１とが当接して、板部材９５１の本体部９５１ａが、入球部材９５３の本体部９５３ａの開口側から離間する方向に回転される。これにより、板部材９５１を開放状態にできる。
【０７０２】
また、板部材９５１が閉鎖状態から開放状態に変位される場合には、板部材９５１の自重を利用して板部材９５１を開放方向に変位させることができるので、連結部９５８ａ又は係合部９５７ｃ３に力がかかることを抑制できる。その結果、連結部９５８ａ又は係合部９５７ｃ３が破損することを抑制できる。
【０７０３】
次いで、図１０４を参照して、入球部材９５３の本体部９５３ａの内側部分について説明する。図１０４（ａ）は、特定入賞口ユニット９５０の正面図であり、図１０４（ｂ）は、図１０４（ａ）のＣＩＶｂ−ＣＩＶｂ線における特定入賞口ユニット９５０の断面図である。なお、図１０４（ａ）では、板部材９５１が取り外された状態が図示され、図１０４（ｂ）では、板部材９５１が取り付けられた状態が図示される。また、図１０４（ａ）及び図１０４（ｂ）では、板部材９５１の閉鎖状態が図示される。
【０７０４】
図１０４に示すように、本体部９５３ａの内側には、本体部９５３ａの長手方向（図１０４（ａ）左右方向）中間位置から外側に向かって重力方向一側に傾斜する傾斜面９５４ａと、その傾斜面９５４ａの端部に凹設される凹部９５４ｂと、傾斜面９５４ａ及び凹部９５４ｂの連結部分に突設される突設部９５４ｃと、長手方向の両端の各面および通路部材９５５側の面に連なって立設される立設壁９５４ｄとを備えて形成される。
【０７０５】
傾斜面９５４ａは、一対の流入口９５３ｊの対向間に流入する遊技球を流入口９５３ｊ側に転動させる遊技球の転動面であり、流入口９５３ｊ側に向かって下降傾斜して形成される。これにより、流入口９５３ｊの対向間に流入する遊技球を流入口９５３ｊへ流入口に転動させることができる。
【０７０６】
凹部９５４ｂは、流入口９５３ｊの前方（図１０４（ｂ）下方）に位置し、重力方向一側（重力方向下側）に向かって凹設される。また、凹部９５４ｂは、凹設先端面が流入口９５３ｊに向かって下降傾斜して形成されており、本体部９５３ａの転動面９５３ａ２を転動する遊技球を受け入れて流入口９５３ｊ（通路部材９５５の凹設部９５５ａ）に案内することができる。よって、本体部９５３ａの開口９５３ａ１から入球した遊技球を通路部材９５５の凹設部９５５ａへ短時間で流入させることができ、その結果、板部材９５１により開口９５３ａ１を閉鎖するまでの間に別の遊技球が入球されることを抑制して、オーバー入賞を抑制できる。
【０７０７】
また、凹部９５４ｂは、転動面９５３ａ２の長手方向に略直交する方向（図１０４（ｂ）上下方向）に直線状に延設される。これにより、転動面９５３ａ２をその転動面９５３ａ２の長手方向（図１０４（ｂ）左右方向）に転動する遊技球を凹部９５４ｂに受け入れやすくできると共に、受け入れた遊技球を通路部材９５５へ短時間で案内する（流入させる）ことができる。その結果、板部材９５１により開口９５３ａ１を閉鎖するまでの間に別の遊技球が入球されることを抑制して、オーバー入賞を抑制できる。
【０７０８】
さらに、凹部９５４ｂは、転動面９５３ａ２の長手方向における幅寸法Ｌ９（図１０４（ｂ）参照）が遊技球の直径と略同一に設定される。これにより、凹部９５４ｂに複数の遊技球が受け入れられる場合に、それら各遊技球を整列させた状態で通路部材９５５へ速やかに流入させることができる。その結果、板部材９５１により開口９５３ａ１を閉鎖するまでの間に別の遊技球が入球されることを抑制して、オーバー入賞を抑制できる。
【０７０９】
また、凹部９５４ｂは、通路部材９５５側から開口９５３ａ１側（板部材９５１側）に向かって転動面９５３ａ２の長手方向における幅寸法が小さくされる。これにより、転動面９５３ａ２をその転動面９５３ａ２の長手方向に転動する遊技球が凹部９５４ｂに受け入れられた場合に、遊技球を通路部材９５５側に流れやすくできる。その結果、板部材９５１により開口９５３ａ１を閉鎖するまでの間に別の遊技球が入球されることを抑制して、オーバー入賞を抑制できる。
【０７１０】
第２傾斜面９５４ｅは、上述した傾斜面９５４ａに対して転動面９５３ａ２の長手方向に凹部９５４ｂを挟んで反対側に形成されると共に、流入口９５３ｊ（通路部材９５５）に向かって下降傾斜して形成される。これにより、第２傾斜面９５４ｅ側に入球した遊技球を、第２傾斜面９５４ｅの下降傾斜を利用して、流入口９５３ｊの手前に転動させ、通路部材９５５へ向けて速やかに転動させることができる。その結果、板部材９５１により開口９５３ａ１を閉鎖するまでの間に別の遊技球が入球されることを抑制して、オーバー入賞を抑制できる。
【０７１１】
立設壁９５４ｄは、第２傾斜面９５４ｅと所定の距離離間する位置に形成されると共に、第２傾斜面９５４ｅに流入する遊技球の転動方向を流入口９５３ｊ（通路部材９５５）側に第２案内面９５４ｄ１を備える。
【０７１２】
第２案内面９５４ｄ１は、開口９５３ａ１側の端面であり、転動面９５３ａ２の長手方向において、凹部９５４ｂ側に向かって開口９５３ａ１側から流入口９５３ｊ側に傾いて形成される。即ち、第２案内面９５４ｄ１は、開口９５３ａ１から通路部材９５５へ向けて傾斜し転動面９５３ａ２を転動する遊技球に当接可能に形成されると共に、転動面９５３ａ２の長手方向端部と通路部材９５５との間に配設される。これにより、開口９５３ａ１の長手方向端部から本体部９５３ａに流入する遊技球を、通路部材９５５へ向けて速やかに転動させることができる。その結果、板部材９５１により、開口９５３ａ１を閉鎖するまでの間に別の遊技球が入球されることを抑制して、オーバー入賞を抑制できる。
【０７１３】
突設部９５４ｃは、傾斜面９５４ａの転動面９５３ａ２の長手方向両端部に形成されると共に、重力方向他側（重力方向上側）に向かって突設される。これにより、傾斜面９５４ａを転動面９５３ａ２の長手方向（図１０４（ｂ）左右方向）外側に転動する遊技球の転動速度を凹部９５４ｂ（通路部材９５５）の手前で減速させることができる。即ち、凹部９５４ｂまでは、遊技球の転動速度を速くしつつ、凹部９５４ｂの手前（直前）で遊技球の転動を減速させて、遊技球が傾斜面９５４ａから凹部９５４ｂを通過して第２傾斜面９５４ｅまで転動することを抑制できる。よって、その分、遊技球を通路部材９５５へ短時間で流入させることができる。その結果、板部材９５１により、開口９５３ａ１を閉鎖するまでの間に別の遊技球が入球されることを抑制して、オーバー入賞を抑制できる。
【０７１４】
また、突設部９５４ｃは、上面視略三角形に形成され、１面が開口９５３ａ１と反対側の面に連結されると共に、残りの２面の内の１面が凹部９５４ｂ側の側縁部９５４ｃ３が凹部９５４ｂの側面に連結して形成され、残りの１面の案内面９５４ｃ１が遊技球の傾斜面９５４ａの遊技球の転動方向（転動面９５３ａ２の長手方向外側方向）に向かって開口９５３ａ１側に傾斜して形成される。これにより、傾斜面９５４ａを転動面９５３ａ２の長手方向に転動する遊技球の転動面９５３ａ２の長手方向における転動速度を凹部９５４ｂ（通路部材９５５）の手前で減速させることができる。
【０７１５】
即ち、凹部９５４ｂまでは、遊技球の転動面９５３ａ２の長手方向における転動速度を速くしつつ、凹部９５４ｂの手前（直前）で遊技球の転動面９５３ａ２の長手方向における転動を減速させて、遊技球が傾斜面９５４ａから凹部９５４ｂを通過して第２傾斜面９５４ｅまで転動することを抑制できる。よって、その分、遊技球を通路部材９５５へ短時間で流入させることができる。その結果、板部材９５１により、開口９５３ａ１を閉鎖するまでの間に別の遊技球が入球されることを抑制して、オーバー入賞を抑制できる。
【０７１６】
また、上述したように、板部材９５１の回転軸は、本体部９５３ａの開口９５３ａ１の短手方向における両端部の間に形成されるので、板部材９５１が開放された状態とされる場合に、板部材９５１の端部が転動面９５３ａ２よりも重力方向一端（重力方向上）側に位置できる。これにより、板部材９５１が開放状態とされた場合に、本体部９５１ａの内側に流入した遊技球が、本体部９５１ａの開口９５３ａ１側から飛び出ることを抑制できる。
【０７１７】
さらに、案内面９５４ｃ１により開口９５３ａ１側に案内された遊技球を、板部材９５１に当接させることができるので、傾斜面９５４ａを転動面９５３ａ２の長手方向に転動する遊技球の転動速度を凹部９５４ｂ（通路部材９５５）の手前で減速させることができる。即ち、凹部９５４ｂまでは、遊技球の転動速度を速くしつつ、凹部９５４ｂの手前（直前）で遊技球の転動を減速させて、遊技球が傾斜面９５４ａから凹部９５４ｂを通過して第２傾斜面９５４ｅまで転動することを抑制できる。よって、その分、遊技球を通路部材９５５へ短時間で流入させることができる。その結果、板部材９５１により、開口９５３ａ１を閉鎖するまでの間に別の遊技球が入球されることを抑制して、オーバー入賞を抑制できる。
【０７１８】
また、案内面９５４ｃ１は、側縁部９５４ｃ３と流入口９５３ｊとの連結部分から傾斜面９５４ａとの連結部分の側辺部９５４ｃ２に向かう下降傾斜形状に形成される。これにより、傾斜面９５４ａを転動面９５３ａ２の長手方向に転動する遊技球が開口９５３ａ１から飛び出ることを抑制しつつ、その遊技球を流入口９５３ｊ（通路部材９５５）へ短時間で流入させることができる。
【０７１９】
即ち、傾斜面９５４ａを通路部材９５５へ向けて転動面９５３ａ２の長手方向に沿って転動される遊技球のうち、転動速度が比較的低い（遅い）遊技球に対しては、開口９３３ａ１から外部へ飛び出る恐れが低いので、案内面９５４ｃ１に当接させて、開口９５３ａ１側へ案内することで、傾斜面９５４ａから凹部９５４ｂを通過して第２傾斜面９５４ｅまで転動することを抑制して、その分、通路部材９５５へ短時間で流入させることができる。一方、転動速度が比較的高い（速い）遊技球に対しては、案内面９５４ｃ１を乗り越えさせて、第２傾斜面９５４ｅ側に形成さえる立設壁９５４ｄまで案内することができる。よって、案内面９５４ｃ１の乗り越えと、立設壁９５４ｄへの衝突とにより遊技球の運動エネルギーを消費させ、確実に減速させることができる。よって、傾斜面９５４ａを転動面９５３ａ２の長手方向に転動する遊技球を、開口９５３ａ１から飛び出ることを抑制しつつ、流入口９５３ｊ（通路部材９５５）へ早く流入させることができる。これらの結果、板部材９５１により、開口９５３ａ１を閉鎖するまでの間に別の遊技球が入球されることを抑制して、オーバー入賞を抑制できる。
【０７２０】
また、突設部９５４ｃは、立設壁９５４ｄと対向側の端面の側縁部９５４ｃ３が、転動面９５３ａ２の長手方向に略直交する方向に延設される。立設壁９５４ｄは、突設部９５４ｃと対向側の端面の第２側縁部９５４ｄ２が転動面９５３ａ２の長手方向に略直交する方向に延設される。側縁部９５４ｃ３は、転動面９５３ａ２の長手方向に略直交する方向における長さ寸法Ｌ３０（図１０４（ｂ）参照）が、第２側縁部９５４ｄ２の転動面９５３ａ２の長手方向に略直交する方向における長さ寸法Ｌ３１よりも小さく設定される。これにより、案内面９５４ｃ１を乗り越えた遊技球を立設壁９５４ｄの第２側縁部９５４ｄ２に当接させて、確実に減速させることができると共に、通路部材９５５の近傍に位置させやすくできる。よって、遊技球を通路部材へ早く流入させることができる。その結果、板部材９５１により、開口９５３ａ１を閉鎖するまでの間に別の遊技球が入球されることを抑制して、オーバー入賞を抑制できる。
【０７２１】
さらに、立設壁９５４ｄは、その厚み方向における中間位置と第２傾斜面９５４ｅとの離間距離Ｌ３２（図１０４（ａ）参照）が、遊技球の半径と略同一に設定される。これにより、案内面９５４ｃ１を乗り越えた遊技球を立設壁９５４ｄの第２側縁部９５４ｄ２に当接させて、確実に減速させることができる。よって、遊技球を通路部材へ早く流入させることができる。その結果、板部材９５１により、開口９５３ａ１を閉鎖するまでの間に別の遊技球が入球されることを抑制して、オーバー入賞を抑制できる。
【０７２２】
立設壁９５４ｄの第２案内面９５４ｄ１の傾斜方向の延長線上に突設部９５４ｃが位置されており、第２案内面９５４ｄ１により凹部９５４ｂ（通路部材９５５）へ向けて案内された遊技球の転動速度が比較的高い（低い）場合であっても、かかる遊技球を突設部９５４ｃに当接させて、減速させることができる。よって、遊技球を通路部材９５５へ短時間で流入させることができる。その結果、板部材９５１により、開口９５３ａ１を閉鎖するまでの間に別の遊技球が入球されることを抑制して、オーバー入賞を抑制できる。
【０７２３】
突設部９５４ｃは、凹部９５４ｂの凹設面から突出先端までの距離寸法Ｌ３３（図１０４（ａ）参照）が、遊技球の半径よりも大きく設定される。また、上述したように、突設部９５４ｃは、凹部９５４ｂの側面に連なって形成されるので、立設壁９５４ｄの第２案内面９５４ｄ１により通路部材９５５に向けて案内された遊技球を転動速度が比較的高い（速い）場合にも、かかる遊技球を突設部９５４ｃに当接しやすくできる。よって、かかる遊技球を減速させることができ、通路部材９５５に短時間で流入させることができる。その結果、板部材９５１により、開口９５３ａ１を閉鎖するまでの間に別の遊技球が入球されることを抑制して、オーバー入賞を抑制できる。
【０７２４】
次いで、図１０５及び図１０６を参照して、特定入賞口ユニット９５０及び駆動ユニット９６０の組み立て状態について説明する。図１０５（ａ）は、特定入賞口ユニット９５０及び駆動ユニット９６０の上面図であり、図１０５（ｂ）は、特定入賞口ユニット９５０及び駆動ユニット９６０の側面図である。図１０６（ａ）は、図１０５（ａ）のＣＶＩａ−ＣＶＩａ線における特定入賞口ユニット９５０及び駆動ユニット９６０の断面図であり、図１０６（ｂ）は、図１０６（ａ）のＣＶＩｂ−ＣＶＩｂ線における特定入賞口ユニット９５０及び駆動ユニット９６０の断面図である。
【０７２５】
なお、図１０５（ａ）及び図１０５（ｂ）では、板部材９５１を動作するソレノイド９５７ａに連結される配線ＨＳ１及び一対の羽部材（図８３（ａ）参照）を動作するソレノイド６１０に連結される配線ＨＳ２の一部が図示された状態とされる。また、図１０６（ｂ）では、特定入賞口６５ａに流入した遊技球の数を検出する検出装置ＳＥ１に連結される配線ＨＳ３の一部が図示された状態とされる。
【０７２６】
図１０５及び図１０６に示すように、入賞口ユニット９３０の羽部材９４５（図８３（ａ）参照）を駆動する駆動ユニット９６０は、正面視において、特定入賞口ユニット９５０とその一部が重なる位置に形成される。これより、第２入賞口１４０（一対の羽部材９４５）の遊技領域と反対側（背面側）に空間を形成することができる。
【０７２７】
ここで、従来より、第２入賞口１４０と、その第２入賞口１４０を開放または閉鎖する一対の羽部材９４５と、その一対の羽部材９４５を駆動する第１駆動手段と、特定入賞口６５ａと、その特定入賞口６５ａを開放または閉鎖する板部材９５１と、その板部材９５１を駆動する第２駆動手段とを備えた遊技機が知られている。しかしながら、上述した従来の遊技機では、第１駆動手段および第２駆動手段が、それぞれ一対の羽部材９４５と、板部材９５１の背面側に配設されるため、これら一対の羽部材９４５及び板部材９５１の背面側に他の部材や装置を配設し難く、スペースを有効に活用することが困難であるという問題点があった。
【０７２８】
これに対し、本実施形態では、一対の羽部材９４５を駆動する駆動ユニット９６０が、板部材９５１の背面側に配設されるので、一対の羽部材９４５の背面側にスペースを形成することができる（図９７参照）。即ち、一対の羽部材を駆動する駆動ユニット９６０及び板部材９５１を駆動する駆動ユニット９５７を板部材９５１（特定入賞口６５ａ）の背面側に集約することで、他の部材や装置を配設するためのスペースを一対の羽部材９４５（第２入賞口１４０）の背面に確保でき、その分、スペースを有効に活用することができる。
【０７２９】
また、ベース板６０（図８２参照）に形成される（センターフレーム８６が配設される）中央開口の近傍に配設される羽部材９４５の動作手段（駆動ユニット９６０）を、中央開口から遠方に配設される板部材９５１（特定入賞口ユニット９５０）の背面側に配設することで、中央開口（センターフレーム８６）の内側を介して遊技者に視認させる動作ユニットの可動体をベース板６０の背面側（遊技領域と反対側）に退避させて遊技者から視認し難くできる。
【０７３０】
即ち、動作ユニットの可動体は、通常（退避）時にベース板６０の背面側に配設され、遊技者から視認し難くされると共に、可動（張出）時にベース板６０の中央開口（センターフレーム８６）の内側に張り出すことで遊技者から視認されやすくされるところ、中央開口の近傍に配設される羽部材９４５の動作手段（駆動ユニット９６０）を、中央開口から遠方に位置する特定入賞口ユニット９５０と水平方向に重なる位置に配設することで、退避時に可動体を中央開口から離れた位置に配置しやすくできる。従って、通常（退避）時における動作ユニットの可動体を遊技者から視認し難くできる。その結果、可動体を動作させて張出状態とした場合に、遊技者に興趣を与え易くできる。
【０７３１】
また、板部材９５１は、正面視における投影面積が一対の羽部材９４５の投影面積よりも大きく設定される。よって、特定入賞口６５ａ（板部材９５１）の背面におけるデッドスペースを有効に活用できる。即ち、２の変位部材（板部材９５１及び一対の羽部材９４５）を備える遊技盤１３において、正面視における投影面積の大きい側（板部材９５１側）の背面にそれぞれの駆動手段（駆動ユニット９５７及び駆動ユニット９６０）が配設されるので、それぞれの駆動手段を１の変位部材（板部材９５１）の背面に配設しやすくできると共に、その他の変位部材（一対の羽部材９４５）の背面側にスペースを形成できる。
【０７３２】
さらに、板部材９５１は、正面視における投影面積が、一対の羽部材９４５を駆動する駆動ユニット９６０及び板部材９５１を駆動する駆動ユニット９５７の正面視における投影面積よりも大きく形成されるので、特定入賞口６５ａ（板部材９５１）の背面におけるデッドスペースを有効に活用できる。
【０７３３】
また、図１０５（ａ）に示すように、一対の羽部材９４５を駆動する駆動ユニット９６０及び板部材９５１を駆動する駆動ユニット９５７は、板部材９５１の長手方向（図１０５（ａ）左右方向）に沿って並設される。よって、特定入賞口６５ａ（板部材９５１）の背面におけるデッドスペースを有効に活用できる。
【０７３４】
この場合、上述したように、板部材９５１（特定入賞口ユニット９５０）は、ベース板６０（図Ａ０１参照）の中央開口から一対の羽部材９４５よりも離間した位置に配設されると共に、その離間方向に対して長手方向が直交して配設される。これにより、一対の羽部材９４５の背面側のスペースを確保しやすくできる。その結果、一対の羽部材９４５の背面側のスペースを有効に活用することができる。
【０７３５】
上述したように、転動部９４３ａは、正面ユニット９４０の正面ベース９４３に形成され、転動部９４３ａは背面ベース９４１の第２入賞口１４０を介して配設され、駆動ユニット９６０は、背面ベース９４１に連結されるので、正面ベース９４３に背面ベース９４１を締結固定する作用と同時に、正面ベース９４３に駆動ユニット９６０を保持させる（配設する）ことができる。これにより、ベース板６０（遊技盤１３）に正面ユニット９４０及び送球ユニット９７０を取り付ける際に、駆動ユニット９６０を取り付け忘れることを抑制できる。
【０７３６】
駆動ユニット９５７のソレノイド９５７ａ及び駆動ユニット９６０のソレノイド６１０は、特定入賞口ユニット９５０の板部材９５１側と反対側（背面側）の端部の位置が略同一の位置に設定されると共に、駆動ユニット９５７のソレノイド９５７ａ及び駆動ユニット９６０のソレノイド６１０に連結される配線ＨＳ１及び配線ＨＳ２が、特定入賞口ユニット９５０の板部材９５１側と反対側（背面側）の端部から連結される。これにより、ソレノイド９５７ａ及びソレノイド６１０の配線をまとめ易くできる。その結果、遊技盤１３の遊技領域と反対側（背面側）で配線がばらけることを抑制でき、配線ＨＳ１及びＨＳ２が他の装置や役物に干渉することを抑制できる。
【０７３７】
即ち、羽部材９４５を駆動する駆動ユニット９６０のソレノイド６１０及び板部材９５１を駆動する駆動ユニット９５７のソレノイド９５７ａは、軸部９６１ｂ及び軸部９５７ａ２の軸方向が同一の方向に向けた姿勢で配設されると共に、本体部９６１ａ及び軸部９５７ａ２の軸部９６１ｂ及び９５７ａ２と反対側に配線ＨＳ１及び配線ＨＳ２が連結される（引き出される）。これにより、駆動ユニット９６０の配線ＨＳ１と駆動ユニット９５７の配線ＨＳ２とをまとめやすくできる。
【０７３８】
一対の羽部材９４５を駆動する駆動ユニット９６０及び板部材９５１を駆動する駆動ユニット９５７は、重力方向における両側面が略面一となる位置に配設される。これにより、駆動ユニット９５７及び駆動ユニット９６０を区画して、駆動ユニット９５７及び駆動ユニット９６０を配設した領域に電磁場が流れることを制限する区画部材（図示しない）の形状を簡易化できる。
【０７３９】
即ち、駆動ユニット９６０の本体部９６１ａ及び駆動ユニット９５７の本体部９５７ａ１の側面が異なる大きさに形成される、又は、駆動ユニット９６０の本体部９６１ａ及び駆動ユニット９５７の本体部９５７ａ１の重力方向における両側面が重力方向に異なる位置に配置される場合には、駆動ユニット９６０の本体部９６１ａと駆動ユニット９５７の本体部９５７ａ１との重力方向における両側面が段差を形成するため、その段差に合わせて区画部材を形成する必要が生じ、かかる区画部材の形状が複雑となる。
【０７４０】
これに対し、本実施形態では、本体部９６１ａと本体部９５７ａ１との重力方向における両側面どうしが略面一となる位置に駆動ユニット９６０及び駆動ユニット９５７が配設され、外面どうしが段差を形成しないので、区画部材を平板形状とすることができる。その結果、区画部材の形状を簡易化できる。
【０７４１】
なお、区画部材とは、駆動ユニット９６０及び駆動ユニット９５７の配設領域と他の領域とを区画して、それら両領域の間を電磁波が流れることを制限するための導電体の障壁であり、金属製の板材から形成される。
【０７４２】
また、伝達部材９６５は、特定入賞口ユニット９５０の通路部材９５５及び正面ユニット９４０の転動部９４３ａとの対向間に配設され（図９７参照）、その先端（挿入部９６５ｅ）に伝達部材９６５の回転に伴ってスライド変位して一対の羽部材９４５を開閉させる変位部材９６６が配設されるので、一対の羽部材９４５の開閉を回転部材のみで行う従来品と比較して、第２入賞口１４０の背面側であって、転動部９４３ａの両側（側方）にスペースを確保できる。また、従来品のように回転部材との干渉を避けるために、第２入賞口１４０から流入する遊技球の送球経路を特定入賞口ユニット９５０側に屈曲させる必要がないので、その分、第２入賞口１４０を特定入賞口６５ａへ近接させることができる。
【０７４３】
さらに、駆動ユニット９６０は、図１０６（ａ）及び図１０６（ｂ）に示すように、正面視において、特定入賞口ユニット９５０に一対に配置される検出装置ＳＥ２の検出基板ＳＥ１ｂと重なる位置に配設される。即ち、検出装置ＳＥ２は、板部材９５１と駆動ユニット９６０との間に配設される。これにより、例えば、板部材９５１を開放させて特定入賞口６５ａから駆動ユニット９６０に不正を加える場合、検出装置ＳＥ１の検出基板ＳＥ１ｂにより、駆動ユニット９６０を隠すことができるため、かかる不正行為を行いにくくすることができる。
【０７４４】
ここで、上述したように、羽部材９４５を駆動する駆動手段（駆動ユニット９６０）が、特定入賞口ユニット９５０の背面側に配設される場合に、パチンコ機１０の隙間からピアノ線等を挿入して遊技機を不正に操作することを目的として、入球部材９５３に遊技領域側からドリル等で駆動ユニット９６０まで貫通する穴が形成されると、その不正を店員が発見することが困難とされる恐れがあった。
【０７４５】
即ち、入球部材９５３の遊技領域（遊技者）側には、板部材９５１が配設されるため、板部材９５１に入球部材９５３が隠れてしまい、入球部材９５３にされる不正を店員が発見することが困難とされる。
【０７４６】
これに対し、本実施形態では、特定入賞口６５ａから第１駆動手段までの、経路を確保するために、例えばドリルなどによる工具が使用されて孔あけ加工などが行われた場合には、検出装置ＳＥ１の検出基板ＳＥ１ｂを破壊させることができるので、かかる検出装置ＳＥ１の状態を監視することで、不正行為を発見することができる。上述したように、本実施形態では、板部材９５１を開放して特定入賞口６５ａから駆動ユニット９６０に不正が加えられた場合でも、板部材９５１を閉鎖することで、駆動ユニット９６０が板部材９５１に遮蔽され、不正が加えられた箇所を視認不能となるため、検出装置ＳＥ１の状態の監視により不正行為を発見できることが特に有効となる。
【０７４７】
また、検出装置ＳＥ１は、他の遊技球を検知する検出装置（例えば、検出装置ＳＥ２や検出装置ＳＥ３）と同一の流用品（既製品）であるため、その外形の大きさに自由度が確保できない。そのため、検出装置ＳＥ１の対向間に隙間が形成される。そのため、その隙間を狙って遊技者がドリル等で入球部材９５３に穴あけ加工をした場合に、遊技者の不正行為を店員に報知できなくなる恐れがあった。
【０７４８】
これに対し、本実施形態では、一対の検出装置ＳＥ１の対向側に配線ＨＳ３が連結される。これにより、一対の検出装置ＳＥ１の対向間に形成される隙間に配線ＨＳ３を配設することができる。従って、遊技者が一対の検出装置ＳＥ１の対向間の隙間を狙ってドリル等を貫通させた場合に、ドリルにより配線ＨＳ３を断線させることができる。これにより、パチンコ機１０に検出不良を認識させることができるので、パチンコ機１０がエラーを報知することで店員に不正を発見させやすくできる。
【０７４９】
即ち、配線は比較的損傷を生じやすい。そのため、特定入賞口６５ａから駆動ユニットまでの経路を確保するために、例えば、ドリルなどによる工具が使用されて穴あけ可能などが行われる場合には、その不正行為に伴って配線ＨＳ３を損傷（断線）させやすくできる。或いは、配線ＨＳ３を損傷（断線）させずに不正行為を行うことが困難と認識させ、不正行為を抑止しやすくできる。
【０７５０】
また、一対の検出装置ＳＥ１の対向間には、入球部材９５３と通路部材９５５とを締結するねじを螺合させる円環突起９５３ｃが形成される。これにより、板部材９５１を開放させて、入球部材９５３の開放側（Ｅ１０（ａ）下側）から駆動ユニット９６０に不正を加える場合、円環突起９５３ｃに螺合されるねじにより、駆動ユニット９６０を隠すことができるため、かかる不正行為をより行いにくくすることができる。即ち、上述したように駆動ユニット９６０の正面の前面を一対の検出装置ＳＥ１により遮蔽することは困難であり、一対の検出装置ＳＥ１の対向間には、隙間が形成されやすいため、かかる隙間をねじの締結位置とすることで、駆動ユニット９６０の正面における遮蔽されない領域をねじにより補うことができるので、不正行為をより行い難くできる。
【０７５１】
さらに、図１０６（ｂ）に示すように配線ＨＳ３は、入球部材９５３の円環突起９５３ｃの周囲に巻かれて配置される。これにより、配線ＨＳ３を、一対の検出装置ＳＥ１の対向間に形成される隙間のより広い範囲にわたって引きまわす（位置させる）ことができる。即ち、駆動ユニット９６０の正面のより広い範囲を配線ＨＳ３により遮蔽できる。よって、例えば、板部材９５１を開放させて、入球部材９５３の開放側から駆動ユニット９６０に不正を加える場合に、かかる不正行為をより行い難くすることができる。或いは、配線ＨＳ３を損傷（断線）させずに不正行為を行うことが困難と認識させやすくでき、不正行為を抑止しやすくできる。
【０７５２】
従って、遊技者が一対の検出装置ＳＥ１の対向間の隙間を狙ってドリル等を貫通させた場合に、ドリルにより配線ＨＳ３を断線させる易くできる。これにより、パチンコ機１０に検出不良を認識させることができるので、パチンコ機１０がエラーを報知することで店員に不正を発見させやすくできる。
【０７５３】
さらに、配線ＨＳ３は、円環突起９５３ｃに巻かれて配置される。これにより、検出装置ＳＥ１と配線ＨＳとの連結部分にせん断方向の力が作用し難くできる。即ち、配線ＨＳ３が円環突起９５３ｃの周囲に巻かれず、特定入賞口ユニット９５０の外方に排出される場合には、配線ＨＳ３が特定入賞口ユニット９５０に排出方向に引っ張られることにより、検出装置ＳＥ１と配線ＨＳとの連結部分にせん断方向の力が作用する。検出装置ＳＥ１と配線ＨＳ３との連結部分は、挿入式のコネクタにより形成されるので、せん断方向の力により切断され易い。
【０７５４】
これに対し、本実施形態では、配線ＨＳ３が円環突起９５３ｃに巻かれて配置されるので、配線ＨＳ３が特定入賞口ユニット９５０の排出方向に引っ張られた場合に、検出装置ＳＥ１との連結部分に作用する力の方向を配線ＨＳ３が連結される方向に作用させることができる。その結果、配線ＨＳ３が、検出装置ＳＥ１との連結部分で切断されることを抑制できる。
【０７５５】
また、一対の検出装置ＳＥ１の対向間に形成される円環突起９５３ｃは、検出装置ＳＥ１の配線ＨＳ３の排出側と反対側の端部に偏る位置に形成される。よって、一対の検出装置ＳＥ１の配線ＨＳ３が、ねじの螺合位置（円環突起９５３ｃ）と反対側へ引き出されるので、かかる配線ＨＳ３を駆動ユニット９６０の正面のより広い範囲にわたって引き回す（位置させる）ことができる。即ち、駆動ユニット９６０の正面のより広い範囲をねじと配線とにより、遮蔽できる。よって、例えば、板部材９５１を開放させて特定入賞口６５ａから駆動ユニット９６０に不正を加える場合に、かかる不正行為をより行い難くすることができる。
【０７５６】
次いで、図１０７及び図１０８を参照して、送球ユニット９７０の全体構成について説明する。図１０７（ａ）は、送球ユニット９７０の正面図であり、図１０７（ｂ）は、送球ユニット９７０の側面図である。図１０８（ａ）は、送球ユニット９７０の分解斜視正面図であり、図１０８（ｂ）は、送球ユニット９７０の分解斜視背面図である。
【０７５７】
図１０７及び図１０８に示すように、送球ユニット９７０は、遊技者側（遊技領域側）に配設され内部に遊技球を挿通可能な空間を備える振分けユニット９８０と、その振分けユニット９８０の遊技領域と反対側に配設される通路ユニット９９０とを備えて形成される。
【０７５８】
振分けユニット９８０は、上述した入賞口ユニット９３０の第１入賞口６４及び第２入賞口１４０と連なる開口（流入口９８２ｄ及び側壁部９８１ｂ）を備えており、その開口（流入口９８２ｄ及び側壁部９８１ｂ）から第１入賞口６４及び第２入賞口１４０の介して遊技領域と反対側に送球される遊技球を内部に受け入れることができる。なお、振分けユニット９８０についての詳しい説明は後述する。
【０７５９】
通路ユニット９９０は、振分けユニット９８０の重力方向他端側（重力方向下側）に配設される。通路ユニット９９０は、振分けユニット９８０との対向面に複数の開口（第１挿通孔９９１ａ〜第２挿通孔９９１ｄを備えており、振分けユニット９８０の内部を送球される遊技球をその開口から受け入れることができる。なお、通路ユニット９９０についての詳しい説明は後述する。
【０７６０】
次いで、図１０９から図１１２を参照して、振分けユニット９８０の構成について詳細な説明をする。図１０９（ａ）は、振分けユニット９８０の正面図であり、図１０９（ｂ）は、振分けユニット９８０の側面図である。図１１０は、振分けユニット９８０の分解斜視正面図であり、図１１１は、振分けユニット９８０の分解斜視背面図である。図１１２（ａ）は、図１０９（ａ）のＣＸＩＩａ−ＣＸＩＩａ線における振分けユニット９８０の断面図であり、図１１２（ｂ）は、図１１２（ａ）のＣＸＩＩｂ−ＣＸＩＩｂにおける振分けユニット９８０の断面図である。
【０７６１】
図１０９から図１１２に示すように、振分けユニット９８０は、背面ベース９８５と、その背面ベース９８５の遊技者側に配設される正面ベース９８１と、その正面ベース９８１と背面ベースとの間に回転可能な状態で配設される振分け部９８３と、背面ベース９８５の背面側に振分け部９８３と対応する位置に配設されるカバー部材９８７とを主に備えて形成される。
【０７６２】
背面ベース９８５は、有色半透明（本実施形態では、青色）の樹脂材料から形成され、板状体に形成されるベース部９８５ａと、そのベース部９８５ａの厚み方向に貫通する複数の開口（開口９８５ｂ〜９８５ｇ）と、その複数の開口の重力方向他側（重力方向上側）に凹設される凹部９８５ｈと、その凹部９８５ｈの反対面から突出する収容部９８６ｂ及び突設部９８６ｅとを主に備えて形成される。
【０７６３】
ベース部９８５ａは、正面視縦長矩形に形成され、その外縁部に円形状に貫通する複数の締結孔９８６ｃ及び９８６ｄと、正面ベース９８１側と反対側に重力方向一側に向かって傾斜する傾斜面９８６ａとを備えて形成される。締結孔９８６ｃは、後述する正面ベース９８１を挿通したネジを螺合する孔である。これにより、正面ベース９８１及び背面ベース９８５を締結固定することができる。また、締結孔９８６ｄは、後述する通路ユニット９９０を挿通するネジを螺合する孔である。これにより、背面ベース９８５（振分けユニット９８０）及び通路ユニット９９０を締結固定することができる。
【０７６４】
傾斜面９８６ａは、後述する開口９８５ｂ〜９８５ｆの重力方向他側の一部と重なる位置に形成される。また、傾斜面９８６ａは、正面ベース９８１及び背面ベース９８５が組み合わされた状態において、正面ベース９８１の傾斜部９８２ｂと対向する位置に形成される。これにより、重力方向に流下する遊技球の流下方向を開口９８５ｂ〜９８５ｆ側に案内することができる。その結果、遊技球を開口９８５ｂ〜９８５ｆに流入させやすくできる。
【０７６５】
凹部９８５ｈは、正面ベース９８１と反対側（図１０９（ｂ）紙面手前側）に向かって凹設されると共に、ベース部９８５ａの短手方向（図１０９（ｂ）左右方向）略中央位置に形成される。また、凹部９８５ｈは、内側に後述する振分け部９８３の一部を収容可能な大きさに形成されると共に、底面に円環状に突出する軸受部９８５ｊを備える。軸受部９８５ｊは、振分け部９８３を軸支する軸部材９８８ａの一端が挿入される孔であり、軸部材９８８ａの外径よりも大きい内径に形成される。
【０７６６】
開口９８５ｂ及び開口９８５ｃは、それぞれベース部９８５ａの短手方向両端部に形成されるとともに、内縁の寸法が遊技球の直径よりも大きく設定される。また、開口９８５ｂ及び開口９８５ｃは、重力方向一側（重力方向下側）の内面が正面ベース９８１側と反対側に向かうにつれて下降傾斜して形成される。これにより、正面ベース９８１側から流入する遊技球を正面ベース９８１側と反対側に転動させることができる。
【０７６７】
開口９８５ｄは、ベース部９８５ａの短手方向（図１０９（ｂ）左右方向）略中央位置に形成され、重力方向（図１０９（ｂ）上下方向）における位置が開口９８５ｂ及び開口９８５ｃと略同一の位置に設定される。また、開口９８５ｄは、開口９８５ｂ及び開口９８５ｃと同様に、重力方向一側（重力方向下側）の内面が正面ベース９８１側と反対側に向かうにつれて下降傾斜して形成される。これにより、正面ベース９８１側から流入する遊技球を正面ベース９８１側と反対側に転動させることができる。
【０７６８】
開口９８５ｅは、開口９８５ｂ及び開口９８５ｄの間に形成され、開口９８５ｆは、開口９８５ｃ及び開口９８５ｄの間に形成される。また、開口９８５ｅ，９８５ｆは、正面ベース９８１側に開口する空間の流入通路９８５ｅ１，９８５ｆ１と、正面ベース９８１側と反対側に開口する空間の排出通路９８５ｅ３，９８５ｆ３と、重力方向に延設され流入通路９８５ｅ１，９８５ｆ１及び排出通路９８５ｅ３，９８５ｆ３を連通する中間通路９８５ｅ２，９８５ｆ２と，を主に備えて形成される。
【０７６９】
流入通路９８５ｅ１，９８５ｆ１は、後述する正面ベース９８１と背面ベース９８５との対向間に形成される第１通路ＴＲ１及び第２通路ＴＲ２に連結されると共に、遊技球が通過可能な大きさに形成される。これにより、第１通路ＴＲ１及び第２通路を流下する遊技球を流入通路９８５ｅ１，９８５ｆ１に流入させることができる。
【０７７０】
中間通路９８５ｅ２，９８５ｆ２は、重力方向に延設して形成され、重力方向他側（重力方向上側）が流入通路９８５ｅ１，９８５ｆ１に連通されると共に、遊技球が通過可能な大きさに形成される。これにより、流入通路９８５ｅ１，９８５ｆ１を通過する遊技球を中間通路９８５ｅ２，９８５ｆ２に流入させることができる。
【０７７１】
また、中間通路９８５ｅ２，９８５ｆ２には、遊技球の送球方向（重力方向）と略直交する方向に凹設される凹設部９８５ｆ４が形成される。凹設部９８５ｆ４は、その内側に後述する検出装置ＳＥ３を配設するための切り欠きであり、背面視において検出装置ＳＥ３の外形と略同一に設定される。これにより、検出装置ＳＥ３をベース部９８５ａの背面側（正面ベース９８１と反対側）から挿入して配設することができる。
【０７７２】
また、検出装置ＳＥ３は、検出孔ＳＥ１ａの軸方向が中間通路９８５ｅ２，９８５ｆ２の延設方向に平行に設定されると共に、検出孔ＳＥ１ａの内部空間と中間通路９８５ｅ２，９８５ｆ２の空間とが略一致する位置に配置される。これにより、遊技球が中間通路９８５ｅ２，９８５ｆ２の重力方向他側（重力方向上側）から重力方向一側（重力方向下側）に流下する場合に、検出装置ＳＥ３の検出孔ＳＥ１ａを通過させることができる。これにより、第１通路ＴＲ１及び第２通路ＴＲ２を通過する遊技球を検出することができる。
【０７７３】
また、検出装置ＳＥ３は、検出孔ＳＥ１ａの軸方向が重力方向と平行に形成されるので、遊技球を検出孔ＳＥ１ａに送球する際に、遊技球の自重を利用しやすくできる。その結果、遊技球が中間通路９８５ｅ２，９８５ｆ２及び検出孔ＳＥ１ａとの連結部分に引っ掛ることを抑制できる。なお、検出装置ＳＥ３の詳細な構成は、上述した検出装置ＳＥ１と同一であるので、その詳しい説明は省略する。
【０７７４】
凹設部９８５ｅ４，９８５ｆ４は、流入通路９８５ｅ１，９８５ｆ１及び排出通路９８５ｅ３，９８５ｆ３の空間と連なって形成される。即ち、中間通路９８５ｅ２，９８５ｆ２は、検出装置ＳＥ３を利用して形成される。これにより、中間通路９８５ｅ２，９８５ｆ２の重力方向の長さ寸法が大きくなることを抑制できる。その結果、背面ベース９８５が重力方向に大型化することを抑制できる。
【０７７５】
排出通路９８５ｅ３，９８５ｆ３は、中間通路９８５ｅ２，９８５ｆ２の重力方向一側（重力方向下側）に連結されると共に、遊技球が通過可能な大きさに形成される。また、排出通路９８５ｅ３，９８５ｆ３は、振分けユニット９８０及び通路ユニット９９０が組み合わされた状態において、後述する通路ユニット９９０の第３挿通孔９９１ｃ及び第４挿通孔９９１ｄに連結される。これにより、中間通路９８５ｅ２，９８５ｆ２を通過する遊技球を、排出通路９８５ｅ３，９８５ｆ３に流入させることができると共に、その空間を通過させて通路ユニット９９０に送球できる。
【０７７６】
開口９８５ｇは、開口９８５ｄの重力方向一側（重力方向下側）に形成される。また、開口９８５ｇは、開口９８５ｄと同様に、重力方向一側（重力方向下側）の内面が正面ベース９８１側と反対側に向かうにつてれて下降傾斜して形成される。これにより、正面ベース９８１側から流入する遊技球を正面ベース９８１と反対側に転動させることができる。
【０７７７】
流入通路９８５ｅ１，９８５ｆ１は、後述する正面ベース９８１と背面ベース９８５との対向間に形成される第１通路ＴＲ１及び第２通路ＴＲ２に連結されると共に、遊技球が通過可能な大きさに形成される。これにより、第１通路ＴＲ１及び第２通路ＴＲ２を流下する遊技球を流入通路９８５ｅ１，９８５ｆ１に流入させることができる。
【０７７８】
収容部９８６ｂは、一対の半円環体から形成される。また、収容部９８６ｂは、後述する磁性体９８８ｂを内側に収容する部分であり、その内径が、円柱体に形成される磁性体９８８ｂの外径と略同一に設定される。また、収容部９８６ｂの突設寸法は、磁性体９８８ｂの軸方向寸法よりも大きく設定される。これにより、収容部９８６ｂの内側に磁性体９８８ｂを収容できる。また、収容部９８６ｂは、一対の半円環体から形成されるので、磁性体９８８ｂの外径が製造の誤差により微小に大きく形成された場合でも、一対の半円環体を弾性変形させて磁性体９８８ｂを配設できる。
【０７７９】
突設部９８６ｅは、上述した軸受部９８５ｊとベース部９８５ａを挟んで反対側の位置から円柱状に突設される。また、突設部９８６ｅは、その軸に円形状に凹設される締結孔を備える。締結孔は、後述するカバー部材９８７を挿通するネジの先端を螺合させる孔であり、カバー部材９８７を当接させた状態でネジを螺合することで、カバー部材９８７を背面ベース９８５に締結固定できる。
【０７８０】
磁性体９８８ｂは、磁石から形成されており、収容部９８６ｂに配設されることで、ベース部９８５ａを介して正面ベース９８１側に磁界を発生させることができる。これにより、後述する振分け部９８３に配設される磁性体９８８ｃを反発させて振分け部９８３を変位させやすくできる。
【０７８１】
正面ベース９８１は、有色半透明（本実施形態では、青色）の樹脂材料から形成される。また、正面ベース９８１は、正面視において背面ベース９８５よりも大きい略矩形状に形成されると共に、ベース板９８１ａとそのベース板９８１ａから遊技者側（背面ベース９８６と反対側）に膨出する膨出部９８２とを主に備えて形成される。
【０７８２】
ベース板９８１ａは、正面視略矩形状の板部材に形成され、その外周縁部に板厚方向に貫通する複数の挿通孔９８１ｇと、背面ベース９８５側に向けて突設される第１ガイド壁９８１ｆ及び第２ガイド壁９８１ｄと、その第１ガイド壁９８１ｆ及び第２ガイド壁９８１ｄの近傍に貫通する第２挿通孔９８１ｅと、膨出部９８２の重力方向一側（重力方向下側）に板厚方向に貫通する貫通孔９８１ｃとを主に備えて形成される。
【０７８３】
挿通孔９８１ｇは、組み立て状態の送球ユニット９７０をベース板６０（図８２参照）に締結するネジ（図示しない）を挿通する孔であり、ネジの先端部分の外径よりも大きい内径に設定される。
【０７８４】
第１ガイド壁９８１ｆは、半円の円環形状に形成されると共に、後述する膨出部９８２を間に挟む状態で短手方向に一対形成される。また、第１ガイド壁９８１ｆは、半円の開放部分をベース板９８１ａの短手方向略中央側に向けて形成される。
【０７８５】
第２ガイド壁９８１ｄは、円環形状に形成されると共に、ベース板９８１ａの短手方向に２箇所形成される。また、第２ガイド壁９８１ｄは、後述する膨出部９８２の重力方向下側に形成されると共に、２箇所の間に貫通孔９８１ｃが形成される。
【０７８６】
第１ガイド壁９８１ｆ及び第２ガイド壁９８１ｄは、その内縁形状が上述した背面ベース９８５の締結孔９８６ｃの周囲の外形形状と略同一に形成される。これにより、正面ベース９８１及び背面ベース９８５を組み合わせた場合に、第１ガイド壁９８１ｆ及び第２ガイド壁９８１ｄの内側に締結孔９８６ｃの周囲の壁部を挿入でき、第１ガイド壁９８１ｆ及び第２ガイド壁９８１ｄを位置決めすることができる。
【０７８７】
第２挿通孔９８１ｅは、第１ガイド壁９８１ｆの半円の中心および第２ガイド壁９８１ｄの中心に形成される。第２挿通孔９８１ｅは、正面ベース９８１及び背面ベース９８５が組み立られた状態において、締結孔９８６ｃと同軸上に形成されており、正面ベース９８１側からネジを挿通して締結孔９８６ｄに螺合させることで、正面ベース９８１と背面ベース９８５とを締結できる。
【０７８８】
貫通孔９８１ｃは、一辺が遊技球の直径よりも大きい正方形に貫通形成される。また、貫通孔９８１ｃは、その縁部に沿って背面ベース９８５側と反対側（図１０９（ａ）紙面手前側）に立設される側壁部９８１ｂを備えて形成される。また、貫通孔９８１ｃは、上述した入賞口ユニット９３０の第２入賞口１４０に連通する部分であり、入賞口ユニット９３０及び送球ユニット９７０がベース板６０に装着された状態において、第２入賞口１４０に流入した遊技球の転動方向と重なる位置に形成される。
【０７８９】
側壁部９８１ｂは、入賞口ユニット９３０及び送球ユニット９７０がベース板６０に装着された状態において、立設先端面が入賞口ユニット９３０の第２送球部９４２ｃと当接する寸法に形成される。また、側壁部９８１ｂは、重力方向他端側（重力方向下側）の内面の転動面９８１ｃ１が、転動部９４３ａの端面９４３ａ１よりも重力方向他端側に位置されると共に、背面ベース９８５側に向かって下降傾斜して形成される。
【０７９０】
さらに、側壁部９８１ｂは、立設先端面から突設される突起９８１ｂ１を備える。突起９８１ｂ１は、転動面９８１ｃ１から重力方向へ遊技球の半径分離間した位置に形成される。これにより、転動部９４３ａの端面９４３ａ１から貫通孔９８１ｃの転動面９８１ｃ１に遊技球が送球される場合に、遊技球が転動部９４３ａと貫通孔９８１ｃとの間に挟まりにくくできる。なお、転動部９４３ａの端面９４３ａ１から貫通孔９８１ｃの転動面９８１ｃ１に遊技球が送球される場合についての詳しい説明は後述する。
【０７９１】
膨出部９８２は、ベース板９８１ａから膨出するドーム状に形成されると共に、その内側に遊技球を挿通可能な大きさに設定され、その内側に流入口９８２ｄから流入される遊技球が通過する送球通路ＴＲ０と、その送球通路ＴＲ０から分岐する第１通路ＴＲ１及び第２通路ＴＲ２とを備えて形成される。膨出部９８２は、正面視縦長矩形に形成されると共に、重力方向上端部を切り欠いて形成される流入口９８２ｄと、正面視略中間位置に背面ベース９８５側に向かって屈曲して立設する立設壁９８２ａと、重力方向他側の複数箇所に凹設される凹部９８２ｅ〜９８２ｊとを主に備えて形成される。
【０７９２】
流入口９８２ｄは、正面視略Ｕ字状に切り欠き形成される。また、流入口９８２ｄは、入賞口ユニット９３０及び送球ユニット９７０がベース板６０に装着された状態において、内縁部分が、入賞口ユニット９３０の第１入賞口６４に流入した遊技球の転動方向と重なる位置に形成される。
【０７９３】
また、流入口９８２ｄは、重力方向他側（重力方向上側）の縁部に背面ベース９８５側と反対側に突出する第２突起９８２ｄ１を備える。第２突起９８２ｄ１は、上述した入賞口ユニット９３０の第１凹欠部９４２ｇ１の内縁形状に形成されており、入賞口ユニット９３０及び送球ユニット９７０がベース板６０に配設された場合に、第１凹欠部９４２ｇ１の内縁に第２突起９８２ｄ１が当接される。
【０７９４】
また、第２突起９８２ｄ１から流入口９８２ｄの重力方向一側（重力方向下側）の端面までの距離寸法Ｌ３４（図１０９（ａ）参照）は、第１凹欠部９４２ｇ１の内縁から第１送球部９４２ｇの重力方向一側の内縁までの距離寸法Ｌ３５（図８７（ｂ）参照）までの距離寸法よりも大きく設定される。これにより、第１入賞口６４を介して第１送球部９４２ｇに送球された遊技球が、流入口９８２ｄに流入する際に、流入口９８２ｄ（膨出部９８２）と第１送球部９４２ｇとの間に挟まりにくくできる。
【０７９５】
立設壁９８２ａは、正面視において膨出部９８２の外縁形状と所定の間隔を隔てる矩形状に形成される。また、立設壁９８２ａは、流入口９８２ｄの重力方向下側に形成されると共に、重力方向上側に立設方向視三角形状に形成される当接部９８２ａ１を備えて形成される。
【０７９６】
立設壁９８２ａは、膨出部９８２の外周部分の内縁と水平方向における離間距離Ｌ３６（図１１２（ｂ）参照）が、遊技球の直径よりも大きく設定されており、その対向間に遊技球が通過可能な空間の第１通路ＴＲ１及び第２通路ＴＲ２が形成される。
【０７９７】
第１通路ＴＲ１及び第２通路ＴＲ２は、後述する振分け部９８３の下流側に形成されており、振分け部９８３を通過する遊技球がどちらかに送球される。振分け部９８３は、流入口９８２ｄに流入する遊技球を、第１通路ＴＲ１及び第２通路ＴＲ２に交互に送球可能に設定される。これにより、第１入賞口６４に流入する遊技球の送球が単調になることを抑制できる。その結果、遊技者の興趣が損なわれることを抑制できる。
【０７９８】
立設壁９８２ａの重力方向他側（重力方向上側）には、膨出部９８２の内側面から背面ベース９８５側に円環状に突出する軸受部９８２ｃが形成される。軸受部９８２ｃは、後述する振分け部９８３を軸支する軸部材９８８ａの他端側を支持する部分であり、内径が軸部材９８８ａの外径と略同一に設定される。よって、軸部材９８８ａを軸受部９８２ｃに挿入することで、軸部材９８８ａの他端側を支持できる。
【０７９９】
また、上述したように、軸部材９８８ａの一端側は、背面ベース９８５の軸受部９８５ｊに挿入されるので、正面ベース９８１及び背面ベース９８５を組み合わせる際に、軸部材９８８ａの一端を軸受部９８５ｊに挿入すると共に、軸部材９８８ａの他端側を軸受部９８２ｃに挿入することで、軸部材９８８ａを正面ベース９８１及び背面ベース９８５の間に支持できる。
【０８００】
当接部９８２ａ１は、後述する振分け部９８３の回転軌跡上に形成されており、振分け部９８３の作用部９８３ａが当接することで、振分け部９８３の回転変位量が規制される。なお、当接部９８２ａ１と振分け部９８３との当接状態についての詳しい説明は後述する。
【０８０１】
凹部９８２ｅ及び凹部９８２ｆは、膨出部９８２の重力方向一側（重力方向下側）の内側面から第１通路ＴＲ１及び第２通路ＴＲ２の延設方向と略直交する方向に凹設される。また、凹部９８２ｅ及び凹部９８２ｆの内側には、第１通路ＴＲ１又は第２通路ＴＲ２と連通する空間の第１分岐通路ＢＫ１又は第２分岐通路ＢＫ２が形成される。
【０８０２】
第１分岐通路ＢＫ１は、正面ベース９８１及び背面ベース９８５が組み合わされた状態において背面ベース９８５の開口９８５ｂと連通される。従って、第１分岐通路ＢＫ１は、第１通路ＴＲ１を流下する遊技球を受け入れ可能に形成されると共に、その受け入れた遊技球を背面ベース９８５の開口９８５ｂに流入可能とされる。
【０８０３】
第２分岐通路ＢＫ２は、正面ベース９８１及び背面ベース９８５が組み合わされた状態において背面ベース９８５の開口９８５ｃと連通される。従って、第２分岐通路ＢＫ２は、第２通路ＴＲ２を流下する遊技球を受け入れ可能に形成されると共に、その受け入れた遊技球を背面ベース９８５の開口９８５ｃに流入可能とされる。
【０８０４】
凹部９８２ｈ及び凹部９８２ｊは、膨出部９８２の重力方向一側（重力方向下側）の内側面から第１通路ＴＲ１及び第２通路ＴＲ２の延設方向に凹設される。即ち、第１通路ＴＲ１及び第２通路ＴＲ２は、凹部９８２ｈ及び凹部９８２ｊの分、重力方向一側に延設される。
【０８０５】
第１通路ＴＲ１は、正面ベース９８１及び背面ベース９８５が組み合わされた状態において背面ベース９８５の開口９８５ｅと連通される。従って、第１通路ＴＲ１は、流入口９８２ｄに流入した遊技球が流入されると共に、その流入された遊技球を背面ベース９８５の開口９８５ｅに流入可能とされる。
【０８０６】
第２通路ＴＲ２は、正面ベース９８１及び背面ベース９８５が組み合わされた状態において背面ベース９８５の開口９８５ｆと連通される。従って、第１通路ＴＲ１は、流入口９８２ｄに流入した遊技球が流入されると共に、その流入された遊技球を背面ベース９８５の開口９８５ｅに流入可能とされる。
【０８０７】
凹部９８２ｇは、凹部９８２ｈ及び凹部９８２ｊの間に形成されると共に、凹設方向が第１通路ＴＲ１及び第２通路ＴＲ２の延設方向と平行に設定される。また、凹部９８２ｇの内側には、第１通路ＴＲ１及び第２通路ＴＲ２と連通する空間の第３分岐通路ＢＫ３が形成される。よって、第１通路ＴＲ１及び第２通路ＴＲ２に連通する第３分岐通路ＢＫ３が、第１通路ＴＲ１及び第２通路ＴＲ２との間に形成されるので、振分けユニット９８０の小型化を図ることができる。
【０８０８】
第３分岐通路ＢＫ３は、正面ベース９８１及び背面ベース９８５が組み合わされた状態において背面ベース９８５の開口９８５ｄと連通される。従って、第３分岐通路は、第１通路又は第２通路を流下する遊技球を受け入れ可能に形成されると共に、その受け入れた遊技球を背面ベース９８５の開口９８５ｄに流入可能とされる。
【０８０９】
傾斜部９８２ｂは、膨出部９８２の重力方向一側（重力方向下側）に形成されると共に、重力方向一側に向かって背面ベース９８５側に傾斜して延設される。また、傾斜部９８２ｂは、正面ベース９８１及び背面ベース９８５を組み合わせた状態において、開口９８５ｂから開口９８５ｆと対向する位置に形成される。これにより、第１通路ＴＲ１、第２通路ＴＲ２、第１分岐通路ＢＫ１、第２分岐通路ＢＫ２及び第３分岐通路ＢＫ３を流下する遊技球を傾斜部９８２ｂに当接させることで、流下する遊技球を開口９８５ｂ〜９８５ｆ側に案内して開口９８５ｂ〜９８５ｆに流入させ易くできる。
【０８１０】
案内部９８２ｈ１，９８２ｊ１及び案内部９８２ｊ１は、凹部９８２ｈ及び凹部９８２ｊと傾斜部９８２ｂとに連結されると共に、立設先端面が背面ベース９８５側（図１０９（ｂ）紙面手前側）に向かって下降傾斜される。これにより、第１通路ＴＲ１及び第２通路ＴＲ２を流下する遊技球を、案内部９８２ｈ１，９８２ｊ１及び案内部９８２ｊ１の立設先端面に当接させて、開口９８５ｅ及び開口９８５ｆ側に案内して、開口９８５ｅ及び開口９８５ｆに流入しやすくできる。
【０８１１】
また、案内部９８２ｈ１，９８２ｊ１は、傾斜部９８２ｂと連結して形成される。これにより、第１通路ＴＲ１及び第２通路ＴＲ２を流下する遊技球を傾斜部９８２ｂに当接させて背面ベース９８５側に案内しつつ案内部９８２ｈ１，９８２ｊ１に衝突させることで、遊技球を開口９８５ｅ及び開口９８５ｆに流入させすくできる。さらに、傾斜部９８２ｂの傾斜の分、案内部９８２ｈ１，９８２ｊ１の立設距離を小さくすることができるので、案内部９８２ｈ１，９８２ｊ１の剛性を高めて耐久性の向上を図ることができる。
【０８１２】
ここで、上述したように、振分けユニット９８０（送球ユニット９７０）は、遊技者側に配設される正面ユニット９４０（入賞口ユニット９３０）を介して遊技者から視認可能とされる。そのため、正面ユニット９４０を介す分、第１通路ＴＲ１及び第２通路ＴＲ２を流下する遊技球は、遊技者側から視認し難くなる。さらに、開口９８５ｅ及び開口９８５ｆの正面側に案内部９８２ｈ１，９８２ｊ１が立設されると、その案内部９８２ｈ１，９８２ｊ１の厚みの分、第１通路ＴＲ１及び第２通路ＴＲ２を流下する遊技球が遊技者から視認し難くなるという問題点があった。
【０８１３】
これに対し、本実施形態では、案内部９８２ｈ１，９８２ｊ１は、傾斜部９８２ｂと連結して形成されるので、傾斜部９８２ｂの立設寸法を小さくできる。従って、開口９８５ｅ及び開口９８５ｆに送球される遊技球（第１通路ＴＲ１及び第２通路ＴＲ２を流下する遊技球）を、正面ユニット９４０を介した状態であっても視認させやすくすることができる。即ち、本実施形態では、傾斜部９８２ｂが、遊技球の流下方向へ向かうに従って背面ベース９８５側に位置するように傾斜されることで、剛性の確保と遊技球の案内とを可能としつつ、案内部９８２ｈ１，９８２ｊ１の前後方向の厚みを薄くすることができるので、遊技球の視認性を確保できる。
【０８１４】
振分け部９８３は、正面ベース９８１及び背面ベース９８５の対向間の寸法よりも若干小さい厚みに設定されると共に、正面視略Ｔ字状に形成される。また、振分け部９８３は、Ｔ字状の一辺側の作用部９８３ａと、その作用部９８３ａの延設方向略中央位置から突出する中間板９８３ｂと、作用部９８３ａ及び中間板９８３ｂの連結部分に貫通される貫通孔９８３ｃと、その貫通孔９８３ｃの軸を中心に円形状に膨出する当接部９８３ｄと、作用部９８３ａ及び中間板９８３ｂの背面ベース９８５側に連結して形成される壁部９８３ｅとを主に備えて形成される。
【０８１５】
貫通孔９８３ｃは、正面ベース９８１及び背面ベース９８５の対向間に支持される軸部材９８８ａが挿入される孔であり、軸部材９８８ａの外径よりも若干大きく形成される。これにより、正面ベース９８１及び背面ベース９８５を組み上げる場合に、軸部材９８８ａを振分け部９８３の貫通孔９８３ｃに挿入した状態とすることで、振分け部９８３が回転可能な状態で正面ベース９８１及び背面ベース９８５の対向間に配設される。
【０８１６】
中間板９８３ｂは、貫通孔９８３ｃの径方向外側に向かって延設して形成されると共に、振分け部９８３の変位が一方または他方に回転して規制された状態において、その先端から中間板９８３ｂの内側までの離間距離Ｌ３７（図１１２（ｂ）参照）が遊技球の直径よりも小さい寸法とされる。これにより、遊技球の送球が第１通路ＴＲ１又は第２通路ＴＲ２の一方または他方のどちらかに規制される。また、中間板９８３ｂは、振分け部９８３が貫通孔９８３ｃを中心に回転されることで、第１通路ＴＲ１の一方に遊技球の送球を規制した状態から第２通路ＴＲ２の他方に遊技球の送球を規制した状態に切り換えられる。
【０８１７】
作用部９８３ａは、正面視において中間板９８３ｂの延設方向と略直交する方向に延設して形成される。また、作用部９８３ａは、当接部９８３ｄとの連結位置が、中間板９８３ｂの当接部９８３ｄとの連結位置よりも重力方向他端側（重力方向下側）に設定される。これにより、流入口９８２ｄを介して振分け部９８３に送球される遊技球は、作用部９８３ａ側に荷重をかけた状態とされる。その結果、振分け部９８３は、貫通孔９８３ｃを中心に回転変位される。
【０８１８】
壁部９８３ｅは、作用部９８３ａ及び中間板９８３ｂに連結されると共に、貫通孔９８３ｃの軸方向視において略半円状の板状に形成される。壁部９８３ｅは、貫通孔９８３ｃの軸と直交する方向において作用部９８３ａ及び中間板９８３ｂよりも外側に突出して形成されると共に、厚み寸法が上述した背面ベース９８５の凹部９８５ｈの凹設寸法よりも小さく設定される。よって、背面ベース９８５及び正面ベース９８１の対向間に振分け部９８３を配設した状態において、凹部９８５ｈの内部に壁部９８３ｅを配置できる。これにより、流入口９８２ｄから振分けユニット９８０の内部に送球される遊技球が、凹部９８５ｈの内部に引っ掛ることで、その遊技球の流下が阻害されることを抑制できる。
【０８１９】
また、壁部９８３ｅは、中間板９８３ｂの背面側であって、貫通孔９８３ｃから径方向外側端部に、中間板９８３ｂ側に向かって凹設される収容部９８３ｅ１を備える。収容部９８３ｅ１は、円柱状体に形成される磁性体９８８ｃを内側に収容する部分であり、磁性体９８８ｃの外径と略同一の内径の円形に凹設される。また、収容部９８３ｅ１は、背面ベース９８５側から正面ベース９８１側に向かって凹設されており、磁性体９８８ｃが背面ベース９８５側から内部に収容される。
【０８２０】
磁性体９８８ｃは、磁石から形成されており、背面ベース９８５に配設される磁性体９８８ｂと反発する状態で配設される。これにより、振分け部９８３は、磁性体９８８ｃが背面ベース９８５に配設される磁性体９８８ｂから磁力が作用されて、貫通孔９８３ｃを軸に回転して作用部９８３ａの延設方向を一方または他方に傾いた状態にできる。
【０８２１】
また、磁性体９８８ｃと磁性体９８８ｂとが反発される状態に配設されると共に、収容部９８３ｅ１が正面側に向かって凹設されるので、収容部９８３ｅ１に挿入する磁性体９８８ｃが収容部９８３ｅ１から抜け出ることを抑制できる。即ち、収容部９８３ｅ１に挿入される磁性体９８８ｃを係止する部分を必要としないので、振分け部９８３の構造を簡易にできると共に、振分け部９８３への磁性体９８８ｃの配設を簡易にできる。
【０８２２】
なお、磁性体９８８ｂ及び磁性体９８８ｃの磁力は、遊技球の荷重よりも小さい磁着力に設定される。これにより、振分けユニット９８０の内側を送球される遊技球が磁性体９８８ｂ及び磁性体９８８ｃに磁着して、振分けユニット９８０の内側に停滞することを抑制できる。
【０８２３】
カバー部材９８７は、上面視縦長矩形に形成されると共に、背面ベース９８５の凹部９８５ｈの正面ベース９８１側と反対側に配設される。また、カバー部材９８７は、正面視円形状に重力方向に並んで凹設される２つの第１凹部９８７ａ及び第２凹部９８７ｂを備えて形成される。
【０８２４】
第１凹部９８７ａは、内側に上述した背面ベース９８５の収容部９８６ｂを収容する部分であり、収容部９８６ｂの外径と略同一の内径に設定される。よって、上述したように収容部９８６ｂの内部に磁性体９８８ｂを収容した状態で、第１凹部９８７ａに収容部９８６ｂの先端を収容することで、収容部９８６ｂの内側に収容した磁性体９８８ｂが収容部９８６ｂから抜け出ることを抑制できる。
【０８２５】
第２凹部９８７ｂは、その凹設底面に背面ベース９８５に締結固定するための貫通孔９８７ｂ１を備える。また、第２凹部９８７ｂは、凹設部分の内形が、上述した背面ベース９８５の突設部９８６ｅの外径と略同一の内径に形成される。これにより、カバー部材９８７は、背面ベース９８５の突設部９８６ｅに第２凹部９８７ｂを収容して位置決め配置できると共に、位置決めした状態で貫通孔９８７ｂ１を介してネジを突設部９８６ｅの締結孔に締結できる。
【０８２６】
次いで、図１１３を参照して、流入口９８２ｄから遊技球が振分けユニット９８０に流入した場合の振り分け部９８３の動作について説明する。図１１３（ａ）及び図１１３（ｂ）は、図１１２（ｂ）の範囲ＣＸＩＩＩにおける振分けユニット９８０の部分拡大断面図である。なお、以下では、振分け部９８３の作用部９８３ａが第１通路ＴＲ１の一方へ遊技球の送球を規制する状態から、第２通路ＴＲ２の他方への遊技球の送球を規制する状態へ変位される場合のみを説明し、第２通路ＴＲ２の他方への遊技球の送球を規制する状態から、第１通路ＴＲ１の一方への遊技球の送球を規制する場合の説明は省略する。
【０８２７】
図１１３（ａ）及び図１１３（ｂ）に示すように、振分け部９８３に遊技球が送球される前（作用部９８３ａに遊技球が当接する前）では、上述したように、振分け９８３に配設される磁性体９８８ｃが磁性体９８８ｂ（図１１０参照）と反発することで、貫通孔９８３ｃから径方向外側の中間板９８３ｂが、第２通路ＴＲ２側へ傾いた状態とされる。なお、第２通路ＴＲ２側の作用部９８３ａが正面ベース９８１の当接部９８２ａ１に当接することで、その回転量が規制される（図１１３（ａ）参照）。
【０８２８】
この状態で遊技球が振分け部９８３に送球されると、遊技球は、中間板９８３ｂ及び第１通路ＴＲ１側の作用部９８３ａとの間に送球される。上述したように、作用部９８３ａは、当接部９８３ｄとの連結位置が、中間板９８３ｂの当接部９８３ｄとの連結位置よりも重力方向他端側（重力方向下側）に設定されるので、遊技球の荷重を第１通路ＴＲ１側の作用部９８３ａに作用させることができる。
【０８２９】
これにより、振分け部９８３は、図１１３（ｂ）に示すように、貫通孔９８３ｃを軸に回転変位され、貫通孔９８３ｃから径方向外側の中間板９８３ｂが、第１通路ＴＲ１側へ傾いた状態とされる。なお、第１通路ＴＲ１側の作用部９８３ａが正面ベース９８１の当接部９８２ａ１に当接することで、その回転量が規制される。また、この場合、磁性体９８８ｃの反発方向が、貫通孔９８３ｃから径方向外側の中間板９８３ｂを第２通路ＴＲ２側へ作用する状態から第１通路ＴＲ１側へ作用する状態に切り換えられる。
【０８３０】
従って、振分け部９８３は、遊技球の荷重および磁性体９８８ｃの反発力を利用して、貫通孔９８３ｃを軸に回転変位させることができる。また、磁性体９８８ｃの反発力の方向が切り替わるので、振分け部９８３が回転した状態を維持させることができる。従って、振分け部９８３は、遊技球が送球される都度、中間板９８３ｂの傾き方向を変位させて、遊技球を第１通路ＴＲ１及び第２通路ＴＲ２に一球ずつ送球できる。
【０８３１】
次いで、図１１４から図１１６を参照して、通路ユニット９９０の構成について説明する。図１１４（ａ）は、通路ユニット９９０の正面図であり、図１１４（ｂ）は、通路ユニット９９０の側面図である。図１１５は、通路ユニット９９０の分解斜視正面図であり、図１１６は、通路ユニット９９０の分解斜視背面図である。
【０８３２】
図１１４から図１１６に示すように、通路ユニット９９０は、振分けユニット９８０側が開口する複数の開口を備える第１通路部材９９１と、その第１通路部材９９１に配設される第１通路部材９９１を通過する遊技球を送球する第２通路部材９９２と、第２通路部材９９２に配設され第２通路部材９９２を通過した遊技球を送球する第３通路部材９９３と、第２通路部材９９２及び第３通路部材９９３の間に配設される検出装置ＳＥ４とを主に備えて形成される。
【０８３３】
第１通路部材９９１は、正面視横長矩形に形成されると共に第２通路部材９９２側に所定の幅を備えて形成される。また、第１通路部材９９１は、振分けユニット９８０側の重力方向他側（重力方向上側）に貫通形成される第１挿通孔９９１ａと、その第１挿通孔９９１ａの重力方向一側（重力方向下側）に貫通形成される第２挿通孔９９１ｂと、その第２挿通孔９９１ｂの水平方向両隣に形成される貫通形成される第３挿通孔９９１ｃ及び第４挿通孔９９１ｄと、正面視における外側周囲に円形状に複数個貫通形成される貫通孔９９１ｆとを主に備えて形成される。
【０８３４】
第１挿通孔９９１ａは、正面視において一辺が遊技球の直径よりも大きい正方形に形成される。また、第１挿通孔９９１ａは、振分けユニット９８０及び通路ユニット９９０を組み合わせた状態において、振分けユニット９８０の開口９８５ｄと内部空間が連なる位置に形成される。これにより、振分けユニット９８０の内部を流下して開口９８５ｄを通過する遊技球を第１挿通孔９９１ａに受け入れることができる。
【０８３５】
また、第１挿通孔９９１ａは、重力方向一側（重力方向下側）の内面が第２通路部材９９２側に向かって下降傾斜して形成される。これにより、第１挿通孔９９１ａに送球される遊技球を第２通路部材９９２側に転動させることができる。
【０８３６】
さらに、第１挿通孔９９１ａには、第２通路部材９９２を挿通するネジを螺合する締結孔９９１ｇ１を備える円環状の円環突起９９１ｇが外周部分に連結して形成される。これにより、第１通路部材９９１及び第２通路部材９９２を締結固定することができる。
【０８３７】
第２挿通孔９９１ｂは、正面視において縦長矩形に形成され、短手方向の幅寸法が遊技球の直径よりも大きく設定される。また、第２挿通孔９９１ｂは、振分けユニット９８０及び通路ユニット９９０が組み合わされた状態において、振分けユニット９８０の開口９８５ｇと内部空間が連なる位置に形成される。これにより、振分けユニット９８０の内部を流下して開口９８５ｇを通過する遊技球を第２挿通孔９９１ｂに受け入れることができる。
【０８３８】
また、第２挿通孔９９１ｂは、重力方向一側（重力方向下側）の内面が第２通路部材９９２側に向かって下降傾斜して形成される。これにより、第２挿通孔９９１ｂに送球される遊技球を第２通路部材９９２側に転動させることができる。
【０８３９】
第３挿通孔９９１ｃは、正面視において縦長矩形に形成され、短手方向の幅寸法が遊技球の直径よりも大きく設定される。また、第３挿通孔９９１ｃは、振分けユニット９８０及び通路ユニット９９０が組み合わされた状態において、振分けユニット９８０の開口９８５ｂの内部空間が連なる位置に形成される。これにより、振分けユニット９８０の内部（第１通路ＴＲ１）を流下して開口９８５ｅを通過する遊技球を第３挿通孔９９１ｃに受け入れることができる。
【０８４０】
また、第３挿通孔９９１ｃは、重力方向他側（重力方向上側）に水平方向両側に凹設される凹設部９９１ｃ１を備える。凹設部９９１ｃ１は、振分けユニット９８０に配設される検出装置ＳＥ３の検出基板ＳＥ１ｂを内部に収容する部分であり、検出装置ＳＥ３の外形と略同一の寸法に形成される。これにより、検出装置ＳＥ３の検出基板ＳＥ１ｂ側を凹設部９９１ｃ１により保護することができると共に、検出装置ＳＥ３が振分けユニット９８０及び通路ユニット９９０を組み合わせた状態で外部から不正に操作されることを抑制できる。
【０８４１】
さらに、振分けユニット９８０と通路ユニット９９０とを組み合わせる場合に、振分けユニット９８０に配設する検出装置ＳＥ３の検出基板ＳＥ１ｂを通路ユニット９９０の凹設部９９１ｃ１の内部に受け入れることができるので、振分けユニット９８０と通路ユニット９９０との位置決めとすることができる。これにより、検出装置ＳＥ３の一部が外部に張り出すことを抑制して、送球ユニット９７０の全体としての小型化を図ることができる。
【０８４２】
第３挿通孔９９１ｃは、第２通路部材９９２側の内縁に第２挿通孔９９１ｂ側から突出する突設部９９１ｃ２を備えると共に、重力方向一側（重力方向下側）の内面が水平方向に隣り合う第２挿通孔９９１ｂから離間する方向に下降傾斜して形成される。これにより、第３挿通孔９９１ｃに流入した遊技球を突設部９９１ｃ２に衝突させると共に、第２挿通孔９９１ｂから離間する方向（図１１４（ａ）左方向）に転動させることができる。
【０８４３】
第４挿通孔９９１ｄは、正面視において縦長矩形に形成され、短手方向の幅寸法が遊技球の直径よりも大きく設定される。また、第４挿通孔９９１ｄは、振分けユニット９８０及び通路ユニット９９０が組み合わされた状態において、振分けユニット９８０の開口９８５ｂの内部空間が連なる位置に形成される。これにより、振分けユニット９８０の内部（第２通路ＴＲ２）を流下して開口９８５ｆを通過する遊技球を第４挿通孔９９１ｄに受け入れることができる。
【０８４４】
また、第４挿通孔９９１ｄは、重力方向他側（重力方向上側）に水平方向両側に凹設される凹設部９９１ｄ１を備える。凹設部９９１ｄ１は、振分けユニット９８０に配設される検出装置ＳＥ３の検出基板ＳＥ１ｂを内部に収容する部分であり、検出装置ＳＥ３の外形と略同一の寸法に形成される。これにより、検出装置ＳＥ３の検出基板ＳＥ１ｂ側を凹設部９９１ｄ１により保護することができると共に、検出装置ＳＥ３が振分けユニット９８０及び通路ユニット９９０を組み合わせた状態で外部から不正に操作されることを抑制できる。
【０８４５】
さらに、第４挿通孔９９１ｄは、第２通路部材９９２側の内縁に第２挿通孔９９１ｂ側から突出する突設部９９１ｃ２を備えると共に、重力方向一側（重力方向下側）の内面が水平方向に隣り合う第２挿通孔９９１ｂから離間する方向に下降傾斜して形成される。これにより、第４挿通孔９９１ｄに流入した遊技球を突設部９９１ｄ２に衝突させると共に、第２挿通孔９９１ｂから離間する方向（図１１４（ａ）右方向）に転動させることができる。
【０８４６】
第２通路部材９９２は、正面視において上下反対の略Ｔ字状の板状に形成されると共に、重力方向他側（重力方向上側）に貫通する第５挿通孔９２２と、その第５挿通孔９２２の重力方向一側（重力方向下側）に貫通する第６挿通孔９９２ｃと、第５挿通孔９２２の内周縁に立設される立設壁９９２ａとを主に備えて形成される。
【０８４７】
第５挿通孔９２２は、正面視において縦長矩形に形成され、短手方向の幅寸法が遊技球の直径よりも大きく設定される。また、第５挿通孔９９１ｅは、第１通路部材９９１及び第２通路部材９９２が組み合わされた状態において、第１通路部材９９１の第１挿通孔９９１ａの内部空間が連なる位置に形成される。これにより、第１通路部材９９１の第１挿通孔９９１ａを通過する遊技球を第５挿通孔９２２に受け入れることができる。
【０８４８】
立設壁９９２ａは、第５挿通孔９２２の縁部全域から第３通路部材９９３側に向かって立設される。また、立設壁９９２ａは、重力方向一側（重力方向下側）の内面が第３通路部材９９３側に向かって下降傾斜して形成される。これにより、第５挿通孔９２２に送球された遊技球を第３通路部材９９３側（図１１４（ｂ）右側）に転動させることができる。
【０８４９】
立設壁９９２ａの外周面には、水平方向に突出する係合部９９２ｄと、第１通路部材９９１側の端部から水平方向に突出する突設壁９９２ｅとを備えて形成される。係合部９９２ｄは、水平方向に突出すると共に、その先端が第３通路部材９９３側に屈曲するＬ字状に形成される。係合部９９２ｄは、立設壁９９２ａとの対向間に後述する検出装置ＳＥ４及び振分けユニット９８０に配設される検出装置ＳＥ３の配線が挿入される。これにより、検出装置ＳＥ３及び検出装置ＳＥ４の配線を係止することができるので、検出装置ＳＥ３及び検出装置ＳＥ４が振分けユニット９８０及び通路ユニット９９０から抜け出ることを抑制できる。
【０８５０】
突設壁９９２ｅは、立設壁９９２ａの水平方向両側に正面視半円状に突出して形成され、その半円の軸に貫通する貫通孔９９２ｅ１を備える。また、突設壁９９２ｅは、第１通路部材９９１及び第２通路部材９９２が組み合わされた状態において、第１通路部材９９１の円環突起９９１ｇと対向する位置に形成されると共に、貫通孔９９２ｅ１が締結孔９９１ｇ１と同軸上に位置される。これにより、第２通路部材９９２側から貫通孔９９２ｅ１にネジを挿通すると共に、そのネジを締結孔９９１ｇ１に螺合することで、第１通路部材９９１及び第２通路部材９９２を締結固定できる。
【０８５１】
第６挿通孔９９２ｃは、正面視において一辺が遊技球の直径よりも大きい正方形に形成される。また、第６挿通孔９９２ｃは、第１通路部材９９１及び第２通路部材９９２を組み合わせた状態において、その内部空間が第１通路部材９９１の第２挿通孔９９１ｂの内部空間と連なる位置に形成される。これにより、第１通路部材９９１の第２挿通孔９９１ｂを通過する遊技球を第６挿通孔９９２ｃに受け入れることができる。
【０８５２】
また、第６挿通孔９９２ｃの周囲には、第３通路部材９９３側に向かって立設されるガイド壁９９２ｃ１が形成される。ガイド壁９９２ｃ１は、第６挿通孔９９２ｃの重力方向一側（重力方向下側）に立設される第１壁部９９２ｃ２と、その第１壁部９９２ｃ２の延設方向の端部と連なると共に重力方向に延設される第２壁部９９２ｃ３とから形成される。
【０８５３】
第１壁部９９２ｃ２及び第２壁部９９２ｃ３は、検出装置ＳＥ４を配設する位置決めとなる壁面であり、第３通路部材９９３に形成される立設壁９９３ｅ及び係合部９９３ｄとの対向間における寸法が検出装置ＳＥ４の対向における寸法と略同一に設定される。
【０８５４】
また、検出装置ＳＥ４は、検出孔ＳＥ１ａの内部空間が第６挿通孔９９２ｃの内部空間と連なる位置に配置される。これにより、第６挿通孔９９２ｃを通過する遊技球は、検出孔ＳＥ１ａを通過して検出装置ＳＥ４に検出されると共に、第３通路部材９９３側に送球される。
【０８５５】
また、第２通路部材９９２は、第６挿通孔９９２ｃから水平方向（図１１４（ａ）左右方向）に離間した位置に、第３通路部材９９３側に突設される円環突起９９２ｆを備える。円環突起９９２ｆは、その軸に円形状の孔の締結孔９９２ｆ１を備える。締結孔９９２ｆ１は、第３通路部材９９３を挿通したネジを螺合する孔であり、これにより、第２通路部材９９２及び第３通路部材９９３を締結固定できる。
【０８５６】
第１挿通孔９９１ａは、正面視において一辺が遊技球の直径よりも大きい正方形に形成される。また、第１挿通孔９９１ａは、振分けユニット９８０及び通路ユニット９９０を組み合わせた状態において、振分けユニット９８０の開口９８５ｄと内部空間が連なる位置に形成される。これにより、振分けユニット９８０の内部を流下して開口９８５ｄを通過する遊技球を第１挿通孔９９１ａに受け入れることができる。
【０８５７】
また、第１挿通孔９９１ａは、重力方向一側（重力方向下側）の内面が第２通路部材９９２側に向かって下降傾斜して形成される。これにより、第１挿通孔９９１ａに送球される遊技球を第２通路部材９９２側に転動させることができる。
【０８５８】
さらに、第１挿通孔９９１ａには、第２通路部材９９２を挿通するネジを螺合する締結孔９９１ｇ１を備える円環状の円環突起９９１ｇが外周部分に連結して形成される。これにより、第１通路部材９９１及び第２通路部材９９２を締結固定することができる。
【０８５９】
第２挿通孔９９１ｂは、正面視において縦長矩形に形成され、短手方向の幅寸法が遊技球の直径よりも大きく設定される。また、第２挿通孔９９１ｂは、振分けユニット９８０及び通路ユニット９９０が組み合わされた状態において、振分けユニット９８０の開口９８５ｇと内部空間が連なる位置に形成される。これにより、振分けユニット９８０の内部を流下して開口９８５ｇを通過する遊技球を第２挿通孔９９１ｂに受け入れることができる。
【０８６０】
また、第２挿通孔９９１ｂは、重力方向一側（重力方向下側）の内面が第２通路部材９９２側に向かって下降傾斜して形成される。これにより、第２挿通孔９９１ｂに送球される遊技球を第２通路部材９９２側に転動させることができる。
【０８６１】
第３通路部材９９３は、正面視横長矩形の板状に形成される。第３通路部材９９３は、長手方向略中間位置に貫通形成される第７挿通孔９９３ａと、その第７挿通孔９９３ａの縁部から立設される案内壁９９３ｂと、重力方向他側の縁部から第２通路部材９９２側に立設される立設壁９９３ｅと、長手方向に突出する係合部９９３ｄと、第２通路部材９９２側の側面に凹設される凹部９９３ｃとを主に備えて形成される。
【０８６２】
第７挿通孔９９３ａは、正面視において一辺が遊技球の直径よりも多きい正方形に形成される。また、第７挿通孔９９３ａは、第２通路部材９９２及び第３通路部材９９３を組み合わせた状態において、第２通路部材９９２に配設される検出装置ＳＥ４の内部空間と連なる位置に形成される。これにより、第２通路部材９９２の第７挿通孔９９３ａ及び検出装置ＳＥ４の検出孔ＳＥ１ａを通過した遊技球を第７挿通孔９９３ａに受け入れることができる。
【０８６３】
案内壁９９３ｂは、第７挿通孔９９３ａの重力方向他側（重力方向上側）を除く３方向の縁部から第２通路部材９９２側と反対側に向かって立設される。また、案内壁９９３ｂは、重力方向一側（重力方向下側）の内面が第２通路部材９９２側に向かって上方傾斜（第２通路部材９９２側と反対側に向かって下降傾斜）して形成される。これにより、第７挿通孔９９２ｇに送球された遊技球を第２通路部材９９２側と反対側（図１１４（ｂ）右側）に転動させることができる。
【０８６４】
また、第３通路部材９９３は、図１１４（ｂ）に示すように、第２通路部材９９２の立設壁９９２ａの重力方向一側（図１１４（ｂ）下側）に配設される。上述したように、第３通路部材９９３は、重力方向他側（図１１４（ｂ）上側）が開放されるので、その分、第３通路部材９９３を立設壁９９２ａに近づけて配設できる。その結果、上述した振分けユニット９８０の開口９８５ｄと開口９８５ｇとを近づけることができ、振分けユニット９８０及び通路ユニット９９０の重力方向における外形を小型化することができる。
【０８６５】
立設壁９９３ｅは、第２通路部材９９２及び第３通路部材９９３が組み合わされた状態において、第２通路部材９９２の第１壁部９９２ｃ２との対向間の距離寸法が、検出装置ＳＥ４の検出孔ＳＥ１ａの軸と直交する方向における短手側の距離寸法と略同一に設定される。これにより、検出装置ＳＥ４の重力方向における位置決めをすることができる。
【０８６６】
また、遊技球が送球される上流側（第２通路部材９９２側）に、検出装置ＳＥ４の重力方向下側の位置決めをする第１壁部９９２ｃ２が形成される。これにより、第６挿通孔９９２ｃを通過する遊技球を検出装置ＳＥ４の検出孔ＳＥ１ａに挿通させやすくできる。
【０８６７】
即ち、検出孔ＳＥ１ａは、遊技者の不正を防止する目的で、遊技球の直径よりも若干大きい寸法に形成されるため、遊技球の転動面の高さの微小な位置ずれにより、その内部に遊技球が挿通できなくなるところ、本実施形態では、遊技球が送球される上流側（第２通路部材９９２側）に、検出装置ＳＥ４の重力方向下側の位置決めをする第１壁部９９２ｃ２が形成されるので、第６挿通孔９９２ｃと検出孔ＳＥ１ａと転動面の高さが位置ずれすることを抑制できる。その結果、第６挿通孔９９２ｃを挿通する遊技球を検出孔ＳＥ１ａに挿通させやすくできる。
【０８６８】
係合部９９３ｄは、第３通路部材９９３の長手方向に突出して形成されると共に、その突出先端に第２通路部材９９２側に屈曲する屈曲部９９３ｄ１を備える。屈曲部９９３ｄ１は、第２通路部材９９２及び第３通路部材９９３が組み合わされた状態において、第２通路部材９９２の第２壁部９９２ｃ３との対向間の距離寸法が、検出装置ＳＥ４の検出孔ＳＥ１ａの軸と直交する方向における長手側の距離寸法と略同一に設定される。これにより、検出装置ＳＥ４の水平方向における位置決めをすることができる。
【０８６９】
凹部９９３ｃは、第２通路部材９９２と第３通路部材９９３とが組み合わされた状態において、第２通路部材９９２の円環突起９９２ｆと対向する位置に形成されると共に、円環突起９９２ｆの外径よりも大きい内縁形状に形成される。また、凹部９９３ｃは、その凹設底面に円環突起９９２ｆの締結孔９９２ｆ１と同軸上に貫通形成される貫通孔９９３ｃ１を備える。これにより、凹部９９３ｃに第２通路部材９９２の円環突起９９２ｆを挿入すると共に、ネジを第３通路部材９９３側から貫通孔９９３ｃ１を挿通させて締結孔９９２ｆ１に螺合させることで、第２通路部材９９２及び第３通路部材９９３を締結固定できる。
【０８７０】
以上のように構成される送球ユニット９７０によれば、送球ユニット９７０が、第１入賞口６４及び第２入賞口１４０と異なるユニットから形成されると共に、第１入賞口６４及び第２入賞口１４０を備える正面ユニット９４０の背面側（遊技領域と反対側）に配設されるので、送球ユニット９７０（振分けユニット９８０）を交換して別のユニットを配設することで、遊技領域を流下する遊技球の流下に影響することなく、別の遊技形態とできる。
【０８７１】
図１１７及び図１１８を参照して、振分けユニット９８０の別のユニット（交換ユニット１９８０）について説明する。図１１７（ａ）は、交換ユニット１９８０の正面図であり、図１１７（ｂ）は、交換ユニット１９８０の背面図である。図１１８（ａ）は、図１１７（ａ）のＣＸＶＩＩＩａ−ＣＸＶＩＩＩａ線における交換ユニット１９８０の断面図であり、図１１８（ｂ）は、図１１８（ａ）のＣＸＶＩＩＩｂ−ＣＸＶＩＩＩｂ線における交換ユニット１９８０の断面図である。なお、上述した振分けユニット９８０と同一の部分には同一の符号を付してその説明は省略する。
【０８７２】
図１１７及び図１１８に示すように、交換ユニット１９８０は、遊技領域側に配設される正面ベース１９８１と、その正面ベース１９８１の遊技領域側と反対側に配設される背面ベース１９８５とを主に備えて形成される。
【０８７３】
正面ベース１９８１は、有色半透明の樹脂材料から形成される。また、正面ベース１９８１は、正面視おける外形が振分けユニット９８０の正面ベース９８１と略同一に形成される。正面ベース１９８１は、ベース板９８１ａと、そのベース板９８１ａから遊技者側（背面ベース１９８５と反対側）に膨出する膨出部１９８２とを主に備えて形成される。
【０８７４】
また、正面ベース１９８１は、その色が振分けユニット９８０の正面ベース９８１の色と異なる色（本実施形態では、黄色）の材料から形成される。これにより、遊技盤１３に振分けユニット９８０が配設されているのか、交換ユニット１９８０が配設されているのかを遊技者に認識させやすくできる。
【０８７５】
即ち、振分けユニット９８０を配設した仕様の遊技盤１３（パチンコ機１０）と、交換ユニット１９８０を配設した仕様の遊技盤１３（パチンコ機１０）とが、同一の店舗に導入された場合に、後述するようにどちらの仕様も遊技領域（遊技盤１３の前面）の形状が同一のため、遊技者がどちらの仕様か判断し難くなるところ、振分けユニット９８０と交換ユニット１９８０との配色を異なるものとすることで、遊技者にどちらの仕様の遊技盤１３（パチンコ機１０）であるのかを認識させやすくできる。
【０８７６】
ベース板１９８１ａは、正面視における外形が振分けユニット９８０のベース板９８１ａの外形と略同一に設定される。よって、振分けユニット９８０から交換ユニット１９８０に交換（仕様が変更）された場合に、ベース板６０の貫通孔６０ａの形状を変更することなく、正面ベース１９８１（交換ユニット１９８０）をベース板６０に配設できる。従って、振分けユニット９８０と交換ユニット１９８０との交換による仕様変更に伴って、ベース板６０の形状を変更する必要がなくなり、製造コストの削減をすることができる。
【０８７７】
膨出部１９８２は、ベース板１９８１ａから膨出するドーム状に形成されると共に、その内側に遊技球を挿通可能な大きさに設定される。膨出部１９８２は、正面視縦長矩形に形成されると共に、重力方向上端部を切り欠いて形成される流入口９８２ｄを備えて形成される。
【０８７８】
膨出部１９８２の水平方向における幅寸法は、一球の遊技球のみが通過可能な大きさに設定されており、流入口９８２ｄから流入した遊技球をその内側を通過させて流下させることができる。また、膨出部１９８２の重力方向一側（重力方向下側）の内面が、背面ベース１９８５に形成される開口９８５ｄの重力方向一側の内面と略同一の重力方向位置に設定される。これにより、流入口９８２ｄから交換ユニット１９８０に流入した遊技球を、流入口９８２ｄに流入する順で開口９８５ｄに送球することができる。
【０８７９】
背面ベース１９８５は、正面視における外形が振分けユニット９８０の背面ベース９８５の外形と略同一に設定されると共に、膨出部１９８２の内部空間に連通される開口９８５ｄと貫通孔９８１ｃの内部空間に連通する開口９８５ｇとを備えて形成される。
【０８８０】
以上のように構成される交換ユニット１９８０によれば、上述したように、ベース板１９８１ａの正面視における外形が、振分けユニット９８０のベース板９８１ａと略同一であるので、振分けユニット９８０から交換ユニット１９８０への交換（仕様の変更）を簡易に行うことができる。
【０８８１】
ここで、遊技球が入球可能に形成される入球口およびその入球口に連結される通路を備えた入球ユニットと、その入球ユニットが配設される遊技盤とを備えた遊技機が知られている。かかる遊技機によれば、入球ユニットを別の入球ユニット（例えば、通路の本数が異なるもの）に取り換えることで、遊技盤を流用（兼用）しつつ、遊技機の仕様を変更することができる。しかしながら、上述した遊技機では、入球ユニットが遊技盤の前面に配設されるので、例えば、通路の最大本数に応じたスペースを予め遊技盤の前面に確保しておく必要があった。そのため、通路の本数が少ない入球ユニットを用いる場合には、遊技盤の前面側のスペースに無駄が生じるという問題点があった。
【０８８２】
これに対し、本実施形態によれば、振分けユニット９８０（入球ユニット）は、流入口９８２ｄ及びその流入口９８２ｄに連結される第１通路ＴＲ１及び第２通路ＴＲ２を有すると共に、遊技盤１３の前面側に配設される入賞口ユニット９３０と、その入賞口ユニット９３０の背面側にベース板６０の貫通孔６０ａを介して配設されると共に、第１通路ＴＲ１及び第２通路ＴＲ２に連結される通路ユニット９９０を備えるので、遊技盤１３の前面には入賞口ユニット９３０の大きさに対応するスペースを確保すれば足り、通路の最大本数に応じたスペースを遊技盤の前面に確保しておく必要がない。よって、振分けユニット９８０を交換ユニット１９８０に取り換えることで、遊技盤１３（ベース板６０及び正面ユニット９４０）を流用（兼用）しつつ、遊技盤１３の仕様を変更する際に、遊技盤１３の前面のスペースを有効に活用できる。
【０８８３】
また、上述したように正面ユニット９４０は、上述したように無色透明（光透過性材料）の樹脂材料から形成され、振分けユニット９８０又は交換ユニット１９８０が、入賞口ユニットよりも小さな外形に形成されると共に、正面視において正面ユニット９４０に重なる位置に配設されるので、正面ユニット９４０を通して振分けユニット９８０を遊技者に視認させることができ、遊技の興趣を高めることができる。また、振分けユニット９８０又は交換ユニット１９８０を遊技者に視認可能とするために、ベース板６０を光透過性材料から形成することが必須とされず、例えば、ベース板６０をベニヤ板から形成することや、ベース板６０にシールを張り付ける。或いは、ベース板６０を塗装することも許容されるので、設計の自由度を高めることができる。
【０８８４】
さらに、振分けユニット９８０又は交換ユニット１９８０は、有色半透明（光透過性材料）の樹脂材料から形成されるので、正面ユニット９４０と通して振分けユニット９８０又は交換ユニット１９８０の内部（通路）を流下する遊技球を遊技者に視認させることができ、遊技の興趣を高めることができる。
【０８８５】
また、正面ユニット９４０が、無色透明（光透過性材料）の樹脂材料から形成され、振分けユニット９８０又は交換ユニット１９８０は、有色半透明（光透過性材料）の樹脂材料から形成されるので、正面ユニット９４０を通して振分けユニット９８０又は交換ユニット１９８０との前後方向（重なり方向）の位置関係を遊技者に把握させやすくできる。即ち、遊技球が前後方向に位置を変化させて流下される態様を遊技者に視認させやすくできるので、遊技の興趣を高めることができる。
【０８８６】
また、振分けユニット９８０の遊技球の通路は、流入口９８２ｄに連通される送球通路ＴＲ０と、その送球通路ＴＲ０から分岐される第１通路ＴＲ１及び第２通路ＴＲ２とを備えて形成される。また、振分けユニット９８０には、第１通路ＴＲ１及び第２通路ＴＲ２を通過する遊技球を検出する検出装置ＳＥ３が配設される。従って、遊技球の通過経路が多い振分けユニット９８０から少ない交換ユニット１９８０に変更して異なる仕様の遊技機を製造する場合に、検出装置ＳＥ３の配設数を作業者が間違えることを抑制できる。
【０８８７】
即ち、振分けユニット９８０又は交換ユニット１９８０の下流側に配設される通路ユニット９９０に検出装置ＳＥ３を配設する構造では、振分けユニット９８０の通路の分だけ検出装置ＳＥ３を配設できるところ、流下通路が２本形成される振分けユニット９８０から流下通路が１本の交換ユニット１９８０に変更する場合に、１の検出センサを通路ユニット９９０に配設すれば足りるのに、振分けユニット９８０の流下通路の本数分だけ検出装置ＳＥ３を配設してしまう可能性がある。これに対し、送球通路ＴＲ０から分岐される通路に検出装置ＳＥ３を配設する構造であれば、振分けユニット９８０を交換ユニット１９８０に変更する際に、そのユニットに応じた数の検出装置ＳＥ３を配設することになるため、その配設数を作業者が間違えることを抑制できる。
【０８８８】
一方、第２入賞口１４０への遊技球の流入を検出する検出装置ＳＥ４は、上述したように、通路ユニット９９０に配設される。よって、振分けユニット９８０及び交換ユニット１９８０に配設される検出装置を分散させることができ、その分、通路の配置の自由度を高めることができる。
【０８８９】
また、交換ユニット１９８０には、振分けユニット９８０と同一の位置に第２入賞口１４０から流入される遊技球を送球する側壁部９８１ｂが形成される。従って、振分けユニット９８０と同様に、交換ユニット１９８０を正面ユニット９４０（入賞口ユニット９３０）に配設する際に、側壁部９８１ｂを利用して交換ユニット１９８０の位置決めをすることができる。即ち、交換ユニット１９８０の形態に関わらず、転動部９４３ａと側壁部９８１ｂとの連結される位置は同一であるので、転動部９４３ａに対して側壁部９８１ｂを位置決めすることで、交換ユニット１９８０であっても、正面ユニット９４０に対して位置決めを行うことができる。
【０８９０】
さらに、正面ユニット９４０に対する交換ユニット１９８０の位置決めは、振分けユニット９８０と同様に、転動部９４３ａと側壁部９８１ｂとの連結部分に位置ずれ（段差）が生じることを抑制することが目的となるところ、その対象となる部分を位置決めすることができるので、他の部分を位置決めする場合と比較して、位置ずれ（段差）の発生を効果的に抑制できる。その結果、遊技球をスムーズに流下させることができる。
【０８９１】
次いで、図１１９を参照して、入賞口ユニット９３０及び送球ユニット９７０の配置について説明する。図１１９は、図Ａ０１のＣＸＩＸ−ＣＸＩＸ線における遊技盤１３の断面図である。
【０８９２】
図１１９に示すように、正面ユニット９４０及び送球ユニット９７０の各通路の連結は、前後方向（図１１９左右方向）に当接した状態とされると共に、送球ユニット９７０に形成される凸部が、正面ユニット９４０に形成される突部に挿入される。
【０８９３】
詳しく説明すると、第１送球部９４２ｇと流入口９８２ｄとは、第１送球部９４２ｇに形成される第１凹欠部９４２ｇ１の内側に流入口９８２ｄに形成される第２突起９８２ｄ１が配置される。また、第２送球部９４２ｃと側壁部９８１ｂとは、第２送球部９４２ｃに形成される第２凹欠部９４２ｃ１の内側に、側壁部９８１ｂに形成される突起９８１ｂ１が配置される。
【０８９４】
また、正面ユニット９４０の第２送球部９４２ｃと振分けユニット９８０の側壁部９８１ｂとは、駆動ユニット９６０に形成される腕部９６２ｅと壁部９６２ｆに囲われる内部空間に配設される。
【０８９５】
ここで、従来より、遊技盤と、その遊技盤の正面側に配設されると共に遊技球が通過する第１通路を有する第１部材と、その第１部材の第１通路に連通される第２通路を有すると共に遊技盤の背面側に配設される第２部材と、を備えた遊技機が知られている。遊技盤の正面側を流下し、第１部材の第１通路に流入した遊技球は、第１通路を通過した後、第２部材の第２通路へ流入し、遊技盤の背面側において、第２通路を通過する。これにより、遊技球の通過経路が前後方向に変化され、遊技者に興趣を与えることができる。
【０８９６】
この場合、第１通路と第２通路との連結部分に位置ずれ（段差）が生じていると、遊技球のスムーズな流下が阻害されるため、第１部材に対する第２部材の位置精度を確保することが要請される。しかしながら、上述した遊技機では、第１部材に対する第２部材の位置決めが困難であるという問題点があった。即ち、遊技盤の正面には、第１部材だけでなく、通路を有する他の部材や装飾部材などの各種部材が配設されるため、それらの各部材を位置決めするための位置決め孔を遊技盤に形成する工程内で、第１部材を位置決めするための位置決め孔も形成できる一方、第２部材を位置決めするための位置決め孔を遊技盤の背面に形成するためには、遊技盤を反転させた上で第２部材のためだけの位置決め孔を形成するという別工程が必要となり、現実的ではない。
【０８９７】
これに対し、本実施形態では、上述したように、正面ユニット９４０に駆動ユニット９６０が配設されられる場合に、駆動ユニット９６０の突設部９６２ｇの対向間に正面ユニット９４０の一対の第２ガイド壁９４２ｄが挿入される。正面ユニット９４０に送球ユニット９７０が配設される場合には、突設部９６２ｇが突設される腕部９６２ｅの対向間に振分けユニット９７０の側壁部９８１ｂが挿入される。
【０８９８】
即ち、駆動ユニット９６０は、正面ユニット９４０の第２ガイド壁９４２ｄと係合する突設部９６２ｇ（ガイド部９６２ｂ）と、送球ユニット９７０の側壁部９８１ｂと係合する腕部９６２ｅ（ガイド部９６２ｂ）とを備える。これにより、正面ユニット９４０と送球ユニット９７０とを駆動ユニット９６０のガイド部９６２ｂを利用して位置決めを行うことができる。
【０８９９】
ガイド部９６２ｂの腕部９６２ｅは、正面ユニット９４０の一対の第２送球部９４２ｃの対向方向外側に位置される。これにより、ガイド部９６２ｂの腕部９６２ｅは、突設部９６２ｇが正面ユニット９４０の第２ガイド壁９４２ｄに、腕部９６２ｅが送球ユニット９７０の側壁部９８１ｂに、それぞれ係合されるので、正面ユニット９４０に対する送球ユニット９７０の位置決めを効果的に行うことができる。即ち、正面ユニット９４０に対する送球ユニット９７０の位置決めは、第２送球部９４２ｃと側壁部９８１ｂとの連結部分に位置ずれ（段差）が生じることを抑制することが目的となるところ、その対象となる部分（第２送球部９４２ｃと側壁部９８１ｂとの連結部分）をガイド部９６２ｂ（腕部９６２ｅ）により、直接位置決めすることができるので、他の部分をガイド部９６２ｂにより位置決めする場合と比較して、位置ずれ（段差）の発生を効果的に抑制できる。
【０９００】
また、ガイド部９６２ｂを備える駆動ユニット９６０は、正面ユニット９４０に配設された状態で、ベース板６０の貫通孔６０ａの内部空間に配設される。よって、駆動ユニット９６０を配設するための開口部分を別途設ける必要がない。即ち、正面ユニット９４０の第２送球部９４２ｃと側壁部９８１ｂとの連結部分を配設するための貫通孔６０ａを配設空間としても兼用することができるので、その分、加工工数を低減して、製品コストの低減を図ることができる。
【０９０１】
上述したように、ガイド部９６２ｂを備える駆動ユニット９６０は、第２送球部９４２ｃを備える正面ユニット９４０に配設（保持可能に形成）されるので、遊技盤１３の正面および背面に正面ユニット９４０及び送球ユニット９７０をそれぞれ取り付ける際に、駆動ユニット９６０を別途取り付ける必要がなく、正面ユニット９４０を取り付けることで、駆動ユニット９６０の取り付けも同時に行うことができる。よって、その分、取り付けの作業性の向上を図ることができる。
【０９０２】
また、正面ユニット９４０に駆動ユニット９６０を配設した状態では、正面ユニット９４０に駆動ユニット９６０の突設部９６２ｇ及び腕部９６２ｅが、それぞれ第２ガイド壁９４２ｄ及び第２送球部９４２ｃに係合される。よって、ベース板６０に正面ユニット９４０と駆動ユニット９６０とを取り付けた後に、駆動ユニット９６０の突設部９６２ｇ及び腕部９６２ｅをそれぞれ第２ガイド壁９４２ｄ及び第２送球部９４２ｃに係合させる作業を別途行う必要がない。よって、その分、取り付け作業性の向上を図ることができる。
【０９０３】
さらに、正面ユニット９４０に駆動ユニット９６０が配設された状態では、駆動ユニット９６０の腕部９６２ｅが、正面ユニット９４０と反対側から送球ユニット９７０に係合可能に形成されるので、ベース板６０に正面ユニット９４０及び駆動ユニット９６０を同時に取り付けた後に、ベース板６０の背面に駆動ユニット９６０を取り付けることで、かかる取り付け動作と同時に、駆動ユニット９６０の腕部９６２ｅを送球ユニット９７０に係合させることができる。よって、その分、取り付け作業の作業性の向上を図ることができる。
【０９０４】
上述したように、一対の腕部９６２ｅの対向間は、壁部９６２ｆが連結されており、正面ユニット９４０及び駆動ユニット９６０が組み合わされた状態において、腕部９６２ｅ及び壁部９６２ｆと正面ユニット９４０の背面ベース９４１との対向間に上述した変位部材９６６が配設される。よって、変位部材９６６の変位を案内する部材を別途設けることを不要とできる。よって、その分、正面ユニット９４０の構造を簡素化でき、製品コストの削減を図ることができる。
【０９０５】
また、この場合、ガイド部９６２ｂの壁部９６２ｆは、一対の羽部材９４５の突起９４５ｂが挿入される変位部材９６６の摺動溝９６６ａ２とその開放方向に対向する位置に配置される。よって、駆動ユニット９６０の壁部９６２ｆにより変位部材９６６の摺動溝９６６ａ２の開口を外部から遮断して、埃や異物が摺動溝に侵入することを抑制できる。その結果、摺動溝９６６ａ２に侵入した埃や異物により、突出部９６６ａの摺動が妨げられることを抑制して、一対の羽部材を安定して開放または閉鎖させることができる。
【０９０６】
次いで、図１２０及び図１２１を参照して、第２送球部９４２ｃと側壁部９８１ｂとの連結を代表例として、その連結状態を説明する。図１２０（ａ）及び図１２１（ａ）は、図１１９の範囲ＣＸＸａにおける遊技盤１３の部分拡大断面図であり、図１２０（ｂ）及び図１２１（ｂ）は、図１２０（ａ）のＣＸＸｂ−ＣＸＸｂ線における遊技盤１３の部分拡大断面図である。なお、図１２１（ａ）及び図１２１（ｂ）では、図１２０（ａ）及び図１２０（ｂ）に示す位置から、入賞口ユニット９３０及び送球ユニット９７０が所定の量離間された状態が図示される。
【０９０７】
図１２０及び図１２１に示すように、突起９８１ｂ１及び第２凹欠部９４２ｃ１は、転動面９８１ｃ１との離間距離Ｌ３８が、遊技球の半径と略同一に設定される。
【０９０８】
ここで、遊技球が通過する第１通路部材と、その第１通路部材の下流端に上流端が連結され第１通路部材から流下された遊技球が通過する第２通路部材とを備えた遊技機が知られている。しかしながら、このように、第１通路部材と第２通路部材とを連結する構造では、両者の間の位置ずれが避けられないため、第１通路部材の下流端と第２通路部材の上流端との連結部分に段差が形成され、遊技球のスムーズな流下が阻害される恐れがあるという問題点があった。
【０９０９】
また、入賞口ユニット９３０及び送球ユニット９７０は、上述したように、ベース板６０の両側にそれぞれ締結固定される。そのため、ベース板６０の厚み寸法に誤差ができる（厚みが大きくされる）と入賞口ユニット９３０及び送球ユニット９７０とが、ベース板６０の厚み方向（図１２０（ａ）左右方向）に離間する恐れがある。その場合、第２送球部９４２ｃと側壁部９８１ｂとの間に隙間が形成され、遊技球のスムーズな流下が阻害される恐れがあるという問題点があった。
【０９１０】
これに対し、本実施形態では、側壁部９８１ｂの転動面９８１ｃ１と突起９８１ｂ１の上流端部とが、遊技球の通過方向に位置を異ならせて形成されるので、遊技球が底面側の段差を通過するタイミングと側面側の段差を通過するタイミングとを異ならせることができる。よって、これら底面側の段差と側面側の段差との影響を遊技球が同時に受けることを回避し、それらの影響を分散させられるので、その分、遊技球をスムーズに流下（通過）させることができる。
【０９１１】
即ち、図１２１に示すように、第２送球部９４２ｃの遊技球の転動部９４３ａ及び側壁部９８１ｂの遊技球の転動面９８１ｃ１の間に形成される空間の隙間Ｋ１と、第２送球部９４２ｃの第２凹欠部９４２ｃ１及び側壁部９８１ｂの突起９８１ｂ１の間に形成される空間の隙間Ｋ２とは、遊技球の転動方向（図１２１（ａ）左右方向）に異なる位置に形成される。これにより、第２送球部９４２ｃから側壁部９８１ｂに転動される遊技球が、隙間Ｋ１と隙間Ｋ２との両方に入り込むことを抑制できる。よって、第２送球部９４２ｃ及び側壁部９８１ｂの連結部分に形成される隙間により、遊技球が受ける抵抗の最大値を低減できる。その結果、遊技球が、第２送球部９４２ｃ及び側壁部９８１ｂとの隙間で停止することを抑制できる。
【０９１２】
次いで、図１２２を参照して、第８実施形態の変位部材８９６６について説明する。上記第７実施形態では、摺動溝９６６ａ２が直線状に形成される場合を説明したが、第８実施形態の変位部材８９６６の摺動溝８９６６ａ２は、変位部材８９６６の短手方向両外側に、重力方向他側（重力方向上側（図１２２上方））に向かって凹設される凹部８９６６ａ６を備え、背面視において略Ｌ字状に形成される。なお、上述した各実施形態と同一の部分には同一の符号を付して、その説明は省略する。
【０９１３】
図１２２は、第８実施形態における正面ユニット９４０及び変位部材８９６６の背面図である。なお、図１２２は、図９１に対応する。図１２２に示すように、第８実施形態における変位部材８９６６は、正面視縦長矩形の板状に形成されると共に、正面視略中央位置に第２開口９６６ｃが板厚方向に貫通形成される。第２開口９６６ｃは、正面視における内縁の形状が背面ベース９４１の第２入賞口１４０の内縁形状よりも大きく形成され、変位部材８９６６が正面ユニット９４０に配設された状態では、その内側に第２入賞口１４０が配置される。
【０９１４】
また、変位部材８９６６は、長手方向（図１２２上下方向）一端側（図１２２上側）から短手方向（図１２２左右方向）に突出する突出部９６６ａと、長手方向他端側（図１２２下側）から背面側（図１２２紙面手前側）に膨出する膨出部９６６ｂとを備えて形成される。
【０９１５】
突出部９６６ａは、変位部材８９６６の板厚方向に貫通して形成される摺動溝８９６６ａ２と、変位部材８９６６の短手方向両外側に位置し長手方向に延設される当接部９６６ａ１とを備える。
【０９１６】
摺動溝８９６６ａ２は、内側に羽部材９４５の突起９４５ｂが挿入される孔であり、変位部材９６６の短手方向に延設されると共に、短手方向外側に凹部８９６６ａ６が重力方向他側（重力方向上側（図１２２上側））に向かって凹設される。
【０９１７】
凹部８９６６ａ６は、短手方向の幅寸法が、突起９４５ｂの外周面の対向間における最大寸法よりも大きく設定される。また、突起９４５ｂの移動側の側面は、突起９４５ｂの移動方向（図１２２左右方向）と略直交する方向に延設されると共に、その延設方向が、閉鎖状態における羽部材９４５の突起９４５ｂの第１面９４５ｂ１と平行とされる。
【０９１８】
従って、羽部材９４５が閉鎖状態とされる場合に、凹部８９６６ａ６の内側に突起９４５ｂの少なくとも一部を収容できると共に、羽部材９４５側が回転された場合に、第１面９４５ｂ１を凹部８９６６ａ６の内面と当接させて突起９４５ｂの変位を規制することができる。
【０９１９】
一方、伝達部材９６５（ソレノイド６１０）側から駆動が伝達される場合には、変位部材８９６６が重力方向他側（重力方向上側）にスライド変位されることで、羽部材９４５の突起９４５ｂを凹部８９６６ａ６の内側から抜き出すことができる。これにより、突起９４５ｂと摺動溝８９６６ａ２の内面とを当接させて、突起９４５ｂを変位させることができる。
【０９２０】
即ち、羽部材９４５から駆動が伝達される場合には、その駆動が伝達部材９６５側へ伝達されることを規制できると共に、伝達部材９６５側から駆動が伝達される場合には突起９４５ｂと凹部８９６６ａ６との係合を解除して、突起９４５ｂを変位可能とできる。その結果、羽部材９４５が外部から強制開放されることを抑制できる。
【０９２１】
さらに、一対の羽部材９４５が閉鎖状態とされる場合に、変位部材８９６６は、重力方向一側（重力方向下側）にスライド変位される。また、凹部８９６６ａ６は、重力方向他側（重力方向）上側に向かって凹設されるので、突起９４５ｂを変位部材８９６６のスライド変位に伴って受け入れることができる。従って、変位部材８９６６の重さ（自重）を利用して凹部８９６６ａ６に突起９４５ｂが受け入れられた状態を維持しやすくできる。
【０９２２】
次いで、図１２３を参照して、第９実施形態の伝達部材９９６５の挿入部９９６５ｅについて説明する。上記第７実施形態では、伝達部材９６５の挿入部９６５ｅは、先端が変位部材９６６の連結孔９６６ｂ１の内部に配置される場合を説明したが、第９実施形態では、伝達部材９９６５の挿入部９９６５ｅの先端が連結孔９６６ｂ１から突出される。なお、上述した各実施形態と同一の部分には同一の符号を付して、その説明は省略する。
【０９２３】
図１２３（ａ）及び図１２３（ｂ）は、第９実施形態における駆動ユニット８９６０及び変位部材９６６の断面図である。なお、図１２３（ａ）及び図１２３（ｂ）は、図９６（ａ）に対応する。また、図１２３（ａ）では、羽部材９４５の閉鎖状態が図示され、図１２３（ｂ）では、閉鎖状態の羽部材９４５が遊技者から不正に操作（強制開放）されて閉鎖状態から開放状態に変位する途中の係合状態が図示される。
【０９２４】
図１２３に示すように、第９実施形態における伝達部材９９６５は、側面視において屈曲して形成され、ソレノイド６１０の軸部９６１ｂの変位方向に延設される先端部９９６５ａと、その先端部９９６５ａに連なると共に連結部材９６４側に延設される回転部９６５ｂとから形成される。
【０９２５】
先端部９９６５ａは、第７実施形態と同様にソレノイド６１０から離間するに従って回転軸９６５ｃの軸方向における幅寸法が小さくされる。また、先端部９９６５ａは、その先端に変位部材９６６の連結孔９６６ｂ１に挿入される挿入部９９６５ｅと、回転軸９６５ｃとの連結側から重力方向一側（重力方向下側）に突設される立設部９６５ｆとを備えて形成される。
【０９２６】
挿入部９９６５ｅは、正面視における外形が変位部材９６６の連結孔９６６ｂ１の内縁形状よりも小さく形成されており、連結孔９６６ｂ１の内側に挿通して配設されると共に、先端の端部が連結孔９６６ｂ１から突出される。また、挿入部９９６６ｅは、連結孔９６６ｂ１から重力方向一側（重力方向下側）に突出する係合部９９６５ｅ３と、重力方向他側（重力方向上側）から連結孔９６６ｂ１の内面側に膨出する膨出部９６５ｅ１とを備えて形成される。
【０９２７】
係合部９９６５ｅ３は、変位部材９６６の変位方向（重力方向）に突出して形成されると共に、回転軸９６５ｃ側の側面の当接面９９６５ｅ４が変位部材９６６の前面と若干の隙間を隔てる位置に形成される。これにより、図１２３（ｂ）に示すように、変位部材９６６が矢印Ｙの方向（重力方向他側）に変位された場合に、変位部材９６６の前面と当接面９９６５ｅ４を当接させて伝達部材９９６５の変位を規制できる。
【０９２８】
詳しく説明すると、変位部材９６６が矢印Ｙの方向に変位されると、連結孔９６６ｂ１の一側被当接部９６６ｂ２が伝達部材９９６５の挿入部９９６５ｅに当接して、伝達部材９９６５が回転変位される。この場合、伝達部材９９６５の挿入部９９６５ｅは、回転変位により矢印Ｙの方向に変位されると共に回転軸９６５ｃ側に変位される。従って、挿入部９９６５ｅの回転軸９６５ｃ側への変位により、当接面９９６５ｅ４を変位部材９６６の前面に当接させることができる。これにより、伝達部材９９６５の変位が規制されるので、変位部材９６６の矢印Ｙの方向への変位も同様に規制される。
【０９２９】
一方、ソレノイド６１０から駆動が伝達される（連結部材９６４が変位される）場合には、伝達部材９６５が変位部材９６６よりも先に回転へえにすることで、挿入部９９６５ｅと変位部材９６６とが当接することを抑制できる。従って、伝達部材９６５を回転変位させて、変位部材９６６を変位させることができる。
【０９３０】
上述したように、変位部材９６６には、一対の羽部材９４５の突起９４５ｂが連結される。よって、羽部材９４５側から駆動が伝達される場合には、変位部材９６６と当接面９９６５ｅ４とが当接して伝達部材９９６５の回転を規制できる。よって、羽部材９４５が外部から強制開放されることを抑制できる。
【０９３１】
即ち、第９実施形態における伝達部材９９６５は、挿入部９９６５ｅとその挿入部９９６５ｅの先端から張り出す係合部９９６５ｅ３とを備え、羽部材９４５が閉鎖された状態で、変位部材９６６を変位させて変位部材９６６の他側被当接部９６６ｂ３に挿入部９９６５ｅの一側が当接されると、係合部９９６５ｅ３が変位部材９６６に係合される。よって、羽部材９４５が外部から強制開放される場合に、係合部９９６５ｅ３と変位部材９６６とを係合させることができる。その結果、羽部材９４５が外部から強制開放されることを抑制できる。
【０９３２】
次いで、図１２４を参照して、第１０実施形態における伝達部材１０９６５及び変位部材１０９６６について説明する。上記第７実施形態では、伝達部材９６５の挿入部９６５ｅは、先端が変位部材９６６の連結孔９６６ｂ１の内側に配置されるのみの場合を説明したが、第１０実施形態では、伝達部材１０９６５の挿入部１０９６５ｅの先端が連結孔１０９６６ｂと係合される。なお、上述した各実施形態と同一の部分には同一の符号を付してその説明は小やｓ九する。
【０９３３】
図１２４（ａ）及び図１２４（ｂ）は、第１０実施形態における駆動ユニット１０９６０及び変位部材１０９６６の断面図である。なお、図１２４（ａ）は、図９６（ａ）と対応し、図１２４（ｂ）は、図９６（ｂ）に対応する。また、図１２４（ａ）では、羽部材９４５の閉鎖状態が図示され、図１２４（ｂ）では、羽部材９４５の開放状態が図示される。
【０９３４】
図１２４に示すように、第１０実施形態における伝達部材１０９６５は、側面視において屈曲して形成され、ソレノイド６１０の軸部９６１ｂの変位方向に延設される先端部１０９６５ａと、その先端部１０９６５ａに連なると共に連結部材９６４側に延設される回転部とから形成される。
【０９３５】
先端部１０９６５ａは、第７実施形態と同様にソレノイド６１０から離間するに従って回転軸９６５ｃの軸方向における幅寸法が小さくされる。また、先端部１０９６５ａは、その先端に後述する変位部材１０９６６の連結孔１０９６６ｂに挿入される挿入部１０９６５ｅと、回転軸９６５ｃとの連結側から重力方向一側（重力方向下側）に突設される立設部９６５ｆとを備えて形成される。
【０９３６】
挿入部１０９６５ｅは、正面視における外形が変位部材１０９６６の連結孔１０９６６ｂの内縁形状よりも小さく形成されており、連結孔１０９６６ｂの内側に挿入して配設される。また挿入部１０９６５ｅは、重力方向一側（重力方向下側）から突設される係合部１０９６５ｅ３と、重力方向他側（重力方向上側）から連結孔９６６ｂ１の内面側に膨出する膨出部９６４ｄ１とを備えて形成される。
【０９３７】
係合部１０９６５ｅ３は、回転軸９６５ｃの軸を中心に湾曲する板状に形成され、羽部材９４５が閉鎖された状態において、後述する変位部材１０９６６の凹部１０９６６ｄの内側に配設される。また、変位部材１０９６６は、回転軸９６５ｃ側の側面（内面）に当接面１０９６５ｅ４を備える。当接面１０９６６ｄ４は、羽部材９４５が閉鎖された状態において、後述する変位部材１０９６６の当接面１０９６６ｄｃと所定の隙間を隔てて対向して配設される。
【０９３８】
変位部材１０９６６は、正面視横長矩形の板状体から形成されると共に、正面視略中央位置に第２開口９６６ｃが板厚方向（図１２４（ａ）左右方向）に貫通形成される。第２開口９６６ｃは、正面視における内縁の形状が背面ベース９４１の第２入賞口１４０及び第２送球部９４２ｃ（図８８参照）よりも大きく形成され、内側に第２送球部９４２ｃを挿入した状態で配置される。これにより、第２入賞口１４０を介して遊技領域と反対側に送球される遊技球が変位部材９６６の内縁に衝突することを抑制できる。
【０９３９】
また、変位部材１０９６６は、長手方向一端側から短手方向に突出する突出部９６６ａと、長手方向他端側から背面側に膨出する膨出部９６６ｂと、その膨出部９６６ｂの反対面に凹設される凹部１０９６６ｄとを主に備える。
【０９４０】
凹部１０９６６ｄは、連結孔９６６ｂ１の他側被当接部９６６ｂ３に連なって凹設されると共に、膨出部９６６ｂ側の側面に被当接面１０９６６ｄ１を備える。被当接面１０９６６ｄ１は、羽部材９４５が閉鎖された状態において、上述した伝達部材１０９６５の回転軸９６５ｃの軸を中心に湾曲して形成され、伝達部材１０９６５の当接面１０９６５ｅ４と若干の隙間を隔てて対向して配設される。また、被当接面１０９６６ｄ１は、連結孔９６６ｂ１に連結する端部に傾斜面１０９６６ｄ２を備える。
【０９４１】
傾斜面１０９６６ｄ２は、一側被当接部９６６ｂ２側に向かって背面側に傾斜して形成される。また、傾斜面１０９６６ｄ２は、回転軸９６５ｃを中心とする被当接面１０９６６ｄ１よりも径方向内側に形成される。
【０９４２】
また、第１０実施形態では、連結孔９６６ｂ１の他側被当接部９６６ｂ３から一側被当接部９６６ｂ２までの対向間の距離寸法が、羽部材９４５が閉鎖された状態の正面視における挿入部１０９６５ｅの重力方向の幅寸法Ｌ３９（図１２４（ａ）参照）よりも大きく設定される。これにより、伝達部材１０９６５が回転された場合に、当接面１０９６５ｅ４が背面側に変位されることで、当接面１０９６５ｅ４と被当接面１０９６６ｄ１とが当接して伝達部材１０９６５の回転が規制されることを抑制できる。
【０９４３】
以上のように構成される駆動ユニット１０９６０及び変位部材１０９６６によれば、羽部材９４５を開放状態に変位させる場合に、ソレノイド６１０が駆動されると、その駆動が連結部材９６４から伝達部材１０９６５に伝達される。これにより、伝達部材１０９６５が回転軸９６５ｃを軸に回転される。上述したように、伝達部材１０９６５の当接面１０９６５ｅ４及び変位部材１０９６６の被当接面１０９６６ｄ１は、回転軸９６５ｃの軸を中心に湾曲して形成されるので、伝達部材１０９６５が回転軸９６５ｃを軸に回転されると、当接面１０９６５ｅ４が被当接面１０９６６ｄ１と若干の隙間を隔てた状態を維持つつ変位される。即ち、当接面１０９６５ｅ４と被当接面１０９６６ｄ１とが干渉せずに変位される。
【０９４４】
上述したように、連結孔９６６ｂ１の他側被当接部９６６ｂ３から一側被当接部９６６ｂ２までの対向間の距離寸法が、伝達部材１０９６５の幅寸法Ｌ３６よりも大きく形成されるので、伝達部材１０９６５を回転させることで、変位部材１０９６６の凹部１０９６６ｄの内側に配設した挿入部１０９６５ｅを凹部１０９６６ｄの外側に出すことができる。これにより、伝達部材１０９６５の膨出部９６５ｅ１を他側被当接部１０９６６ｂ３に当接させて変位部材１０９６６をスライド変位させることができる。従って、一対の羽部材９４５を開放状態に変位させることができる。
【０９４５】
また、一対の羽部材９４５を開放状態から閉鎖状態に変位させる場合には、伝達部材１０９６５の係合部１０９６５ｅ３の先端が、被当接面１０９６６ｄ１に形成された傾斜面１０９６６ｄ２に沿って摺動されることで、変位部材１０９６６を重力方向一側（重力方向下側）に変位させつつ、係合部１０９６５ｅ３を凹部１０９６６ｄの内側に変位させることができる。
【０９４６】
一方、一対の羽部材９４５を開放状態に変位させる場合に、一対の羽部材９４５から駆動が伝達されると、その駆動が変位部材１０９６６から伝達部材１０９６５に伝達される。この場合、伝達部材１０９６５の係合部１０９６５ｅ３が、変位部材１０９６６の凹部１０９６６ｄの内側に配置された状態で、変位部材１０９６６がスライド変位される。従って、変位部材１０９６６のスライド変位に伴って伝達部材９６５が回転変位されるので、その回転変位により係合部１０９６５ｅ３が背面側に変位される。従って、係合部１０９６５ｅ３の当接面１０９６５ｅ４が、凹部１０９６６ｄの被当接面１０９６６ｄ１に当接され、伝達部材１０９６５の回転変位が規制される。その結果、羽部材９４５が外部から強制開放されることを抑制できる。
【０９４７】
即ち、第１０実施形態における伝達部材１０９６５は、挿入部１０９６５ｅと、その挿入部１０９６５ｅの先端から張り出す係合部１０９６５ｅ３とを備え、羽部材９４５が閉鎖された状態では、一側被当接部９６６ｂ２に挿入部１０９６５ｅの重力方向一側が当接されると共に係合部１０９６５ｅ３が変位部材１０９６６に係合されると共に、他側被当接部９６６ｂ３に挿入部１０９６５ｅの重力方向他側（膨出部９６５ｅ１）が当接される位置まで伝達部材１０９６５が重力方向他側へ回転されると、係合部１０９６５ｅ３の変位部材１０９６６との係合が解除されるので、伝達部材１０９６５を回転させずに変位部材１０９６６を重力方向他側へスライド変位させることが規制される。よって、羽部材９４５が外部から強制海保されることを抑制できる。
【０９４８】
一方、係合部１０９６５ｅ３が、変位部材１０９６６の凹部１０９６６ｄの内側から外側に出る位置まで伝達部材１０９６５が回転されると、係合部１０９６５ｅ３の変位部材１０９６６との係合が解除されるので、伝達部材１０９６５を更に重力方向他側へ回転させることで、変位部材１０９６６を重力方向他側へ向けてスライド変位させ、羽部材９４５を開放することができる。
【０９４９】
次いで、図１２５及び図１２６を参照して、第１１実施形態における変位部材１１９６６について説明する。上記第７実施形態では、変位部材９６６は、第２入賞口１４０からの遊技球の転動通路に配置されない場合について説明したが、第１１実施形態における変位部材１１９６６は、第２入賞口１４０からの遊技球の転動通路上に配置される。なお、上述した各実施形態と同一の部分には同一の符号を付して、その説明は省略する。
【０９５０】
図１２５は、第１１実施形態における背面ベース９４１及び変位部材１１９６６の分解斜視背面図である。図１２６（ａ）及び図１２６（ｂ）は、正面ユニット９４０及び変位部材１１９６６の背面図である。なお、図１２６（ａ）では、羽部材９４５の閉鎖状態が図示され、図１２６（ｂ）では、羽部材９４５の開放状態が図示される。
【０９５１】
図１２５及び図１２６に示すように、第１１実施形態における正面ユニット９４０は、第２入賞口１４０の水平方向両外側に一対の第２ガイド壁１１９４２ｂが重力方向に延設される。また、第１１実施形態では、第２送球部９４２ｃの対向間に配置される転動部９４３ａの先端位置が、第２送球部９４２ｃの突設先端位置と略同一に設定される。
【０９５２】
一対の第２ガイド壁１１９４２ｂは、その対向する側面にギア歯面の第１歯面１１９４２ｂ１が形成される。また、一対の第２ガイド壁１１９４２ｂは、その対向間における離間距離が後述する変位部材１１９６６の水平方向（図１２６（ａ）左右方向）の幅寸法よりも大きく設定され、対向間に変位部材１１９６６が配設される。
【０９５３】
第１歯面１１９４２ｂ１は、後述する変位部材１１９６６に軸支される第１ギヤＧＹ１が歯合される。これにより、変位部材１１９６６がスライド変位させることで、第１歯面１１９４２ｂ１に歯合する第１ギヤＧＹ１を回転できる。
【０９５４】
変位部材１１９６６は、正面視横長矩形の板状体に形成される第１部材１１９６７と、その第１部材１１９６７に変位可能な状態で配設される第２部材１１９６８と、第１部材１１９６７に軸支されると共に第２部材１１９６８に歯合される第１ギヤＧＹ１とを備えて形成される。
【０９５５】
第１部材１１９６７は、正面視略中央位置に第２開口９６６ｃが板厚方向に貫通形成される。また、第１部材１１９６７は、第２開口９６６ｃの重力方向他側（重力方向上側）に、変位部材１１９６６の長手方向に沿って延設される一対の摺動溝９６６ａ２と、第２開口９６６ｃを挟んだ短手方向両側に円環状に突設される支持部１１９６６ｄ及び摺動突起１１９６６ｅとを備えて形成される。
【０９５６】
支持部１１９６６ｄは、第１部材１１９６７側に突設されると共に、先端が第１ギヤＧＹ１の軸孔に挿入される。これにより、第１ギヤＧＹ１を第１部材１１９６７に回転可能な状態で支持することができる。
【０９５７】
摺動突起１１９６６ｅは、第１部材１１９６７側に突設されると共に、先端が第２部材１１９６８の摺動溝１１９６８ｂの内側に挿入される。これにより、第２部材１１９６８を第１部材１１９６７に配設できる。
【０９５８】
第２部材１１９６８は、正面視略門型の板状体に金属材料から形成され、水平方向（図１２６（ａ）左右方向）の両端面にギア歯面の第２歯面１１９６８ａ１と、その第２歯面１１９６８ａ１（図１２６（ａ）上下方向）の延設方向に沿って長孔状に板厚方向に貫通形成される摺動溝１１９６８ｂと、門型に形成された内縁のうちの水平方向に延設される端面に板厚方向に傾斜する刃部１１９６８ｃとを備えて形成される。
【０９５９】
一対の第２歯面１１９６８ａ１は、それぞれ第１ギヤＧＹ１に歯合される。これにより、第１ギヤＧＹ１の回転を第２歯面１１９６８ａ１が形成される第２部材１１９６８の水平方向両側面から伝達できる。
【０９６０】
摺動溝１１９６８ｂは、上述したように第２歯面１１９６８ａ１の延設方向に沿って長孔状に形成されると共に、内側に第１部材１１９６７の摺動突起１１９６６ｅが挿入される。よって、第２部材１１９６８は、第１部材１１９６７に対して摺動溝１１９６８ｂと摺動突起１１９６６ｅとの隙間の分、スライド変位させることができる。
【０９６１】
よって、上述したように一対の第１ギヤＧＹ１が第１部材１１９６７の変位により回転変位されると、その第１ギヤＧＹ１の回転が第２歯面１１９６８ａ１から第２部材１１９６８に伝達されて、第２部材１１９６８が第２歯面１１９６８ａ１の延設方向に変位される。
【０９６２】
刃部１１９６８ｃは、第１部材１１９６７側に向かって下降傾斜して形成され、その下端部が、羽部材９４５が閉鎖された状態において、第２送球部９４２ｃの重力方向他端側の内面よりも、重力方向他端側に配置される。これにより、刃部１１９６８ｃの先端を第２入賞口１４０から流入する遊技球の転動面よりも重力方向他端側に配置できる。
【０９６３】
また、第２送球部９４２ｃの突設距離は、第２部材１１９６８の背面側と当接する長さに設定される。上述したように、第１１実施形態では、第２送球部９４２ｃの対向間に配置される転動部９４３ａの先端位置が、第２送球部９４２ｃの先端位置と略同一の位置に設定される。これにより、第２入賞口１４０から流入する転動面の端部と刃部と１１９６８ｃとで第２入賞口１４０の内部に挿入される異物を切断することができる。
【０９６４】
以上の様に構成される変位部材１１９６６によれば、図１２６（ａ）に示すように、羽部材９４５が閉鎖状態とされる場合には、第２部材１１９６８の刃部１１９６８ｃを転動部９４３ａ及び第２送球部９４２ｃの先端部よりも重力方向下側に配置できるので、駆動ユニット９６０のソレノイド６１０から駆動が伝達されていない状態で、不正操作により羽部材９４５の突起９４５ｂが切断されて突起９４５ｂが強制開放された場合に、第２入賞口１４０から入球される遊技球の流下を変位部材１１９６６によって規制することができる。
【０９６５】
一方、羽部材９４５が開放状態とされる場合には、変位部材１１９６６の第１部材１１９６７が伝達部材９６５により上方に変位されることで、第２部材１１９６８が変位される。なお、第１部材１１９６７の変位量は、遊技球の半径分よりも大きく設定される。これにより、第２部材１１９６８は、上述したように、背面ベース９４１に対して、第１部材１１９６７の変位量と倍の変位量とされるので、第２入賞口１４０から入球される遊技球の転動面となる転動部９４３ａから遊技球の直径よりも大きい距離離間することができる。その結果、羽部材９４５が開放状態とされる場合には、第２入賞口１４０から入球される遊技球の流下を許容することができる。
【０９６６】
即ち、第２部材１１９６８は、羽部材９４５を開放させる位置から、閉鎖させる位置まで変位部材１１９６６がスライド変位された際に第２入賞口１４０から流下する遊技球の通路を横切ると共にその通路の縁部（転動部９４３ａ及び第２送球部９４２ｃの端部）に擦接する刃部を備えるので、第２入賞口１４０から遊技球の転動通路内に不正に挿通された不正物を切断することができる。
【０９６７】
例えば、遊技球に糸の先端を接着し、かかる遊技球を第２入賞口１４０から入球させると共に転動部９４３ａを通過させて、その遊技球の通過を検知する検出装置ＳＥ４（図１１４参照）に遊技球が達した状態で、糸の他端を操作（繰り出し、引き寄せ）して、遊技球を往復させることで、検出装置ＳＥ４に複数回検出させる不正行為がある。かかる不正行為に対し、第１１実施形態によれば、羽部材９４５が開放された状態で上述した遊技球が入球されたとしても、羽部材９４５を開放させる位置から閉鎖させる位置まで、変位部材１１９６６（第２部材１１９６８）がスライド変位され、刃部１１９６８ｃが転動部９４３ａ及び第２送球部９４２ｃの通路を横切る際に、遊技球に先端が接着されている糸の途中部分を刃部１１９６８ｃと共に変位させて転動部９４３ａ又は第２送球部９４２ｃの縁部へ押し付けると共に、刃部１１９６８ｃが転動部９４３ａ及び第２送球部９４２ｃの縁部に擦接される際に、刃部１１９６８ｃと転動部９４３ａ又は第２送球部９４２ｃの縁部との間で糸を切断することができる。その結果、上述した不正行為を抑制できる。
【０９６８】
次いで、図１２７及び図１２８を参照して、第１２実施形態における変位部材１２９６６について説明する。上記第７実施形態では、変位部材９６６は、第２入賞口１４０から遊技球の転動通路上に配置されない場合について説明したが、第１２実施形態における変位部材１２９６６は、第２入賞口１４０からの遊技球の転動通路上に配置される。なお、上述した各実施形態と同一の部分には同一の符号を付して、その説明は省略する。
【０９６９】
図１２７は、第１２実施形態における背面ベース９４１及び変位部材１２９６６の分解斜視背面図である。図１２８（ａ）及び図１２８（ｂ）は、正面ユニット９４０及び変位部材１２９６６の背面図である。なお、図１２８（ａ）では、羽部材９４５の閉鎖状態が図示され、図１２８（ｂ）では、羽部材９４５の開放状態が図示される。
【０９７０】
図１２７及び図１２８に示すように、第１２実施形態における正面ユニット９４０は、第２入賞口１４０の水平方向両外側に一対の第２ガイド壁１２９４２ｂが重力方向に延設される。また、第１２実施形態では、第２送球部９４２ｃ及び転動部９４３ａの突出距離が短く設定され、突設先端面が後述する変位部材１２９６６の第１部材１２９６７の前面と当接する位置に設定される。
【０９７１】
また、正面ユニット９４０の第２入賞口１４０の水平方向両外側には、変位部材１２９６６側に突出する第１支持部１２９４２ｋ１及び第２支持部１２９４２ｋ２を備える。第１支持部１２９４２ｋ１及び第２支持部１２９４２ｋ２はそれぞれ後述する第１ギヤＧＹ１及び第２ギヤＧＹ２の軸に挿通され、第１ギヤＧＹ１及び第２ギヤＧＹ２を軸支できる。
【０９７２】
一対の第２ガイド壁１２９４２ｂは、その対向する側面の重力方向一端側（重力方向下側）に当接部１２９４２ｂ２が対向方向に突設される。一対の当接部１２９４２ｂ２の対向間の距離寸法は、後述する第１部材１２９６７の短手方向の幅寸法よりも若干大きく設定される。これにより、一対の当接部１２９４２ｂ２の対向間に第１部材１２９６７を配設できると共に、その第１部材１２９６７のスライド変位を案内することができる。
【０９７３】
変位部材１２９６６は、正面視縦長矩形の板状体から形成される第１部材１２９６７と、その第１部材１２９６７に変位可能な状態で配設される第２部材１２９６８と、背面ベース９４１に軸支されると共に第１部材１２９６７に歯合される第１ギヤＧＹ１と、背面ベース９４１に軸支されると共に第２部材１２９６８に歯合される第２ギヤＧＹ２とを主に備えて形成される。
【０９７４】
第１ギヤＧＹ１は、外周面に歯面を備えるギヤであり、上述したように背面ベース９４１の第１支持部１２９４２ｋ１に軸支されると共に、その歯面が、第１部材１２９６７及び第２ギヤＧＹ２に歯合される。
【０９７５】
第２ギヤＧＹ２は、それぞれ大きさの異なる２段のギヤから構成される多段のギヤであり、小径側の小径ギヤＧＹ２ａと、大径側の大径ギヤＧＹ２ｂとを備えて形成される。また、第２ギヤＧＹ２は、上述したように背面ベース９４１の第２支持部１２９４２ｋ２に軸支されると共に、小径ギヤＧＹ２ａの歯面が第１ギヤＧＹ１に歯合され、大径ギヤＧＹ２ｂの歯面が第２部材１２９６８に歯合される。
【０９７６】
第１部材１２９６７は、金属材料から形成されると共に、正面視略中央位置に第２開口１２９６６ｃが板厚方向に貫通形成される。また、第１部材１２９６７は、第２開口１２９６６ｃの重力方向他側（重力方向上側）に、第１部材１２９６７の短手方向に沿って延設される一対の摺動溝９６６ａ２と、第２開口１２９６６ｃを挟んだ短手方向両側に円環状に突設される摺動突起１２９６６ｅと、長手方向に延設される両側面にギア歯面の第３歯面１２９６６ｆとを備えて形成される。
【０９７７】
第２開口１２９６６ｃは、正面視における内縁の形状が上述した背面ベース９４１の第２入賞口１４０の内縁形状よりも大きく設定される。また、第２開口１２９６６ｃには、重力方向他側（重力方向上側）の内面に第２刃部１２９６６ｃ２を備える。
【０９７８】
第２刃部１２９６６ｃ２は、背面ベース９４１側から後述する第２部材１２９６８側に向かって下降傾斜して形成される。第２開口１２９６６ｃは、一対の羽部材９４５が閉鎖された状態において第２刃部１２９６６ｃ２が、第２入賞口１４０に流入する遊技球の転動通路上に配設され、一対の羽部材９４５が開放された状態において第２刃部１２９６６ｃ２が、第２入賞口１４０に流入する遊技球の転動通路の外側に配置される。
【０９７９】
摺動突起１２９６６ｅは、第２部材１２９６８側に突設されると共に、先端が第２部材１２９６８の摺動溝１２９６８ｂの内側に挿入される。これにより、第２部材１２９６８を第１部材１２９６７に配設できる。
【０９８０】
一対の第３歯面１２９６６ｆは、それぞれ第１ギヤＧＹ１に歯合される。これにより、第１ギヤＧＹ１の第１部材１２９６７が伝達部材９６５の回転変位に伴ってスライド変位されることで、第１ギヤＧＹ１を回転させることができる。また、上述したように、第１ギヤＧＹ１には、第２ギヤＧＹ２の小径ギヤＧＹ２ａが歯合されており、これにより第２ギヤＧＹ２を回転させることができる。
【０９８１】
第２部材１２９６８は、金属材料から正面視略Ｈ字状の板状体に形成され、一対の延設部分を重力方向（図１２８（ａ）上下方向）に向けた姿勢で配設される。また、第２部材１２９６８は、一対の延設部分の対向方向外側にギア歯面の第２歯面１２９６８ａと、その第２歯面１２９６８ａの延設方向（図１２８（ａ）上下方向）に沿って長孔状に板厚方向に貫通形成される摺動溝１２９６８ｂと、一対の延設部分を連結する連結部分の重力方向他側（重力方向上側）の端面に刃部６６８３とを備えて形成される。
【０９８２】
摺動溝１２９６８ｂは、上述したように第２歯面１２９６８ａの延設方向に沿って長孔状に形成されると共に、内側に第１部材１２９６７の摺動突起１２９６６ｅが挿入される。よって、第２部材１２９６８は、第１部材１２９６７に対して摺動溝１２９６８ｂと摺動突起１２９６６ｅとの隙間の分、重力方向にスライド変位させることができる。
【０９８３】
一対の第２歯面１２９６８ａは、それぞれ第２ギヤＧＹ２の大径ギヤＧＹ２ｂが歯合される。よって、第２ギヤＧＹ２が回転されることにより、第２部材１２９６８がスライド変位される。上述したように、第２ギヤＧＹ２は、伝達部材９６５により第１部材１２９６７がスライド変位されることにより回転される。従って、第２部材１２９６８は、第１部材１２９６７の変位に伴って変位させることができる。
【０９８４】
なお、第１部材１２９６７と第２部材１２９６８とは、そのスライド変位の方向が反対に設定されると共に、第２部材１２９６８の変位量が小径の第２ギヤＧＹ２を介する分、大きく設定される。
【０９８５】
刃部６６８３は、第１部材１２９６７側に向かって上昇傾斜して形成され、その上端部が、羽部材９４５が閉鎖された状態において、第２送球部９４２ｃの重力方向一側（重力方向下側）の内面よりも重力方向他側（重力方向上側）に配置される。即ち、第２部材１２９６８は、羽部材９４５が閉鎖された状態の正面視において、刃部６６８３が第１部材１２９６７と重なる位置に配置される。
【０９８６】
よって、一対の羽部材９４５が開放する位置から閉鎖する位置まで変位される際に、転動部９４３ａ及び第２送球部９４２ｃの遊技球の転動通路を横切ると共に互いの縁部どうしを擦接させる第２刃部１２９６６ｃ２及び刃部６６８３を第１部材１２９６７及び第２部材１２９６８（変位部材１２９６６）が備えるので、第２入賞口１４０から通路内に不正に挿通された不正物を切断することができる。
【０９８７】
例えば、遊技球に糸の先端を接着し、かかる遊技球を第２入賞口１４０から入球させると共に転動部９４３ａ及び第２送球部９４２ｃの遊技球の転動通路を通過させ、検出装置ＳＥ４の検出位置に遊技球が達した状態で、糸の他端を操作（繰り出し、引き寄せ）して、遊技球を往復させることで、検出装置ＳＥ４に複数回検出させる不正行為がある。かかる不正行為に対し、本発明によれば、一対の羽部材９４５が開放された状態で上述した遊技球が入球されたとしても、一対の羽部材９４５が開放する位置から閉鎖する位置まで変位され、第２刃部１２９６６ｃ２及び刃部６６８３が通路部材の通路を横切る際に、遊技球に先端が接着されている糸の途中部分を、一対の第２刃部１２９６６ｃ２及び刃部６６８３の間に挟み込み、切断することができる。その結果、上述した不正行為を抑制できる。
【０９８８】
一方、第２部材１２９６８は、羽部材９４５が開放された状態において、刃部６６８３が第２入賞口１４０に入球した遊技球の転動面（転動部９４３ａ）よりも重力方向他側に配置される。上述したように、羽部材９４５が開放された状態では、第１部材１２９６７の第２刃部１２９６６ｃ２が、第２入賞口１４０に流入する遊技球の転動通路の外側に配置される。よって、一対の羽部材９４５が開放された状態では、第２入賞口１４０に流入する遊技球を刃部６６８３及び第２刃部９６６ｃ２の間を通過させることができる。
【０９８９】
また、第１２実施形態では、第１部材１２９６７及び第２部材１２９６８により、第２入賞口１４０に入流する遊技球の転動通路を塞ぐことができるので、第２部材１２９６８の変位距離を第１１実施形態における第２部材１１９６８よりも少なくすることができる。その結果、第２入賞口１４０を流入する遊技球の転動通路を短時間で閉鎖することができ、一対の羽部材９４５の閉鎖したタイミングで流入する遊技球が転動通路内に流入することを抑制できる。
【０９９０】
次いで、図１２９を参照して、第１３実施形態における駆動ユニット１３９６０について説明する。上記第７実施形態では、ソレノイド６１０から羽部材９４５への駆動の伝達が連結部材９６４、伝達部材９６５及び変位部材９６６の３部材を介す場合について説明したが、第１３実施形態では、ソレノイド６１０から羽部材９４５への駆動の伝達が１部材で行われる。なお、上述した各実施形態と同一の部分には同一の符号を付して、その説明は省略する。
【０９９１】
図１２９（ａ）は、第１３実施形態における正面ユニット９４０の背面図であり、図１２９（ｂ）は、図１２９（ａ）のＣＸＸＩＸｂ−ＣＸＸＩＸｂ線における入賞口ユニット９３０の断面図である。なお、図１２９（ｂ）では、理解を容易とするために特定入賞口ユニット９５０がその外形のみ鎖線で図示される。また、第１３実施形態では、本体部９６１ａに軸部９６１ｂが引き込まれた状態とされる場合に一対の羽部材９４５が閉鎖状態とされ、本体部９６１ａから軸部９６１ｂが張り出した状態とされる場合に一対の羽部材９４５が開放する状態とされる。
【０９９２】
図１２９に示すように、第１３実施形態における駆動ユニット１３９６０は、特定入賞口ユニット９５０の背面側（図１２９（ｂ）右側）に配設されると共に、ソレノイド６１０の軸部９６１ｂの軸を重力方向（図１２９（ｂ）上下方向）に向けた状態で配設される。また、ソレノイド６１０には、円環部９６１ｃに伝達部材１３９６５が連結される。
【０９９３】
伝達部材１３９６５は、ソレノイド６１０側から正面ユニット９４０側に向かって延設される基部７６５８と、その基部７６５８の正面ユニット９４０側の端部から羽部材９４５の突起９４５ｂ側に向けて立設される係合部１３９６５ｊとを備えて形成される。
【０９９４】
基部７６５８には、係合部１３９６５ｊ側の反対側の端部にソレノイド６１０の円環部９６１ｃが連結される。これにより、ソレノイド６１０の軸部９６１ｂをその軸方向に駆動することで、伝達部材１３９６５をスライド変位させることができる。
【０９９５】
係合部１３９６５ｊは、一対の羽部材９４５の突起９４５ｂと背面視（又は正面視）において重力方向（図１２９（ａ）上下方向）に重なる位置に形成される。また、係合部１３９６５ｊは、その立設寸法が、羽部材９４５の突起９４５ｂを超える長さに設定され、正面視において突起９４５ｂと重なる状態とされる。
【０９９６】
また、係合部１３９６５ｊには、その立設先端に側面視略Ｃ字状の支持部１３９６５ｊ１が突出される。支持部１３９６５ｊ１は、開口内側の対向間寸法が突起９４５ｂの外形の最大寸法よりも大きく設定される。また、一対の係合部１３９６５ｊの対向方向（図１２９（ａ）左右方向）におけるの支持部１３９６５ｊ１の幅寸法は、突起９４５ｂの変位距離よりも大きく設定される。よって、支持部１３９６５ｊ１の開口内側に突起９４５ｂを配設することができる。
【０９９７】
従って、上述したように連結部１０９６５ｈが重力方向にスライド変位されると、係合部９９６５ｊが重力方向にスライド変位され、その変位に伴って突起９４５ｂが変位される。突起９４５ｂが変位されることにより、羽部材９４５を開放状態に変位させることができる。
【０９９８】
以上のように構成される駆動ユニット１３９６０によれば、一対の羽部材９４５を駆動する駆動ユニット１３９６０及び板部材９５１を駆動する駆動ユニット９５７が板部材９５１の背面側に配設されるので、一対の羽部材９４５（第２入賞口１４０）の背面側にスペースを形成することができる。即ち、駆動ユニット１３９６０及び駆動ユニット９５７を配設スペースを一対の羽部材９４５の背面側に集約することで、他の部材や装置を配設するためのスペースを一対の羽部材９４５（第２入賞口１４０）の背面側に確保でき、その分、スペースを有効に活用することができる。
【０９９９】
次いで、図１３０及び図１３１を参照して、第１４実施形態における変位部材１４９６６について説明する。上記第７実施形態では、変位部材９６６の連結孔９６６ｂ１の内縁形状が伝達部材９６５の挿入部９６５ｅの正面視における外形よりも若干大きく形成される場合について説明したが、第１４実施形態では、変位部材１４９６６の連結孔９６６ｂ１の内縁形状が伝達部材９６５の外形よりも十分に大きく形成される場合について説明する。なお、上述した各実施形態と同一の部分には同一の符号を付して、その説明は省略する。
【１０００】
図１３０（ａ）及び図１３１（ａ）は、第１４実施形態における入賞口ユニット９３０の背面図である。図１３０（ｂ）は、図１３０（ａ）のＣＸＸＸｂ−ＣＸＸＸｂ線における入賞口ユニット９３０の断面図であり、図１３１（ｂ）は、図１３１（ａ）のＣＸＸＸＩｂ−ＣＸＸＸＩｂ線における入賞口ユニット９３０の断面図である。
【１００１】
なお、図１３０（ａ）及び図１３１（ａ）では、一対の羽部材９４５の外形が鎖線で図示される。また、図１３０（ａ）及び図１３０（ｂ）では、一対の羽部材９４５の閉鎖状態が図示され、図１３１（ａ）及び図１３１（ｂ）では、一対の羽部材９４５の突起９４５ｂが切断された場合における一対の羽部材９４５の開放状態が図示される。さらに、第１４実施形態では、第７実施形態よりも特定入賞口６５ａが第２入賞口１４０から離間した位置に形成される。
【１００２】
図１３０（ａ）及び図１３０（ｂ）に示すように、第１４実施形態における変位部材１４９６６は、正面視縦長矩形の板状に形成されると共に、正面視略中央位置に第２開口９６６ｃが板厚方向（図１３０（ｂ）左右方向）に貫通形成される。
【１００３】
変位部材１４９６６は、長手方向（図１３０（ａ）上下方向）一端側（図１３０（ａ）上側）から短手方向（図１３０（ａ）左右方向）に突出する突出部９６６ａと、長手方向他端側（図１３０（ｂ）下側）から背面側（背面ベース９４１側（図８５参照））に膨出する膨出部１４９６６ｂとを備える。
【１００４】
膨出部１４９６６ｂは、背面側（背面ベース９４１側）に膨出して形成されると共に、背面視における内側部分に横長矩形の連結孔１４９６６ｂ１が形成される。連結孔１４９６６ｂ１は、後述する駆動ユニット９６０の伝達部材９６５の先端（挿入部９６５ｅ）が挿入される開口であり、内縁の形状が、伝達部材９６５の先端の外形よりも大きく設定される。
【１００５】
連結孔１４９６６ｂ１は、正面視における内縁の形状が略正方形に設定されると共に、重力方向他側（重力方向上側（図１３０（ａ）上側））の内周面の一側被当接部９６６ｂ２と、重力方向一側（重力方向下側（図９０（ａ）下側））の内周面の他側被当接部９６６ｂ３とを備える。
【１００６】
連結孔１４９６６ｂ１は、重力方向の対向間（他側被当接部９６６ｂ３から一側被当接部１４９６６ｂ２）の離間距離Ｌ４０が、挿入部９６５ｅの重力方向の幅寸法Ｌ４１よりも十分に大きく形成され、一対の羽部材９４５が閉鎖状態とされる際には、他側被当接部９６６ｂ３に挿入部９６５ｅが当接される。
【１００７】
また、連結孔１４９６６ｂ１は、重力方向の対向間（他側被当接部９６６ｂ３から一側被当接部１４９６６ｂ２）の離間距離Ｌ４０から挿入部９６５ｅの重力方向の幅寸法Ｌ４１を引いた寸法が、転動部９４３ａの端面９４３ａ１から変位部材１４９６６の第２開口９６６ｃの内縁までの離間距離Ｌ４２から遊技球の直径分を引いた寸法よりも大きく設定される（Ｌ４０−Ｌ４１）＞（Ｌ４２−遊技球の直径）。これにより、変位部材１４９６６が重力方向一側（重力方向下側）に落下した場合に、変位部材１４９６６の縁部で第２入賞口１４０から流入する遊技球の転動通路を塞ぐことができる。
【１００８】
次いで、図１３１（ａ）及び図１３１（ｂ）を参照して、一対の羽部材９４５の突起９４５ｂが切断された場合の説明をする。上述したように、連結孔１４９６６ｂ１の離間距離Ｌ４０が、挿入部９６５ｅの重力方向の幅寸法Ｌ４１よりも十分に大きく形成され、一対の羽部材９４５が閉鎖状態とされる際には、他側被当接部９６６ｂ３に挿入部９６５ｅが当接されるので、図１３１（ａ）及び図１３１（ｂ）に示すように、一対の羽部材９４５の突起９４５ｂが切断されると、一側被当接部９６６ｂ２と挿入部９６５ｅとの隙間の分、変位部材１４９６６が重力方向一側に自由落下される。
【１００９】
連結孔１４９６６ｂ１は、上述したように、離間距離Ｌ４０から幅寸法Ｌ４１を引いた寸法が、離間距離Ｌ４２から遊技球の直径分を引いた寸法よりも大きく設定される（Ｌ４０−Ｌ４１）＞（Ｌ４２−遊技球の直径）ので、変位部材１４９６６が自由落下されることにより、第２入賞口１４０から流入する遊技球の転動通路を変位部材１４９６６の縁部により塞ぐことができる。
【１０１０】
即ち、第１４実施形態では、一対の羽部材９４５が変位部材１４９６６の摺動溝９６６ａ２に非連通とされた状態（図１３１（ａ）及び図１３１（ｂ）に示す状態）では、変位部材１４９６６の一部が、第２入賞口１４０から流入する遊技球の通路内に配置されるので、例えば、羽部材９４５の突起９４５ｂを切断して羽部材９４５を外部から強制開放したとしても、第２入賞口１４０から入球された遊技球の流下を変位部材１４９６６によって規制することができる。
【１０１１】
次いで、図１３２及び図１３３を参照して、第１５実施形態における駆動ユニット１５９６０について説明する。上記第７実施形態では、駆動ユニット９６０の腕部９６２ｅが振分けユニット９８０の側壁部９８１ｂの外側に配置されて位置決めされる場合について説明したが、第１５実施形態では、第２腕部１５９６２ｊが側壁部９８１ｂの内側に配置されて位置決めされる。なお、上述した各実施形態と同一の部分には同一の符号を付して、その説明は省略する。
【１０１２】
図１３２（ａ）は、第１５実施形態における駆動ユニット１５９６０の側面図であり、図１３２（ｂ）は、駆動ユニット１５９６０の上面図であり、図１３２（ｃ）は、駆動ユニット１５９６０の斜視正面図である。図１３３（ａ）は、遊技盤１３の断面図であり、図１３３（ｂ）は、図１３３（ａ）のＣＸＸＸＩＩＩｂ−ＣＸＸＸＩＩＩｂ線における遊技盤１３の断面図である。なお、図１３３（ａ）は、図１２０（ａ）に対応する。
【１０１３】
初めに図１３２を参照して、第１５実施形態における駆動ユニット１５９６０について説明する。図１３２に示すように、第１５実施形態部おける駆動ユニット１５９６０は、箱形状に形成され、対向して配設される第１収容部１５９６２及び第２収容部９６３と、第１収容部１５９６２及び第２収容部９６３の間の空間に配設されるソレノイド６１０と、そのソレノイド６１０に連結される連結部材９６４と、第１収容部１５９６２及び第２収容部９６３に軸支されると共に連結部材９６４に連結される伝達部材９６５とを主に備えて形成される。
【１０１４】
第１収容部１５９６２は、無色透明の樹脂材料から形成され、ソレノイド６１０の一側（図１３２（ａ）上側）を覆う覆設部９６２ａと、その覆設部９６２ａから背面ベース９４１側（図８５参照）に突出するガイド部１５９６２ｂとを備える。
【１０１５】
駆動ユニット１５９６０は、箱形状に形成され対向して配設される第１収容部９６２及び第２収容部９６３と、第１収容部９６２及び第２収容部９６３の間の空間に配設されるソレノイド６１０と、そのソレノイド６１０に連結される連結部材９６４と、第１収容部９６２及び第２収容部９６３に軸支されると共に連結部材９６４に連結される伝達部材９６５とを主に備えて形成される。
【１０１６】
第１収容部９６２は、無色透明の樹脂材料から形成され、ソレノイド６１０の一側（図９３（ａ）上側）を覆う覆設部９６２ａと、その覆設部９６２ａから背面ベース９４１側（図８５参照）に突出するガイド部１５９６２ｂとを備える。
【１０１７】
ガイド部１５９６２ｂは、側面視略Ｌ字状に形成される一対の腕部１５９６２ｅと、その一対の腕部１５９６２ｅに連結されると共に、正面視門型に形成される壁部９６２ｆと、その壁部９６２ｆから覆設部９６２ａと反対側（背面ベース９４１側（図１２５参照））に突設される突設部９６２ｇと、一対の腕部１５９６２ｅの重力方向他側に位置し壁部９６２ｆから突設される第２腕部１５９６２ｊと、壁部９６２ｆを挟んで第２腕部１５９６２ｊの反対側に突設される第３腕部１５９６２ｈとを主に備えて形成される。
【１０１８】
腕部１５９６２ｅは、覆設部９６２ａの対向する壁面のそれぞれから背面ベース９４１側（図８５参照）に突出すると共に突出先端側を重力方向他側（ソレノイド６１０側と反対側）に屈曲する側面視略Ｌ字に形成される。また、腕部１５９６２ｅは、重力方向の突設位置が、駆動ユニット１５９６０及び振分けユニット９７０が組み合わされた状態において、振分けユニット９８０の側壁部９８１ｂの下方に設定される。
【１０１９】
第２腕部１５９６２ｊは、壁部９６２ｆの内縁部に連結されて形成されており、その一対の対向間の距離寸法Ｌ４３が、一対の腕部９６２ｅの対向間における幅寸法よりも小さく設定されると共に、遊技球の直径よりも大きく設定される。また、第２腕部１５９６２ｊは、重力方向の距離寸法が振分けユニット９８０の側壁部９８１ｂの重力方向における対向間の寸法よりも小さく設定され、駆動ユニット１５９６０及び振分けユニット９８０が組み合わされた状態において、側壁部９８１ｂの内側に挿入される。
【１０２０】
また、一対の第２腕部１５９６２ｊは、対向方向外側の距離寸法が、側壁部９８１ｂの水平方向における対向間の距離寸法と略同一に設定される。これにより、入賞口ユニット９３０に振分けユニット９８０（送球ユニット９７０）を配設する際に、側壁部９８１ｂの内側に第２腕部１５９６２ｊを配置することで位置決めすることができる。
【１０２１】
第３腕部１５９６２ｈは、その対向間における距離寸法が、腕部１５９６２ｅの対向間における距離寸法と略同一に設定される。また、第３腕部１５９６２ｈには、第２腕部１５９６２ｊの背面ベース９４１側端部に連結される突設部１５９６２ｈ１が形成される。
【１０２２】
突設部１５９６２ｈ１は、第２腕部１５９６２ｊの端部から背面ベース９４１（図８５参照）側への突設距離が、第２凹欠部９４２ｃ１の凹設寸法と略同一に設定される。また、突設部１５９６２ｈ１は、正面ユニット９４０と駆動ユニット１５９６０とが組み合わされた状態において、第２凹欠部９４２ｃ１と対応する位置に形成され、第２凹欠部９４２ｃ１の内側に配置される。
【１０２３】
よって、突設部１５９６２ｈ１及び側壁部９８１ｂの転動面９８１ｃ１の上流端部を、遊技球の通過方向に位置を異ならせて形成されるので、遊技球が底面側の段差を通過するタイミングと側面側の段差を通過するタイミングとを異ならせることができる。よって、これら底面側の段差と側面側の段差との影響を遊技球が同時に受けることを回避し、それ羅の影響を分散させるので、その分、遊技球をスムーズに流下（通過）させることができる。
【１０２４】
従って、第１５実施形態では、駆動ユニット１５９６０が、正面ユニット９４０の位置決めと、振分けユニット９８０の位置決めとを兼用させることができると共に、第２入賞口１４０から流入する遊技球の通過経路の一部となる。よって、振分けユニット９８０側も寸法効果または取り付け交差を許容しやすくできる。
【１０２５】
次いで、図１３４（ａ）を参照して、第１６実施形態における振分けユニット９８０の側壁部１６９８１ｂ及び入賞口ユニット９３０の第２送球部１６９４２ｃについて説明する。上記第７実施形態では、側壁部９８１ｂの突起９８１ｂ１が、第２送球部９４２ｃの第２凹欠部９４２ｃ１の内側に配置される場合について説明したが、第１６実施形態では、第２送球部１６９４２ｃの突起１６９４２ｃ２が側壁部１６９８１ｂの凹欠部１６９８１ｂ２の内側に配置される。上述した各実施形態と同一の部分には同一の符号を付して、その説明は省略する。
【１０２６】
図１３４（ａ）は、第１６実施形態における遊技盤１３の断面図である。なお、図１３４（ａ）は、図１２０（ａ）に対応する。図１３４（ａ）に示すように、第１６実施形態における振分けユニット９８０の側壁部１６９８１ｂは、入賞口ユニット９３０及び送球ユニット９７０がベース板に装着された状態において、立設先端面が入賞口ユニット９３０の第２送球部１６９４２ｃの先端部と当接する寸法に形成される。
【１０２７】
また、側壁部１６９８１ｂは、立設先端面に立設基端側に凹設される凹欠部１６９８１ｂ２を備える。凹欠部１６９８１ｂ２は、転動面９８１ｃ１から重力方向へ遊技球の半径分離間する位置に形成されると共に、側面視においてその凹設形状が後述する第２送球部１６９４２ｃの突起１６９４２ｃ２の側面視形状と略同一に設定される。
【１０２８】
これにより、転動部９４３ａの端面９４３ａ１から貫通孔９８１ｃの転動面に遊技球が遊技球が送球される場合に、遊技球が転動部９４３ａと貫通孔９８１ｃとの間に挟まりにくくできる。なお、転動部９４３ａの端面９４３ａ１から貫通孔９８１ｃの転動面９８１ｃ１に遊技球が送球される場合についての詳しい説明は後述する。
【１０２９】
また、凹欠部１６９８１ｂ２は、側面視において略台形に凹設されており、側壁部１６９８１ｂの立設基端側の内面が、遊技球の転動方向に沿って下降傾斜して形成される。これにより、貫通孔９８１ｃの転動面を転動する遊技球が、その遊技球の転動経路の切り替わり部分で上方にバウンドすることを抑制できる。
【１０３０】
即ち、第１６実施形態では、凹欠部１６９８１ｂ２の凹設先端面が、遊技球の通過方向に沿って下降傾斜して形成されるので、凹欠部１６９８１ｂ２の凹設先端面に衝突した遊技球を転動面９８１ｃ１（底面）側へ押し付けることができる。従って、凹欠部１６９８１ｂ２の凹設先端面で遊技球が跳ね上げられて、バウンドすることを抑制できる。その結果、遊技球をスムーズに通過（流下）させやすくすることができる。
【１０３１】
突起１６９４２ｃ２は、第２送球部１６９４２ｃの突設先端面から突出して形成されると共に、側面視における外形が側壁部１６９８１ｂの凹欠部１６９８１ｂ２と略同一に設定される。これにより、入賞口ユニット９３０の転動部９４３ａの端面９４３ａ１を転動する遊技球が、振分けユニット９８０の転動面９８１ｃ１に送球される場合に、その遊技球が振分けユニット９８０の凹欠部１６９８１ｂ２の内側に挟まることを抑制できる。その結果、入賞口ユニット９３０の転動部９４３ａから振分けユニット９８０の転動面９８１ｃ１へ、遊技球をスムーズに通過（流下）させやすくすることができる。
【１０３２】
また、第１６実施形態では、側壁部１６９８１ｂの凹欠部１６９８１ｂ２及び転動面９８１ｃ１の上流端部とが、遊技球の通過方向に位置をことならせて形成されるので、遊技球が底面側の段差を通過するタイミングと側面側の段差を通過するタイミングとを異ならせることができる。よって、これら底面側の段差と側面側の段差との影響を遊技球が同時に受けることを回避し、それらの影響を分散させられるので、その分、遊技球をスムーズに流下（通過）させることができる。
【１０３３】
さらに、第１６実施形態によれば、遊技球の転動方向の下流側に凹欠部１６９８１ｂ２が形成され、上流側に突起１６９４２ｃ２が形成されるので、第２送球部９４２ｃの側面下流端及び転動部９４３ａの底面下流端を、側壁部１６９８１ｂの側面上流端及び底面上流端に近接させることができる。即ち、第２送球部９４２ｃの側面上流端が、転動部９４３ａの底面上流端に対して、遊技球の通過方向下流側に位置を異ならせて形成される場合に、側壁部１６９８１ｂの側面上流端に遊技球が達するまでの間、第２送球部９４２ｃの突起１６９４２ｃ２により、遊技球を案内できる。よって、遊技球をスムーズに流下（通過）させることができる。
【１０３４】
一方で、突起１６９４２ｃ２は、比較的剛性が弱く、折損の恐れがあるところ、第１６実施形態によれば、突起１６９４２ｃ２の遊技球の通過方向上流側に形成されるので、突起１６９４２ｃ２が折損した場合であっても、側壁部１６９８１ｂの底面上流端と、側面上流端とを遊技球の通過方向に位置を異ならせた状態を維持でき、遊技球が底面側の段差を通過するタイミングと側面側の段差を通過するタイミングとを異ならせることができる。よって、これら、底面側の段差と側面側の段差との影響を遊技球が同時に受けることを回避し、それ羅の影響を分散させられるので、その分、遊技球をスムーズに流下（通過）させることができる。
【１０３５】
また、突起１６９４２ｃ２が、入賞口ユニット９３０側に、凹欠部１６９８１ｂ２が振分けユニット９８０側にそれぞれ形成されるので、突起１６９４２ｃ２に凹欠部１６９８１ｂ２の側面が当接されることで、転動部９４３ａに対する振分けユニット９８０の重力方向上側への位置ずれを規制できる。即ち、転動部９４３ａの底面下流端よりも、側壁部１６９８１ｂの底面上流端が高い位置となる段差では、遊技球が乗り上げる際に跳ね上げられやすいため。逆の段差と比較して、遊技球のスムーズな流下（通過）を阻害しやすい。よって、側壁部１６９８１ｂの底面上流端が、転動部９４３ａの底面下流端よりも重力方向上側に位置ずれすることを規制できることが、遊技球のスムーズな流下に特に有効となる。
【１０３６】
次いで、図１３４（ｂ）を参照して、第１７実施形態における振分けユニット９８０の側壁部１７９８１ｂ及び入賞口ユニット９３０の第２送球部１７９４２ｃについて説明する。上記第７実施形態では、側壁部９８１ｂの突起９８１ｂ１及び第２送球部９４２ｃの第２凹欠部９４２ｃ１の端部が側面視において遊技球の転動方向に対し略直交する方向に形成される場合について説明したが、第１７実施形態では、第２送球部１７９４２ｃ及び側壁部１７９８１ｂの端部が側面視において傾斜して形成される。上述した各実施形態と同一の部分には同一の符号を付して、その説明は省略する。
【１０３７】
図１３４（ｂ）は、第１７実施形態における遊技盤１３の断面図である。なお、図１３４（ｂ）は、図１２０（ａ）に対応する。図１３４（ｂ）に示すように、第１７実施形態における振分けユニット９８０の側壁部１７９８１ｂは、その立設先端の先端面１７９８１ｂ３が、基端側から先端側に向かって下降傾斜して形成される。言い変えると、先端面１７９８１ｂ３が、側壁部１７９８１ｂの転動面９８１ｃ１の遊技球の転動方向に沿って上昇傾斜して形成される。
【１０３８】
一方、入賞口ユニット９３０の第２送球部１７９４２ｃは、その突設先端面の先端面１７９４２ｃ３が、転動部９４３ａの遊技球の転動方向に沿って上昇傾斜して形成される。また、第２送球部１７９４２ｃの先端面１７９４２ｃ３は、入賞口ユニット９３０及び送球ユニット９７０がベース板に装着された状態において、上述した側壁部１７９８１ｂの突設先端の先端面１７９８１ｂ３と略平行な状態で配設される。
【１０３９】
よって、側壁部１７９８１ｂの側面上流端（先端面１７９８１ｂ３）を遊技球の通過方向に対して傾斜させることができるので、側壁部１７９８１ｂの側面上流端が遊技球の通過方向に対して直交して形成される（第７実施形態）の場合と比較して、側壁部１７９８１ｂの側面上端面に衝突した遊技球を傾斜に沿って滑らせて跳ね返され難くできる。その結果、遊技球をスムーズに通過（流下）させやすくすることができる。
【１０４０】
また、側壁部１７９８１ｂの側面上流端（先端面１７９８１ｂ３）の全体が傾斜して形成されるので、例えば第１６実施形態のように、凹欠部１６９８１ｂ２を有する形状に形成される場合と比較して、応力集中の発生を抑制して、側壁部１７９８１ｂの耐久性を確保できる。また、側壁部１７９８１ｂを樹脂材料から形成する場合に、その射出成型金型のキャビティ（空洞部分）の形状変化を緩やかとできるので、気泡だまり（エア噛み）や充填不良を抑制して成形性の向上を図ることができる。
【１０４１】
次いで、図１３５から図１３７を参照して、第１８実施形態における変位部材１８９６６について説明する。上記第７実施形態では、変位部材９６６は、第２入賞口１４０から入球される遊技球の転動通路上に配置されない場合について説明したが、該１８実施形態における変位部材１８９６６は、第２入賞口１４０から入球される遊技球の転動通路上に配置される。なお、上述した各実施形態と同一の部分には、同一の符号を付してその説明は省略する。
【１０４２】
図１３５（ａ）、図１３６（ａ）及び図１３７（ａ）は、第１８実施形態における入賞口ユニット９３０を背面視した模式図であり、図１３５（ｂ）は、図１３５（ａ）のＣＸＸＸＶｂ−ＣＸＸＸＶｂ線における入賞口ユニット９３０の断面模式図である。図１３６（ｂ）は、図１３６（ａ）のＣＸＸＸＶＩｂ−ＣＸＸＸＶＩｂ線における入賞口ユニット９３０の断面模式図である。図１３７（ｂ）は、図１３７（ａ）のＣＸＸＸＶＩＩｂ−ＣＸＸＸＶＩＩｂ線における入賞口ユニット９３０の断面模式図である。
【１０４３】
なお、図１３５では、一対の羽部材９４５の閉鎖状態が図示され、図１３６では、一対の羽部材９４５の開放状態が図示され、図１３７では、一対の羽部材９４５が強制的に開放された状態が図示される。また、図１３５（ａ）、図１３６（ａ）及び図１３７（ａ）では、一対の羽部材９４５、変位部材１８９６６及び第２入賞口１４０のみが図示される。図１３５（ｂ）、図１３６（ｂ）及び図１３７（ｂ）では、一対の羽部材９４５、背面ベース９４１、正面ベース９４３、変位部材１８９６６、伝達部材１９９５８及びソレノイド９６１のみが模式的に図示される。
【１０４４】
図１３５に示すように、第１８実施形態における変位部材１８９６６は、第７実施形態における変位部材９６６に比べて、外形が重力方向（図１３５（ａ）上下方向）に大きく形成される。変位部材１８９６６の摺動溝１８９６６ａは、背面視において略Ｌ字に屈曲する形状に形成され、重力方向に延設される非伝達部１８９６６ａ６と、その非伝達部１８９６６ａ６の重力方向下方の端部から左右方向中央側に屈曲して延設される伝達部１８９６６ａ７とを備える。
【１０４５】
また、変位部材１８９６６は、一対の羽部材９４５が閉鎖状態とされる場合に、貫通孔９６６ｃ１が第２入賞口１４０よりも重力方向下側に配置される。これにより、一対の羽部材９４５が閉鎖状態とされる場合は、第２入賞口１４０を通過する遊技球が転動部９４３ａから送球ユニット９７０の貫通孔９８１ｃに流入することを規制できる。
【１０４６】
さらに、変位部材１８９６６は、貫通孔９６６ｃ１の重力方向上側の内周縁に下方に向かうに従って正面側に傾斜する刃部１８９６ｇを備える。刃部１８９６ｇは、正面側が転動部９４３ａの突出先端部および第２送球部９４２ｃの突出先端部に当接される。即ち、背面視において、一対の羽部材９４５が閉鎖状態とされる場合、刃部１８９６ｇと転動部９４３ａ及び第２送球部９４２ｃとが重なる位置に配置される。
【１０４７】
また、第１８実施形態における伝達部材１８９５８は、第１実施形態に比べて、ソレノイド９６１が駆動された場合に先端部９６５ａ側の回転範囲が大きく設定される。即ち、先端部９６５ａ側の重力方向への変位寸法が大きく設定されており、その変位寸法が、第２入賞口１４０の重力方向の開口寸法より大きく設定される。
【１０４８】
従って、図１３６に示すように、ソレノイド９６１が駆動された場合に、刃部１８９６ｇを第２入賞口１４０の上方に配置できると共に、背面視において変位部材１８９６６の貫通孔９６６ｃ１の内側に第２入賞口１４０の開口を配置することができる。
【１０４９】
また、変位部材１８９６６が伝達部材１８９５８の変位により重力方向に変位することにより、突起９４５ｂが、摺動溝１８９６６ａの内側を摺動される。突起９４５ｂの摺動溝１８９６６ａ内部の摺動は、初めに突起９４５ｂが非伝達部１８９６６ａ６の内部を摺動した後に、伝達部１８９６６ａ７の内部を摺動される。この場合、非伝達部１８９６６の延設方向と変位部材１８９６６の変位方向とが略同一に設定されるので、突起９４５ｂは、非伝達部１８９６６ａ６を摺動する場合に、背面ベース９４２に対する位置が変更されることなく非伝達部１８９６６ａ６の内側を摺動する。一方、突起９４５ｂは、伝達部１８９６６ａ７を摺動する場合に、伝達部１８９６６ａ７の内周縁により押し出されて変位（回転）される。これにより、一対の羽部材９４５は、開放状態に変位れる。
【１０５０】
従って、一対の羽部材が開放状態とされる場合には、第２入賞口１４０を通過する遊技球が転動部９４３ａから送球ユニット９７０の貫通孔９８１ｃに流入することを許容できる。
【１０５１】
一方、一対の羽部材９４５が開放状態から閉鎖状態とされる場合には、羽部材９４５の突起９４５ｂが伝達部１８９６６ａ７を摺動することで、羽部材９４５が回転される。この場合、上述したように、変位部材１８９６６は、刃部１８９６６ｇが第２入賞口１４０の内周縁よりも重力方向下方に配置されると共に、正面側の側面が転動部９４３ａの突出先端部および第２送球部９４２ｃの突出先端部に当接されるので、重力方向下側に変位する動作に伴って、刃部１８９６６ｇと転動部９４３ａ及び第２送球部９４２ｃとの間で、第２入賞口１４０からの遊技球の転動経路上に挿入される付勢物を切断することができる。
【１０５２】
即ち、変位部材１８９６６は、一対の羽部材９４５を開放させる位置から、閉鎖させる位置まで、変位部材１８９６６がスライド変位された際に、第２入賞口１４０から流下する遊技球の通路を横切ると共に、その通路の縁部（転動部９４３ａ及び第２送球部９４２ｃの端部）にさ擦接する刃部１８９６６ｇを備えるので、第２入賞口１４０から遊技球のる通路内に不正に挿通された付勢物を切断することができる。
【１０５３】
例えば、遊技球に糸の先端を接着し、かかる遊技球を第２入賞口１４０から入球させると共に、転動部９４３ａを通過させて、その遊技球の通過を検知する検出装置ＳＥ４（図１１４参照）に遊技球が達した状態で、糸の他端を操作（繰り出し、引き寄せ）して、遊技球を往復させることで、検出装置ＳＥ４に複数回検出させる不正行為がある。かかる不正行為に対し、第１８実施形態によれば、羽部材９４５が開放された状態で上述した遊技球が入球されたとしても、羽部材９４５を開放させる位置から閉鎖させる位置まで、変位部材１８９６６がスライド変位され、刃部１８９６６ｇが転動部９４３ａ及び第２送球部９４２ｃの通路を横切る際に、遊技球に先端が接着されている糸の途中部分を刃部１８９６６ｇと共に変位させて転動部９４３ａ又は第２送球部９４２ｃの縁部へ押し付けると共に、１８９６６ｇが転動部９４３ａ及び第２送球部９４２ｃの縁部に擦接される際に、１８９６６ｇと転動部９４３ａ又は第２送球部９４２ｃの縁部との間で糸を切断することができる。その結果、上述した不正行為を抑制できる。
【１０５４】
また、図１３７に示すように、一対の羽部材９４５の突起９４５ｂが遊技者の不正行為により切断され（折られ）た場合には、第２入賞口１４０に対して、変位部材１８９６６の貫通孔９６６ｃ１が重力方向下側に配置される。これにより、遊技者が一対の羽部材９４５を強制的に開放状態とさせた場合に、第２入賞口１４０から入球される遊技球の流下を変位部材１８９６６によって規制することができる。
【１０５５】
なお、この場合、伝達部材１８９６５は、ソレノイド９６１にコイルばねＳＰ１（図９４参照）により、先端部１８９６５ａ側が重力方向下方に変位する方向に付勢される。即ち、変位部材１８９６６が第２入賞口１４０を塞ぐ方向に付勢される。従って、一対の羽部材９４５が遊技者の不正行為により強制的に開放された場合に、変位部材１８９６６も同様に強制的に開放されることを抑制できる。その結果、遊技者の不正行為を抑制することができる。
【１０５６】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【１０５７】
上記各実施形態において、１の実施形態の一部または全部を他の１又は複数の実施形態の一部または全部と入れ替えて又は組み合わせて、遊技機を構成しても良い。
【１０５８】
上記第１及び第２実施形態では、投影ユニット６００の照射ユニット６５０において、基板部材６５２に合計４個の第１ブロック６５３及び第２ブロック６５４が配設される場合を説明したが、必ずしもこれに限られるものではなく、第１ブロック６５３及び第２ブロック６５４の合計の個数は、３個以下であっても良く、５個以上であっても良い。この場合、第１ブロック６５３及び第２ブロック６５４の割合は任意であり、第１ブロック６５３のみであっても良く、第２ブロック６５４のみであっても良い。
【１０５９】
上記第１及び第２実施形態では、基板部材６５２の正面にＬＥＤ６５１が配設されると共に背面に第１ブロック６５３及び第２ブロック６５４が配設される場合を説明したが、必ずしもこれに限られるものではなく、ＬＥＤ６５１、第１ブロック６５３及び第２ブロック６５４を基板部材６５２の正面に配設しても良い。この場合には、第１ブロック６５３及び第２ブロック６５４の内部にＬＥＤ６５１を収容すると共に、そのＬＥＤ６５１から照射された光を、第１ブロック６５３及び第２ブロック６５４の正面に形成された開口から投影板部材６２０の外周面へ入射させる。
【１０６０】
上記第１及び第２実施形態では、投影ユニット６００のギヤ部材６３０及び溝形成部材６４０，２６４０が光透過性材料から形成される場合を説明したが、必ずしもこれに限られるものではなく、ギヤ部材６３０及び溝形成部材６４０，２６４０は、光透過性材料と非透過性材料との２層から形成されていてもよい。
【１０６１】
例えば、ギヤ部材６３０の背面部６３２側および溝形成部材６４０，２６４０の正面部６４２側が非透過性材料の層で形成され、ギヤ部材６３０及び溝形成部材６４０，２６４０の投影板部材６２０，２６２０側が透過性材料の層で形成されていてもよい。この場合、非透過性材料の層により、遊技領域における他の装置が発した光が投影板部材６２０，２６２０に入射することを抑制することができる。即ち、照射ユニット６５０でない装置が発した光を、非透過性材料の層により遮ることができる。
【１０６２】
その結果、照射ユニット６５０を消灯させている場合（投影板部材６２０，２６２０に光を入射させず、投影板部材６２０，２６２０の正面に模様や図柄を表示させない場合）に、他の装置からの光が投影板部材６２０，２６２０に入射されて投影板部材６２０，２６２０の正面に模様や図柄が表示されることを抑制できる。
【１０６３】
また、この場合、非透過性材料から形成される層が、反射率の高い金属材料や可撓性材料で形成される、或いは、非透過性材料の層と透過性材料の層との間に反射率の高い金属性材料や可撓性材料を介設することが好ましい。これにより、ＬＥＤ６５１からギヤ部材６３０及び、溝形成部材６４０，２６４０に入射された光をより投影板部材６２０，２６２０に反射させやすくできる。その結果、反射部６２２で反射され投影板部材６２０，２６２０の正面側から射出される光を強くして、模様や図柄を鮮明に浮かび上がらせることができる。
【１０６４】
上記第１及び第２実施形態では、投影ユニット６００のギヤ部材６３０の背面部６３２及び溝形成部材６４０，２６４０の正面部６４２が、空気（大気）と接する場合を説明したが、必ずしもこれに限られるものではなく、例えば、背面図６３２及び正面部６４２にギヤ部材６３０及び溝形成部材６４０よりも反射率の高い部材（例えば、銀箔やアルミなど）のシールを添付、或いは、反射率の高い色（例えば白色等）の印刷を施してもよい。
【１０６５】
この場合、シール又は印刷により、遊技領域における他の装置が発した光が投影板部材６２０，２６２０に入射することを抑制することができる。即ち、照射ユニット６５０でない装置が発した光を、シール又は印刷により遮ることができる。
【１０６６】
その結果、照射ユニット６５０を消灯させている場合（投影板部材６２０，２６２０に光を入射させず、投影板部材６２０，２６２０の正面に模様や図柄を表示させない場合）に、他の装置からの光が投影板部材６２０，２６２０に入射されて投影板部材６２０，２６２０の正面に模様や図柄が表示されることを抑制できる。
【１０６７】
さらに、シール又は印刷により、ＬＥＤ６５１からギヤ部材６３０及び、溝形成部材６４０，２６４０に入射された光をより投影板部材６２０，２６２０に反射させやすくできる。その結果、反射部６２２で反射され投影板部材６２０，２６２０の正面側から射出される光を強くして、模様や図柄を鮮明に浮かび上がらせることができる。
【１０６８】
なお、シールを添付する場合は、そのシールをギヤ部材６３０の背面部６３２及び溝形成部材６４０，２６４０の正面部６４２から外縁側に突出させた様態で添付するものであってもよい。この場合、ＬＥＤ６５１から照射されて扇状に広がる光を、突出させたシール部分で反射させることができるので、ＬＥＤ６５１から照射される光を投影板部材６２０，２６２０に集光させやすくできる。
【１０６９】
上記第３実施形態では、ギヤ部材３６３０と投影板部材３６２０との間および溝形成部材３６４０と投影板部材３６２０との間に空気層が形成される場合を説明したが、必ずしもこれに限られるものではなく、ギヤ部材３６３０と投影板部材３６２０との間および溝形成部材３６４０と投影板部材３６２０との間にギヤ部材６３０及び溝形成部材６４０よりも反射率の高い非透過性材料の板部材を介設してもよい。
【１０７０】
この場合、投影板部材３６２０に入射された光は、反射率の高い非透過性材料の板部材により確実に全反射されて、投影板部材３６２０の縁部から中央側に向かって進ませることができる。よって、照射角度α３に照射された光の強さ（光量）が減少することを抑制することができ、反射部６２２で反射され投影板部材３６２０の正面側から射出される光を強くして、模様や図柄を鮮明に浮かび上がらせることができる。
【１０７１】
また、反射率の高い非透過性材料の板部材により、遊技領域における他の装置が発した光が投影板部材３６２０に入射することを抑制することができる。即ち、照射ユニット６５０でない装置が発した光を、反射率の高い非透過性材料の板部材により遮ることができる。
【１０７２】
その結果、照射ユニット６５０を消灯させている場合（投影板部材３６２０に光を入射させず、投影板部材３６２０の正面に模様や図柄を表示させない場合）に、他の装置からの光が投影板部材３６２０に入射されて投影板部材３６２０の正面に模様や図柄が表示されることを抑制できる。
【１０７３】
上記第１実施形態では、上下変位ユニット８００の変位部材８５０を付勢する手段がコイルばねである場合を説明したが、必ずしもこれに限られるものではなく、ゴム状体の弾性体、ねじりバネ、板バネであっても良い。なお、その取り付け方法は、突起８５２と突起８２３とを連結して取り付ける様態、または、変位部材８５０の回転軸とベース部材８２０の軸支部８２１との間に取り付けられる様態が例示される。
【１０７４】
上記第１実施形態では、上下変位ユニット８００の変位部材８５０が一端に形成された軸孔８５１を軸に回転運動される場合を説明したが、必ずしもこれに限られるものではなく、例えば、変位部材８５０が、正面ベース８２０に形成された案内溝をスライド変位するものであってもよい。なお、この場合、正面ベース８２０の案内溝の両端部が上下方向（重力方向）で異なる位置に形成される様態であれば、第１実施形態と同様に、変位部材８５０の重力方向の変位を等速円運動の正射影の運動とでき、変位速度に変化を持たせることができるので、かかる変位部材８５０に興趣のある変位を行わせることができる。
【１０７５】
上記第１から第３、６実施形態では、ＬＥＤ６５１の光の照射面を投影板部材６２０，２６２０，３６２０，６６２０の側端面と対向する位置に配設する場合を説明したが、必ずしもこれに限られるものではなく、例えば、ＬＥＤ６５１の光の照射面をギヤ部材６３０，３６３０又は溝形成部材６４０，２６４０，３６４０の側端面と対向する位置に配設しても良い。
【１０７６】
この場合も上記第１から第３、第５及び第６実施形態と同様に、ギヤ部材６３０，３６３０又は溝形成部材６４０，２６４０，３６４０の側端面から、ＬＥＤ６５１の光を入射させて、投影板部材６２０，２６２０，３６２０，６６２０の表面に模様や図柄を表示することができる。
【１０７７】
また、ＬＥＤ６５１の光の照射面を投影板部材６２０，２６２０，３６２０，６６２０、ギヤ部材６３０，３６３０及び溝形成部材６４０，２６４０，３６４０の側端面と、対向しない位置（即ち、ＬＥＤ６５１の光の照射面が投影板部材６２０，２６２０，３６２０，６６２０、ギヤ部材６３０，３６３０及び溝形成部材６４０，２６４０，３６４０の側端面と前後方向に異なる位置）に配設して、ＬＥＤ６５１の照射する光の一部が、投影板部材６２０，２６２０，３６２０，６６２０、ギヤ部材６３０，３６３０及び溝形成部材６４０，２６４０，３６４０の側端面に入射するように配置してもよい。
【１０７８】
この場合、ＬＥＤ６５１の照射面と直交する方向に照射される光で投影板部材６２０，２６２０，３６２０，６６２０とは異なる他の非照射部材を照射しつつ、ＬＥＤ６５１の照射面から斜めに照射される光の一部を投影板部材６２０，２６２０，３６２０，６６２０、ギヤ部材６３０，３６３０及び溝形成部材６４０，２６４０，３６４０の側端面に入射させることができる。即ち、ＬＥＤ６５１に投影板部材６２０，２６２０，３６２０，６６２０に模様や図柄を表示させる光と他の被照射体を照射させる光とを兼用させることができる。
【１０７９】
上記第１から第３、第５及び第６実施形態では、ＬＥＤ６５１の光の照射面と投影板部材６２０，２６２０，３６２０，６６２０の側端面とが平行に配設される場合を説明したが、必ずしもこれに限られるものではなく、例えば、ＬＥＤ６５１の光の照射面を、投影板部材６２０，２６２０，３６２０，６６２０に対して傾倒させても良い。
【１０８０】
具体的には、ＬＥＤ６５１の光の照射面を背面側に向けて配設すると共に、ＬＥＤ６５１の配設位置をＬＥＤ６５１の照射面と直交する方向に照射される光が投影板部材６２０，２６２０，３６２０，６６２０の側端面に照射される位置としてもよい。この場合、投影板部材６２０，２６２０，３６２０，６６２０の表面に模様や図柄などが表示された際に、ＬＥＤ６５１の光が正面視円環形状に形成された正面ベース６１２，６６１２の内縁から漏れ出すことを抑制できる。
【１０８１】
また、ＬＥＤ６５１の光の照射面を正面側に向けて配設すると共に、ＬＥＤ６５１の配設位置をＬＥＤ６５１の照射面と直交する方向に照射される光が投影板部材６２０，２６２０，３６２０，６６２０の側端面に照射される位置としてもよい。
【１０８２】
さらに、ＬＥＤ６５１の光の照射面を背面側または正面側に向けて投影板部材６２０，２６２０，３６２０，６６２０の側端面に対して傾倒させた状態で配設すると共に、ＬＥＤ６５１の配設位置をＬＥＤ６５１の照射面と直交する方向に照射される光が溝形成部材６４０，２６４０，３６４０の側端面またはギヤ部材６３０，３６３０の側端面に照射される位置としてもよい。
【１０８３】
他に、ＬＥＤ６５１の光の照射面を背面側または正面側に向けて投影板部材６２０，２６２０，３６２０，６６２０の側端面に対して傾倒させた状態で配設すると共に、ＬＥＤ６５１の配設位置をＬＥＤ６５１の照射面と直交する方向に照射される光が溝形成部材６４０，２６４０，３６４０の正面部６３２又はギヤ部材６３０，３６３０の背面部６３２に照射される位置としてもよい。
【１０８４】
上記第５実施形態では、第２ブロック６５４の前面に配設されるＬＥＤ６５１から照射される光を投影板部材５６２０の左右の側面から投影板部材５６２０に入射させることで投影板部材５６２０の正面から出射される光量を増加する場合を説明したが、必ずしもこれに限られるものではなく、投影板部材５６２０の左右から入射される光により投影板部材５６２０に表示される模様や図柄を、投影板部材５６２０の上端面から入射される光により投影板部材５６２０に表示される模様や図柄と異なるものとしても良い。
【１０８５】
即ち、投影板部材５６２０の内部に空気層や非光透過性の材料を備えて形成して、反射部６２２の領域を分ける（例えば、３つの領域に分ける）ことで、投影板部材５６２０の上端部から入射される光は、第１の領域の反射部６２２により正面側から出射され、左側側面から入射される光は、第２の領域の反射部６２２により正面側から出射され、右側側面から入射される光は、第３の領域の反射部６２２により正面側から出射される様態とすることができる。これにより、投影板部材５６２０に表示される模様や図柄のパターンを複数個形成することができ、遊技者の興趣が損なわれることを抑制できる。
【１０８６】
この場合、第１〜第３の領域を照射する光源（ＬＥＤ６５１）を被照射体（投影板部材５６２０）の周囲に複数個備えて、第１〜第３の領域を照射する（例えば、上部に配置された光源は上端部から光を入射させて第１の領域を照射し、左側に配置される光源は左端面から入射させて第２の領域を照射し、右側に配置される光源は右端面から入射させて第３の領域を照射する）こともできるが、その分、光源を複数個配設する必要があり、製品コストが嵩むという問題点があった。
【１０８７】
これに対し、第５実施形態では、第２ブロック６５４の前方に配設されるＬＥＤ６５１は、投影板部材５６２０のスライド変位により、第１ブロック６５３に対して回転されることで、第２ブロックの前方に配設したＬＥＤ６５１の光の照射方向を変更させることができるので、第２又は第３の領域を照射する場合と、第１の領域を照射する場合との２つの領域を照射することができるので、その分、ＬＥＤ６５１の配設する数を減らすことができ、製品コストが嵩むことを抑制することができる。
【１０８８】
上記第５実施形態では、投影板部材５６２０のスライド変位に伴って、第２ブロック６５４の前方に配設されたＬＥＤ６５１の光の照射方向を変更する場合を説明したが、必ずしもこれに限られるものではなく、回転部材５６７０を新たに配設する駆動モータの軸部と連結して回転させても良い。
【１０８９】
この場合、回転部材５６７０を投影板部材５６２０のスライド位置に関わらず回転させて、第２ブロック６５４の前方に配設されたＬＥＤ６５１の光の照射方向を変更することができるので、投影板部材５６２０の前方から出射される光量を部分的に多くする又は少なくすることができる。即ち、投影板部材５６２０に入射される光の方向を変位させて、投影板部材５６２０に表示される模様や図柄の表示の濃淡の変更を操作することができる。
【１０９０】
上記第１実施形態では、正面ベース６１２及び背面ベース６１１の対向面間に、投影板部材６２０と、投影板部材６２０を照射する複数の照射ユニット６５０と、駆動モータ６６１の駆動力を伝達する歯車列（歯車６６２〜６６４）と、を１のユニットとして配設する場合を説明したが、必ずしもこれに限られるものではなく、正面ベース６１２及び背面ベース６１１の対向面間に、上述したユニット（投影板部材６２０、照射ユニット６５０、歯車列（歯車６６２〜６６４））を前後方向に２つ以上重ねた様態で配設しても良い。
【１０９１】
この場合、それぞれの投影板部材６２０に模様や図柄を表示させることで、遊技者にそれぞれの投影板部材６２０の模様や図柄の表示を組み合わせた状態で視認させることができる。その結果、それぞれの投影板部材６２０の回転位置を変化させることで、複数の模様や図柄の表示パターンを形成することができ、遊技者の興趣が損なわれることを抑制できる。
【１０９２】
上記第１実施形態では、投影板部材６２０を回転変位させる場合を説明したが、必ずしもこれに限られるものではなく、投影板部材６２０を固定して照射ユニット６５０を変位させるものであっても良い。
【１０９３】
上記第３実施形態では、ボルトＴが配置された位置の投影板部材３６２０の側端部からは、ＬＥＤ６５１の光が中央側に入射されない様態とする場合を説明したが、必ずしもこれに限られるものではなく、ボルトＴを金属材料（例えば、鉄やステンレス）から形成して、その側面に投射される光を投影板部材３６２０の中央側に反射させるものであってもよい。この場合、投影板部材３６２０の中央部にＬＥＤ６５１から照射された光を集光させやすくできる。
【１０９４】
また、ボルトＴを一定の間隔で複数個配設し、投影板部材３６２０の表面に模様や図柄が表示されない（ＬＥＤ６５１の光が入射されない）箇所を部分的に形成して、投影板部材３６２０の表示を区切るようにしてもよい。
【１０９５】
また、上述したように、投影板部材３６２０と溝形成部材３６４０及びギヤ部材３６３０との締結部分の接地面は、開口６４６と径方向に重なる面（図６５（ｃ）参照）であるため、通常光が入射されない箇所を接地面とすることができる。
【１０９６】
即ち、開口６４６には、ボルトＴが挿入されるため、開口６４６の径方向外側から光を入射すると光はボルトＴにより遮られ、ＬＥＤ６５１の光が反射部６２２側に入射されない。よって、ＬＥＤ６５１から溝形成部材３６４０及びギヤ部材３６３０に入射された光が、投影板部材３６２０側に入射されること確実に抑制することができる。
【１０９７】
この場合、照射ユニット６５０に配設されたＬＥＤ６５１の光を照射した状態で照射ユニット６５０を変位させることで、遊技者に投影板部材６２０が変位（回転）しているように視認させることができる。
【１０９８】
なお、この場合の照射ユニット６５０の変位は、スライド変位でも、回転変位であっても良く、第１ブロック６５３及び第２ブロック６５４に配設された各ＬＥＤ６５１の照射方向をそれぞれ異なる方向に変位させるものであっても良い。
【１０９９】
以上、上記各実施形態に基づき本発明を説明したが、本発明は上記各実施形態に何ら限定されるものではなく、本発明の趣旨を逸脱しない範囲内で種々の変形改良が可能であることは容易に推察できるものである。
【１１００】
上記各実施形態において、１の実施形態の一部または全部を他の１又は複数の実施形態の一部または全部と入れ替えて又は組み合わせて、遊技機を構成しても良い。
【１１０１】
上記第７実施形態では、突起９４５ｂが背面視略三角形に形成される場合を説明したが、必ずしもこれに限られるものではない。例えば、突起９４５ｂを背面視円形状に形成しても良い。この場合、羽部材９４５の開閉動作時における羽部材９４５のがたつきを抑制でき、羽部材９４５の開閉動作を安定させることができる。
【１１０２】
即ち、突起９４５ｂが、背面視異形状に形成される又は摺動溝９６６ａ２が湾曲して形成されると、突起９４５ｂが摺動溝９６６ａ２を摺動することで、摺動溝９６６ａ２の内壁と突起９４５ｂとの間の隙間が変化する。従って、摺動溝９６６ａ２の内壁と突起９４５ｂとの間の隙間が大きくされると、その隙間の分、突起９４５ｂが動きやすくなり、羽部材９４５ががたつき易くなる。
【１１０３】
これに対して、突起９４５ｂを背面視円形状に形成され、摺動溝９６６ａ２が変位部材９６６に直線状に延設されることで、羽部材９４５の開閉動作時における摺動溝９６６ａ２の内壁と突起９４５ｂとの隙間を常に一定の大きさとできる。よって、羽部材９４５のがたつきを抑制でき、羽部材９４５の開閉動作を安定させることができる。
【１１０４】
さらに、摺動溝９６６ａ２が、変位部材９６６の変位方向に直交する方向に沿って直線状に延設されるので、かかる摺動溝９６６ａ２の延設長さを最小に抑制できる。その結果、摺動溝９６６ａ２の凹設に伴う肉抜き量を抑制して、変位部材９６６の剛性の向上を図ることができる。
【１１０５】
上記第７実施形態では、一対の検出装置ＳＥ１の対向間に形成される円環突起９５３ｃに螺合されるねじが、入球部材９５３と通路部材９５５とを締結固定するためのものである場合を説明したが、必ずしもこれに限られるものではない。例えば、ねじが、特定入賞口ユニット９５０と正面ユニット９４０とを締結固定するためのものであってもよい。
【１１０６】
上記第５及び第１２実施形態では、一対の羽部材９４５が閉鎖状態とされる場合には、駆動ユニット９６０の軸部９６１ｂがコイルばねＳＰ１の付勢力により本体部９６１ａから張り出される状態とされる場合を説明したが、必ずしもこれに限られるものではない。例えば、一対の羽部材９４５が閉鎖状態とされる場合には、本体部９６１ａに電力を付与して、駆動ユニット９６０の軸部９６１ｂが本体部の内側に引き込まれた状態としてもよい。
【１１０７】
この場合、変位部材１１９６６，１２９６６には、刃部１１９６８ｃ，６６８３及び第２刃部１２９６６ｃ２による、転動部９４３ａ及び第２送球部９４２ｃの転動する遊技球の転動通路の内部に挿入される不正物（糸）の切断を駆動ユニット９６０（ソレノイド６１０）の電磁力を利用して行うことができる。即ち、刃部１１９６８ｃ，６６８３及び第２刃部１２９６６ｃ２の切断方向（挟み込み方向）への変位が、電磁力を利用して行われるので、その駆動力を大きくできる。よって、刃部１１９６８ｃ，６６８３及び第２刃部１２９６６ｃ２による不正物の切断をしやすくできる。
【１１０８】
また、上記第５及び第１２実施形態では、駆動ユニット９６０の本体部９６１ａと円環部９６１ｃとの間にコイルばねＳＰ１が圧縮状態で配設され、本体部９６１ａに電力が付与（供給）されることで、円環部９６１ｃが本体部９６１ａ側に変位される（軸部９６１ｂが本体部９６１ａの内部に引き込まれる）場合について説明したが、必ずしもこれに限られるものではない。例えば、駆動ユニット９６０の本体部９６１ａと円環部９６１ｃとの間に伸張状態のバネを配設して、本体部９６１ａに電力を付与することで、円環部９６１ｃが本体部９６１ａから離間する方向に変位させても良い。
【１１０９】
この場合、上記と同様に、刃部１１９６８ｃ，６６８３及び第２刃部１２９６６ｃ２の切断方向（挟み込み方向）への変位が、電磁力を利用して行われるので、その駆動力を大きくできる。よって、刃部１１９６８ｃ，６６８３及び第２刃部１２９６６ｃ２による不正物の切断をしやすくできる。
【１１１０】
上記第１１実施形態では、変位部材１１９６６を第１部材１１９６７及び第２部材１１９６８の２部材から形成して、刃部１１９６８ｃを第１部材１１９６７よりも変位量の大きい第２部材１１９６８に形成する場合について説明したが、必ずしもこれに限られるものではない。変位部材１１９６６を１部材から形成して、その１部材（変位部材１１９６６）の伝達部材９６５による変位量を大きくすると共に、１部材の貫通孔９６６ｃ１に刃部１１９６８ｃを形成してもよい。
【１１１１】
上記第７実施形態では、特定入賞口ユニット９５０の一対の検出装置ＳＥ１の対向間に形成される円環突起９５３ｃは、円環状に突出して形成される場合について説明したが、必ずしもこれに限られるものではない。例えば、一対の検出装置ＳＥ１の対向間に形成される円環突起９５３ｃが、入球部材９５３から通路部材９５５側に離間するほど拡径する円錐形状に形成されてもよい。
【１１１２】
この場合、特定入賞口６５ａから駆動ユニット９６０までの岐路を確保するために、例えば、ドリルなどによる工具が使用されて穴あけ加工などが行われる場合に、ドリルの進行方向を円環突起９５３ｃの外周面（拡径部分の外周面）で横方向（円環突起９５３ｃの軸から径方向外側に離間する方向）へ位置ずれ（横滑り）させて、配線ＨＳ３を損傷（断線）させやすくできる。
【１１１３】
上記第７実施形態では、振分けユニット９８０の正面ベース９８１の遊技領域（正面）側が遊技者から視認される場合について説明したが、必ずしもこれに限るものではなく、振分けユニット９８０の遊技領域（正面）側に、文字または図形からなる情報が表示されるシールを添付しても良い。
【１１１４】
この場合、振分けユニット９８０の送球通路ＴＲ０、第１通路ＴＲ１及び第２通路ＴＲ２の遊技領域（正面）側には、文字または図形からなる情報が表示されるので、正面ユニット９４０（入賞口ユニット９３０）を通して、振分けユニット９８０を視認する場合であっても、表示を目印（基準位置）として、振分けユニット９８０の位置を遊技者に認識させやすくできる。なお、情報表示の形態としては、シールの添付に限らず、インクによる印刷や２色形成などでもよい。
【１１１５】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【１１１６】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【１１１７】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【１１１８】
以下に、本発明の遊技機に加えて上述した実施形態に含まれる各種発明の概念を示す。
【１１１９】
＜駆動ユニット６００を一例とする発明の概念について＞
遊技球が入球可能に形成される入球口と、その入球口を挟んだ位置に回転可能に軸支され前記入球口を開放または閉鎖する一対の羽部材と、それら一対の羽部材を回転させるための駆動力を発生する駆動手段と、その駆動手段の駆動力を前記一対の羽部材に伝達する伝達機構とを備えた遊技機において、前記伝達機構は、前記駆動手段の駆動力により回転される回転部材と、その回転部材の回転に伴ってスライド変位されるスライド部材とを備え、前記スライド部材または前記一対の羽部材の一方から突設部が突設されると共に、その突設部が摺動可能に挿通される摺動溝が前記スライド部材または前記一対の羽部材の他方に凹設されることを特徴とする遊技機Ａ１。
【１１２０】
ここで、遊技球が入球可能に形成される入球口と、その入球口を挟んだ位置に回転可能に軸支され入球口を開放または閉鎖する一対の羽部材と、それら一対の羽部材を回転させるための駆動力を発生する駆動手段と、その駆動手段の駆動力を一対の羽部材に伝達する伝達機構とを備えた遊技機が知られている（例えば、特開２０１０−２３４００９号公報）。伝達機構は、駆動手段の駆動力により回転される回転部材を備え、その回転部材の一端側が、一対の羽部材の背面から突設される突設部に連結される。詳細には、回転部材の一端側には、上下に所定間隔を隔てて対向する対向部が形成され、その対向部の対向間に、羽部材の突設部が挿通される。よって、回転部材が回転されると、その回転部材の対向部によって羽部材の突設部が押し上げられる又は押し下げられることで、羽部材が開放または閉鎖される。
【１１２１】
しかしながら、上述した従来の遊技機では、対向部と突設部との間の隙間を大きく設定する必要があるため、羽部材の開閉動作が安定しないという問題点があった。即ち、羽部材の開閉動作のために、回転部材が回転される際には、対向部の姿勢が突設部に対して傾斜されるところ、対向部の対向間隔が突設部の外形（太さ）と同等であると、対向部の対向間に突設部が干渉して、回転部材が回転できなくなる。そのため、突設部が干渉しない大きさに対向部の対向間隔を設定する必要があり、その分、対向部と突設部との間の隙間が大きくなる。その結果、羽部材のがたつきが生じやすいため、羽部材の開閉動作が安定しない。
【１１２２】
これに対し、遊技機Ａ１によれば、伝達機構は、駆動手段の駆動力により回転される回転部材と、その回転部材の回転に伴ってスライド変位されるスライド部材とを備え、スライド部材または一対の羽部材の一方から突設部が突設されると共に、その突設部が摺動可能に挿通される摺動溝がスライド部材または一対の羽部材の他方に凹設されるので、摺動溝の溝幅を抑制することができる。即ち、スライド部材の変位がスライド変位であり、摺動溝の姿勢が突設部に対して傾斜しないので、従来品のように回転する際の突設部との干渉を避ける必要がない。よって、例えば、摺動溝の溝幅を突設部の大きさ（太さ）と同等に設定するなど、溝幅を抑制できるので、摺動溝と突設部との間の隙間を小さくできる。その結果、羽部材のがたつきを抑制でき、羽部材の開閉動作を安定させることができる。
【１１２３】
なお、摺動溝は、凹溝（窪み）であっても、貫通溝（開口）であっても良い。即ち、摺動溝は、挿通された突設部が摺動溝の延設方向（溝幅の方向と直交する方向）に沿って摺動可能に形成されていれば良い。
【１１２４】
遊技機Ａ１において、前記スライド部材のスライド変位の方向が、前記一対の羽部材の回転軸に略直交する方向であることを特徴とする遊技機Ａ２。
【１１２５】
遊技機Ａ２によれば、遊技機Ａ１の奏する効果に加え、スライド部材のスライド変位の方向が、一対の羽部材の回転軸に略直交する方向であるので、スライド部材を羽部材に対して略平行に配設することができる。その結果、羽部材およびスライド部材の配設に必要なスペースを抑制でき、その分、他の部材を配設するスペースを確保できる。
【１１２６】
遊技機Ａ１又はＡ２において、前記突設部が前記羽部材から突設され、前記摺動溝が前記スライド部材に凹設されると共に前記スライド部材のスライド変位の方向に直交する方向に沿って直線状に延設されることを特徴とする遊技機Ａ３。
【１１２７】
遊技機Ａ３によれば、遊技機Ａ１又はＡ２の奏する効果に加え、突設部が羽部材から突設され、摺動溝がスライド部材に凹設されると共に直線状に延設されるので、羽部材の開閉動作時における摺動溝の内壁と突設部との間の隙間を常に一定の大きさとできる。よって、羽部材のがたつきを抑制でき、羽部材の開閉動作を安定させることができる。また、摺動溝がスライド部材のスライド変位の方向に直交する方向に沿って直線状に延設されるので、かかる摺動溝の延設長さを最少に抑制できる。その結果、摺動溝の凹設に伴う肉抜き量を抑制して、スライド部材の剛性の向上を図ることができる。
【１１２８】
遊技機Ａ１からＡ３のいずれかにおいて、前記突設部が前記羽部材から突設されると共に、前記摺動溝が前記スライド部材に凹設され、前記スライド部材が重力方向上方へ向けてスライド変位を開始する際の前記突設部の位置が、前記羽部材の回転軸の重力方向に沿った下方に設定されることを特徴とする遊技機Ａ４。
【１１２９】
ここで、羽部材に回転部材が直接連結される従来品に対し、本発明では、羽部材と回転部材との間にスライド部材が介在されるため、スライド部材を重力方向上方へスライド変位させる方向への動作時には、スライド部材の重さが加算される分、慣性力が大きくなり、駆動手段に必要な駆動力が嵩む。よって、停止状態にある羽部材の駆動を開始して、開放または閉鎖させる際の初期動作をスムーズに行うことが困難となる。
【１１３０】
これに対し、遊技機Ａ４によれば、遊技機Ａ１からＡ３のいずれかの奏する効果に加え、突設部が羽部材から突設されると共に、摺動溝がスライド部材に凹設され、スライド部材が重力方向上方へ向けてスライド変位を開始する際の突設部の位置が、羽部材の回転軸の重力方向に沿った下方に設定されるので、摺動溝の内壁で押し上げられる突設部の変位成分を、水平方向成分を大きくし、重力方向成分を小さくする（最少とする）ことができる。よって、スライド部材の重さが加算される本発明においても、停止状態にある羽部材の駆動を開始して、開放または閉鎖させる際の初期動作をスムーズに行うことができる。
【１１３１】
遊技機Ａ４において、前記スライド部材が重力方向上方へ向けてスライド変位を開始すると、前記羽部材が開放される方向へ回転されることを特徴とする遊技機Ａ５。
【１１３２】
遊技機Ａ５によれば、遊技機Ａ４の奏する効果に加え、スライド部材が重力方向上方へ向けてスライド変位を開始すると、羽部材が開放される方向へ回転されるので、羽部材をその重さ（自重）により回転させることができる。よって、スライド部材の重さが加算される本発明においても、停止状態（閉鎖位置）にある羽部材の駆動を開始して、開放させる際の初期動作をスムーズに行うことができる。
【１１３３】
遊技機Ａ４又はＡ５において、前記スライド部材が重力方向上方へ向けてスライド変位を開始する際に前記突設部が当接する前記摺動溝の内壁には、前記羽部材の回転軸を含み且つ重力方向に直交する平面に対して傾斜する傾斜面が形成されることを特徴とする遊技機Ａ６。
【１１３４】
遊技機Ａ６によれば、遊技機Ａ４又はＡ５のいずれかにおいて、スライド部材が重力方向上方へ向けてスライド変位を開始する際に突設部が当接する摺動溝の内壁には、羽部材の回転軸を含み且つ重力方向に直交する平面に対して傾斜する傾斜面が形成されるので、突起の位置が、羽部材の回転軸の重力方向に沿った下方に設定される場合であっても、傾斜面の傾斜方向に沿って突設部を案内して、スライド部材の重力方向上方へ向けたスライド変位をスムーズに開始させることができる。
【１１３５】
また、摺動溝の内壁に傾斜面が形成されることで、その分、内壁と突設部との間の隙間を小さくできるだけでなく、かかる傾斜面への突設部の当接により、突設部の重力方向への変位に加え、水平方向への変位も規制することができる。よって、開放または閉鎖された停止状態における羽部材のがたつきを抑制しやすくできる。即ち、遊技球の流下に伴う振動の影響を受けた場合でも、羽部材を開放姿勢または閉鎖姿勢に維持しやすくできる。
【１１３６】
遊技機Ａ１からＡ６のいずれかにおいて、前記摺動溝の内壁には、前記羽部材を閉鎖させる位置まで前記スライド部材がスライド変位された際に前記突設部を受け入れる受入部が凹設され、前記受入部に前記突設部が受け入れられた状態では、前記羽部材の回転が規制されることを特徴とする遊技機Ａ７。
【１１３７】
遊技機Ａ７によれば、遊技機Ａ１からＡ６のいずれかの奏する効果に加え、摺動溝の内壁には、羽部材を閉鎖させる位置までスライド部材がスライド変位された際に突設部を受け入れる受入部が凹設され、受入部に突設部が受け入れられた状態では、羽部材の回転が規制されるので、羽部材が外部から強制開放されることを抑制できる。
【１１３８】
遊技機Ａ７において、前記スライド部材が重力方向下方へ向けてスライド変位されることで、前記受入部に前記突設部が受け入れられることを特徴とする遊技機Ａ８。
【１１３９】
遊技機Ａ８によれば、遊技機Ａ７の奏する効果に加え、スライド部材が重力方向下方へ向けてスライド変位されることで、受入部に突設部が受け入れられるので、スライド部材の重さ（自重）を利用して、受入部に突設部が受け入れられた状態を維持しやすくできる。
【１１４０】
遊技機Ａ１からＡ８のいずれかにおいて、前記回転部材は、当接部と、その当接部の先端から張り出す張出部とを備え、前記スライド部材は、前記羽部材を閉鎖させるために前記回転部材が一側へ向けて回転された際に前記当接部の一側が当接される一側被当接部と、その一側被当接部と前記スライド変位の方向に所定間隔を隔てて対向配置され前記羽部材を開放させるために前記回転部材が他側へ向けて回転された際に前記当接部の他側が当接される他側被当接部とを備え、前記羽部材が閉鎖された状態では、前記一側被当接部に前記当接部の一側が当接されると共に前記張出部が前記スライド部材に係合され、少なくとも前記他側被当接部に前記当接部の他側が当接される位置まで前記回転部材が他側へ回転されると、前記張出部の前記スライド部材との係合が解除されることを特徴とする遊技機Ａ９。
【１１４１】
遊技機Ａ９によれば、遊技機Ａ１からＡ８のいずれかの奏する効果に加え、回転部材は、当接部と、その当接部の先端から張り出す張出部とを備え、スライド部材は、羽部材を閉鎖させるために回転部材が一側へ向けて回転された際に当接部の一側が当接される一側被当接部と、その一側被当接部とスライド変位の方向に所定間隔を隔てて対向配置され羽部材を開放させるために回転部材が他側へ向けて回転された際に当接部の他側が当接される他側被当接部とを備えるので、回転部材が一側へ回転されると、その回転に伴って、一側被当接部が当接部の一側によって押され、スライド部材が一側へ向けてスライド変位されることで、羽部材が閉鎖される一方、回転部材が他側へ回転されると、その回転に伴って、他側被当接部が当接部の他側によって押され、スライド部材が他側へ向けてスライド変位されることで、羽部材が開放される。
【１１４２】
この場合、羽部材が閉鎖された状態では、一側被当接部に当接部の一側が当接されると共に張出部がスライド部材に係合されるので、回転部材を回転させずにスライド部材を他側へスライド変位させることが規制される。よって、羽部材が外部から強制開放されることを抑制できる。
【１１４３】
一方、少なくとも他側被当接部に当接部の他側が当接される位置まで回転部材が他側へ回転されると、張出部のスライド部材との係合が解除されるので、回転部材を更に他側へ回転させることで、スライド部材を他側へ向けてスライド変位させ、羽部材を開放することができる。
【１１４４】
遊技機Ａ１からＡ８において、前記伝達機構は、前記駆動手段の駆動力により回転される回転部材と、その回転部材の回転に伴ってスライド変位されるスライド部材とを備え、前記スライド部材または前記一対の羽部材の一方から突設部が突設されると共に、その突設部が摺動可能に挿通される摺動溝が前記スライド部材または前記一対の羽部材の他方に凹設され、前記回転部材は、当接部と、その当接部の先端から張り出す張出部とを備え、前記スライド部材は、前記羽部材を閉鎖させるために前記回転部材が一側へ向けて回転された際に前記当接部の一側が当接される一側被当接部と、その一側被当接部と前記スライド変位の方向に所定間隔を隔てて対向配置され前記羽部材を開放させるために前記回転部材が他側へ向けて回転された際に前記当接部の他側が当接される他側被当接部とを備え、前記羽部材が閉鎖された状態では、前記張出部が前記スライド部材に非係合とされると共に、前記羽部材が閉鎖された状態から、前記当接部の一側に前記一側当接部が当接される位置まで前記スライド部材がスライド変位されると、前記張出部が前記スライド部材に係合されることを特徴とする遊技機Ａ１０。
【１１４５】
遊技機Ａ１０によれば、遊技機Ａ１からＡ８のいずれかの奏する効果に加え、回転部材は、当接部と、その当接部の先端から張り出す張出部とを備え、スライド部材は、羽部材を閉鎖させるために回転部材が一側へ向けて回転された際に当接部の一側が当接される一側被当接部と、その一側被当接部とスライド変位の方向に所定間隔を隔てて対向配置され羽部材を開放させるために回転部材が他側へ向けて回転された際に当接部の他側が当接される他側被当接部とを備えるので、回転部材が一側へ回転されると、その回転に伴って、一側被当接部が当接部の一側によって押され、スライド部材が一側へ向けてスライド変位されることで、羽部材が閉鎖される一方、回転部材が他側へ回転されると、その回転に伴って、他側被当接部が当接部の他側によって押され、スライド部材が他側へ向けてスライド変位されることで、羽部材が開放される。
【１１４６】
この場合、羽部材が閉鎖された状態から、当接部の一側に前記一側当接部が当接される位置までスライド部材がスライド変位されると、張出部がスライド部材に係合されるので、回転部材を回転させずにスライド部材を他側へスライド変位させることが規制される。よって、羽部材が外部から強制開放されることを抑制できる。
【１１４７】
一方、羽部材が閉鎖された状態では、張出部がスライド部材に非係合とされるので、回転部材を更に他側へ回転させることで、スライド部材を他側へ向けてスライド変位させ、羽部材を開放することができる。ここで、羽部材が閉鎖された状態で、張出部がスライド部材に係合されていると、張出部および一側当接部の形状を、回転部材の他側への回転を許容可能な形状に形成する必要があり、形状が複雑化する。よって、強度が低下するだけでなく、係合が解除されやすくなる恐れがある。これに対し、本発明のように、羽部材が閉鎖された状態では、張出部がスライド部材に非係合とされていることで、張出部および一側当接部の形状を、回転部材の他側への回転を許容可能な形状に形成する必要がない。よって、形状を簡素化して、強度を確保できるだけでなく、係合を保持しやすい形状を採用でき、係合が解除され難くできる。
【１１４８】
遊技機Ａ１からＡ１０のいずれかにおいて、前記入球口に入球された遊技球の通路を形成する通路部材を備え、前記突設部が前記摺動溝に非挿通とされた状態では、前記スライド部材の一部が前記通路部材の通路内に配置されることを特徴とする遊技機Ａ１１。
【１１４９】
遊技機Ａ１１によれば、遊技機Ａ１からＡ１０のいずれかの奏する効果に加え、入球口に入球された遊技球の通路を形成する通路部材を備え、突設部が摺動溝に非挿通とされた状態では、スライド部材の一部が通路部材の通路内に配置されるので、例えば、突設部を切断して羽部材を外部から強制開放したとしても、入球口から入球された遊技球の流下をスライド部材によって規制することができる。
【１１５０】
遊技機Ａ１からＡ１１のいずれかにおいて、前記入球口に入球された遊技球の通路を形成する通路部材を備え、前記スライド部材は、前記羽部材を開放させる位置から閉鎖させる位置まで前記スライド部材がスライド変位された際に前記通路部材の通路を横切ると共に前記通路部材の縁部に擦接する擦接部を備えることを特徴とする遊技機Ａ１２。
【１１５１】
遊技機Ａ１２によれば、遊技機Ａ１からＡ１１のいずれかの奏する効果に加え、羽部材を開放させる位置から閉鎖させる位置までスライド部材がスライド変位された際に通路部材の通路を横切ると共に通路部材の縁部に擦接する擦接部をスライド部材が備えるので、入球口から通路内に不正に挿通された不正物を切断することができる。
【１１５２】
例えば、遊技球に糸の先端を接着し、かかる遊技球を入球口から入球させると共に通路部材の通路を通過させ、検出センサの検出位置に遊技球が達した状態で、糸の他端を操作（繰り出し、引き寄せ）して、遊技球を往復させることで、検出センサに複数回検出させる不正行為がある。かかる不正行為に対し、本発明によれば、羽部材が開放された状態で上述した遊技球が入球されたとしても、羽部材を開放させる位置から閉鎖させる位置までスライド部材がスライド変位され、擦接部が通路部材の通路を横切る際に、遊技球に先端が接着されている糸の途中部分を、擦接部と共に変位させ通路部材の縁部へ押し付けると共に、擦接部が通路部材の縁部に擦接される際に、擦接部と通路部材の縁部との間で糸を切断することができる。その結果、上述した不正行為を抑制できる。
【１１５３】
なお、スライド部材の擦接部は、金属材料から形成することが好ましい。この場合、スライド部材の全体を金属材料から形成しても良く、スライド部材の一部（擦接部）のみを金属材料から形成しても良い。通路部材についても同様であり、通路部材の全体を金属材料から形成しても良く、通路部材の一部（擦接部が擦接される部分）のみを金属材料から形成しても良い。また、擦接部およびその擦接部が擦接される部分（通路部材の縁部）は、刃（切断刃）として形成されることが好ましい。
【１１５４】
遊技機Ａ１からＡ１１のいずれかにおいて、前記入球口に入球された遊技球の通路を形成する通路部材を備え、前記伝達機構は、前記羽部材が開放する位置から閉鎖する位置まで変位される際に前記通路部材の通路を横切ると共に互いの縁部どうしを擦接させる一対の切断部材を備えることを特徴とする遊技機Ａ１３。
【１１５５】
遊技機Ａ１３によれば、遊技機Ａ１からＡ１１のいずれかの奏する効果に加え、羽部材が開放する位置から閉鎖する位置まで変位される際に通路部材の通路を横切ると共に互いの縁部どうしを擦接させる一対の切断部材を伝達機構が備えるので、入球口から通路内に不正に挿通された不正物を切断することができる。
【１１５６】
例えば、遊技球に糸の先端を接着し、かかる遊技球を入球口から入球させると共に通路部材の通路を通過させ、検出センサの検出位置に遊技球が達した状態で、糸の他端を操作（繰り出し、引き寄せ）して、遊技球を往復させることで、検出センサに複数回検出させる不正行為がある。かかる不正行為に対し、本発明によれば、羽部材が開放された状態で上述した遊技球が入球されたとしても、羽部材が開放する位置から閉鎖する位置まで変位され、一対の切断部材が通路部材の通路を横切る際に、遊技球に先端が接着されている糸の途中部分を、一対の切断部材の間に挟み込み、切断することができる。その結果、上述した不正行為を抑制できる。
【１１５７】
なお、一対の切断部材は、金属材料から形成することが好ましい。この場合、スライド部材の全体を金属材料から形成しても良く、スライド部材の一部（互いに擦接される縁部）のみを金属材料から形成しても良い。また、一対の切断部材における互いに擦接される部分は、刃（切断刃）として形成されることが好ましい。
【１１５８】
遊技機Ａ１２又はＡ１３において、前記駆動手段は、駆動軸の第１方向への変位が電磁力により行われると共に前記第１方向とは反対方向となる第２方向への前記駆動軸の変位が付勢手段の弾性回復力で行われるソレノイドアクチュエータとして形成され、前記羽部材の開放させる位置から閉鎖させる位置までの変位が、前記駆動手段の駆動軸を前記第１方向へ変位させることで行われることを特徴とする遊技機Ａ１４。
【１１５９】
遊技機Ａ１４によれば、遊技機Ａ１２又はＡ１３の奏する効果に加え、羽部材の開放させる位置から閉鎖させる位置までの変位が、駆動手段の駆動軸を第１方向へ変位させることで行われる、即ち、電磁力を利用して行われるので、その駆動力を大きくできる。よって、スライド部材の擦接部と通路部材の縁部との間で不正物（例えば、糸）を切断しやすくできる。
【１１６０】
遊技機Ａ１からＡ１４のいずれかにおいて、前記回転部材は、当接部を備え、前記スライド部材は、前記羽部材を閉鎖させるために前記回転部材が一側へ向けて回転された際に前記当接部の一側が当接される一側被当接部と、その一側被当接部に対向配置され前記羽部材を開放させるために前記回転部材が他側へ向けて回転された際に前記当接部の他側が当接される他側被当接部とを備え、前記一側被当接部および他側被当接部が幅方向略中央に形成されることを特徴とする遊技機Ａ１５。
【１１６１】
遊技機Ａ１５によれば、遊技機Ａ１からＡ１４の奏する効果に加え、回転部材が当接部を備え、スライド部材が、羽部材を閉鎖させるために回転部材が一側へ向けて回転された際に当接部の一側が当接される一側被当接部と、その一側被当接部に対向配置され羽部材を開放させるために回転部材が他側へ向けて回転された際に当接部の他側が当接される他側被当接部とを備え、一側被当接部および他側被当接部が幅方向略中央に形成されるので、一対の羽部材と回転部材との間でのスライド部材の姿勢変化を許容しやすくできる。よって、回転部材の回転に伴い、スライド部材をスムーズにスライド変位させることができ、その結果、羽部材を確実に開放または閉鎖させることができる。
【１１６２】
即ち、回転部材の回転に伴ってスライド部材をスライド変位させ、一対の羽部材を開放または閉鎖させる動作中に、一対の羽部材のうちの一方のみに遊技球からの負荷が作用されると、スライド部材の姿勢が変化されるところ、スライド部材が、一対の羽部材に対して２カ所で連結されると共に、回転部材に対しても２カ所で連結されていると、一対の羽部材と回転部材との間でのスライド部材の姿勢の変化が許容され難く、スライド部材をスライド変位させる（即ち、回転部材を回転させる）際の抵抗が発生して、羽部材の開放または閉鎖が阻害される。これに対し、本発明によれば、スライド部材が、一対の羽部材に対して２カ所で連結されると共に、回転部材に対して１カ所で連結されているので、一対の羽部材のうちの一方のみに遊技球からの負荷が作用されても、一対の羽部材と回転部材との間でのスライド部材の姿勢変化を許容しやすくできる。
【１１６３】
なお、一側被当接部および他側被当接部が形成される幅方向略中央とは、一対の羽部材が開放または閉鎖された状態における一対の突設部の間の略中央を通り、且つ、スライド変位の方向に沿う仮想線上の位置を意味する。
【１１６４】
遊技機Ａ１５において、前記当接部の一側および他側の幅寸法が、前記突設部の最大外形寸法の少なくとも３倍以下に設定されることを特徴とする遊技機Ａ１６。
【１１６５】
遊技機Ａ１６によれば、遊技機Ａ１５の奏する効果に加え、当接部の一側および他側の幅寸法が、突設部の最大外形寸法の少なくとも３倍以下に設定されるので、一対の羽部材と回転部材との間でのスライド部材の姿勢変化を許容しやすくできる。なお、当接部の一側および他側の幅寸法は、突設部の最大外形寸法の２倍以下に設定されることが好ましい。上述した姿勢変化の許容をより達成しやすくできるからである。
【１１６６】
＜入賞口ユニット９３０を一例とする発明の概念について＞
第１入球口と、その第１入球口を開放または閉鎖する第１開閉部材と、その第１開閉部材を駆動する第１駆動手段と、第２入球口と、その第２入球口を開放または閉鎖する第２開閉部材と、その第２開閉部材を駆動する第２駆動手段と、を備えた遊技機において、前記第１駆動手段および第２駆動手段が前記第２開閉部材の背面側に配設されることを特徴とする遊技機Ｂ１。
【１１６７】
ここで、第１入球口と、その第１入球口を開放または閉鎖する第１開閉部材と、その第１開閉部材を駆動する第１駆動手段と、第２入球口と、その第２入球口を開放または閉鎖する第２開閉部材と、その第２開閉部材を駆動する第２駆動手段とを備えた遊技機が知られている（例えば、特開２０１１−１７７４１６号公報）。しかしながら、上述した従来の遊技機では、第１駆動手段および第２駆動手段がそれぞれ第１開閉部材および第２開閉部材の背面側に配設されるため、これら第１開閉部材および第２開閉部材の背面側に他の部材や装置を配設し難く、スペースを有効に活用することが困難であるという問題点があった。
【１１６８】
これに対し、遊技機Ｂ１によれば、第１駆動手段および第２駆動手段が第２開閉部材の背面側に配設されるので、第１開閉部材（第１入球口）の背面側にスペースを形成することができる。即ち、第１駆動手段および第２駆動手段の配設スペースを第２開閉部材の背面側に集約することで、他の部材や装置を配設するためのスペースを第１開閉部材（第１入球口）の背面に確保でき、その分、スペースを有効に活用することができる。
【１１６９】
遊技機Ｂ１において、前記第２開閉部材の正面投影面積が前記第１開閉部材の正面投影面積よりも大きくされることを特徴とする遊技機Ｂ２。
【１１７０】
遊技機Ｂ１又はＢ２において、前記第２開閉部材の正面投影面積が前記第１駆動手段および第２駆動手段の合計の正面投影面積よりも大きくされることを特徴とする遊技機Ｂ３。
【１１７１】
遊技機Ｂ２又はＢ３によれば、遊技機Ｂ１又はＢ２の奏する効果に加え、第２開閉部材の正面投影面積が、第１開閉部材の正面投影面積よりも大きくされる、又は、第１駆動手段および第２駆動手段の合計の正面投影面積よりも大きくされるので、第２入球口（第２開閉部材）の背面におけるデッドスペースを有効に活用できる。
【１１７２】
遊技機Ｂ３において、前記第２開閉部材が一方向を長手方向とする正面視矩形状に形成され、前記第１駆動手段および第２駆動手段が前記第２入球口の背面側において前記第２開閉部材の長手方向に沿って並設されることを特徴とする遊技機Ｂ４。
【１１７３】
遊技機Ｂ４によれば、遊技機Ｂ３の奏する効果に加え、第２開閉部材が一方向を長手方向とする正面視矩形状に形成され、第１駆動手段および第２駆動手段が第２入球口の背面側において第２開閉部材の長手方向に沿って並設されるので、第２入球口（第２開閉部材）の背面におけるデッドスペースを有効に活用できる。
【１１７４】
遊技機Ｂ１からＢ４のいずれかにおいて、前記第１駆動手段および第２駆動手段は、本体部と、その本体部の一側に配設される駆動軸と、その駆動軸を駆動すると共に前記本体部に収容される駆動部と、その駆動部に電力を供給すると共に前記本体部の他側から引き出される配線とを備え、前記第１駆動手段および第２駆動手段が前記駆動軸を前記第２開閉部材へ向けた姿勢で配設されることを特徴とする遊技機Ｂ５。
【１１７５】
遊技機Ｂ５によれば、遊技機Ｂ１からＢ４のいずれかにおいて、第１駆動手段および第２駆動手段は、本体部と、その本体部の一側に配設される駆動軸と、その駆動軸を駆動すると共に本体部に収容される駆動部と、その駆動部に電力を供給すると共に本体部の他側から引き出される配線とを備え、第１駆動手段および第２駆動手段が駆動軸を第２開閉部材へ向けた姿勢で配設されるので、第１駆動手段の配線と第２駆動手段の配線とをまとめやすくできる。
【１１７６】
遊技機Ｂ５において、前記第１駆動手段の本体部および前記第２駆動手段の本体部がそれぞれ略直方体形状に形成されると共に、前記本体部の外面のうちの前記駆動軸および配線が配設される外面を除く一の外面どうしが略面一となる位置に前記第１駆動手段および第２駆動手段が配設されることを特徴とする遊技機Ｂ６。
【１１７７】
遊技機Ｂ６によれば、遊技機Ｂ５の奏する効果に加え、第１駆動手段の本体部および第２駆動手段の本体部がそれぞれ略直方体形状に形成されると共に、本体部の外面のうちの駆動軸および配線が配設される外面を除く一の外面どうしが略面一となる位置に第１駆動手段および第２駆動手段が配設されるので、例えば、第１駆動手段および第２駆動手段が異なる出力とされ、両者の本体部の大きさが異なる場合であっても、第１駆動手段および第２駆動手段を他の領域から区画するためのシールド板の形状を簡素化できる。
【１１７８】
即ち、第１駆動手段の本体部と第２駆動手段の本体部とが異なる大きさに形成される場合には、一方の本体部と他方の本体部との外面どうしが段差を形成するため、その段差に沿わせて屈曲させてシールド板を形成する必要が生じ、かかるシールド板の形状が複雑となる。これに対し、本発明によれば、本体部の一の外面どうしが略面一となる位置に第１駆動手段および第２駆動手段が配設され、外面どうしが段差を形成しないので、シールド板を平板形状とすることができる。その結果、シールド板の形状を簡素化できる。
【１１７９】
なお、シールド板とは、第１駆動手段および第２駆動手段の配設領域と他の領域（例えば、検出センサや制御基板が配設される領域）とを区画して、それら両領域の間を電磁場が流れることを制限（抑制）するための導体製の障壁であり、例えば、金属製の板材として形成される。
【１１８０】
遊技機Ｂ１からＢ６のいずれかにおいて、前記第１入球口に入球された遊技球の通路を形成する第１通路部材と、前記第２入球口に入球された遊技球の通路を形成する第２通路部材と、前記第１駆動手段の駆動力を前記第１開閉部材に伝達する第１伝達機構とを備え、前記第１開閉部材は、前記入球口を挟んだ位置に回転可能に軸支され前記入球口を開放または閉鎖する一対の羽部材を備え、前記第１伝達機構は、前記第１駆動手段の駆動力により回転されると共に前記第１通路部材および第２通路部材の間に配設される回転部材と、その回転部材の回転に伴ってスライド変位され前記一対の羽部材を開閉させるスライド部材とを備えることを特徴とする遊技機Ｂ７。
【１１８１】
遊技機Ｂ７によれば、遊技機Ｂ１からＢ６のいずれかの奏する効果に加え、第１伝達機構が、第１駆動手段の駆動力により回転されると共に第１通路部材および第２通路部材の間に配設される回転部材と、その回転部材の回転に伴ってスライド変位され一対の羽部材を開閉させるスライド部材とを備えるので、一対の羽部材の開閉を回転部材のみで行う従来品と比較して、第１入球口の背面側であって第１通路部材の両側（側方）にスペースを確保できる。また、従来品のように回転部材との干渉を避けるために第１通路部材を第２通路側へ屈曲させる必要ないので、その分、第１入球口を第２入球口へ近接させることができる。
【１１８２】
遊技機Ｂ７において、前記回転部材は、回転軸から延設されると共に前記スライド部材に連結される第１部分と、前記回転軸から延設されると共に前記第１駆動手段に駆動される第２部分とを備え、前記第１部分が前記回転軸方向視において略くの字状に屈曲して形成されることを特徴とする遊技機Ｂ８。
【１１８３】
遊技機Ｂ８によれば、遊技機Ｂ７の奏する効果に加え、回転部材は、回転軸から延設されると共にスライド部材に連結される第１部分と、回転軸から延設されると共に第１駆動手段に駆動される第２部分とを備え、第１部分が回転軸方向視において略くの字状に屈曲して形成されるので、スライド部材のスライド量を確保しつつ、第１駆動手段とスライド部材との間の距離を抑制できる。
【１１８４】
即ち、第１部分を直線状に形成し、且つ、その第１部分の長さ寸法（回転軸からスライド部材に連結される部分までの距離）距離を本発明における回転軸からスライド部材に連結される部分までの直線距離と同等に設定した場合には、スライド部材のスライド量を本発明と同等とできるが、第１駆動手段とスライド部材との間の距離が嵩み、全体が大型化する。一方、第１部分を直線状に形成し、且つ、その第１部分の長さ寸法を本発明における回転軸からスライド部材に連結される部分までの直線距離よりも短くした場合には、第１駆動手段とスライド部材との間の距離を本発明と同等とできるが、スライド部材のスライド量が小さくなる。
【１１８５】
これに対し、本発明によれば、第１部分が回転軸方向視において略くの字状に屈曲して形成されることで、スライド部材のスライド量を確保しつつ、第１駆動手段とスライド部材との間の距離を抑制できる。
【１１８６】
遊技機Ｂ８において、前記回転部材の第２部分は、前記スライド部材と反対側となる前記第１部分の背面側に形成されることを特徴とする遊技機Ｂ９。
【１１８７】
遊技機Ｂ９によれば、遊技機Ｂ８の奏する効果に加え、回転部材の第２部分が、スライド部材と反対側となる第１部分の背面側に形成されるので、前記第１部分を屈曲させることで生じたスペースを有効に活用して、回転部材を小型化できる。即ち、第１通路部材および第２通路部材の間のスペースに回転部材を効率的に配設して、全体としての小型化を図ることができる。
【１１８８】
遊技機Ｂ１からＢ９のいずれかにおいて、前記第２入球口に入球した遊技球を検出する検出センサを備え、前記検出センサの少なくとも一部が前記第２開閉部材と前記第１駆動手段との間に配設されることを特徴とする遊技機Ｂ１０。
【１１８９】
遊技機Ｂ１０によれば、遊技機Ｂ１からＢ９のいずれかの奏する効果に加え、第２入球口に入球した遊技球を検出する検出センサを備え、検出センサの少なくとも一部が第２開閉部材と第１駆動手段との間に配設されるので、例えば、第２開閉部材を開放させて第２入球口から第１駆動手段に不正を加える場合、検出センサの一部により第１駆動手段を隠すことができるため、かかる不正行為を行い難くすることができる。
【１１９０】
この場合、第２入球口から第１駆動手段までの経路を確保するために、例えば、ドリルなどによる工具が使用されて穴あけ加工などが行われた場合には、検出センサを破壊させることができるので、かかる検出センサの状態を監視することで、不正行為を発見することができる。なお、第１駆動手段が第２開閉部材の背面側に配設される本発明では、第２開閉部材を開放して第２入球口から第１駆動手段に不正が加えられた場合でも、第２開閉部材を閉鎖することで、第１駆動手段が第２開閉部材に遮蔽され、不正が加えられた箇所を視認不能となるため、上述した検出センサの状態の監視により不正行為を発見できることが特に有効となる。
【１１９１】
遊技機Ｂ１０において、前記検出センサを収容するケース部材と、そのケース部材に締結されるねじ部材とを備え、前記検出センサが一対配設されると共に、前記一対の検出センサのそれぞれの少なくとも一部が前記第２開閉部材と前記第１駆動手段との間に配設され、前記ねじ部材が前記一対のセンサ装置の対向間に位置することを特徴とする遊技機Ｂ１１。
【１１９２】
遊技機Ｂ１１によれば、遊技機Ｂ１０の奏する効果に加え、一対の検出センサのそれぞれの少なくとも一部が第２開閉部材と第１駆動手段との間に配設され、ケース部材に締結されるねじ部材が一対のセンサ装置の対向間に位置するので、第２開閉部材を開放させて第２入球口から第１駆動手段に不正を加える場合、ねじ部材により第１駆動手段を隠すことができるため、かかる不正行為をより行い難くすることができる。即ち、第１駆動手段の正面の全面を一対の検出センサにより遮蔽することは困難であり、一対の検出センサの対向間には隙間が形成されやすいため、かかる隙間（一対の検出センサの対向間をねじ部材の締結位置とすることで、第１駆動手段の正面における遮蔽されない領域をねじ部材により補うことができるので、不正行為をより行い難くできる。
【１１９３】
なお、ねじ部材は、ケース部材が２部材からなり、それら２部材どうしを締結固定するためのものであっても良く、或いは、ケース部材に他の部材を締結固定するためのものであっても良い。また、ねじ部材は金属製であることが好ましい。
【１１９４】
遊技機Ｂ１１において、前記一対の検出センサの配線が、それら一対の検出センサの対向間に位置することを特徴とする遊技機Ｂ１２。
【１１９５】
遊技機Ｂ１２によれば、遊技機Ｂ１１の奏する効果に加え、一対の検出センサの配線が、それら一対の検出センサの対向間に位置するので、例えば、第２開閉部材を開放させて第２入球口から第１駆動手段に不正を加える場合に、かかる不正行為をより行い難くすることができる。
【１１９６】
即ち、配線は比較的損傷を生じやすい。そのため、第２入球口から第１駆動手段までの経路を確保するために、例えば、ドリルなどによる工具が使用されて穴あけ加工などが行われる場合には、その不正行為に伴って配線を損傷（断線）させやすくできる。或いは、配線を損傷（断線）させずに不正行為を行うことが困難と認識させ、不正行為を抑止しやすくできる。
【１１９７】
遊技機Ｂ１２において、前記ケース部材は、前記ねじ部材が締結される座部を備え、その座部に前記一対の検出センサの配線が巻回されることを特徴とする遊技機Ｂ１３。
【１１９８】
遊技機Ｂ１３によれば、遊技機Ｂ１２の奏する効果に加え、ねじ部材が締結される座部をケース部材が備え、その座部に一対の検出センサの配線が巻回されるので、かかる配線を、第１駆動手段の正面のより広い範囲にわたって引き回す（位置させる）ことができる。即ち、第１駆動手段の正面のより広い範囲を配線により遮蔽できる。よって、例えば、第２開閉部材を開放させて第２入球口から第１駆動手段に不正を加える場合に、かかる不正行為をより行い難くすることができる。
【１１９９】
遊技機Ｂ１２又はＢ１３において、前記ケース部材は、前記ねじ部材が締結される座部を備え、その座部が前記第２開閉部材から離間するほど拡径する円錐形状に形成されることを特徴とする遊技機Ｂ１４。
【１２００】
遊技機Ｂ１４によれば、遊技機Ｂ１２又はＢ１３の奏する効果に加え、ねじ部材が締結される座部をケース部材が備え、その座部が第２開閉部材から離間するほど拡径する円錐形状に形成されるので、第２入球口から第１駆動手段までの経路を確保するために、例えば、ドリルなどによる工具が使用されて穴あけ加工などが行われる場合に、ドリルの進行方向を座部の外周面で横方向へ位置ずれ（横滑り）させて、配線を損傷（断線）させやすくできる。
【１２０１】
遊技機Ｂ１２からＢ１４のいずれかにおいて、前記一対の検出センサの配線が、前記ねじ部材の締結位置と反対側へ引き出されることを特徴とする遊技機Ｂ１５。
【１２０２】
遊技機Ｂ１５によれば、遊技機Ｂ１２からＢ１４のいずれかの奏する効果に加え、一対の検出センサの配線が、ねじ部材の締結位置と反対側へ引き出されるので、かかる配線を、第１駆動手段の正面のより広い範囲にわたって引き回す（位置させる）ことができる。即ち、第１駆動手段の正面のより広い範囲をねじ部材と配線とにより遮蔽できる。よって、例えば、第２開閉部材を開放させて第２入球口から第１駆動手段に不正を加える場合に、かかる不正行為をより行い難くすることができる。
【１２０３】
＜入賞口ユニット９３０及び送球ユニット９７０を一例とする発明の概念について＞
遊技盤と、その遊技盤の正面側に配設されると共に遊技球が通過する第１通路を有する第１部材と、その第１部材の第１通路に連通される第２通路を有すると共に前記遊技盤の背面側に配設される第２部材と、を備えた遊技機において、前記第１部材に係合する第１係合部と、前記第２部材に係合する第２係合部とを有する第３部材を備えることを特徴とする遊技機Ｃ１。
【１２０４】
ここで、遊技盤と、その遊技盤の正面側に配設されると共に遊技球が通過する第１通路を有する第１部材と、その第１部材の第１通路に連通される第２通路を有すると共に遊技盤の背面側に配設される第２部材と、を備えた遊技機が知られている（例えば、特開２０１２−５７８３号公報）。遊技盤の正面側を流下し、第１部材の第１通路に流入した遊技球は、第１通路を通過した後、第２部材の第２通路へ流入し、遊技盤の背面側において、第２通路を通過する。これにより、遊技球の通過経路が前後方向に変化され、遊技者に興趣を与えることができる。
【１２０５】
この場合、第１通路と第２通路との連結部分に位置ずれ（段差）が生じていると、遊技球のスムーズな流下が阻害されるため、第１部材に対する第２部材の位置精度を確保することが要請される。しかしながら、上述した遊技機では、第１部材に対する第２部材の位置決めが困難であるという問題点があった。即ち、遊技盤の正面には、第１部材だけでなく、通路を有する他の部材や装飾部材などの各種部材が配設されるため、それらの各部材を位置決めするための位置決め孔を遊技盤に形成する工程内で、第１部材を位置決めするための位置決め孔も形成できる一方、第２部材を位置決めするための位置決め孔を遊技盤の背面に形成するためには、遊技盤を反転させた上で第２部材のためだけの位置決め孔を形成するという別工程が必要となり、現実的ではない。
【１２０６】
これに対し、遊技機Ｃ１によれば、第１部材に係合する第１係合部と、第２部材に係合する第２係合部とを有する第３部材を備えるので、第３部材を利用して、第１部材に対する第２部材の位置決めを行うことができる。
【１２０７】
遊技機Ｃ１において、前記遊技盤は、開口形成され、前記第１部材の第１通路と前記第２部材の第２通路との連結部分が内部空間に配設される開口部を備え、その開口部の内部空間に前記第３部材が配設されることを特徴とする遊技機Ｃ２。
【１２０８】
遊技機Ｃ２によれば、遊技機Ｃ１の奏する効果に加え、遊技盤は、開口形成され、第１部材の第１通路と第２部材の第２通路との連結部分が内部空間に配設される開口部を備え、その開口部の内部空間に第３部材が配設されるので、第３部材を配設するための開口部を別途設ける必要がない。即ち、第１通路と第２通路との連結部分を配設するための開口部を第３部材の配設空間としても兼用するので、その分、加工工数を低減して、製品コストの低減を図ることができる。
【１２０９】
遊技機Ｃ１又はＣ２において、前記第３部材は、前記第１係合部が前記第１部材の第１通路に、前記第２係合部が前記第２部材の第２通路に、それぞれ係合されることを特徴とする遊技機Ｃ３。
【１２１０】
遊技機Ｃ３によれば、遊技機Ｃ１又はＣ２において、第３部材は、第１係合部が第１部材の第１通路に、第２係合部が第２部材の第２通路に、それぞれ係合されるので、第１部材に対する第２部材の位置決めを効果的に行うことができる。即ち、第１部材に対する第２部材の位置決めは、第１通路と第２通路との連結部分に位置ずれ（段差）が生じることを抑制することが目的となるところ、その対象となる部分（第１通路と第２通路との連結部分）を第３部材により直接位置決めすることができるので、他の部分を第３部分により位置決めする場合と比較して、位置ずれ（段差）の発生を効果的に抑制できる。その結果、遊技球をスムーズに流下させることができる。
【１２１１】
遊技機Ｃ３において、前記第１通路または第２通路の少なくとも一方における内壁の一部が前記第３部材により形成されることを特徴とする遊技機Ｃ４。
【１２１２】
遊技機Ｃ４によれば、遊技機Ｃ３の奏する効果に加え、第１通路または第２通路の少なくとも一方における内壁の一部が第３部材により形成されるので、第１通路および第２通路の寸法公差または取り付け公差を許容しやすくできる。
【１２１３】
遊技機Ｃ１からＣ４のいずれかにおいて、前記第１部材が前記第３部材を保持可能に形成されることを特徴とする遊技機Ｃ５。
【１２１４】
遊技機Ｃ５によれば、遊技機Ｃ１からＣ４のいずれかの奏する効果に加え、第１部材が第３部材を保持可能に形成されるので、遊技盤の正面および背面に第１部材および第２部材をそれぞれ取り付ける際に、第３部材を別途取り付ける必要がなく、第１部材を取り付けることで、第３部材の取り付けも同時に行うことができる。よって、その分、取り付け作業の作業性の向上を図ることができる。
【１２１５】
遊技機Ｃ５において、前記第１部材に前記第３部材が保持された状態では、前記第１部材に前記第３部材の第１係合部が係合されていることを特徴とする遊技機Ｃ６。
【１２１６】
遊技機Ｃ６によれば、遊技機Ｃ５の奏する効果に加え、第１部材に第３部材が保持された状態では、第１部材に第３部材の第１係合部が係合されているので、遊技盤に第１部材と第３部材とを取り付けた後に、第３部材の第１係合部を第１部材に係合させる作業を別途行う必要がない。よって、その分、取り付け作業の作業性の向上を図ることができる。
【１２１７】
遊技機Ｃ６において、前記第１部材に前記第３部材が保持された状態では、前記第３部材の第２係合部が前記第１部材と反対側から前記第２部材に係合可能に形成されることを特徴とする遊技機Ｃ７。
【１２１８】
遊技機Ｃ７によれば、遊技機Ｃ６の奏する効果に加え、第１部材に第３部材が保持された状態では、第３部材の第２係合部が第１部材と反対側から第２部材に係合可能に形成されるので、遊技盤に第１部材および第３部材を同時に取り付けた後に、遊技盤の背面に第２部材を取り付けることで、かかる取り付け動作と同時に、第３部材の第２係合部を第２部材に係合させることができる。よって、その分、取り付け作業の作業性の向上を図ることができる。
【１２１９】
遊技機Ｃ５からＣ７のいずれかにおいて、前記第１部材は、前記第１通路が配設される本体部材と、その本体部材に締結固定される固定部材とを備え、その固定部材に前記第３部材が固着または一体に形成されることを特徴とする遊技機Ｃ８。
【１２２０】
遊技機Ｃ８によれば、遊技機Ｃ５からＣ７のいずれかの奏する効果に加え、第１部材は、第１通路が配設される本体部材と、その本体部材に締結固定される固定部材とを備え、その固定部材に第３部材が固着または一体に形成されるので、本体部材に固定部材を締結固定する作業と同時に、第１部材に第３部材を保持させる（配設する）ことができる。これにより、遊技盤に第１部材および第２部材を取り付ける際に第３部材を取り付け忘れるこを抑制できる。
【１２２１】
遊技機Ｃ１からＣ８のいずれかにおいて、前記第１部材は、遊技球が入球可能に形成されると共に前記第１通路に連通される入球口と、その入球口を挟んだ位置に回転可能に軸支され前記入球口を開放または閉鎖する一対の羽部材と、それら一対の羽部材を回転させるための駆動力を発生する駆動手段と、その駆動手段の駆動力を前記一対の羽部材に伝達する伝達機構とを備え、前記伝達機構は、前記駆動手段の駆動力により回転される回転部材と、その回転部材の回転に伴ってスライド変位され前記一対の羽部材を開閉させるスライド部材とを備え、そのスライド部材のスライド変位を前記第３部材が案内可能に形成されることを特徴とする遊技機Ｃ９。
【１２２２】
遊技機Ｃ９によれば、遊技機Ｃ１からＣ８のいずれかの奏する効果に加え、伝達機構が、駆動手段の駆動力により回転される回転部材と、その回転部材の回転に伴ってスライド変位され一対の羽部材を開閉させるスライド部材とを備えるので、一対の羽部材の開閉を回転部材のみで行う従来品と比較して、入球口の背面側であって第１通路の両側（側方）にスペースを確保できる。この場合、スライド部材のスライド変位を第３部材が案内可能に形成されるので、スライド部材のスライド変位を案内するための部材を別途設けることを不要とできる。よって、その分、第１部材の構造を簡素化でき、製品コストの低減を図ることができる。
【１２２３】
遊技機Ｃ９において、前記一対の羽部材が前記スライド部材へ向けて突設される突設部を備えると共に、その突設部が摺動可能に挿通される摺動溝を前記スライド部材が備え、そのスライド部材の摺動溝における前記羽部材と反対側の開口に対面する覆設面部を前記第３部材が備えることを特徴とする遊技機Ｃ１０。
【１２２４】
遊技機Ｃ１０によれば、遊技機Ｃ９の奏する効果に加え、一対の羽部材がスライド部材へ向けて突設される突設部を備えると共に、その突設部が摺動可能に挿通される摺動溝をスライド部材が備え、そのスライド部材の摺動溝における羽部材と反対側の開口に対面する覆設面部を第３部材が備えるので、第３部材の覆設面部によりスライド部材の摺動溝の開口を外部から遮蔽して、埃や異物が摺動溝に侵入することを抑制できる。その結果、摺動溝に侵入した埃や異物により突設部の摺動が妨げられることを抑制して、一対の羽部材を安定して開放または閉鎖させることができる。
【１２２５】
＜特定入賞口ユニット９５０を一例とする発明の概念について＞
遊技球が入球可能に形成される入球口と、その入球口を開閉する開閉部材と、前記入球口に入球された遊技球が転動される転動面と、その転動面を転動した遊技球が流入する通路部材とを備えた遊技機において、前記通路部材が所定間隔を隔てつつ複数配設されることを特徴とする遊技機Ｄ１。
【１２２６】
ここで、遊技球が入球可能に形成される入球口と、その入球口を開閉する開閉部材と、入球口に入球された遊技球の通路を形成する通路部材とを備えた遊技機が知られている（例えば、特開２０１５−３０９２号公報）。入球口は、複数の遊技球が同時に入球可能な大きさに形成され、入球口に入球された遊技球は、転動面を転動することで通路部材に集められ、通路部材へ１球ずつ流入される。しかしながら、上述した従来の遊技機では、入球口を大型化すると、その分、入球口の端部から通路部材までの遊技球の転動距離（転動面の長さ）が長くなる。そのため、通路部材へ到達するまでに時間を要し、開閉部材により入球口を閉鎖するまでに別の遊技球が入球口から入球されることで、オーバー入賞が生じやすいという問題点があった。
【１２２７】
これに対し、遊技機Ｄ１によれば、通路部材が所定間隔を隔てつつ複数配設されるので、入球口を大型化した場合でも、通路部材までの遊技球の転動距離（転動面の長さ）を短くできる。よって、その分、通路部材へ到達するまでの時間を短くして、通路部材へ早く流入させることができる。その結果、開閉部材により入球口を閉鎖するまでの間に別の遊技球が入球されることを抑制して、オーバー入賞を抑制できる。
【１２２８】
遊技機Ｄ１において、前記入球口に入球した遊技球を検出する検出センサを備え、その検出センサが前記転動面と前記通路部材との連結部分に配設されることを特徴とする遊技機Ｄ２。
【１２２９】
遊技機Ｄ２によれば、遊技機Ｄ１の奏する効果に加え、入球口に入球した遊技球を検出する検出センサを備え、その検出センサが転動面と通路部材との連結部分に配設されるので、入球口に入球した遊技球をより早く検出できる。よって、開閉部材により入球口を閉鎖するまでの間に別の遊技球が入球されることを抑制でき、オーバー入賞を抑制できる。
【１２３０】
遊技機Ｄ１又はＤ２において、前記入球口から前記通路部材へ向けて傾斜し前記転動面を転動する遊技球に当接可能に形成される第１傾斜面を有する第１案内手段を備え、前記入球口が横長矩形状に形成されると共に前記転動面が前記入球口の長手方向に沿って延設され、前記第１案内手段が前記転動面の長手方向一側端部と前記通路部材との間に配設されることを特徴とする遊技機Ｄ３。
【１２３１】
遊技機Ｄ３によれば、遊技機Ｄ１又はＤ２の奏する効果に加え、入球口から通路部材へ向けて傾斜し転動面を転動する遊技球に当接可能に形成される第１傾斜面を有する第１案内手段を備え、入球口が横長矩形状に形成されると共に転動面が入球口の長手方向に沿って延設され、第１案内手段が転動面の長手方向一側端部と通路部材との間に配設されるので、入球口の長手方向端部の近傍から遊技球が入球した場合に、その遊技球を第１案内手段の第１傾斜面により通路部材へ案内して、転動面の長手方向端部に滞らせ難くできる。よって、入球口から入球した遊技球を通路部材へ早く流入させることができ、その結果、開閉部材により入球口を閉鎖するまでの間に別の遊技球が入球されることを抑制して、オーバー入賞を抑制できる。
【１２３２】
遊技機Ｄ１からＤ３のいずれかにおいて、前記転動面に凹設され前記入球口から前記通路部材へ向けて下降傾斜する凹溝として形成される案内溝を備えることを特徴とする遊技機Ｄ４。
【１２３３】
遊技機Ｄ４によれば、遊技機Ｄ１からＤ３のいずれかの奏する効果に加え、転動面に凹設され入球口から通路部材へ向けて下降傾斜する凹溝として形成される案内溝を備えるので、転動面をその転動面の長手方向に転動する遊技球を受け入れて通路部材へ案内することができる。即ち、遊技球が転動面の長手方向に転動する際に通路部材を通過することを抑制できる。よって、入球口から入球した遊技球を通路部材へ早く流入させることができ、その結果、開閉部材により入球口を閉鎖するまでの間に別の遊技球が入球されることを抑制して、オーバー入賞を抑制できる。
【１２３４】
遊技機Ｄ４において、前記案内溝が前記転動面の長手方向に略直交する方向に直線状に延設されることを特徴とする遊技機Ｄ５。
【１２３５】
遊技機Ｄ５によれば、遊技機Ｄ４の奏する効果に加え、案内溝が転動面の長手方向に略直交する方向に直線状に延設されるので、転動面をその転動面の長手方向に転動する遊技球を案内溝に受け入れやすくできると共に、受け入れた遊技球を通路部材へ速やかに案内する（流入させる）ことができる。その結果、開閉部材により入球口を閉鎖するまでの間に別の遊技球が入球されることを抑制して、オーバー入賞を抑制できる。
【１２３６】
遊技機Ｄ４又はＤ５において、前記案内溝の溝幅が遊技球の直径と略同等に設定されることを特徴とする遊技機Ｄ５。
【１２３７】
遊技機Ｄ５によれば、遊技機Ｄ４又はＤ５の奏する効果に加え、案内溝の溝幅が遊技球の直径と略同等に設定されるので、案内溝に複数の遊技球が受け入れられる場合に、それら各遊技球を整列させた状態で通路部材へ案内することができる。よって、各遊技球を通路部材へ速やかに流入させることができる。その結果、開閉部材により入球口を閉鎖するまでの間に別の遊技球が入球されることを抑制して、オーバー入賞を抑制できる。
【１２３８】
遊技機Ｄ３からＤ６のいずれかにおいて、前記転動面は、前記第１案内手段が配設される第１領域に対して前記転動面の長手方向に前記通路部材を挟んで反対側となる第２領域が、前記第１領域へ向けて下降傾斜して形成されることを特徴とする遊技機Ｄ７。
【１２３９】
遊技機Ｄ７によれば、遊技機Ｄ３からＤ６のいずれかの奏する効果に加え、転動面は、第１案内手段が配設される第１領域に対して転動面の長手方向に通路部材を挟んで反対側となる第２領域が、第１領域へ向けて下降傾斜して形成されるので、第２領域へ入球した遊技球または第１領域から第２領域まで転動した遊技球を、第２領域の下降傾斜を利用して、通路部材へ向けて速やかに転動させることができる。その結果、開閉部材により入球口を閉鎖するまでの間に別の遊技球が入球されることを抑制して、オーバー入賞を抑制できる。
【１２４０】
遊技機Ｄ７において、前記転動面の第２領域から突設される第２案内手段を備えることを特徴とする遊技機Ｄ７。
【１２４１】
遊技機Ｄ７によれば、遊技機Ｄ７の奏する効果に加え、転動面の第２領域から突設される第２案内手段を備えるので、第２領域の下降傾斜により転動速度が速くされた遊技球を通路部材の手前で減速させることができる。即ち、通路部材までは転動速度を速くしつつ、通路部材の手前（直前）で減速させて、遊技球が第２領域から通路部材を通過して第１領域まで転動することを抑制できる。よって、その分、遊技球を通路部材へ早く流入させることができる。その結果、開閉部材により入球口を閉鎖するまでの間に別の遊技球が入球されることを抑制して、オーバー入賞を抑制できる。
【１２４２】
遊技機Ｄ７又はＤ８において、前記転動面の第２領域に配設され、前記通路部材へ向けて前記転動面の第２領域を前記転動面の長手方向に沿って転動される遊技球を前記入球口側へ案内可能に形成される第２案内手段を備えることを特徴とする遊技機Ｄ９。
【１２４３】
遊技機Ｄ９によれば、遊技機Ｄ７又はＤ８の奏する効果に加え、転動面の第２領域に配設され、通路部材へ向けて転動面の第２領域を転動面の長手方向に沿って転動される遊技球を入球口側へ案内可能に形成される第２案内手段を備えるので、第２領域の下降傾斜により転動速度が速くされた遊技球を通路部材の手前で減速させることができる。即ち、通路部材までは転動速度を速くしつつ、通路部材の手前（直前）で減速させて、遊技球が第２領域から通路部材を通過して第１領域まで転動することを抑制できる。よって、その分、遊技球を通路部材へ早く流入させることができる。その結果、開閉部材により入球口を閉鎖するまでの間に別の遊技球が入球されることを抑制して、オーバー入賞を抑制できる。
【１２４４】
遊技機Ｄ９において、前記入球口が開放された状態では、前記転動面を転動する遊技球が当接可能な位置に前記開閉部材が配設されることを特徴とする遊技機Ｄ１０。
【１２４５】
遊技機Ｄ１０によれば、遊技機Ｄ９の奏する効果に加え、入球口が開放された状態では、転動面を転動する遊技球が当接可能な位置に開閉部材が配設されるので、第２案内手段により入球口側へ案内された遊技球を、開閉部材に当接させて、通路部材へ向けて跳ね返させることができる。よって、その分、遊技球を通路部材へ早く流入させることができる。その結果、開閉部材により入球口を閉鎖するまでの間に別の遊技球が入球されることを抑制して、オーバー入賞を抑制できる。
【１２４６】
遊技機Ｄ９又はＤ１０において、前記第２案内手段は、前記第１案内手段と反対側の側縁部が前記第１案内手段から離間するに従って前記入球口から離間する方向に傾斜されると共に、その上面が前記第１案内手段と反対側の側辺部へ向けて下降傾斜されることを特徴とする遊技機Ｄ１１。
【１２４７】
遊技機Ｄ１１によれば、遊技機Ｄ９又はＤ１０の奏する効果に加え、第２案内手段は、第１案内手段と反対側の側縁部が第１案内手段から離間するに従って入球口から離間する方向に傾斜されると共に、その上面が第１案内手段と反対側の側縁部へ向けて下降傾斜されるので、遊技球を、入球口から飛び出ることを抑制しつつ、通路部材へ早く流入させることができる。
【１２４８】
即ち、第２領域を通路部材へ向けて転動面の長手方向に沿って転動される遊技球のうち、転動速度が比較的低い（遅い）遊技球に対しては、入球口から外部へ飛び出る恐れが低いので、第２案内手段の側縁部に当接させて入球口側へ案内することで、第２領域から通路部材を通過して第１領域まで転動することを抑制して、その分、通路部材へ早く流入させることができる。一方、転動速度が比較的高い（速い）遊技球に対しては、第２案内手段の上面を乗り越えさせて、第１領域（第１案内手段）まで案内することができる。よって、第２案内手段の乗り越えと第１案内部材への衝突とにより遊技球の運動エネルギーを消費させ、確実に減速させることができる。よって、入球口から飛び出ることを抑制しつつ、通路部材へ早く流入させることができる。これらの結果、開閉部材により入球口を閉鎖するまでの間に別の遊技球が入球されることを抑制して、オーバー入賞を抑制できる。
【１２４９】
遊技機Ｄ１１において、前記第２案内手段は、前記第１案内手段に対向する側の側縁部が前記転動面の長手方向に直交する方向に延設され、前記転動面の長手方向に直交する方向における前記第１案内手段の側縁部の寸法が、前記転動面の長手方向に直交する方向における前記第２案内手段の側縁部の寸法よりも大きくされることを特徴とする遊技機Ｄ１２。
【１２５０】
遊技機Ｄ１２によれば、遊技機Ｄ１１の奏する効果に加え、転動面の長手方向に直交する方向における第１案内手段の側縁部の寸法が、転動面の長手方向に直交する方向における第２案内手段の側縁部の寸法よりも大きくされるので、第２案内手段の上面を乗り越えた遊技球を、第１案内手段に当接（衝突）させて、確実に減速させることができると共に、通路部材の近傍に位置させやすくできる。よって、遊技球を通路部材へ早く流入させることができる。
【１２５１】
遊技機Ｄ１１又はＤ１２において、前記転動面から遊技球の半径だけ離間した位置が前記第２案内手段の側縁部に含まれることを特徴とする遊技機Ｄ１３。
【１２５２】
遊技機Ｄ１３によれば、遊技機Ｄ１１又はＤ１２の奏する効果に加え、転動面から遊技球の半径だけ離間した位置が第２案内手段の側縁部に含まれるので、第２案内手段の上面を乗り越えた遊技球を、第１案内手段の側縁部に当接（衝突）させて、確実に減速させることができると共に、通路部材の近傍に位置させやすくできる。よって、遊技球を通路部材へ早く流入させることができる。
【１２５３】
遊技機Ｄ８からＤ１３のいずれかにおいて、前記第１案内手段の第１傾斜面における傾斜方向の延長上に前記第２案内手段が位置することを特徴とする遊技機Ｄ１４。
【１２５４】
遊技機Ｄ１４によれば、遊技機Ｄ８からＤ１３のいずれかの奏する効果に加え、第１案内手段の第１傾斜面における傾斜方向の延長上に第２案内手段が位置するので、第１案内手段の第１傾斜面により通路部材へ向けて案内された遊技球の転動速度が比較的高い（速い）場合であっても、かかる遊技球を、第２案内手段に当接（衝突）させて、減速させることができると共に、通路部材の近傍に位置させやすくできる。よって、遊技球を通路部材へ早く流入させることができる。
【１２５５】
遊技機Ｄ１４において、前記転動面に凹設され前記入球口から前記通路部材へ向けて下降傾斜する凹溝として形成される案内溝を備え、前記案内溝の底面から前記第２案内手段の最上部までの高さ寸法が遊技球の半径よりも大きくされることを特徴とする遊技機Ｄ１５。
【１２５６】
遊技機Ｄ１５によれば、遊技機Ｄ１４の奏する効果に加え、転動面に凹設され入球口から通路部材へ向けて下降傾斜する凹溝として形成される案内溝を備え、案内溝の底面から第２案内手段の最上部までの高さ寸法が遊技球の半径よりも大きくされるので、第１案内手段の第１傾斜面により通路部材へ向けて案内された遊技球の転動速度が比較的高い（速い）場合に、かかる遊技球を、第２案内手段に当接（衝突）しやすくできる。よって、かかる遊技球を、減速させることができると共に、通路部材の近傍に位置させやすくでき、通路部材へ早く流入させることができる。
【１２５７】
遊技機Ｄ１からＤ１５のいずれかにおいて、前記転動面に凹設され前記入球口から前記通路部材へ向けて下降傾斜する凹溝として形成される案内溝を備え、前記案内溝の溝幅が前記通路部材へ向かうに従って小さくされることを特徴とする遊技機Ｄ１６。
【１２５８】
遊技機Ｄ１６によれば、遊技機Ｄ１からＤ１５のいずれかの奏する効果に加え、転動面に凹設され入球口から通路部材へ向けて下降傾斜する凹溝として形成される案内溝を備え、案内溝の溝幅が通路部材へ向かうに従って小さくされるので、転動面をその転動面の長手方向へ転動する遊技球が案内溝の側壁に当接（衝突）することで、かかる遊技球の転動方向を通路部材へ向かう方向へ転換させやすくできる。よって、遊技球を通路部材へ早く流入させることができる。
【１２５９】
＜入賞口ユニット９３０及び送球ユニット９７０を一例とする発明の概念について＞
遊技球が入球可能に形成される入球口およびその入球口に連結される通路を備えた入球ユニットと、その入球ユニットが配設される遊技盤とを備えた遊技機において、前記遊技盤には、板厚方向に開口部が開口形成され、前記入球ユニットは、前記入球口およびその入球口に連結される第１通路を有すると共に前記遊技盤の前面側に配設される第１ユニットと、その第１ユニットの背面側に前記遊技盤の開口部を介して配設されると共に前記第１通路に連結される第２通路を有する第２ユニットとを備えることを特徴とする遊技機Ｅ１。
【１２６０】
ここで、遊技球が入球可能に形成される入球口およびその入球口に連結される通路を備えた入球ユニットと、その入球ユニットが配設される遊技盤とを備えた遊技機が知られている（例えば、特開２０１５−１３１０４６号公報）。かかる遊技機によれば、入球ユニットを別の入球ユニット（例えば、通路の本数が異なるもの）に取り換えることで、遊技盤を流用（兼用）しつつ、遊技機の仕様を変更することができる。しかしながら、上述した遊技機では、入球ユニットが遊技盤の前面に配設されるので、例えば、通路の最大本数に応じたスペースを予め遊技盤の前面に確保しておく必要があった。そのため、通路の本数が少ない入球ユニットを用いる場合には、遊技盤の前面側のスペースに無駄が生じるという問題点があった。
【１２６１】
これに対し、遊技機Ｅ１によれば、入球ユニットは、入球ユニットは、入球口およびその入球口に連結される第１通路を有すると共に遊技盤の前面側に配設される第１ユニットと、その第１ユニットの背面側に遊技盤の開口部を介して配設されると共に第１通路に連結される第２通路を有する第２ユニットとを備えるので、遊技盤の前面には第１ユニットの大きさに対応するスペースを確保すれば足り、通路（第２通路）の最大本数に応じたスペースを遊技盤の前面に確保しておく必要がない。よって、第２ユニットを別の第２ユニット（例えば、第２通路の本数が異なるもの）に取り換えることで、遊技盤を流用（兼用）しつつ、遊技盤の仕様を変更する際に、遊技盤の前面のスペースを有効に活用できる。
【１２６２】
遊技機Ｅ１において、前記第１ユニットの少なくとも一部が光透過性材料から形成され、前記第２ユニットが、前記第１ユニットよりも小さな外形に形成されると共に、正面視において前記第１ユニットに重なる位置に配設されることを特徴とする遊技機Ｅ２。
【１２６３】
遊技機Ｅ２によれば、遊技機Ｅ１の奏する効果に加え、第１ユニットが光透過性材料から形成され、第２ユニットが、第１ユニットよりも小さな外形に形成されると共に、正面視において第１ユニットに重なる位置に配設されるので、第１ユニットを通して第２ユニットを遊技者に視認させることができ、遊技の興趣を高めることができる。また、第２ユニットを遊技者に視認可能とするために、遊技盤を光透過性材料から形成することが必須とされず、例えば、遊技盤をベニヤ板から形成することや遊技盤にシールを貼り付ける、或いは、遊技盤を塗装することも許容されるので、設計の自由度を高めることができる。
【１２６４】
遊技機Ｅ２において、前記第２ユニットの少なくとも前記第２通路における正面側が光透過性材料から形成されることを特徴とする遊技機Ｅ３。
【１２６５】
遊技機Ｅ３によれば、遊技機Ｅ２の奏する効果に加え、第２ユニットの少なくとも第２通路における正面側が光透過性材料から形成されるので、第１ユニットを通して第２ユニットの第２通路を流下する遊技球を遊技者に視認させることができ、遊技の興趣を高めることができる。
【１２６６】
なお、第１ユニットは、その全体が光透過性材料から形成されていても良い。また、第１ユニットの一部のみが光透過性材料からなる場合は、正面視において第２ユニットの少なくとも第２通路に重なる部分が光透過性材料から形成されることが好ましい。遊技球の流下を視認可能として、遊技の興趣を高められるからである。
【１２６７】
遊技機Ｅ３において、前記第１ユニットが無色の光透過性材料から形成され、前記第２ユニットが有色の光透過性材料から形成されることを特徴とする遊技機Ｅ４。
【１２６８】
遊技機Ｅ４によれば、遊技機Ｅ３の奏する効果に加え、第１ユニットが無色の光透過性材料から形成され、第２ユニットが有色の光透過性材料から形成されるので、第１ユニットを通して第２ユニットを遊技者に視認させる場合に、第１ユニットと第２ユニットとの前後方向の位置関係を遊技者に把握させやすくできる。即ち、遊技球が前後方向に位置を変化させて流下される態様を遊技者に視認させやすくできるので、遊技の興趣を高めることができる。
【１２６９】
遊技機Ｅ４において、前記第２ユニットの前記第２通路の正面には、文字または図形からなる情報が表示されることを特徴とする遊技機Ｅ５。
【１２７０】
遊技機Ｅ５によれば、遊技機Ｅ４の奏する効果に加え、第２ユニットの第２通路の正面には、文字または図形からなる情報が表示されるので、第１ユニットを通して第２ユニットを視認する場合であっても、表示を目印（基準位置）として、第２通路の位置（前後方向位置）を遊技者に認識させやすくできる。なお、表示の態様としては、インクによる印刷、シールの貼り付け、２色成形などが例示される。
【１２７１】
遊技機Ｅ１からＥ５のいずれかにおいて、前記第２通路は、前記第１通路に連結される第２上流通路と、その第２上流通路から複数本に分岐される複数の第２分岐通路と、それら複数の第２分岐通路のそれぞれに連結される複数の第２連結通路とを備え、前記第２ユニットは、前記第１ユニットの背面側に配設されると共に前記第２上流通路と前記複数の第２分岐通路とが形成される第２上流ユニットと、その第２上流ユニットに配設されると共に前記複数の第２連結通路が形成される第２下流ユニットとを備え、前記複数の第２分岐通路に遊技球の通過を検出する検出センサが配設されることを特徴とする遊技機Ｅ６。
【１２７２】
遊技機Ｅ６によれば、遊技機Ｅ１からＥ５のいずれかにおいて、第２ユニットは、第１ユニットの背面側に配設されると共に第２上流通路と複数の第２分岐通路とが形成される第２上流ユニットと、その第２上流ユニットに配設されると共に複数の第２連結通路が形成される第２下流ユニットとを備え、複数の第２分岐通路に遊技球の通過を検出する検出センサが配設されるので、例えば、第２上流ユニットを、第２分岐通路の本数が少ない別のユニットに変更して異なる仕様の遊技機を製造する場合に、検出センサの配設数を作業者が間違えることを抑制できる。
【１２７３】
即ち、第２連結通路に検出センサを配設する構造では、第２連結通路の本数分だけ検出センサを配設できるところ、例えば、第２分岐通路が２本形成される第２上流ユニットを、第１通路と第２連結通路との間を１本の通路のみで連結する別のユニットに変更する場合に、１の検出センサを配設すれば足りるのに、第２連結通路の本数分だけ検出センサを配設してしまう可能性がある。これに対し、第２分岐通路に検出センサを配設する構造であれば、第２上流ユニットを別のユニットに変更する際に、そのユニットに応じた数の検出センサを配設することになるため、その配設数を作業者が間違えることを抑制できる。
【１２７４】
遊技機Ｅ６において、前記第１ユニットは、遊技球が入球可能に形成される第２入球口を備え、その第２入球口に入球された遊技球が通過する第３通路が、前記第１ユニット、前記第２上流ユニット及び前記第２下流ユニットのそれぞれにわたって形成されると共に、前記第３通路のうちの前記第２下流ユニットに形成される部分に遊技球を検出する検出センサが配設されることを特徴とする遊技機Ｅ７。
【１２７５】
遊技機Ｅ７によれば、遊技機Ｅ６の奏する効果に加え、第１ユニットは、遊技球が入球可能に形成される第２入球口を備え、その第２入球口に入球された遊技球が通過する第３通路が、第１ユニット、第２上流ユニット及び第２下流ユニットのそれぞれにわたって形成されると共に、第３通路のうちの第２下流ユニットに形成される部分に遊技球を検出する検出センサが配設されるので、第２ユニットに配設される検出センサを分散させることができ、その分、通路の配置の自由度を高めることができる。
【１２７６】
遊技機Ｅ７において、前記第１通路に対して前記第２通路が直接または間接に係合することで、又は、前記第１ユニットおよび前記第２ユニットの前記第３通路どうしが直接または間接に係合することで、前記第１ユニットに対する前記第２ユニットの位置決めが行われることを特徴とする遊技機Ｅ８。
【１２７７】
遊技機Ｅ８によれば、遊技機Ｅ７の奏する効果に加え、第１通路に対して第２通路が直接または間接に係合することで、又は、第１ユニットおよび第２ユニットの第３通路どうしが直接または間接に係合することで、第１ユニットに対する第２ユニットの位置決めが行われるので、第２ユニットの第２上流ユニットを別のユニットに変更する場合でも位置決めを可能とできる。即ち、別のユニットの形態に関わらず、第１通路と第２通路とが連結される位置または第３通路どうしが連結される位置は同一であるので、第１通路に対して前記第２通路を又は第３通路どうしを直接または間接に係合させて位置決めすることで、別ユニットであっても第１ユニットに対して位置決めを行うことができる。
【１２７８】
また、第１ユニットに対する第２ユニットの位置決めは、第１通路と第２通路との連結部分または第３通路どうしの連結部分に位置ずれ（段差）が生じることを抑制することが目的となるところ、その対象となる部分（第１通路と第２通路との連結部分または第３通路どうしの連結部分）を位置決めすることができるので、他の部分を位置決めする場合と比較して、位置ずれ（段差）の発生を効果的に抑制できる。その結果、遊技球のスムーズに流下させることができる。
【１２７９】
遊技機Ｅ６からＥ８のいずれかにおいて、前記第２上流通路の前記第２分岐通路に配設される検出センサの一部が前記第２下流ユニットへ向けて突出されると共に、その突出された検出センサの一部を受け入れる受入部が前記第２下流ユニットに形成されることを特徴とする遊技機Ｅ９。
【１２８０】
遊技機Ｅ９によれば、遊技機Ｅ６からＥ８のいずれかの奏する効果に加え、第２上流通路の第２分岐通路に配設される検出センサの一部が第２下流ユニットへ向けて突出されると共に、その突出された検出センサの一部を受け入れる受入部が第２下流通路に形成されるので、検出センサと受入部との係合により第２上流ユニット及び第２下流ユニットの位置決めを行うことを可能としつつ、検出センサの一部が外部へ張り出すことを抑制して、第２ユニット全体としての小型化を図ることができる。
【１２８１】
遊技機Ｅ１からＥ６において、前記第１ユニットは、遊技球が入球可能に形成される第２入球口を備え、その第２入球口に入球された遊技球が通過する第３通路が、前記第２ユニットにおいて、少なくとも前記第２分岐通路の間に形成されることを特徴とする遊技機Ｅ１０。
【１２８２】
遊技機Ｅ１０によれば、遊技機Ｅ１からＥ９の奏する効果に加え、第２入球口に入球された遊技球が通過する第３通路が、第２ユニットにおいて、少なくとも第２分岐通路の間に形成されるので、第２ユニットの小型化を図ることができる。
【１２８３】
遊技機Ｅ１からＥ１０のいずれかにおいて、前記第２通路には、前記第２ユニットの正面から背面へ向けて屈曲される屈曲部分が形成されると共に、その屈曲部分における屈曲外側の壁部の内面から立設部が立設され、前記屈曲外側の壁部が遊技球の流下方向へ向かうに従って前記第２ユニットの背面側に位置するように傾斜されることを特徴とする遊技機Ｅ１１。
【１２８４】
遊技機Ｅ１１によれば、遊技機Ｅ１からＥ１０のいずれかの奏する効果に加え、第２通路には、第２ユニットの正面から背面へ向けて屈曲される屈曲部分が形成されると共に、その屈曲部分における屈曲外側の壁部の内面から立設部が立設され、屈曲外側の壁部が遊技球の流下方向へ向かうに従って第２ユニットの背面側に位置するように傾斜されるので、第２通路の屈曲部分を流下する遊技球を遊技者に視認させやすくできる。即ち、屈曲部分の屈曲外側の壁部の内面から立設部が立設されることで、通路の剛性を高めて耐久性の向上を図ると共に立設部の立設先端に沿って遊技球を案内して屈曲部分をスムーズに流下させることができる一方で、正面視において立設部が遊技球の正面に位置することとなるため、立設部に遊技球が隠れてその遊技球の視認性が低下する。これに対し、屈曲外側の壁部が遊技球の流下方向へ向かうに従って第２ユニットの背面側に位置するように傾斜されることで、剛性の確保と遊技球の案内とを可能としつつ、立設部の前後方向の厚みを薄くできるので、遊技球の視認性を確保できる。
【１２８５】
＜入賞口ユニット９３０及び送球ユニット９７０を一例とする発明の概念について＞
遊技球が通過する第１通路部材と、その第１通路部材の下流端に上流端が連結され前記第１通路部材から流下された遊技球が通過する第２通路部材とを備えた遊技機において、少なくとも前記第２通路部材の上流端のうちの底面側の底面上流端と側面側の側面上流端とが遊技球の通過方向に位置を異ならせて形成されることを特徴とする遊技機Ｆ１。
【１２８６】
ここで、遊技球が通過する第１通路部材と、その第１通路部材の下流端に上流端が連結され第１通路部材から流下された遊技球が通過する第２通路部材とを備えた遊技機が知られている（例えば、特開２０１２−５７８３号公報）。しかしながら、このように、第１通路部材と第２通路部材とを連結する構造では、両者の間の位置ずれが避けられないため、第１通路部材の下流端と第２通路部材の上流端との連結部分に段差が形成され、遊技球のスムーズな流下が阻害される恐れがあるという問題点があった。
【１２８７】
これに対し、遊技機Ｆ１では、少なくとも第２通路部材の上流端のうちの底面側の底面上流端と側面側の側面上流端とが遊技球の通過方向に位置を異ならせて形成されるので、遊技球が底面側の段差（底面上流端）を通過するタイミングと側面側の段差（側面上流端）を通過するタイミングとを異ならせることができる。よって、これら底面側の段差と側面側の段差との影響を遊技球が同時に受けることを回避し、それらの影響を分散させられるので、その分、遊技球をスムーズに流下（通過）させることができる。
【１２８８】
遊技機Ｆ１において、前記底面上流端から遊技球の半径だけ離間した位置が前記側面上流端に含まれることを特徴とする遊技機Ｆ２。
【１２８９】
遊技機Ｆ２によれば、遊技機Ｆ１の奏する効果に加え、底面上流端から遊技球の半径だけ離間した位置が側面上流端に含まれるので、第１通路部材から第２通路部材へ遊技球が転動（流下）する際に、かかる遊技球を側面上流端に内接させることができる。即ち、遊技球が影響を受ける底面側の段差の位置と側面側の段差の位置とを遊技球の通過方向に確実に異ならせることができる。その結果、これら底面側の段差と側面側の段差との影響を遊技球が同時に受けることを確実に回避し、それらの影響を分散させやすくできるので、その分、遊技球をスムーズに流下（通過）させることができる。
【１２９０】
遊技機Ｆ１又はＦ２において、前記第１通路部材の下流端のうちの底面側の底面下流端と側面側の側面下流端とが遊技球の通過方向に位置を異ならせて形成され、前記第１通路部材は、その下流端から前記第２通路部材の上流端へ向けて突出されると共にその突出先端が前記側面下流端とされる突出片を備えると共に、前記第２通路部材は、その上流端に凹設され前記突出片を受け入れると共に前記突出片の突出先端に対面する部分が前記側壁上流端とされる凹部を備えることを特徴とする遊技機Ｆ３。
【１２９１】
遊技機Ｆ３によれば、遊技機Ｆ１又はＦ２の奏する効果に加え、第１通路部材は、その下流端から第２通路部材の上流端へ向けて突出されると共にその突出先端が側面下流端とされる突出片を備えると共に、第２通路部材は、その上流端に凹設され突出片を受け入れると共に突出片の突出先端に対面する部分が側壁上流端とされる凹部を備えるので、第１通路部材の側面下流端および底面下流端を、第２通路部材の側面上流端および側面下流端に近接させることができる。即ち、第２通路部材の側面上流端が底面上流端に対して遊技球の通過方向下流側に位置を異ならせて形成される場合に、その第２通路部材の側面上流端に遊技球が達するまでの間、第１通路部材の突出片により遊技球を案内できる。よって、遊技球をスムーズに流下（通過）させることができる。
【１２９２】
一方で、突出片は比較的剛性が弱く、折損のおそれがあるところ、遊技機Ｆ３によれば、突出片が第１通路部材（即ち、遊技球の通過方向上流側）に形成されるので、突出片が折損した場合であっても、第２通路部材の底面上流端と側面上流端とを遊技球の通過方向に位置を異ならせた状態を維持でき、遊技球が底面側の段差（底面上流端）を通過するタイミングと側面側の段差（側面上流端）を通過するタイミングとを異ならせることができる。よって、これら底面側の段差と側面側の段差との影響を遊技球が同時に受けることを回避し、それらの影響を分散させられるので、その分、遊技球をスムーズに流下（通過）させることができる。
【１２９３】
また、遊技機Ｆ３によれば、遊技機突出片が第１通路部材に、凹部が第２通路部材に、それぞれ形成されるので、突出片に凹部の側面が当接されることで、第１通路部材に対する第２通路部材の上方への位置ずれを規制できる。即ち、第１通路部材の下流端よりも第２通路部材の上流端が高い位置となる段差では、遊技球が乗り上げる際に跳ね上げられやすいため、逆の段差（第１通路部材の下流端よりも第２通路部材の上流端が低い位置となる段差）と比較して、遊技球のスムーズな流下（通過）を阻害しやすい。よって、遊技機Ｆ３のように、第１通路部材に対する第２通路部材の上方への位置ずれを規制できることは、第１通路部材の下流端よりも第２通路部材の上流端が高い位置となる段差が形成されることを抑制でき、遊技球のスムーズな流下に特に有効となる。
【１２９４】
遊技機Ｆ３において、前記第２通路部材の側面上流端が遊技球の通過方向に対して傾斜して形成されることを特徴とする遊技機Ｆ４。
【１２９５】
遊技機Ｆ４によれば、遊技機Ｆ３の奏する効果に加え、第２通路部材の側面上流端が遊技球の通過方向に対して傾斜して形成されるので、第２通路部材の側面上流端が遊技機の通過方向に対して直交して形成される場合と比較して、第２通路部材の側面上端面に衝突した遊技球を傾斜に沿って滑らせて、跳ね返され難くできる。その結果、遊技球をスムーズに通過（流下）させやすくすることができる。
【１２９６】
遊技機Ｆ１又はＦ２において、少なくとも前記第２通路部材の上流端の全体が前記遊技球の通過方向に対して傾斜して形成されることを特徴とする遊技機Ｆ５。
【１２９７】
遊技機Ｆ５によれば、遊技機Ｆ１又はＦ２の奏する効果に加え、少なくとも第２通路部材の上流端の全体が遊技球の通過方向に対して傾斜して形成されるので、第２通路部材の上流端のうちの側面上流端を遊技球の通過方向に対して傾斜せることができる。よって、第２通路部材の側面上流端が遊技機の通過方向に対して直交して形成される場合と比較して、第２通路部材の側面上端面に衝突した遊技球を傾斜に沿って滑らせて、跳ね返され難くできる。その結果、遊技球をスムーズに通過（流下）させやすくすることができる。
【１２９８】
この場合、遊技機Ｆ５によれば、第２通路部材の上流端の全体が傾斜して形成されるので、例えば、突出片や凹部を有する形状（階段状）に形成される場合と比較して、応力集中の発生を抑制して、通路部材の耐久性を確保できる。また、第２通路部材が樹脂材料からなる場合には、その射出成型金型のキャビティ（空洞部分）の形状変化を緩やかとできるので、気泡だまり（エア噛み）や充填不良を抑制して、成形性の向上を図ることができる。
【１２９９】
遊技機Ｆ４及びＦ５において、前記第２通路部材の側面上流端が遊技機の通過方向に沿って下降傾斜して形成されることを特徴とする遊技機Ｆ６。
【１３００】
遊技機Ｆ６によれば、遊技機Ｆ４又はＦ５の奏する効果に加え、第２通路部材の側面上流端が遊技機の通過方向に沿って下降傾斜して形成されるので、第２通路部材の側面上流端に衝突した遊技球を底面側へ押し付けることができる。即ち、第２通路部材の側面上流端で遊技球が跳ね上げられて、バウンドすることを抑制できる。その結果、遊技球をスムーズに通過（流下）させやすくすることができる。
【１３０１】
＜特定入賞口ユニット５５０を一例とする発明の概念について＞
遊技球が入球可能に形成される入球口と、その入球口を挟んだ位置に回転可能に軸支され前記入球口を開放または閉鎖する一対の羽部材と、それら一対の羽部材を回転させるための駆動力を発生する駆動手段と、その駆動手段の駆動力を前記一対の羽部材に伝達する伝達機構とを備えた遊技機において、前記一対の羽部材が外部から開放方向へ変位された場合に、前記一対の羽部材の開放方向への変位を前記伝達機構が規制可能に形成されることを特徴とする遊技機Ｇ１。
【１３０２】
ここで、遊技球が入球可能に形成される入球口と、その入球口を挟んで配設される一対の羽部材と、それら一対の羽部材に駆動力を付与して開放または閉鎖させる駆動手段と、その駆動手段の駆動力により一対の羽部材が開放されると入球口への遊技球の入球を許容する許容位置に配置されると共に駆動手段の駆動力により一対の羽部材が閉鎖されると入球口への遊技球の入球を規制する規制位置に配置される規制手段とを備えた遊技機が知られている（例えば、特開２０１１−１７２８３３号公報）。
【１３０３】
この遊技機によれば、駆動手段の駆動力により一対の羽部材が開放されると、規制手段が許容位置に配置されることで、一対の羽部材の間を通過した遊技球を入球口へ入球させることができる。一方、駆動手段の駆動力により一対の羽部材が閉鎖されると、規制手段が規制位置に配置されるので、一対の羽部材が外部から強制開放された場合に、遊技球が入球口へ入球されることを規制できる。
【１３０４】
しかしながら、上述した従来の遊技機では、規制手段の変位が規制されていないため、例えば、一対の羽部材を外部から強制開放した上で、規制手段を規制位置から許容位置へ変位させることができるため、遊技球が入球口へ不正に入球されることを規制する効果が不十分であるという問題点があった。
【１３０５】
これに対し、遊技機Ｇ１によれば、一対の羽部材が外部から開放方向へ変位された場合に、それら一対の羽部材の開放方向への変位を伝達機構が規制可能に形成されるので、羽部材が強制開放されることを抑制できる。よって、遊技球が入球口へ不正に入球されることを規制しやすくできる。
【１３０６】
遊技機Ｇ１において、前記伝達機構は、前記駆動手段の駆動力により回転される回転部材と、その回転部材の回転に伴ってスライド変位されるスライド部材とを備え、前記スライド部材または前記一対の羽部材の一方から突設部が突設されると共に、その突設部が摺動可能に挿通される摺動溝が前記スライド部材または前記一対の羽部材の他方に凹設され、前記摺動溝の内壁には、前記羽部材を閉鎖させる位置まで前記スライド部材がスライド変位された際に前記突設部を受け入れる受入部が凹設され、前記受入部に前記突設部が受け入れられた状態では、前記羽部材の回転が規制されることを特徴とする遊技機Ｇ２。
【１３０７】
遊技機Ｇ２によれば、遊技機Ａ１からＡ６のいずれかの奏する効果に加え、摺動溝の内壁には、羽部材を閉鎖させる位置までスライド部材がスライド変位された際に突設部を受け入れる受入部が凹設され、受入部に突設部が受け入れられた状態では、羽部材の回転が規制されるので、羽部材が外部から強制開放されることを抑制できる。
【１３０８】
遊技機Ｇ２において、前記スライド部材のスライド変位の方向が、前記一対の羽部材の回転軸に略直交する方向であることを特徴とする遊技機Ｇ３。
【１３０９】
遊技機Ｇ３によれば、遊技機Ｇ２の奏する効果に加え、スライド部材のスライド変位の方向が、一対の羽部材の回転軸に略直交する方向であるので、羽部材が外部から開放方向へ変位され、その外力が突設部および受入部を介してスライド部材に伝達された場合でも、スライド部材のスライド変位成分を発生し難くできる。その結果、羽部材が強制開放されることを抑制できる。
【１３１０】
また、スライド部材を羽部材に対して略平行に配設することができる。その結果、羽部材およびスライド部材の配設に必要なスペースを抑制でき、その分、他の部材を配設するスペースを確保できる。
【１３１１】
遊技機Ｇ２又はＧ３において、前記スライド部材が重力方向下方へ向けてスライド変位されることで、前記受入部に前記突設部が受け入れられることを特徴とする遊技機Ｇ４。
【１３１２】
遊技機Ｇ４によれば、遊技機Ｇ２又はＧ３の奏する効果に加え、スライド部材が重力方向下方へ向けてスライド変位されることで、受入部に突設部が受け入れられるので、スライド部材の重さ（自重）を利用して、受入部に突設部が受け入れられた状態を維持しやすくできる。
【１３１３】
遊技機Ｇ１において、前記伝達機構は、前記駆動手段の駆動力により回転される回転部材と、その回転部材の回転に伴ってスライド変位されるスライド部材とを備え、前記スライド部材または前記一対の羽部材の一方から突設部が突設されると共に、その突設部が摺動可能に挿通される摺動溝が前記スライド部材または前記一対の羽部材の他方に凹設され、前記回転部材は、当接部と、その当接部の先端から張り出す張出部とを備え、前記スライド部材は、前記羽部材を閉鎖させるために前記回転部材が一側へ向けて回転された際に前記当接部の一側が当接される一側被当接部と、その一側被当接部と前記スライド変位の方向に所定間隔を隔てて対向配置され前記羽部材を開放させるために前記回転部材が他側へ向けて回転された際に前記当接部の他側が当接される他側被当接部とを備え、前記羽部材が閉鎖された状態では、前記一側被当接部に前記当接部の一側が当接されると共に前記張出部が前記スライド部材に係合されると共に、少なくとも前記他側被当接部に前記当接部の他側が当接される位置まで前記回転部材が他側へ回転されると、前記張出部の前記スライド部材との係合が解除されることを特徴とする遊技機Ｇ５。
【１３１４】
遊技機Ｇ５によれば、遊技機Ｇ１の奏する効果に加え、回転部材は、当接部と、その当接部の先端から張り出す張出部とを備え、スライド部材は、羽部材を閉鎖させるために回転部材が一側へ向けて回転された際に当接部の一側が当接される一側被当接部と、その一側被当接部とスライド変位の方向に所定間隔を隔てて対向配置され羽部材を開放させるために回転部材が他側へ向けて回転された際に当接部の他側が当接される他側被当接部とを備えるので、回転部材が一側へ回転されると、その回転に伴って、一側被当接部が当接部の一側によって押され、スライド部材が一側へ向けてスライド変位されることで、羽部材が閉鎖される一方、回転部材が他側へ回転されると、その回転に伴って、他側被当接部が当接部の他側によって押され、スライド部材が他側へ向けてスライド変位されることで、羽部材が開放される。
【１３１５】
この場合、羽部材が閉鎖された状態では、一側被当接部に当接部の一側が当接されると共に張出部がスライド部材に係合されるので、回転部材を回転させずにスライド部材を他側へスライド変位させることが規制される。よって、羽部材が外部から強制開放されることを抑制できる。
【１３１６】
一方、少なくとも他側被当接部に当接部の他側が当接される位置まで回転部材が他側へ回転されると、張出部のスライド部材との係合が解除されるので、回転部材を更に他側へ回転させることで、スライド部材を他側へ向けてスライド変位させ、羽部材を開放することができる。
【１３１７】
遊技機Ｇ１において、前記伝達機構は、前記駆動手段の駆動力により回転される回転部材と、その回転部材の回転に伴ってスライド変位されるスライド部材とを備え、前記スライド部材または前記一対の羽部材の一方から突設部が突設されると共に、その突設部が摺動可能に挿通される摺動溝が前記スライド部材または前記一対の羽部材の他方に凹設され、前記回転部材は、当接部と、その当接部の先端から張り出す張出部とを備え、前記スライド部材は、前記羽部材を閉鎖させるために前記回転部材が一側へ向けて回転された際に前記当接部の一側が当接される一側被当接部と、その一側被当接部と前記スライド変位の方向に所定間隔を隔てて対向配置され前記羽部材を開放させるために前記回転部材が他側へ向けて回転された際に前記当接部の他側が当接される他側被当接部とを備え、前記羽部材が閉鎖された状態では、前記張出部が前記スライド部材に非係合とされると共に、前記羽部材が閉鎖された状態から、前記当接部の一側に前記一側当接部が当接される位置まで前記スライド部材がスライド変位されると、前記張出部が前記スライド部材に係合されることを特徴とする遊技機Ｇ６。
【１３１８】
遊技機Ｇ６によれば、遊技機Ｇ１の奏する効果に加え、回転部材は、当接部と、その当接部の先端から張り出す張出部とを備え、スライド部材は、羽部材を閉鎖させるために回転部材が一側へ向けて回転された際に当接部の一側が当接される一側被当接部と、その一側被当接部とスライド変位の方向に所定間隔を隔てて対向配置され羽部材を開放させるために回転部材が他側へ向けて回転された際に当接部の他側が当接される他側被当接部とを備えるので、回転部材が一側へ回転されると、その回転に伴って、一側被当接部が当接部の一側によって押され、スライド部材が一側へ向けてスライド変位されることで、羽部材が閉鎖される一方、回転部材が他側へ回転されると、その回転に伴って、他側被当接部が当接部の他側によって押され、スライド部材が他側へ向けてスライド変位されることで、羽部材が開放される。
【１３１９】
この場合、羽部材が閉鎖された状態から、当接部の一側に前記一側当接部が当接される位置までスライド部材がスライド変位されると、張出部がスライド部材に係合されるので、回転部材を回転させずにスライド部材を他側へスライド変位させることが規制される。よって、羽部材が外部から強制開放されることを抑制できる。
【１３２０】
一方、羽部材が閉鎖された状態では、張出部がスライド部材に非係合とされるので、回転部材を更に他側へ回転させることで、スライド部材を他側へ向けてスライド変位させ、羽部材を開放することができる。ここで、羽部材が閉鎖された状態で、張出部がスライド部材に係合されていると、張出部および一側当接部の形状を、回転部材の他側への回転を許容可能な形状に形成する必要があり、形状が複雑化する。よって、強度が低下するだけでなく、係合が解除されやすくなる恐れがある。これに対し、本発明のように、羽部材が閉鎖された状態では、張出部がスライド部材に非係合とされていることで、張出部および一側当接部の形状を、回転部材の他側への回転を許容可能な形状に形成する必要がない。よって、形状を簡素化して、強度を確保できるだけでなく、係合を保持しやすい形状を採用でき、係合が解除され難くできる。
【１３２１】
遊技機Ｇ２からＧ６のいずれかにおいて、前記入球口に入球された遊技球の通路を形成する通路部材を備え、前記突設部が前記摺動溝に非挿通とされた状態では、前記スライド部材の一部が前記通路部材の通路内に配置されることを特徴とする遊技機Ｇ７。
【１３２２】
遊技機Ｇ７によれば、遊技機Ｇ２からＧ６のいずれかの奏する効果に加え、入球口に入球された遊技球の通路を形成する通路部材を備え、突設部が摺動溝に非挿通とされた状態では、スライド部材の一部が通路部材の通路内に配置されるので、例えば、突設部を切断して羽部材を外部から強制開放したとしても、入球口から入球された遊技球の流下をスライド部材によって規制することができる。
【１３２３】
＜入賞口ユニット９３０を一例とする発明の概念について＞
遊技球が入球可能に形成される入球口と、その入球口を挟んだ位置に回転可能に軸支され前記入球口を開放または閉鎖する一対の羽部材と、それら一対の羽部材を回転させるための駆動力を発生する駆動手段と、その駆動手段の駆動力を前記一対の羽部材に伝達する伝達機構とを備えた遊技機において、前記入球口に入球された遊技球の通路を形成する通路部材を備え、前記羽部材を開放位置から閉鎖位置まで変位させる際に前記伝達機構の一部が前記通路部材の通路を横切ることを特徴とする遊技機Ｈ１。
【１３２４】
ここで、遊技球が入球可能に形成される入球口と、その入球口を挟んだ位置に回転可能に軸支され入球口を開放または閉鎖する一対の羽部材と、それら一対の羽部材を回転させるための駆動力を発生する駆動手段と、その駆動手段の駆動力を一対の羽部材に伝達する伝達機構とを備えた遊技機が知られている（例えば、特開２０１０−２３４００９号公報）。伝達機構は、駆動手段の駆動力により回転される回転部材を備え、回転部材が一側または他側へ向けて回転されることに伴い、羽部材が開放または閉鎖される。
【１３２５】
この場合、例えば、遊技球に糸の先端を接着し、かかる遊技球を入球口から入球させると共に通路部材の通路を通過させ、検出センサの検出位置に遊技球が達した状態で、糸の他端を操作（繰り出し、引き寄せ）して、遊技球を往復させることで、検出センサに複数回検出させる不正行為がある。しかしながら、上述した従来の遊技機では、遊技球に糸の先端を接着して、検出センサに複数回検出させる不正行為を有効に抑制することが困難であるという問題点があった。
【１３２６】
これに対し、遊技機Ｈ１によれば、羽部材を開放位置から閉鎖位置まで変位させる際に伝達機構の一部が通路部材の通路を横切るので、遊技球に先端が接着されている糸の途中部分に伝達機構を少なくとも干渉させることができる。その結果、遊技球を往復させることで、検出センサに複数回検出させる不正行為を抑制することができる。
【１３２７】
遊技機Ｈ１において、前記伝達機構は、前記羽部材を開放位置から閉鎖位置まで変位させる際に前記スライド部材が前記通路部材の通路を横切ると共に、前記スライド部材が前記通路部材の縁部に擦接する擦接部を備えることを特徴とする遊技機Ｈ２。
【１３２８】
遊技機Ｈ２によれば、遊技機Ｈ１の奏する効果に加え、伝達機構は、羽部材を開放位置から閉鎖位置まで変位させる際にスライド部材が通路部材の通路を横切ると共に、スライド部材が通路部材の縁部に擦接する擦接部を備えるので、入球口から通路内に不正に挿通された不正物を切断することができる。
【１３２９】
即ち、羽部材が開放された状態で上述した遊技球が入球されたとしても、羽部材を開放位置から閉鎖位置まで変位され、スライド部材の擦接部が通路部材の通路を横切る際に、遊技球に先端が接着されている糸の途中部分を、擦接部と共に変位させ通路部材の縁部へ押し付けると共に、擦接部が通路部材の縁部に擦接される際に、擦接部と通路部材の縁部との間で糸を切断することができる。その結果、上述した不正行為を抑制できる。
【１３３０】
なお、スライド部材の擦接部は、金属材料から形成することが好ましい。この場合、スライド部材の全体を金属材料から形成しても良く、スライド部材の一部（擦接部）のみを金属材料から形成しても良い。通路部材についても同様であり、通路部材の全体を金属材料から形成しても良く、通路部材の一部（擦接部が擦接される部分）のみを金属材料から形成しても良い。また、擦接部およびその擦接部が擦接される部分（通路部材の縁部）は、刃（切断刃）として形成されることが好ましい。
【１３３１】
遊技機Ｈ１において、前記伝達機構は、前記羽部材が開放する位置から閉鎖する位置まで変位される際に前記通路部材の通路を横切ると共に互いの縁部どうしを擦接させる一対の切断部材を備えることを特徴とする遊技機Ｈ３。
【１３３２】
遊技機Ｈ３によれば、遊技機Ｈ１の奏する効果に加え、羽部材が開放する位置から閉鎖する位置まで変位される際に通路部材の通路を横切ると共に互いの縁部どうしを擦接させる一対の切断部材を伝達機構が備えるので、入球口から通路内に不正に挿通された不正物を切断することができる。
【１３３３】
即ち、羽部材が開放された状態で上述した遊技球が入球されたとしても、羽部材が開放する位置から閉鎖する位置まで変位され、一対の切断部材が通路部材の通路を横切る際に、遊技球に先端が接着されている糸の途中部分を、一対の切断部材の間に挟み込み、切断することができる。その結果、上述した不正行為を抑制できる。
【１３３４】
なお、一対の切断部材は、金属材料から形成することが好ましい。この場合、スライド部材の全体を金属材料から形成しても良く、スライド部材の一部（互いに擦接される縁部）のみを金属材料から形成しても良い。また、一対の切断部材における互いに擦接される部分は、刃（切断刃）として形成されることが好ましい。
【１３３５】
遊技機Ｈ２又はＨ３において、前記駆動手段は、駆動軸の第１方向への変位が電磁力により行われると共に前記第１方向とは反対方向となる第２方向への前記駆動軸の変位が付勢手段の弾性回復力で行われるソレノイドアクチュエータとして形成され、前記羽部材の開放させる位置から閉鎖させる位置までの変位が、前記駆動手段の駆動軸を前記第１方向へ変位させることで行われることを特徴とする遊技機Ｈ４。
【１３３６】
遊技機Ｈ４によれば、遊技機Ｈ２又はＨ３の奏する効果に加え、羽部材の開放させる位置から閉鎖させる位置までの変位が、駆動手段の駆動軸を第１方向へ変位させることで行われる、即ち、電磁力を利用して行われるので、その駆動力を大きくできる。よって、スライド部材の擦接部と通路部材の縁部との間で不正物（例えば、糸）を切断しやすくできる。
【１３３７】
＜投影ユニット６００の投影板部材６２０を一例とする発明の概念について＞
光透過性材料から板状に形成されると共に反射部を有する光透過部材と、その光透過部材の側端面へ光を照射する光照射手段とを備え、前記光透過部材の側端面から入射された光を前記反射部で反射させて前記光透過部材の正面から出射させる遊技機において、前記光照射手段から照射された光のうちの前記光透過部材の正面から出射される光の割合を高くする出射増加手段を備えると共に、その出射増加手段が表示領域外に配置されることを特徴とする遊技機Ｉ１。
【１３３８】
ここで、光透過性材料から板状に形成されると共に反射部を有する光透過部材と、その光透過部材の側端面へ光を照射する光照射手段とを備え、光透過部材の側端面から入射された光を反射部で反射させて光透過部材の正面から出射させる遊技機が知られている（例えば、特開２０１５−２９７３５号公報）。この種の遊技機によれば、例えば、光透過部材を遊技領域における液晶表示装置の正面側に配設することで、通常の状態では、光透過部材を介して液晶表示装置の表示を遊技者に視認させる一方、所定の遊技状態が形成された場合には、光照射手段から照射した光を光透過部材の側端面から入射させ、光透過部材の内部を進行する光を反射部で反射させて、光透過部材の正面から出射させる。この場合、反射部は、複数の反射面から構成される群が複数配設され、各群が模様や図柄の形状をなす。よって、反射部で反射され、光透過部材の正面から出射される光を、模様や図柄として遊技者に認識させることができる。即ち、液晶表示装置の表示と共に、その液晶表示装置の正面に模様や図柄を浮かび上がさせる（表示する）ことができる。
【１３３９】
しかしながら、上述した従来の遊技機では、反射部で反射され光透過部材の正面から出射される光が弱いという問題点があった。そのため、模様や図柄を鮮明に浮かび上がらせる（表示する）ことが困難となる。この場合、光照射手段の出力を大きくしたのでは、コストや消費電力が嵩むだけでなく、発熱量が大きくなり、他の部材や機器へ熱の影響を与えるという問題が生じる。
【１３４０】
これに対し、遊技機Ｉ１によれば、光照射手段から照射された光のうちの光透過部材の正面から出射される光の割合を高くする出射増加手段を備えるので、反射部で反射され光透過部材の正面から出射される光を強くできる。その結果、模様や図柄を鮮明に浮かび上がらせる（表示する）ことができる。また、光照射手段の出力を高める必要がないので、発熱量を小さくして、他の部材や機器への熱の影響を抑制できる。更に、出射増加手段は、表示領域外に配置されるので、遊技者から視認され難くでき、その分、外観を悪化することを抑制できる。
【１３４１】
なお、光透過部材の反射部の形成位置は、例えば、光透過部材の背面であっても良く、或いは、光透過部材の内部であっても良い。
【１３４２】
遊技機Ｉ１において、前記出射増加手段は、前記光透過部材の正面または背面の少なくとも一方の外縁に沿って配設される外縁部材を備えることを特徴とする遊技機Ｉ２。
【１３４３】
遊技機Ｉ２によれば、出射増加手段は、光透過部材の正面または背面の少なくとも一方の外縁に沿って配設される外縁部材を備えるので、光照射手段から照射され光透過部材の側端面に直接到達する光だけでなく、光照射手段から照射され外縁部材に反射された光も光透過部材の側端面から入射させることができ、その分、光透過部材の側端面へ入射される光の集光効率を高めることができる。よって、光照射手段から照射された光のうちの光透過部材の反射部まで到達する光を増加させることができるので、反射部で反射され光透過部材の正面から出射される光を強くして、模様や図柄を鮮明に浮かび上がらせる（表示する）ことができる。また、光照射手段の出力を高める必要がないので、発熱量を小さくして、他の部材や機器への熱の影響を抑制できる。
【１３４４】
更に、このように、出射増加手段が、光透過部材の正面または背面の少なくとも一方の外縁に沿って配設される外縁部材を備えることで、遊技領域における他の装置が光を発光した場合には、かかる他の装置の光を外縁部材が遮って、光透過部材の側端面から入射されることを抑制することができる。よって、光照射手段を消灯させている場合（光透過部材に光を入射させず、光透過部材の正面に模様や図柄を表示させない場合）に、他の装置からの光が光透過部材に入射されて光透過部材の正面に模様や図柄が表示されることを抑制できる。
【１３４５】
遊技機Ｉ２において、前記外縁部材は、前記光透過部材の正面および背面のそれぞれに配設されることを特徴とする遊技機Ｉ３。
【１３４６】
遊技機Ｉ３によれば、遊技機Ｉ２の奏する効果に加え、外縁部材は、光透過部材の正面および背面にそれぞれ配設されるので、光照射手段から照射された光のうち、光透過部材の側端面に直接入射されず、光透過部材の正面側に外れる光および背面側に外れる光のそれぞれを、正面の外縁部材および背面の外縁部材によってそれぞれ反射させ、光透過部材の側端面から入射させることができる。よって、その分、光透過部材の側端面へ入射される光の集光効率をより一層高めることができる。
【１３４７】
更に、このように、光透過部材の正面または背面のそれぞれに外縁部材を備えることで、遊技領域における他の装置が発光した光が光透過部材の正面または背面のいずれの側から到達した場合でも、正面の外縁部材および背面の外縁部材のそれぞれによって遮ることができるので、光透過部材の側端面から入射されることを抑制することができる。よって、光照射手段を消灯させている場合（光透過部材に光を入射させず、光透過部材の正面に模様や図柄を表示させない場合）に、他の装置からの光が光透過部材に入射されて光透過部材の正面に模様や図柄が表示されることをより確実に抑制できる。
【１３４８】
遊技機Ｉ２又はＩ３において、前記外縁部材は、前記光透過部材の側端面よりも外方へ張り出して配設されることを特徴とする遊技機Ｉ４。
【１３４９】
遊技機Ｉ４によれば、遊技機Ｉ２又はＩ３の奏する効果に加え、外縁部材は、光透過部材の側端面よりも外方へ張り出して配設されるので、光照射手段から照射された光を、外縁部材の張り出した部分（光透過部材の側端面に連設される面）で反射させて、光透過部材の側端面へ入射させやすくできる。よって、その分、光透過部材の側端面へ入射される光の集光効率をより一層高めることができる。
【１３５０】
遊技機Ｉ２からＩ４のいずれかにおいて、前記外縁部材は、前記光透過部材よりも小さな屈折率の材料から形成されることを特徴とする遊技機Ｉ５。
【１３５１】
遊技機Ｉ５によれば、遊技機Ｉ２からＩ４のいずれかの奏する効果において、外縁部材は、光透過部材よりも小さな屈折率の材料から形成されるので、光透過部材の側端面から入射された光を、光透過部材と外縁部材との境界で反射させやすくできる。その結果、光透過部材の側端面から入射された光を反射部に到達させやすくできるので、反射部で反射され光透過部材の正面から出射される光を強くして、模様や図柄を鮮明に浮かび上がらせる（表示する）ことができる。
【１３５２】
即ち、例えば、光透過部材と外縁部材とが同じ屈折率の材料から形成されると、光透過部材の側端面から入射された光が、光透過部材と外縁部材との境界で反射され難く、外縁部材へ透過されやすい。外縁部材へ透過された光は、その外縁部分の外面（空気との境界）で全反射（又は一部が反射）した後、光透過部材へ戻るが、外縁部材から光透過部材へ戻った光は、光透過部材の反射部へ向かう方向へ進行するものだけでなく、光透過部材の側端面へ向かう方向へ進行するものも含まれる。そのため、反射部に到達する光が減少される。これに対し、遊技機Ｉ４のように、外縁部材を、光透過部材よりも小さな屈折率の材料から形成することで、光透過部材の側端面から入射された光を、光透過部材と外縁部材との境界で反射させやすくできる（又は、全反射させることができる）ので、反射部に到達する光を確保することができる。
【１３５３】
遊技機Ｉ２からＩ５のいずれかにおいて、前記外縁部材は、前記光透過部材の正面または背面との間に所定の隙間が形成された状態で配設されることを特徴とする遊技機Ｉ６。
【１３５４】
遊技機Ｉ６によれば、遊技機Ｉ２からＩ５のいずれかの奏する効果において、外縁部材は、光透過部材の正面または背面との間に所定の隙間が形成された状態で配設されるので、光透過部材の側端面から入射された光を、光透過部材の正面または背面（空気との境界）で反射させやすくできる。その結果、光透過部材の側端面から入射された光を反射部に到達させやすくできるので、反射部で反射され光透過部材の正面から出射される光を強くして、模様や図柄を鮮明に浮かび上がらせる（表示する）ことができる。
【１３５５】
即ち、例えば、光透過部材と外縁部材との屈折率が同一または屈折率の差が比較的小さい場合に、それら光透過部材と外縁部材とが密着されていると、光透過部材の側端面から入射された光が、光透過部材と外縁部材との境界で反射され難く、外縁部材へ透過されやすい。外縁部材へ透過された光は、その外縁部分の外面（空気との境界）で全反射（又は一部が反射）した後、光透過部材へ戻るが、外縁部材から光透過部材へ戻った光は、光透過部材の反射部へ向かう方向へ進行するものだけでなく、光透過部材の側端面へ向かう方向へ進行するものも含まれる。そのため、反射部に到達する光が減少される。これに対し、遊技機Ｉ５のように、外縁部材を、光透過部材の正面または背面との間に所定の隙間が形成された状態で配設することで、光透過部材の側端面から入射された光を、光透過部材の正面または背面（空気との境界）で反射させやすくできる（又は、全反射させることができる）ので、反射部に到達する光を確保することができる。
【１３５６】
遊技機Ｉ２からＩ６のいずれかにおいて、前記光透過部材を回転可能に支持すると共に前記光透過部材に回転駆動力を付与する回転機構を備え、前記外縁部材は、円環形状に形成されると共に、その円環形状の外周面または内周面の周方向に沿って湾曲ラックギヤが刻設され、前記回転機構は、前記外縁部材の湾曲ラックギヤに歯合されるピニオンギヤと、そのピニオンギヤを回転駆動する駆動手段とを備えることを特徴とする遊技機Ｉ７。
【１３５７】
遊技機Ｉ７によれば、遊技機Ｉ２からＩ６のいずれかの奏する効果に加え、外縁部材が、円環形状に形成されると共に、その円環形状の外周面または内周面の周方向に沿って湾曲ラックギヤが刻設され、その外縁部材の湾曲ラックギヤに歯合されるピニオンギヤと、そのピニオンギヤを回転駆動する駆動手段とを回転機構が備えるので、駆動手段によりピニオンギヤを回転駆動することで、そのピニオンギヤの回転を湾曲ラックギヤを介して外縁部材に伝達でき、これにより、外縁部材と共に光透過部材を回転させることができる。よって、光透過部材の正面から出射される光により表示される模様や図柄を、変位（回転）させた状態で遊技者に視認させることができる。
【１３５８】
この場合、光照射手段から照射された光を光透過部材の側端面へ集光させる役割と、駆動手段の回転駆動力を光透過部材へ伝達して回転させる役割とを、外縁部材に兼用させることができるので、その分、部品点数を削減して、製品コストの削減と構造の簡素化に伴う信頼性の向上とを図ることができる。
【１３５９】
遊技機Ｉ２からＩ７のいずれかにおいて、前記光透過部材を回転可能に支持すると共に前記光透過部材に回転駆動力を付与する回転機構を備え、前記外縁部材は、円環形状に形成されると共に、その円環形状の外周面の周方向に沿って案内溝が凹設され、前記回転機構は、前記案内溝に沿って案内される複数の支持輪を備えることを特徴とする遊技機Ｉ８。
【１３６０】
遊技機Ｉ８によれば、遊技機Ｉ２からＩ７のいずれかの奏する効果に加え、外縁部材が、円環形状に形成されると共に、その円環形状の外周面の周方向に沿って案内溝が凹設され、回転機構は、案内溝に沿って案内される複数の支持輪を備えるので、これら案内溝および支持輪の作用により、光透過部材の側端面を露出させた状態で、即ち、光透過部材の側端面から光を入射可能な状態で、光透過部材を回転可能に支持することができる。よって、光透過部材を回転させることで、光透過部材の正面から出射される光により表示される模様や図柄を、変位（回転）させた状態で遊技者に視認させることができる。
【１３６１】
この場合、光照射手段から照射された光を光透過部材の側端面へ集光させる役割と、光透過部材を支持輪と共に回転可能に支持する役割とを、外縁部材に兼用させることができるので、その分、部品点数を削減して、製品コストの削減と構造の簡素化に伴う信頼性の向上とを図ることができる。
【１３６２】
なお、支持輪は、回転可能に軸支されるものであっても良く、或いは、回転不能に固定されるものであっても良い。この場合、支持輪が案内溝に沿って案内される形態としては、回転可能に軸支された支持輪が案内溝に沿って転動する或いは摺動しつつ転動する形態や、回転不能に固定された支持輪が案内溝に沿って摺動する形態が例示される。
【１３６３】
また、遊技機Ｉ７に従属する遊技機Ｉ８においては、湾曲ラックギヤが刻設される外縁部材を光透過部材の正面または背面の一方に、案内溝が凹設される外縁部材を光透過性部材の正面または背面の他方に、それぞれ配設することが好ましい。即ち、外縁部材が、光透過部材の正面および背面にそれぞれ配設されることで、光照射手段から照射された光のうち、光透過部材の側端面に直接入射されず、光透過部材の正面側に外れる光および背面側に外れる光のそれぞれを、正面の外縁部材および背面の外縁部材によってそれぞれ反射させ、光透過部材の側端面から入射させることができるからである。また、このように、光透過部材の正面または背面のそれぞれに外縁部材が配設されることで、遊技領域における他の装置が発光した光が光透過部材の正面または背面のいずれの側から到達した場合でも、正面の外縁部材および背面の外縁部材のそれぞれによって遮ることができ、光透過部材の側端面から入射されることを抑制することができるからである。
【１３６４】
遊技機Ｉ８において、前記外縁部材は、その外周側が前記光透過部材の正面または背面と所定間隔を隔てて対向する形状に形成され、それら外縁部材と光透過部材との間の対向間が前記案内溝とされることを特徴とする遊技機Ｉ９。
【１３６５】
遊技機Ｉ９によれば、遊技機Ｉ８の奏する効果に加え、外縁部材は、その外周側が光透過部材の正面または背面と所定間隔を隔てて対向する形状に形成され、それら外縁部材と光透過部材との間の対向間が案内溝とされるので、光透過部材および外縁部材からなる構造体の小型化を図ることができる。即ち、光透過部材の正面または背面に案内溝の一方の内壁を担わせることで、外縁部材を断面コ字状に形成する必要がなく、外縁部材の厚み寸法を小さくできる。よって、その分、上述した構造体の小型化を図ることができる。
【１３６６】
また、外縁部材は、光透過部材の正面または背面との間に所定の隙間が形成された状態で配設されるので、光透過部材の側端面から入射された光を、光透過部材の正面または背面（空気との境界）で反射させやすくできる。その結果、光透過部材の側端面から入射された光を反射部に到達させやすくできるので、反射部で反射され光透過部材の正面から出射される光を強くして、模様や図柄を鮮明に浮かび上がらせる（表示する）ことができる。
【１３６７】
遊技機Ｉ２からＩ９のいずれかにおいて、前記光透過部材の側端面は、前記光透過部材の正面および背面に直交して形成され、前記光照射手段は、その照射面からの光の照射方向が前記光透過部材の側端面に直交する姿勢で前記照射面を前記光透過部材の側端面に対向させて配設されることを特徴とする遊技機Ｉ１０。
【１３６８】
遊技機Ｉ１０によれば、遊技機Ｉ２からＩ９のいずれかの奏する効果に加え、光透過部材の側端面は、光透過部材の正面および背面に直交して形成され、光照射手段は、その照射面からの光の照射方向が光透過部材の側端面に直交する姿勢で照射面を光透過部材の側端面に対向させて配設されるので、光照射手段から照射され光透過部材の側端面から入射された光を、光透過部材の正面または背面で反射させやすくできる。その結果、光透過部材の側端面から入射された光を反射部に到達させやすくできるので、反射部で反射され光透過部材の正面から出射される光を強くして、模様や図柄を鮮明に浮かび上がらせる（表示する）ことができる。
【１３６９】
＜投影ユニット６００の照射ユニット６５０を一例とする発明の概念について＞
光の照射対象となる対象部材と、その対象部材へそれぞれが照射面を向けた姿勢で前記対象部材の周囲に分散配置される複数の発光手段とを備えた遊技機において、前記複数の発光手段のうちの少なくとも２以上の発光手段が搭載されると共に弾性変形可能に形成される１又は複数の基板部材と、その基板部材を弾性変形された所定の姿勢で保持するベース部材とを備えることを特徴とする遊技機Ｊ１。
【１３７０】
ここで、光の照射対象となる対象部材と、その対象部材へそれぞれが照射面を向けた姿勢で配置される複数の発光手段とを備えた遊技機が知られている（例えば、特開２０１５−２９７３５号公報）。この遊技機によれば、発光手段から光を照射して対象部材の外周面から入射させることで、その入射された光を、光透過部材の内部を進行させ、反射部で反射させることで、光透過部材の正面から出射させることができる。この場合、本願出願人は、対象部材を、光透過性材料から円板形状に形成すると共に反射部を形成する一方、複数の発光手段を、円板形状（対象部材）の外周面に照射面を向けた姿勢で、対象部材の周囲を取り囲むように配設し、各発光手段から照射された光を対象部材の外周面から入射させる構造を考案した（本願出願時において未公知）。
【１３７１】
しかしながら、上述した従来の遊技機では、複数の発光手段を対象部材の周囲にそれぞれ配設する必要があるため、その配設作業の手間が嵩むという問題点があることを新たに見出した。特に、複数の発光手段は、それぞれの照射面を対象部材の外周面へ向けた姿勢（即ち、それぞれが異なる向き）で配設する必要があるため、この点からも配設作業の手間が嵩む。
【１３７２】
これに対し、遊技機Ｊ１によれば、少なくとも２以上の発光手段が搭載されると共に弾性変形可能に形成される１又は複数の基板部材と、その基板部材を弾性変形された所定の姿勢で保持するベース部材とを備えるので、１の基板部材をベース部材に配設することで、少なくとも２以上の発光手段の配設作業を完了することができる。よって、その分、発光手段の配設作業の手間を抑制できる。
【１３７３】
また、ベース部材に基板部材を配設すると、かかる基板部材が弾性変形された所定の姿勢に保持されるので、発光手段の照射面の方向を規定することができる。即ち、複数の発光手段を、それらの照射面をそれぞれ個別に対象部材の外周面へ向けた姿勢で配設する必要がないので、この点からも発光手段の配設作業の手間を抑制できる。
【１３７４】
遊技機Ｊ１において、前記基板部材よりも剛性が高く形成されると共に前記基板部材に配設されるブロック体を備え、そのブロック体が前記ベース部材に保持されることを特徴とする遊技機Ｊ２。
【１３７５】
遊技機Ｊ２によれば、遊技機Ｊ１の奏する効果に加え、基板部材よりも剛性が高く形成されると共に基板部材に配設されるブロック体を備え、そのブロック体がベース部材に保持されるので、基板部材の反りや撓みを抑制して、かかる基板部材の姿勢を規定しやすくできる。その結果、発光手段の姿勢が、基板部材の反りや撓みの影響を受けることを抑制して、発光手段の照射面を適切な方向へ向けることができると共にその向きを維持しやすくできる。
【１３７６】
遊技機Ｊ２において、前記発光手段は、前記基板部材のうちの前記ブロック体が配設される領域に配設されることを特徴とする遊技機Ｊ３。
【１３７７】
遊技機Ｊ３によれば、遊技機Ｊ２の奏する効果に加え、発光手段は、基板部材のうちのブロック体が配設される領域に配設されるので、発光手段の姿勢が、基板部材の反りや撓みの影響を受けることをより確実に抑制できる。よって、発光手段の照射面を適切な方向へ向けることができると共にその向きをより一層維持しやすくできる。
【１３７８】
遊技機Ｊ２又はＪ３において、前記ブロック体は、前記基板部材に複数が所定間隔を隔てつつ配設されると共に、前記ブロック体どうしの間に位置する前記基板部材を弾性変形させた姿勢で前記ベース体に保持されることを特徴とする遊技機Ｊ４。
【１３７９】
遊技機Ｊ４によれば、遊技機Ｊ２又はＪ３の奏する効果に加え、ブロック体は、基板部材に複数が所定間隔を隔てつつ配設されると共に、ブロック体どうしの間に位置する基板部材を弾性変形させた（曲げた）姿勢でベース体に保持されるので、弾性変形した姿勢の基板部材をベース部材に直接保持させる場合と比較して、発光手段の姿勢（照射面の向き）を安定させることができる。
【１３８０】
遊技機Ｊ２からＪ４のいずれかにおいて、前記発光手段は、前記対象部材に対面する前記基板部材の正面に配設されると共に、前記ブロック体は、前記対象部材と反対側となる前記基板部材の背面に配設されることを特徴とする遊技機Ｊ５。
【１３８１】
遊技機Ｊ５によれば、遊技機Ｊ２からＪ４のいずれかの奏する効果に加え、発光手段は、対象部材に対面する基板部材の正面に配設されると共に、ブロック体は、対象部材と反対側となる基板部材の背面に配設されるので、ブロック体による基板部材の姿勢を安定化する効果を得つつ、発光手段をより対象部材へ近接させることができる。
【１３８２】
遊技機Ｊ５において、前記ブロック体は、前記基板部材の正面からねじにより締結固定され、前記ねじの頭部が前記基板部材の正面に突出されることを特徴とする遊技機Ｊ６。
【１３８３】
遊技機Ｊ６によれば、遊技機Ｊ５の奏する効果に加え、ブロック体は、基板部材の正面からねじにより締結固定され、そのねじの頭部が基板部材の正面に突出されるので、発光手段をねじの頭部によって保護することができる。即ち、例えば、可動する部材が基板部材の正面へ変位された場合には、その部材にねじの頭部を当接させ、発光手段に当接して破損することを抑制できる。
【１３８４】
遊技機Ｊ６において、前記ブロック体は、少なくとも２本の前記ねじにより締結固定され、前記発光手段は、前記２本のねじの頭部の間に配設されることを特徴とする遊技機Ｊ７。
【１３８５】
遊技機Ｊ６によれば、遊技機Ｊ５の奏する効果に加え、ブロック体は、少なくとも２本のねじにより締結固定され、発光手段は、２本のねじの頭部の間に配設されるので、発光手段をねじの頭部によって保護しやすくできる。
【１３８６】
なお、２本のねじは、可動する部材の変位方向に沿って配設されることが好ましい。このように配設されるねじの頭部の間に発光手段が配設されることで、可動する部材をねじの頭部に当接させやすくでき、発光手段を保護しやすくできるからである。
【１３８７】
遊技機Ｊ２からＪ７のいずれかにおいて、前記ベース体またはブロック体の一方には、突起が突設されると共に、その突起を受け入れて嵌合される嵌合孔が前記ベース体またはブロック体の他方に凹設されることを特徴とする遊技機Ｊ８。
【１３８８】
遊技機Ｊ８によれば、遊技機Ｊ２からＪ７のいずれかの奏する効果に加え、ベース体またはブロック体の一方には、突起が突設されると共に、その突起を受け入れて嵌合される嵌合孔がベース体またはブロック体の他方に凹設されるので、突起を嵌合孔に嵌合させることで、ベース体へブロック体を配設することができ、その配設作業の手間を抑制できる。特に、複数のブロック体が基板部材に配設され、それらブロック体どうしの間を弾性変形させた（曲げた）姿勢で配設する場合には、一方のブロック体を嵌合により位置決め（仮固定）しつつ、基板部材を弾性変形させて（曲げて）、他方のブロック体を嵌合させる態様で作業できるので、かかる配設作業の作業性の向上を図ることができる。
【１３８９】
遊技機Ｊ２からＪ８のいずれかにおいて、前記ブロック体は、前記基板部材に配設される側の面に凹部を備え、そのブロック体の凹部に、前記基板部材に配設される電子部品が収納されることを特徴とする遊技機Ｊ９。
【１３９０】
遊技機Ｊ９によれば、遊技機Ｊ２からＪ８のいずれかにおいて、ブロック体が、基板部材に配設される側の面に凹部を備え、そのブロック体の凹部に、基板部材に配設される電子部品が収納されるので、電子部品をブロック体により覆って保護することができる。よって、例えば、可動する部材が電子部品に当接して破損することを回避できる。
【１３９１】
＜上下変位ユニット８００を一例とする発明の概念について＞
ベース部材と、そのベース部材に配設され第１位置および第２位置の間で変位可能に形成される変位部材と、その変位部材に駆動力を付与して変位させる駆動手段とを備えた遊技機において、前記変位部材が前記第１位置から第２位置へ変位されるに伴って弾性変形される弾性部材を備え、前記変位部材は、重力の作用により前記第１位置から第２位置へ向かう方向へ変位される形態で前記ベース部材に配設され、前記駆動手段から前記変位部材への駆動力の付与が解除された状態では、前記第１位置および第２位置の間の所定位置において、前記変位部材に作用する重力と前記弾性部材の弾性回復力とがつり合うことを特徴とする遊技機Ｋ１。
【１３９２】
ここで、ベース部材と、そのベース部材に配設され第１位置および第２位置の間で変位可能に形成される変位部材と、その変位部材に駆動力を付与して変位させる駆動手段とを備え、変位部材の変位による演出を行う遊技機が知られている（例えば、特開２０１１−２３９８７０号公報）。この場合、例えば、通常の状態では、変位部材を、遊技者から視認不能または遊技領域の外縁側となる退避位置（例えば、第１位置または第２位置の一方）に配置する一方、所定の遊技状態が形成されると、遊技領域に張り出す張出位置（第１位置または第２位置の他方）へ向けて変位部材を変位させ、張出位置へ向けて変位される変位部材の動作を遊技者に視認させる演出が行われる。しかしながら、上述した遊技機では、駆動手段の駆動力により変位部材を変位させる構成であり、変位部材が一定の変位速度で変位されるため、変位部材に興趣のある変位を行わせることが困難であるという問題点があった。
【１３９３】
これに対し、遊技機Ｋ１によれば、変位部材が第１位置から第２位置へ変位されるに伴って弾性変形される弾性部材を備え、変位部材は、重力の作用により第１位置から第２位置へ向かう方向へ変位される形態でベース部材に配設され、駆動手段から変位部材への駆動力の付与が解除された状態では、第１位置および第２位置の間の所定位置において、変位部材に作用する重力と弾性部材の弾性回復力とがつり合うので、このつり合い位置（所定位置）を中心として、重力の作用と弾性部材の弾性回復力とによる往復変位（近似的には単振動）を変位部材に行わせることができる。即ち、変位部材の重力方向の変位を等速円運動の正射影の運動とでき、変位速度に変化を持たせることができるので、かかる変位部材に興趣のある変位を行わせることができる。
【１３９４】
一方で、駆動手段から変位部材へ駆動力を付与すれば、上述した変位（等速円運動の正射影の運動）とは異なる態様で、変位部材を第１位置および第２位置の間で変位させることができ、その分、変位のバリエーションを増やすことができる。即ち、駆動手段から変位部材へ駆動力を付与するか否かを切り替えるのみで、変位のバリエーションを増やすことができ、構造や制御を複雑化する必要がないので、製品コストの低減と信頼性の向上とを図ることができる。
【１３９５】
遊技機Ｋ１において、前記変位部材は、一端側が前記ベース部材に回転可能に軸支され、前記第１位置および第２位置の間で他端側を昇降させる形態で形成されることを特徴とする遊技機Ｋ２。
【１３９６】
遊技機Ｋ２によれば、遊技機Ｋ１の奏する効果に加え、一端側がベース部材に回転可能に軸支され、第１位置および第２位置の間で他端側を昇降させる形態で形成されるので、駆動手段から変位部材への駆動力の付与を解除して、重力の作用と弾性部材の弾性回復力とによる往復変位（近似的には単振動）を変位部材に行わせる場合には、かかる変位部材の他端の変位を、鉛直方向の直線運動だけでなく、一端側を回転中心とする回転運動も組み合わせた変位とすることができる。その結果、かかる変位部材に興趣のある変位を行わせることができる。
【１３９７】
遊技機Ｋ２において、前記駆動手段の駆動力を前記変位部材へ伝達する伝達手段を備え、その伝達手段は、前記ベース部材に回転可能に配設され前記駆動手段の駆動力により回転される回転部材と、その回転部材の回転中心から偏心した位置に一端が回転可能に連結されると共に他端が前記変位部材に回転可能に連結される連結部材とを備えることを特徴とする遊技機Ｋ３。
【１３９８】
遊技機Ｋ３によれば、遊技機Ｋ２の奏する効果に加え、伝達手段は、ベース部材に回転可能に配設され駆動手段の駆動力により回転される回転部材と、その回転部材の回転中心から偏心した位置に一端が連結されると共に他端が変位部材に連結される連結部材とを備えるので、駆動手段から変位部材への駆動力の付与を解除して、重力の作用と弾性部材の弾性回復力とによる往復変位（近似的には単振動）を変位部材に行わせる場合には、その変位部材が連結部材を押し引きして回転部材を回転させるところ、その押し引きに伴って回転部材に対する連結部材の姿勢が変化されるため、押し引き方向の力のうちの回転部材を回転させる方向の力成分の大きさを変化させることができる。即ち、変位部材が往復変位される際に、変位部材が伝達手段から受ける抵抗の大きさを変化させることができ、その結果、変位部材の往復変位の変位速度に変化を付与することができ、かかる変位部材に興趣のある変位を行わせることができる。
【１３９９】
遊技機Ｋ３において、前記変位部材に作用する重力と前記弾性部材の弾性回復力とがつり合う前記所定位置では、前記回転部材の回転中心と前記回転部材および連結部材の連結位置とを結ぶ方向に対して、前記回転部材および連結部材の連結位置と前記連結部材および変位部材の連結位置とを結ぶ方向が略直交することを特徴とする遊技機Ｋ４。
【１４００】
遊技機Ｋ４によれば、遊技機Ｋ３の奏する効果に加え、変位部材に作用する重力と弾性部材の弾性回復力とがつり合う所定位置では、回転部材の回転中心と回転部材および連結部材の連結位置とを結ぶ方向に対して、回転部材および連結部材の連結位置と連結部材および変位部材の連結位置とを結ぶ方向が略直交するので、押し引き方向の力のうちの回転部材を回転させる方向の力成分の大きさを、つり合い位置（所定位置）において最大とし、その力成分を、つり合い位置から押し引きのいずれの方向へ向かう場合も減少させることができる。即ち、変位部材が往復変位される際に、変位部材が伝達手段から受ける抵抗をつり合い位置を中心として略対称に変化させることができるので、変位部材の往復変位を継続させやすくできる。
【１４０１】
遊技機Ｋ３又はＫ４において、前記回転部材または連結部材の一方は、他方へ向けて突設される突設部を備え、前記第１位置および第２位置の間の可動範囲のうちの前記所定位置を含む中央側範囲を前記変位部材が変位される際には、前記突設部が前記回転部材または連結部材の他方に非対向とされ、前記中央側範囲よりも前記第１位置または第２位置に近い外側範囲を前記変位部材が変位される際には、前記突設部が前記回転部材または連結部材の他方に当接可能に対向されることを特徴とする遊技機Ｋ５。
【１４０２】
遊技機Ｋ５によれば、遊技機Ｋ３又はＫ４の奏する効果に加え、回転部材または連結部材の一方は、他方へ向けて突設される突設部を備え、第１位置および第２位置の間の可動範囲のうちの所定位置を含む中央側範囲を変位部材が変位される際には、突設部が回転部材または連結部材の他方に非対向とされ、中央側範囲よりも第１位置または第２位置に近い外側範囲を変位部材が変位される際には、突設部が回転部材または連結部材の他方に対向されるので、駆動手段から変位部材への駆動力の付与を解除して、つり合い位置（所定位置）を中心とする往復変位を変位部材に行わせる場合には、中央側範囲において、突設部の摺動による抵抗の発生を回避して、変位部材の往復変位をスムーズに行わせることができる一方、駆動手段の駆動力により変位部材を変位させる場合には、外側範囲において、突設部を、回転部材または連結部材の他方に当接可能に対向させて、それら回転部材および連結部材の間のがたつきを抑制できる。
【１４０３】
遊技機Ｋ５において、前記外側範囲は、前記中央側範囲よりも前記第１位置に近い側に設定されると共に、前記中央側範囲は、前記所定位置および前記第２位置を含む範囲に設定されることを特徴とする遊技機Ｋ６。
【１４０４】
遊技機Ｋ６によれば、遊技機Ｋ５の奏する効果に加え、外側範囲は、中央側範囲よりも第１位置に近い側に設定されると共に、中央側範囲は、所定位置および第２位置を含む範囲に設定されるので、変位部材が第１位置に変位された状態では、突設部を利用して、回転部材および連結部材の間のがたつきを抑制することで、変位部材の姿勢を安定化できる一方、駆動手段の駆動力により変位部材を第１位置から第２位置へ向けて変位させる際には、突設部の摺動による抵抗の発生を回避できるので、変位部材に作用する重力も利用しつつ、変位部材の変位をスムーズに行わせることができる。
【１４０５】
例えば、第１位置を、変位部材が遊技領域の外縁側に退避される退避位置とし、第２位置を、変位部材が遊技領域の中央側へ向けて張り出される張出位置とする場合には、第１位置（退避位置）では、変位部材のがたつきを抑制して、外観の向上や耐久性の向上を図ると共に、他の部材の演出が阻害されることを抑制できると共に、変位部材を第１位置から第２位置（張出位置）へ向けて変位させる際には、第２位置まで速やかに張り出させる（変位させる）ことができ、その張り出し動作による演出効果を高めることができる。
【１４０６】
遊技機Ｋ６において、前記第２位置では、前記回転部材の回転中心と、前記回転部材および連結部材の連結位置と、前記連結部材および変位部材の連結位置とが略一直線上に位置することを特徴とする遊技機Ｋ７。
【１４０７】
遊技機Ｋ７によれば、遊技機Ｋ６の奏する効果に加え、第２位置では、回転部材の回転中心と、回転部材および連結部材の連結位置と、連結部材および変位部材の連結位置とが略一直線上に位置するので、変位部材が連結部材を押し引きして回転部材を回転させようとしても、その押し引き方向が回転部材の回転中心へ向かう方向となり、回転部材を回転させる方向の力成分が発生しない状態（即ち、死点）を形成できる。よって、変位部材を第２位置へ向けて変位させる際には、突設部の摺動による抵抗の発生を回避して、変位部材をスムーズ（速やか）に変位させることを可能としつつ、第２位置に配置された後は、上述した死点の作用により、変位部材のがたつきを抑制して、外観の向上や耐久性の向上を図ることができる。
【１４０８】
遊技機Ｋ３からＫ７のいずれかにおいて、前記連結部材は、前記ベース部材に当接可能に形成される当接部を備え、その当接部は、前記変位部材およびベース部材の連結位置と前記回転部材および連結部材の連結位置とを結ぶ略直線上であって、前記回転部材および連結部材の連結位置を挟んで前記変位部材およびベース部材の連結位置と反対側に配置されることを特徴とする遊技機Ｋ８。
【１４０９】
遊技機Ｋ８によれば、遊技機Ｋ３からＫ７のいずれかの奏する効果に加え、ベース部材に当接可能に形成される当接部を連結部材が備え、その当接部は、変位部材およびベース部材の連結位置と回転部材および連結部材の連結位置とを結ぶ略直線上であって、回転部材および連結部材の連結位置を挟んで変位部材およびベース部材の連結位置と反対側に配置されるので、ベース部材に対して変位部材ががたつく場合に、ベース部材に連結部材の当接部が当接されることで、回転部材および連結部材の連結部分（回転部材と連結部材の一端とが回転可能に連結される部分の軸支孔に対する回転軸）の傾きを抑制しやすくできる。その結果、駆動手段の駆動力を伝達手段を介して変位部材にスムーズに伝達することができる。
【１４１０】
＜変位ユニット４００を一例とする発明の概念について＞
ベース部材と、そのベース部材に変位可能に配設される変位部材と、その変位部材に駆動力を付与する駆動手段とを備えた遊技機において、前記駆動手段は、第１駆動手段と、第２駆動手段とを備え、前記第１駆動手段から付与される駆動力により前記変位部材が変位される場合と、前記第２駆動手段から付与される駆動力により前記変位部材が変位される場合とで、前記変位部材が異なる態様で変位されることを特徴とする遊技機Ｌ１。
【１４１１】
ここで、ベース部材と、そのベース部材に変位可能に配設される変位部材と、その変位部材に駆動力を付与する駆動手段とを備え、変位部材の変位による演出を行う遊技機が知られている（例えば、特開２０１１−２３９８７０号公報）。この場合、例えば、通常の状態では、変位部材を、遊技者から視認不能または遊技領域の外縁側となる退避位置に配置する一方、所定の遊技状態が形成されると、遊技領域に張り出す張出位置へ向けて変位部材を変位させ、張出位置へ向けて変位される変位部材の動作を遊技者に視認させる演出が行われる。
【１４１２】
しかしながら、従来の遊技機では、変位部材の変位による演出の効果が不十分であるという問題点があった。具体的には、従来の遊技機では、変位部材の変位態様（ベース部材に対して変位部材が変位する際の軌跡）が一通りに限定されているため、変位部材の変位による演出がワンパターンとなり、遊技者の意表をつく演出を行うことが困難であった。駆動手段の駆動力に強弱をつけて変化を設けたとしても、変位部材の変位速度が増減するだけであり、その変位態様（軌跡）は相変わらず一定であるため、遊技者の意表をつく演出を行うことが困難であった。
【１４１３】
これに対し、遊技機Ｌ１によれば、駆動手段が、第１駆動手段と、第２駆動手段とを備え、第１駆動手段から付与される駆動力により変位部材が変位される場合と、第２駆動手段から付与される駆動力により変位部材が変位される場合とで、変位部材が異なる態様で変位されるので、変位部材の変位による演出の効果を高めることができる。即ち、変位部材の変位態様（ベース部材に対して変位部材が変位する際の軌跡）が一通りに限定される従来品のように、演出がワンパターンとならず、一の変位部材を少なくとも二通りの変位態様で変位させることができるので、かかる変位態様を切り替えることで、遊技者の意表をつく演出を行うことができる。
【１４１４】
遊技機Ｌ１において、前記ベース部材にスライド変位可能に配設されると共に前記第１駆動手段により駆動される第１部材と、前記ベース部材にスライド変位可能に配設されると共に前記第２駆動手段により駆動される第２部材とを備え、前記変位部材の第１の部分および第２の部分が前記第１部材および第２部材に少なくとも回転可能にそれぞれ連結されることを特徴とする遊技機Ｌ２。
【１４１５】
遊技機Ｌ２によれば、遊技機Ｌ１の奏する効果に加え、ベース部材にスライド変位可能に配設されると共に第１駆動手段により駆動される第１部材と、ベース部材にスライド変位可能に配設されると共に第２駆動手段により駆動される第２部材とを備え、変位部材の第１の部分および第２の部分が第１部材および第２部材に少なくとも回転可能にそれぞれ連結されるので、第１駆動手段の駆動力により第１部材がスライド変位される場合には、第２部分側を中心として変位部材全体が回転される変位態様を形成できる一方、第２駆動手段の駆動力により第２部材がスライド変位される場合には、第１部分側を中心として変位部材全体が回転される変位態様を形成できる。即ち、一の変位部材を少なくとも二通りの変位態様で変位させることができるので、かかる変位態様を切り替えることで、遊技者の意表をつく演出を行うことができる。
【１４１６】
特に、遊技機Ｌ２によれば、二通りの変位態様が、回転中心を同一としその回転方向を異ならせることで形成されるのではなく、回転方向が異なり、且つ、回転中心も異ならせて形成されるので、変位部材の変位態様の変化を大きくでき、遊技者の意表をつく演出を行いやすくできる。
【１４１７】
遊技機Ｌ２において、前記第１部材および第２部材が前記ベース部材に直線変位可能に配設されると共に、前記変位部材の第１の部分または前記第１部材の一方から突出される連結ピンが他方に形成される案内溝に回転可能かつ摺動可能に挿通されることを特徴とする遊技機Ｌ３。
【１４１８】
遊技機Ｌ３によれば、遊技機Ｌ２の奏する効果に加え、第１部材および第２部材がベース部材に直線変位可能に配設されると共に、変位部材の第１の部分または第１部材の一方から突出される連結ピンが他方に形成される案内溝に回転可能かつ摺動可能に挿通されるので、第１駆動手段の駆動力により第１部材を直線変位させるか第２駆動手段の駆動力により第２部材を直線変位させるかに応じて、第２部分側を中心として変位部材全体が回転される変位態様と、第１部分側を中心として変位部材全体が回転される変位態様とを形成できる。即ち、一の変位部材を少なくとも二通りの変位態様で変位させることができるので、かかる変位態様を切り替えることで、遊技者の意表をつく演出を行うことができる。
【１４１９】
この場合、第１部材および第２部材がベース部材に直線変位可能に配設されるので、曲線状の軌跡でスライド変位させる場合のように複雑な構造とする必要がなく（曲線状の軌跡であると、第１部材および第２部材を曲線状に案内する機構だけでなく、曲線状に変位する第１部材および第２部材に駆動力を継続して付与可能とする機構とを設ける必要が生じる）、例えば、ラック・ピニオン機構を利用することができ、その構造を簡素化することができる。よって、製品コストの削減と共に、耐久性と動作の信頼性の向上を図ることができる。
【１４２０】
遊技機Ｌ３において、前記第１部材の直線変位の方向と、前記第２部材の直線変位の方向とが略平行とされることを特徴とする遊技機Ｌ４。
【１４２１】
遊技機Ｌ４によれば、遊技機Ｌ３の奏する効果に加え、第１部材の直線変位の方向と、第２部材の直線変位の方向とが略平行とされるので、第１駆動手段または第２駆動手段の一方のみを駆動して、変位部材全体を回転させる変位態様に加え、第１駆動手段および第２駆動手段の両方を駆動して、変位部材全体を直線変位（例えば、横行）させる変位態様を形成することができる。即ち、一の変位部材を少なくとも三通りの変位態様で変位させることができるので、かかる変位態様を切り替えることで、遊技者の意表をつく演出を行いやすくすることができる。
【１４２２】
特に、遊技機Ｌ４によれば、変位部材の変位態様として、変位の種類（回転）は同じだが、その回転方向と回転中心の位置とを異ならせるものに加え、変位の種類自体を異ならせることができる（即ち、回転と直線変位とを形成できる）ので、変位部材の変位態様の変化をより一層大きくでき、遊技者の意表をつく演出を更に行いやすくできる。
【１４２３】
遊技機Ｌ４において、前記第１部材および第２部材が前記第１駆動手段および第２駆動手段によりそれぞれ駆動される場合に、前記第１部材の変位速度と第２部材の変位速度とが異なる変位速度とされることを特徴とする遊技機Ｌ５。
【１４２４】
遊技機Ｌ５によれば、遊技機Ｌ４の奏する効果に加え、第１部材および第２部材が第１駆動手段および第２駆動手段によりそれぞれ駆動される場合に、第１部材の変位速度と第２部材の変位速度とが異なる変位速度とされるので、変位部材の変位に、回転運動と直線運動とを含ませることができる。即ち、変位部材を、その姿勢を維持したまま、第１部材および第２部材の直線変位の方向と平行に変位（直線運動）させるのみでなく、その姿勢を回転させつつ直線運動させることができるので、遊技者の意表をつく演出を行いやすくすることができる。
【１４２５】
なお、かかる回転運動と直線運動とを組み合わせた変位態様で変位部材を変位させることは、１の駆動手段の駆動力でスライド溝に沿って変位部材を摺動させる従来の構成では不可能であり、本発明のように、２の駆動手段を利用することが始めて可能となったものである。
【１４２６】
遊技機Ｌ１からＬ５のいずれかにおいて、前記ベース部材に変位可能に配設される第２変位部材を備え、前記第１駆動手段の駆動力により前記変位部材が変位される際には、その変位部材と共に前記第２変位部材が変位される一方、前記第２駆動手段の駆動力により前記変位部材が変位される際には、前記第２変位部材が停止状態に維持されることを特徴とする遊技機Ｌ６。
【１４２７】
遊技機Ｌ６によれば、遊技機Ｌ１からＬ５のいずれかの奏する効果に加え、ベース部材に変位可能に配設される第２変位部材を備え、第１駆動手段の駆動力により変位部材が変位される際には、その変位部材と共に第２変位部材が変位される一方、第２駆動手段の駆動力により変位部材が変位される際には、第２変位部材が停止状態に維持されるので、第１駆動手段による変位態様と第２駆動手段による変位態様との装置（変化）を大きくすることができる。よって、かかる変位態様を切り替えることで、遊技者の意表をつく演出を行いやすくすることができる。
【１４２８】
＜投影ユニット５６００を一例とする発明の概念について＞
光の照射対象となる対象部材と、その対象部材へ向けて光を照射する光照射手段とを備えた遊技機において、前記対象部材または前記光照射手段の少なくとも一方または両方が変位可能に形成され、前記一方または両方の変位によって前記光照射手段による前記対象部材の照射態様が変化されることを特徴とする遊技機Ｍ１。
【１４２９】
ここで、第１位置および第２位置の間で変位可能に形成される変位部材と、その変位部材に駆動力を付与して変位させる駆動手段とを備え、変位部材の変位による演出を行う遊技機が知られている（例えば、特開２０１１−２３９８７０号公報）。この遊技機では、変位部材の内部に光照射手段（ＬＥＤ）が配設されると共に、変位部材の正面（遊技者側の面）に光透過性材料からなる透光部が設けられ、その透光部を光照射手段により背面から照射することで、変位部材の一部（透光部）が発光している形態を遊技者に視認させることができる。しかしながら、上述した従来の遊技機では、光照射手段により対象部材の照射態様が一定であるため、遊技者が視認する態様の変化が乏しく、興趣を持たせ難いという問題点があった。
【１４３０】
これに対し、遊技機Ｍ１によれば、対象部材または光照射手段の少なくとも一方または両方が変位可能に形成され、一方または両方の変位によって光照射手段による対象部材の照射態様が変化されるので、遊技者が視認する態様を変化させることができる。その結果、遊技者に興趣を持たせやすくできる。
【１４３１】
なお、光の照射態様が変化される形態としては、例えば、光照射手段により照射される対象部材の位置が変化される形態、光照射手段の照射面から対象部材の照射位置までの距離が変化される形態、これらを組み合わせた形態などが例示される。
【１４３２】
遊技機Ｍ１において、ベース部材を備え、前記光照射手段は、前記ベース部材に固定されると共に、前記対象部材は、前記ベース部材に変位可能に配設されることを特徴とする遊技機Ｍ２。
【１４３３】
遊技機Ｍ２によれば、遊技機Ｍ１の奏する効果に加え、光照射手段は、ベース部材に固定されると共に、対象部材は、ベース部材に変位可能に配設されるので、光照射手段の電気的配線を固定状態とすることができ、その分、断線の発生を抑制できる。
【１４３４】
遊技機Ｍ２において、開口部を有し前記ベース部材に配設される遮蔽部材を備え、前記遮蔽部材の開口部から前記対象部材の一部を遊技者に視認させると共に、前記対象部材は、光透過性材料から板状に形成されると共に反射部を備えて形成され、前記光照射手段から照射され側端面から入射された光を前記反射部で反射して前記対象部材の正面から出射することを特徴とする遊技機Ｍ３。
【１４３５】
ここで、反射部は、複数の反射面から構成される群が複数配設され、各群が模様や図柄の形状をなす。よって、反射部で反射され、光透過部材の正面から出射される光を、模様や図柄として遊技者に認識させることができる。
【１４３６】
遊技機Ｍ３によれば、遊技機Ｍ２の効果に加え、開口部を有しベース部材に配設される遮蔽部材を備え、遮蔽部材の開口部から対象部材の一部を遊技者に視認させるので、対象部材が変位されることで、対象部材の異なる部分を遮蔽部材の開口部から遊技者に視認させることができる。
【１４３７】
例えば、反射部を構成する複数の群のうちの第１の群が開口部を介して視認可能となる第１位置と、第１の群とは別の群となる第２の群が開口部を介して視認可能となる第２位置との間で対象部材が変位可能とされる場合、対象部材を第１位置に配置することで、遮蔽部材の開口部を介して、第１の群により形成される第１の模様や図柄を遊技者に視認させる一方、対象部材を第１位置から第２位置へ変位させることで、遮蔽部材の開口部を介して遊技者に視認させる模様や図柄を、第２の群により形成される第２の模様や図柄に変更することができる。
【１４３８】
この場合、対象部材は、光透過性材料から形成されるので、遊技者が視認する模様や図柄を変更するために、対象部材を変位させる際には、光照射手段からの光を非照射とすることで、対象部材が変位していることを遊技者に認識させ難くできる。
【１４３９】
遊技機Ｍ３において、前記対象部材は、正面視円形状または円環形状に形成され、その円形状または円環形状の中心を回転中心として前記ベース部材に回転可能に配設されることを特徴とする遊技機Ｍ４。
【１４４０】
遊技機Ｍ４によれば、遊技機Ｍ３の奏する効果に加え、対象部材は、正面視円形状または円環形状に形成され、その円形状または円環形状の中心を回転中心としてベース部材に回転可能に配設されるので、対象部材がスライド変位可能とされる場合と比較して、遮蔽部材の開口部を介して遊技者に視認させる模様や図柄の数を確保しつつ、対象部材の配設に要するスペースを抑制できる。
【１４４１】
遊技機Ｍ２において、前記対象部材は、光透過性材料から正面視円形状の板状に形成されると共に反射部を備えて形成され、前記光照射手段から照射され側端面から入射された光を前記反射部で反射して前記対象部材の正面から出射するものであり、前記光照射手段は、前記対象部材の側端面へ照射面を向けた姿勢で前記対象部材の周囲に複数が分散配置され、前記対象部材が前記円形状の中心を回転中心として前記ベース部材に回転可能に配設されることを特徴とする遊技機Ｍ５。
【１４４２】
遊技機Ｍ５によれば、遊技機Ｍ６の奏する効果に加え、対象部材は、光透過性材料から円形板状に形成されると共に反射部を備えて形成され、光照射手段から照射され側端面から入射された光を反射部で反射して対象部材の正面から出射するものであり、光照射手段は、対象部材の側端面へ照射面を向けた姿勢で対象部材の周囲に複数が分散配置されるので、光照射手段から光を照射させつつ対象部材を回転させることで、対象部材の正面から出射される光により表示される模様や図柄を、回転させた状態で遊技者に視認させることができる。
【１４４３】
遊技機Ｍ５において、前記複数の光照射手段は、前記対象部材の回転中心から等距離となる位置において周方向に分散配置されることを特徴とする遊技機Ｍ６。
【１４４４】
遊技機Ｍ６によれば、遊技機Ｍ５の奏する効果に加え、複数の光照射手段は、対象部材の回転中心から等距離となる位置において周方向に分散配置されるので、対象部材の回転位置（位相）に関わらず、対象部材の正面から出射される光を一定としやすくできる。即ち、対象部材の正面から出射される光により表示される模様や図柄を安定して形成することができる。
【１４４５】
遊技機Ｍ１において、ベース部材を備え、前記光照射手段および対象部材は、前記ベース部材に変位可能に配設されることを特徴とする遊技機Ｍ７。
【１４４６】
遊技機Ｍ７によれば、遊技機Ｍ１の奏する効果に加え、光照射手段および対象部材は、ベース部材に変位可能に配設されるので、両者の変位の組み合せによって、光照射手段による対象部材の照射態様の変化のバリエーションを多くすることができる。よって、遊技者が視認する態様をより変化させることができ、遊技者に興趣を持たせやすくできる。
【１４４７】
遊技機Ｍ７において、前記対象部材に駆動力を付与して変位させる駆動手段を備え、前記光照射手段は、前記駆動手段から付与された駆動力により変位された前記対象部材が当接されることで、前記対象部材と共に変位されることを特徴とする遊技機Ｍ８。
【１４４８】
遊技機Ｍ８によれば、遊技機Ｍ７の奏する効果に加え、対象部材に駆動力を付与して変位させる駆動手段を備え、光照射手段は、駆動手段から付与された駆動力により変位された対象部材が当接されることで、対象部材と共に変位されるので、対象部材を変位させるための駆動手段を兼用することができ、光照射手段を変位させるための駆動手段を別途設けることを不要とできる。
【１４４９】
遊技機Ａ１からＡ１６、Ｂ１からＢ１５、Ｃ１からＣ１０、Ｄ１からＤ１５、Ｅ１からＥ１１、Ｆ１からＦ６、Ｇ１からＧ７、Ｈ１からＨ４、Ｉ１からＩ１０、Ｊ１からＪ９、Ｋ１からＫ８、Ｌ１からＬ６及びＭ１からＭ８のいずれかにおいて、前記遊技機はスロットマシンであることを特徴とする遊技機Ｋ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【１４５０】
遊技機Ａ１からＡ１６、Ｂ１からＢ１５、Ｃ１からＣ１０、Ｄ１からＤ１５、Ｅ１からＥ１１、Ｆ１からＦ６、Ｇ１からＧ７、Ｈ１からＨ４、Ｉ１からＩ１０、Ｊ１からＪ９、Ｋ１からＫ８、Ｌ１からＬ６及びＭ１からＭ８のいずれかにおいて、前記遊技機はパチンコ遊技機であることを特徴とする遊技機Ｋ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【１４５１】
遊技機Ａ１からＡ１６、Ｂ１からＢ１５、Ｃ１からＣ１０、Ｄ１からＤ１５、Ｅ１からＥ１１、Ｆ１からＦ６、Ｇ１からＧ７、Ｈ１からＨ４、Ｉ１からＩ１０、Ｊ１からＪ９、Ｋ１からＫ８、Ｌ１からＬ６及びＭ１からＭ８のいずれかにおいて、前記遊技機はパチンコ遊技機とスロットマシンとを融合させたものであることを特徴とする遊技機Ｋ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【符号の説明】
【１４５２】
１０                          パチンコ機（遊技機）
１３                          遊技盤
６０                          ベース板（遊技盤）
６０ａ                        貫通孔（開口部）
６４                          第１入賞口（第１通路）
１４０                        第２入賞口（入球口，第１入球口）
６５ａ                        特定入賞口（第２入球口）
４１０                        ベース部材
４２０Ｌ                      左変位部材（変位部材）
４２０Ｒ                      右変位部材（変位部材）
４２２                        連結孔（第１の部分または第２の部分）
４２３                        摺動溝（第１の部分または第２の部分、案内溝）
４４０                        台車部材（第１部材または第２部材）
４８１                        第１駆動モータ（第１駆動手段または第２駆動手段）
４８５                        突出部材（変位部材、第２変位部材）
４８８Ｌ                      下部左ラック（第１部材または第２部材）
４８８Ｒ                      下部右ラック（第１部材または第２部材）
４８８ｂ                      駆動ピン（連結ピン）
４９１                        第２駆動モータ（第１駆動手段または第２駆動手段）
６１０，５６１０，６６１０    ベース部材
６１１，５６１１，６６１２    背面ベース（ベース部材）
６１２，５６１２              正面ベース（ベース部材）
６１２ｇ                      保持ピン（突起）
６６１２ｐ                    開口部
６６１２ｒ                    遮蔽部材
６２０，２６２０，３６２０，５６２０，６６２０  投影板部材（対象部材、光透過部材）
６２２，６６２２              反射部
６３０，３６３０              ギヤ部材（外縁部材、出射増加手段）
６３１                        歯部（湾曲ラックギヤ）
６４０，２６４０，３６４０    溝形成部材（外縁部材、出射増加手段）
６４１，２６４１              案内溝
６５１                        ＬＥＤ（発光手段、光照射手段）
６５２                        基板部材
６５３                        第１ブロック（ブロック体）
６５３ｂ１                    挿通孔（嵌合孔）
６５４                        第２ブロック（ブロック体）
６５４ｂ１                    挿通孔（嵌合孔）
６６１                        駆動モータ（駆動手段）
８２０                        正面ベース（ベース部材の一部）
８３０                        背面ベース（ベース部材の一部）
８５０                        変位部材
８６３                        伝達ギヤ（回転部材）
８６３ｃ                      突設部
８７０                        連結部材
８８０                        駆動モータ（駆動手段）
９４０                        正面ユニット（第１部材、第１ユニット）
９４１                        背面ベース（固定部材）
９４２ｃ                      第２送球部（第１通路部材の一部）
９４３                        正面ベース（本体部材）
９４３ａ                      転動部（第１通路、第１通路部材の一部）
９４５                        羽部材（第１開閉部材）
９４５ｂ                      突起（突設部）
９５１                        板部材（第２開閉部材、開閉部材）
９５３ａ１                    開口（入球口）
９５３ａ２                    転動面
９５３ｃ                      円環突起（座部）
９５４ｂ                      凹部（案内溝）
９５４ｃ                      突設部（第２案内手段）
９５４ｃ２                    側辺部
９５４ｃ３                    側縁部
９５４ｄ                      立設壁（第１案内手段）
９５４ｄ１                    第２案内面（第１傾斜面）
９５４ｄ２                    第２側縁部（側縁部）
９５５                        通路部材（ケース部材）
９５５ａ                      凹設部（通路部材）
９５７ａ１                    本体部
９５７ａ２                    軸部（駆動軸）
９６０                        駆動ユニット（第３部材）
９６１ａ                      本体部
９６１ｂ                      軸部（駆動軸）
９６２ｅ                      腕部（第２係合部）
９６２ｆ                      壁部（覆設面部）
９６２ｇ                      突設部（第１係合部）
１４０                        第２入賞口（入球口、第２入球口）
９６５，１８９６５            伝達部材（回転部材，第１伝達機構の一部）
９６５ａ                      先端部（第１部分の一部）
９６５ｂ                      回転部（第１部分の一部）
９６５ｃ                      回転軸
９６５ｄ                      突出部（第２部分）
９６５ｅ                      挿入部（当接部）
９６６，８９６６，１１９６６，１２９６６，１４９６６，１８９６６    変位部材（スライド部材，第１伝達機構の一部）
９６６ａ２，８９６６ａ２      摺動溝
９６６ａ５                    傾斜面
８９６６ａ６                  凹部（受入部）
９６６ｂ２                    一側被当接部
９６６ｂ３                    他側被当接部
１１９６８ｃ，１８９９６ｇ    刃部（擦接部）
１２９６６ｃ２                第２刃部（切断部材の一部）
６６８３                      刃部（切断部材の一部）
９７０                        送球ユニット（第２ユニット）
９８０                        振分けユニット（第２部材、第２上流ユニット）
９８１ｂ                      側壁部（第２通路、第２通路部材、第３通路）
９８２ｂ                      傾斜部（屈曲部分）
９８２ｈ１，９８２ｊ１        案内部（立設部）
９８５ｅ１，９８５ｆ１        流入通路（第２連結通路）
９００                        通路ユニット（第２下流ユニット）
９９１ｃ１，９９１ｄ１        凹設部（受入部）
ＴＲ０                        送球通路（第２通路の一部、第２上流通路）
ＴＲ１                        第１通路（第２通路の一部、第２分岐通路）
ＴＲ２                        第２通路（第２通路の一部、第２分岐通路）
ＳＥ１                        検出装置（検出センサ）
ＳＥ３                        検出装置（検出センサ）
ＳＥ４                        検出装置（検出センサ）
ＨＳ１                        配線
ＨＳ２                        配線
ＨＳ３                        配線
ＳＰ                          付勢ばね（弾性部材）
Ｓ１，Ｓ２                    ねじ
Ｃ                            カラー（支持輪）
θ１                          第１駆動範囲（外側範囲）
θ２                          第２駆動範囲（中央側範囲）
【図１】
2018161211.tif 000003
【図２】
2018161211.tif 000004
【図３】
2018161211.tif 000005
【図４】
2018161211.tif 000006
【図５】
2018161211.tif 000007
【図６】
2018161211.tif 000008
【図７】
2018161211.tif 000009
【図８】
2018161211.tif 000010
【図９】
2018161211.tif 000011
【図１０】
2018161211.tif 000012
【図１１】
2018161211.tif 000013
【図１２】
2018161211.tif 000014
【図１３】
2018161211.tif 000015
【図１４】
2018161211.tif 000016
【図１５】
2018161211.tif 000017
【図１６】
2018161211.tif 000018
【図１７】
2018161211.tif 000019
【図１８】
2018161211.tif 000020
【図１９】
2018161211.tif 000021
【図２０】
2018161211.tif 000022
【図２１】
2018161211.tif 000023
【図２２】
2018161211.tif 000024
【図２３】
2018161211.tif 000025
【図２４】
2018161211.tif 000026
【図２５】
2018161211.tif 000027
【図２６】
2018161211.tif 000028
【図２７】
2018161211.tif 000029
【図２８】
2018161211.tif 000030
【図２９】
2018161211.tif 000031
【図３０】
2018161211.tif 000032
【図３１】
2018161211.tif 000033
【図３２】
2018161211.tif 000034
【図３３】
2018161211.tif 000035
【図３４】
2018161211.tif 000036
【図３５】
2018161211.tif 000037
【図３６】
2018161211.tif 000038
【図３７】
2018161211.tif 000039
【図３８】
2018161211.tif 000040
【図３９】
2018161211.tif 000041
【図４０】
2018161211.tif 000042
【図４１】
2018161211.tif 000043
【図４２】
2018161211.tif 000044
【図４３】
2018161211.tif 000045
【図４４】
2018161211.tif 000046
【図４５】
2018161211.tif 000047
【図４６】
2018161211.tif 000048
【図４７】
2018161211.tif 000049
【図４８】
2018161211.tif 000050
【図４９】
2018161211.tif 000051
【図５０】
2018161211.tif 000052
【図５１】
2018161211.tif 000053
【図５２】
2018161211.tif 000054
【図５３】
2018161211.tif 000055
【図５４】
2018161211.tif 000056
【図５５】
2018161211.tif 000057
【図５６】
2018161211.tif 000058
【図５７】
2018161211.tif 000059
【図５８】
2018161211.tif 000060
【図５９】
2018161211.tif 000061
【図６０】
2018161211.tif 000062
【図６１】
2018161211.tif 000063
【図６２】
2018161211.tif 000064
【図６３】
2018161211.tif 000065
【図６４】
2018161211.tif 000066
【図６５】
2018161211.tif 000067
【図６６】
2018161211.tif 000068
【図６７】
2018161211.tif 000069
【図６８】
2018161211.tif 000070
【図６９】
2018161211.tif 000071
【図７０】
2018161211.tif 000072
【図７１】
2018161211.tif 000073
【図７２】
2018161211.tif 000074
【図７３】
2018161211.tif 000075
【図７４】
2018161211.tif 000076
【図７５】
2018161211.tif 000077
【図７６】
2018161211.tif 000078
【図７７】
2018161211.tif 000079
【図７８】
2018161211.tif 000080
【図７９】
2018161211.tif 000081
【図８０】
2018161211.tif 000082
【図８１】
2018161211.tif 000083
【図８２】
2018161211.tif 000084
【図８３】
2018161211.tif 000085
【図８４】
2018161211.tif 000086
【図８５】
2018161211.tif 000087
【図８６】
2018161211.tif 000088
【図８７】
2018161211.tif 000089
【図８８】
2018161211.tif 000090
【図８９】
2018161211.tif 000091
【図９０】
2018161211.tif 000092
【図９１】
2018161211.tif 000093
【図９２】
2018161211.tif 000094
【図９３】
2018161211.tif 000095
【図９４】
2018161211.tif 000096
【図９５】
2018161211.tif 000097
【図９６】
2018161211.tif 000098
【図９７】
2018161211.tif 000099
【図９８】
2018161211.tif 000100
【図９９】
2018161211.tif 000101
【図１００】
2018161211.tif 000102
【図１０１】
2018161211.tif 000103
【図１０２】
2018161211.tif 000104
【図１０３】
2018161211.tif 000105
【図１０４】
2018161211.tif 000106
【図１０５】
2018161211.tif 000107
【図１０６】
2018161211.tif 000108
【図１０７】
2018161211.tif 000109
【図１０８】
2018161211.tif 000110
【図１０９】
2018161211.tif 000111
【図１１０】
2018161211.tif 000112
【図１１１】
2018161211.tif 000113
【図１１２】
2018161211.tif 000114
【図１１３】
2018161211.tif 000115
【図１１４】
2018161211.tif 000116
【図１１５】
2018161211.tif 000117
【図１１６】
2018161211.tif 000118
【図１１７】
2018161211.tif 000119
【図１１８】
2018161211.tif 000120
【図１１９】
2018161211.tif 000121
【図１２０】
2018161211.tif 000122
【図１２１】
2018161211.tif 000123
【図１２２】
2018161211.tif 000124
【図１２３】
2018161211.tif 000125
【図１２４】
2018161211.tif 000126
【図１２５】
2018161211.tif 000127
【図１２６】
2018161211.tif 000128
【図１２７】
2018161211.tif 000129
【図１２８】
2018161211.tif 000130
【図１２９】
2018161211.tif 000131
【図１３０】
2018161211.tif 000132
【図１３１】
2018161211.tif 000133
【図１３２】
2018161211.tif 000134
【図１３３】
2018161211.tif 000135
【図１３４】
2018161211.tif 000136
【図１３５】
2018161211.tif 000137
【図１３６】
2018161211.tif 000138
【図１３７】
2018161211.tif 000139